(57)【要約】【課題】  試料中に含まれる腫瘍細胞を、夾雑細胞と区別して回収および検出する方法を提供する。【解決手段】  試料中に存在する、（ｉ）ＳＬＣ７Ａ５（ＧｅｎＢａｎｋ  Ｎｏ．ＮＰ＿００３４７７．４）等の配列番号１〜５９１のいずれかのアミノ酸配列を少なくとも含むポリペプチド、（ｉｉ）前記アミノ酸配列と８０％以上の相同性を有するアミノ酸配列を含むポリペプチド、（ｉｉｉ）前記アミノ酸配列（前述した（ｉ）（ｉｉ）のアミノ酸配列）のスプライシングバリアントを少なくとも含むポリペプチド、のいずれかのポリペプチド、又はこれらポリペプチドをコードする遺伝子を検出することにより、試料中に含まれる腫瘍細胞を夾雑細胞と区別して回収および検出する。【選択図】  図１
2019158777.tif 000002
【特許請求の範囲】
【請求項１】
試料中に存在する以下の（ｉ）から（ｉｉｉ）からなる群から選択される１以上のポリペプチドを検出することを特徴とする、試料中に含まれる腫瘍細胞を夾雑細胞と区別して検出する方法。
（ｉ）配列番号１から５９１のいずれかに記載のアミノ酸配列を少なくとも含むポリペプチド、
（ｉｉ）配列番号１から５９１のいずれかに記載のアミノ酸配列と８０％以上の相同性を有するアミノ酸配列を含むポリペプチド
（ｉｉｉ）配列番号１から５９１のいずれかに記載のアミノ酸配列のスプライシングバリアントを少なくとも含むポリペプチド、
または、
配列番号１から５９１のいずれかに記載のアミノ酸配列と８０％以上の相同性を有するポリペプチドのスプライシングバリアントを少なくとも含むポリペプチド
【請求項２】
（ｉ）から（ｉｉｉ）からなる群から選択される１以上のポリペプチドを特異的に認識する抗体またはアプタマーを用いて検出する、請求項１に記載の方法。
【請求項３】
試料中に存在する以下の（ｉ）から（ｉｉｉ）のいずれかのポリペプチドをコードする遺
伝子を検出することを特徴とする、試料中に含まれる腫瘍細胞を夾雑細胞と区別して検出
する方法。
（ｉ）配列番号１から５９１のいずれかに記載のアミノ酸配列を少なくとも含むポリペプチド、
（ｉｉ）配列番号１から５９１のいずれかに記載のアミノ酸配列と８０％以上の相同性を有するアミノ酸配列を含むポリペプチド
（ｉｉｉ）配列番号１から５９１のいずれかに記載のアミノ酸配列のスプライシングバリアントを少なくとも含むポリペプチド、または、
配列番号１から５９１のいずれかに記載のアミノ酸配列と８０％以上の相同性を有するポリペプチドのスプライシングバリアントを少なくとも含むポリペプチド
【請求項４】
試料中に含まれる腫瘍細胞を夾雑細胞と区別して検出し、当該検出した腫瘍細胞を回収手段を用いて回収する、腫瘍細胞の回収方法であって、
腫瘍細胞の検出を試料中に存在する以下の（ｉｖ）から（ｖｉ）からなる群から選択される１以上のポリペプチドを検出することで行なう、前記回収方法。
（ｉｖ）配列番号１から１８３のいずれかに記載のアミノ酸配列を少なくとも含むポリペプチド、
（ｖ）配列番号１から１８３のいずれかに記載のアミノ酸配列と８０％以上の相同性を有するアミノ酸配列を少なくとも含むポリペプチド
（ｖｉ）配列番号１から１８３のいずれかに記載のアミノ酸配列のスプライシングバリアントを少なくとも含むポリペプチド、または、
配列番号１から１８３のいずれかに記載のアミノ酸配列と８０％以上の相同性を有するポリペプチドのスプライシングバリアントを少なくとも含むポリペプチド
【請求項５】
腫瘍細胞の検出を（ｉｖ）から（ｖｉ）からなる群から選択される１以上のポリペプチドを特異的に認識する抗体またはアプタマーを用いて行なう、請求項４に記載の方法。
【請求項６】
試料が血液であり、試料中に含まれる夾雑細胞が白血球である、請求項１から５のいずれかに記載の方法。
【請求項７】
以下の（ｉ）から（ｉｉｉ）のいずれかのポリペプチドからなる、試料中に含まれる腫瘍細胞を当該試料中に含まれる白血球と区別して検出可能な腫瘍マーカー。
（ｉ）配列番号１から５９１のいずれかに記載のアミノ酸配列を少なくとも含むポリペプチド、
（ｉｉ）配列番号１から５９１のいずれかに記載のアミノ酸配列と８０％以上の相同性を有するアミノ酸配列を少なくとも含むポリペプチド
（ｉｉｉ）配列番号１から５９１のいずれかに記載のアミノ酸配列のスプライシングバリアントを少なくとも含むポリペプチド、または、
配列番号１から５９１のいずれかに記載のアミノ酸配列と８０％以上の相同性を有するポリペプチドのスプライシングバリアントを少なくとも含むポリペプチド
【請求項８】
以下の（ｉ）から（ｉｉｉ）のいずれかのポリペプチドをコードする遺伝子からなる、試
料中に含まれる腫瘍細胞を当該試料中に含まれる白血球と区別して検出可能な腫瘍マーカー。
（ｉ）配列番号１から５９１のいずれかに記載のアミノ酸配列を少なくとも含むポリペプチド、
（ｉｉ）配列番号１から５９１のいずれかに記載のアミノ酸配列と８０％以上の相同性を有するポリペプチド
（ｉｉｉ）配列番号１から５９１のいずれかに記載のアミノ酸配列のスプライシングバリアントを少なくとも含むポリペプチド、または、
配列番号１から５９１のいずれかに記載のアミノ酸配列と８０％以上の相同性を有するポリペプチドのスプライシングバリアントを少なくとも含むポリペプチド
【請求項９】
以下の（ｉｖ）から（ｖｉ）のいずれかのポリペプチドからなる、試料中に含まれる腫瘍細胞を当該試料中に含まれる白血球と区別して回収可能な腫瘍マーカー。
（ｉｖ）配列番号１から１８３のいずれかに記載のアミノ酸配列を少なくとも含むポリペプチド、
（ｖ）配列番号１から１８３のいずれかに記載のアミノ酸配列と８０％以上の相同性を有するアミノ酸配列を少なくとも含むポリペプチド
（ｖｉ）配列番号１から１８３のいずれかに記載のアミノ酸配列のスプライシングバリアントを少なくとも含むポリペプチド、または、
配列番号１から１８３のいずれかに記載のアミノ酸配列と８０％以上の相同性を有するポリペプチドのスプライシングバリアントを少なくとも含むポリペプチド
【発明の詳細な説明】
【技術分野】
【０００１】
本発明は、腫瘍マーカーならびに試料中に含まれる腫瘍細胞の回収および検出法に関する。特に本発明は、試料中に含まれる腫瘍細胞が発現するタンパク質または遺伝子を用いて、前記腫瘍細胞を前記試料中に含まれる夾雑細胞と区別して回収および検出する方法に関する。
【背景技術】
【０００２】
腫瘍細胞が原発巣から離脱すると、血管内またはリンパ管内へと浸透し、血液中またはリンパ液中を循環した後、最終的に他臓器や組織に侵入することで、転移巣を形成する。ここで血液中を循環する腫瘍細胞はＣＴＣ（Ｃｉｒｃｕｌａｔｉｎｇ  Ｔｕｍｏｒ  ｃｅｌｌ）とも呼ばれ、多くの臨床試験や研究がなされている。例えば、患者から採取した血液中に含まれるＣＴＣの数を測定したり（特許文献１）、前記ＣＴＣにおけるタンパク質の発現や遺伝子の突然変異もしくは転座を調べることで、前記患者の予後予測や癌再発予測に関する情報を提供する。しかしながら、血液中に含まれるＣＴＣの数は非常に少なく、かつ血液中には赤血球や白血球など多種多様な夾雑細胞が含まれているため、ＣＴＣ検出／解析の際は、大量の細胞の中から僅かな細胞を区別して回収および検出する技術が必要となる。
【０００３】
従来、ＣＴＣの検出にはサイトケラチンやＥｐＣＡＭ（Ｅｐｉｔｈｅｌｉａｌ  Ｃｅｌｌ  Ａｄｈｅｓｉｏｎ  Ｍｏｌｅｃｕｌｅ）（特許文献１）などＣＴＣで発現するタンパク質（腫瘍マーカー）を用いて行なっている。しかしながら、サイトケラチンは血液中に含まれる夾雑細胞とのクロス（非特異検出）の問題があり、ＥｐＣＡＭには上皮性由来の一部のＣＴＣしか回収および検出できない問題があった。
【先行技術文献】
【特許文献】
【０００４】
【特許文献１】特表２００８−５３３４８７号公報
【発明の概要】
【発明が解決しようとする課題】
【０００５】
本発明の課題は、腫瘍マーカーならびに試料中に含まれる腫瘍細胞を、当該試料中に含まれる夾雑細胞と区別して回収および検出する方法を提供することにある。
【課題を解決するための手段】
【０００６】
上記課題を解決するために、本発明者らは２６種類の癌細胞株と健常者試料である白血球との次世代シークエンサーを用いた比較発現解析を行なった結果、試料中に含まれる腫瘍細胞を、当該試料中に含まれる夾雑細胞と区別して回収および検出可能な腫瘍マーカーを見出し、本発明に到達した。
【０００７】
すなわち本発明の第一の態様は、試料中に存在する以下の（ｉ）から（ｉｉｉ）からなる群から選択される１以上のポリペプチドを検出することを特徴とする、試料中に含まれる腫瘍細胞を夾雑細胞と区別して検出する方法である。
（ｉ）配列番号１から５９１のいずれかに記載のアミノ酸配列を少なくとも含むポリペプチド、
（ｉｉ）配列番号１から５９１のいずれかに記載のアミノ酸配列と８０％以上の相同性を有するアミノ酸配列を含むポリペプチド
（ｉｉｉ）配列番号１から５９１のいずれかに記載のアミノ酸配列のスプライシングバリアントを少なくとも含むポリペプチド、
または、
配列番号１から５９１のいずれかに記載のアミノ酸配列と８０％以上の相同性を有するポリペプチドのスプライシングバリアントを少なくとも含むポリペプチド。
【０００８】
また本発明の第二の態様は、（ｉ）から（ｉｉｉ）からなる群から選択される１以上のポリペプチドを特異的に認識する抗体またはアプタマーを用いて検出する、第一の態様に記載の方法である。
【０００９】
また本発明の第三の態様は、試料中に存在する前述の（ｉ）から（ｉｉｉ）のいずれかのポリペプチドをコードする遺伝子を検出することを特徴とする、試料中に含まれる腫瘍細胞を夾雑細胞と区別して検出する方法である。
【００１０】
さらに本発明の第四の態様は、試料中に含まれる腫瘍細胞を夾雑細胞と区別して検出し、当該検出した腫瘍細胞を回収手段を用いて回収する、腫瘍細胞の回収方法であって、
腫瘍細胞の検出を試料中に存在する以下の（ｉｖ）から（ｖｉ）からなる群から選択される１以上のポリペプチドを検出することで行なう、前記回収方法である。
（ｉｖ）配列番号１から１８３のいずれかに記載のアミノ酸配列を少なくとも含むポリペプチド、
（ｖ）配列番号１から１８３のいずれかに記載のアミノ酸配列と８０％以上の相同性を有するアミノ酸配列を少なくとも含むポリペプチド
（ｖｉ）配列番号１から１８３のいずれかに記載のアミノ酸配列のスプライシングバリアントを少なくとも含むポリペプチド、または、
配列番号１から１８３のいずれかに記載のアミノ酸配列と８０％以上の相同性を有するポリペプチドのスプライシングバリアントを少なくとも含むポリペプチド。
【００１１】
また本発明の第五の態様は、腫瘍細胞の検出を（ｉｖ）から（ｖｉ）からなる群から選択される１以上のポリペプチドを特異的に認識する抗体またはアプタマーを用いて行なう、第四の態様に記載の方法である。
【００１２】
また本発明の第六の態様は、試料が血液であり、試料中に含まれる夾雑細胞が白血球である、第一から第五のいずれかの態様に記載の方法である。
【００１３】
さらに本発明の第七の態様は、前述の（ｉ）から（ｉｉｉ）のいずれかのポリペプチドからなる、試料中に含まれる腫瘍細胞を当該試料中に含まれる白血球と区別して検出可能な腫瘍マーカーである。
【００１４】
さらに本発明の第八の態様は、前述の（ｉ）から（ｉｉｉ）のいずれかのポリペプチドをコードする遺伝子からなる、試料中に含まれる腫瘍細胞を当該試料中に含まれる白血球と区別して検出可能な腫瘍マーカーである。
【００１５】
さらに本発明の第九の態様は、前述の（ｉｖ）から（ｖｉ）のいずれかのポリペプチドからなる、試料中に含まれる腫瘍細胞を当該試料中に含まれる白血球と区別して回収可能な腫瘍マーカーである。
【００１６】
以下、本発明を詳細に説明する。
【００１７】
本発明において試料とは、患者などから採取される組織や全血、腹水等に限定されるものではなく、当該組織や全血、腹水等を適切な緩衝液で希釈した試料、血清、血漿、臍帯血、成分採血液などの全血由来の成分、肝臓、肺、脾臓、腎臓、腫瘍、リンパ節などの血液を含む組織の一片を適切な緩衝液で懸濁させた懸濁液も含まれる。さらにこれらの試料や懸濁液を遠心分離などにより分離回収して得られた、腫瘍細胞を含む画分も、本発明における試料に含まれる。
【００１８】
本発明において試料中に含まれる夾雑細胞とは、腫瘍細胞以外の細胞のことをいい、試料が、全血、全血希釈液、全血由来の成分、血液を含む組織の懸濁液、ならびにこれらの試料や懸濁液から得られた腫瘍細胞を含む画分といった血液試料の場合は、赤血球、白血球、血小板などがあげられる。中でも本発明の腫瘍細胞の検出方法は、従来の腫瘍細胞の検出方法では偽陽性と判断される可能性の高かった、血液試料中に含まれる白血球との識別に優れた方法である。また本発明の腫瘍細胞の回収方法は、従来の腫瘍細胞の回収方法では偽陰性と判断される可能性の高かった、血液試料中に含まれるＥｐＣＡＭ（Ｅｐｉｔｈｅｌｉａｌ  Ｃｅｌｌ  Ａｄｈｅｓｉｏｎ  Ｍｏｌｅｃｕｌｅ）陰性の腫瘍細胞の回収に優れた方法である。
【００１９】
本発明における腫瘍細胞の検出は、試料中に含まれる腫瘍細胞を、当該細胞中に存在する当該細胞由来の前記（ｉ）から（ｉｉｉ）のいずれかのポリペプチドまたは当該ポリペプチドをコードする遺伝子に基づき、染色やプローブハイブリダイゼーション法などにより直接検出してもよく、また試料中に含まれる腫瘍細胞から分泌される当該細胞由来の前記（ｉ）から（ｉｉｉ）のいずれかのポリペプチドまたは当該ポリペプチドをコードする遺伝子を検出することで、腫瘍細胞を間接的に検出してもよい。
【００２０】
本発明は、腫瘍細胞由来の前記（ｉ）から（ｉｉｉ）のいずれかのポリペプチドまたは当該ポリペプチドをコードする遺伝子の発現量に基づき前記腫瘍細胞を検出するが、当該検出は定性的に、すなわち腫瘍細胞の有無に基づき行なってもよいし、定量的に、すなわち腫瘍細胞数や検出強度に基づき行なってもよい。また検出の判断基準も特に限定はなく、例えば、検出シグナルが少しでもあれば腫瘍細胞と判断してもよく、一定の閾値以上の検出シグナルがあれば腫瘍細胞と判断してもよく、試料中に含まれる夾雑細胞（例えば血液試料の場合は、赤血球や白血球など）が有するシグナルに対し、一定の値以上または当該シグナルの平均値の２ＳＤ以上、３ＳＤ以上もしくは４ＳＤ以上のシグナルを有した細胞を腫瘍細胞と判断してもよい。
【００２１】
本発明における腫瘍細胞の回収は、試料中に含まれる腫瘍細胞を、当該細胞中に存在する当該細胞由来の前記（ｉｖ）から（ｖｉ）のいずれかのポリペプチドを検出することで夾雑細胞と区別して検出した後、当該検出した細胞を回収手段を用いて回収して行なえばよい。なお前記（ｉｖ）から（ｖｉ）のいずれかのポリペプチドは、前記（ｉ）から（ｉｉｉ）のいずれかのポリペプチドのうち、膜貫通型のポリペプチドである。
【００２２】
本発明は、試料中に含まれる腫瘍細胞の検出に、当該腫瘍細胞が発現するタンパク質の一つである、前記（ｉ）から（ｉｉｉ）のいずれかのポリペプチドを用いることを特徴とする。また試料中に含まれる腫瘍細胞の回収に、当該腫瘍細胞が発現するタンパク質の一つである、前述の（ｉｖ）から（ｖｉ）のいずれかのポリペプチドを用いることを特徴とする。
【００２３】
本発明において、「数個」とは、約２０、１９、１８、１７、１６、１５、１４、１３、１２、１１、１０、９、８、７、６、５、４、３又は２個の整数を意味する。１から数個のアミノ酸残基とは、好ましくはアミノ酸残基が１個以上１０個以下、より好ましくは１個以上５個以下、更に好ましくは１個以上３個以下、特に好ましくは２個以下である。
【００２４】
配列番号１に記載のアミノ酸配列からなるポリペプチドは、ＳＬＣ７Ａ５（Ｓｏｌｕｔｅ  ｃａｒｒｉｅｒ  ｆａｍｉｌｙ  ７  ｍｅｍｂｅｒ  ５）、ＣＤ９８、Ｄ１６Ｓ４６９Ｅ、Ｅ１６、ｈＬＡＴ１、ＬＡＴ１、ＭＰＥ１６、または４Ｆ２ＬＣと呼ばれるタンパク質であり、そのアミノ酸配列はＧｅｎＢａｎｋ  Ｎｏ．ＮＰ＿００３４７７．４に示される。
配列番号２に記載のアミノ酸配列からなるポリペプチドは、ＤＨＣＲ７（７−ｄｅｈｙｄｒｏｃｈｏｌｅｓｔｅｒｏｌ  ｒｅｄｕｃｔａｓｅ）、またはＳＬＯＳと呼ばれるタンパク質であり、そのアミノ酸配列はＧｅｎＢａｎｋ  Ｎｏ．ＮＰ＿００１３５１．２に示される。
配列番号３に記載のアミノ酸配列からなるポリペプチドは、ＣＬＤＮ７（Ｃｌａｕｄｉｎ  ７）、ｃｌａｕｄｉｎ−１、ＣＰＥＴＲＬ２、Ｈｓ．８４３５９、またはＣＥＰＴＲＬ２と呼ばれるタンパク質であり、そのアミノ酸配列はＧｅｎＢａｎｋ  Ｎｏ．ＮＰ＿００１２９８．３に示される。
【００２５】
配列番号４に記載のアミノ酸配列からなるポリペプチドは、ＳＬＣ２９Ａ１（Ｓｏｌｕｔｅ  ｃａｒｒｉｅｒ  ｆａｍｉｌｙ  ２９  ｍｅｍｂｅｒ  １）、またはＥＮＴ１と呼ばれるタンパク質であり、そのアミノ酸配列はＧｅｎＢａｎｋ  Ｎｏ．ＮＰ＿００１２９１３９１．１に示される。
配列番号５に記載のアミノ酸配列からなるポリペプチドは、ＳＣＡＲＢ１（Ｓｃａｖｅｎｇｅｒ  ｒｅｃｅｐｔｏｒ  ｃｌａｓｓ  Ｂ  ｍｅｍｂｅｒ  １）、ＣＬＡ１、ＨＤＬＱＴＬ６、ＳＲＢ１、またはＣＤ３６Ｌ１と呼ばれるタンパク質であり、そのアミノ酸配列はＧｅｎＢａｎｋ  Ｎｏ．ＮＰ＿００５４９６．４に示される。
配列番号６に記載のアミノ酸配列からなるポリペプチドは、ＬＲＰ５（ＬＤＬ  ｒｅｃｅｐｔｏｒ  ｒｅｌａｔｅｄ  ｐｒｏｔｅｉｎ  ５）、ＥＶＲ１、ＥＶＲ４、ＨＢＭ、ＬＲ３、ＬＲＰ７、ＯＰＰＧ、ＯＰＳ、ＯＰＴＡ１、ＶＢＣＨ２、またはＢＭＮＤ１と呼ばれるタンパク質であり、そのアミノ酸配列はＧｅｎＢａｎｋ  Ｎｏ．ＮＰ＿００２３２６．２に示される。
【００２６】
配列番号７に記載のアミノ酸配列からなるポリペプチドは、ＭＰＺＬ１（Ｍｙｅｌｉｎ  ｐｒｏｔｅｉｎ  ｚｅｒｏ  ｌｉｋｅ  １）、ＰＺＲ、ＰＺＲ１ｂ、ＰＺＲａ、ＰＺＲｂ、またはＭＰＺＬ１ｂと呼ばれるタンパク質であり、そのアミノ酸配列はＧｅｎＢａｎｋ  Ｎｏ．ＮＰ＿００３９４４．１に示される。
配列番号８に記載のアミノ酸配列からなるポリペプチドは、ＴＭＥＭ１３２Ａ（Ｔｒａｎｓｍｅｍｂｒａｎｅ  ｐｒｏｔｅｉｎ  １３２Ａ）、ＨＳＰＡ５ＢＰ１、またはＧＢＰと呼ばれるタンパク質であり、そのアミノ酸配列はＧｅｎＢａｎｋ  Ｎｏ．ＮＰ＿０６０３４０．２に示される。
配列番号９に記載のアミノ酸配列からなるポリペプチドは、ＣＤ２７６、Ｂ７Ｈ３、Ｂ７ＲＰ−２、または４Ｉｇ−Ｂ７−Ｈ３と呼ばれるタンパク質であり、そのアミノ酸配列はＧｅｎＢａｎｋ  Ｎｏ．ＮＰ＿０７９５１６．１に示される。
【００２７】
配列番号１０に記載のアミノ酸配列からなるポリペプチドは、ＰＸＭＰ２（Ｐｅｒｏｘｉｓｏｍａｌ  ｍｅｍｂｒａｎｅ  ｐｒｏｔｅｉｎ  ２）、またはＰＭＰ２２と呼ばれるタンパク質であり、そのアミノ酸配列はＧｅｎＢａｎｋ  Ｎｏ．ＮＰ＿０６１１３３．１に示される。
配列番号１１に記載のアミノ酸配列からなるポリペプチドは、ＬＤＬＲ（Ｌｏｗ  ｄｅｎｓｉｔｙ  ｌｉｐｏｐｒｏｔｅｉｎ  ｒｅｃｅｐｔｏｒ）、ＦＨＣ、ＬＤＬＣＱ２、またはＦＨと呼ばれるタンパク質であり、そのアミノ酸配列はＧｅｎＢａｎｋ  Ｎｏ．ＮＰ＿０００５１８．１に示される。
配列番号１２に記載のアミノ酸配列からなるポリペプチドは、ＥＣＥ２（Ｅｎｄｏｔｈｅｌｉｎ  ｃｏｎｖｅｒｔｉｎｇ  ｅｎｚｙｍｅ  ２）と呼ばれるタンパク質であり、そのアミノ酸配列はＧｅｎＢａｎｋ  Ｎｏ．ＮＰ＿０５５５０８．３に示される。
【００２８】
配列番号１３に記載のアミノ酸配列からなるポリペプチドは、ＤＡＧ１（Ｄｙｓｔｒｏｇｌｙｃａｎ  １）、Ａ３ａ、ＡＧＲＮＲ、ＤＡＧ、ＭＤＤＧＣ７、ＭＤＤＧＣ９、または１５６ＤＡＧと呼ばれるタンパク質であり、そのアミノ酸配列はＧｅｎＢａｎｋ  Ｎｏ．ＮＰ＿００４３８４．４に示される。
配列番号１４に記載のアミノ酸配列からなるポリペプチドは、ＦＡＤＳ２（Ｆａｔｔｙ  ａｃｉｄ  ｄｅｓａｔｕｒａｓｅ  ２）、ＤＥＳ６、ＦＡＤＳＤ６、ＬＬＣＤＬ２、ＳＬＬ０２６２、ＴＵ１３、またはＤ６Ｄと呼ばれるタンパク質であり、そのアミノ酸配列はＧｅｎＢａｎｋ  Ｎｏ．ＮＰ＿００１２６８４３０．１に示される。
配列番号１５に記載のアミノ酸配列からなるポリペプチドは、ＰＡＱＲ４（Ｐｒｏｇｅｓｔｉｎ  ａｎｄ  ａｄｉｐｏＱ  ｒｅｃｅｐｔｏｒ  ｆａｍｉｌｙ  ｍｅｍｂｅｒ  ４）と呼ばれるタンパク質であり、そのアミノ酸配列はＧｅｎＢａｎｋ  Ｎｏ．ＮＰ＿６８９５５４．２に示される。
【００２９】
配列番号１６に記載のアミノ酸配列からなるポリペプチドは、ＳＥＲＩＮＣ２（Ｓｅｒｉｎｅ  ｉｎｃｏｒｐｏｒａｔｏｒ  ２）、ＰＲＯ０８９９、ＴＤＥ２、ＴＤＥ２Ｌ、またはＦＫＳＧ８４と呼ばれるタンパク質であり、そのアミノ酸配列はＧｅｎＢａｎｋ  Ｎｏ．ＮＰ＿００１１８５９６７．１に示される。
配列番号１７に記載のアミノ酸配列からなるポリペプチドは、ＩＴＧＡＶ（Ｉｎｔｅｇｒｉｎ  ｓｕｂｕｎｉｔ  ａｌｐｈａ  Ｖ）、ＭＳＫ８、ＶＮＲＡ、ＶＴＮＲ、またはＣＤ５１と呼ばれるタンパク質であり、そのアミノ酸配列はＧｅｎＢａｎｋ  Ｎｏ．ＮＰ＿００２２０１．１に示される。
配列番号１８に記載のアミノ酸配列からなるポリペプチドは、ＴＥＸ２６１（Ｔｅｓｔｉｓ  ｅｘｐｒｅｓｓｅｄ  ２６１）、またはＴＥＧ−２６１と呼ばれるタンパク質であり、そのアミノ酸配列はＧｅｎＢａｎｋ  Ｎｏ．ＮＰ＿６５３１８３．２に示される。
【００３０】
配列番号１９に記載のアミノ酸配列からなるポリペプチドは、ＭＢＯＡＴ２（Ｍｅｍｂｒａｎｅ  ｂｏｕｎｄ  Ｏ−ａｃｙｌｔｒａｎｓｆｅｒａｓｅ  ｄｏｍａｉｎ  ｃｏｎｔａｉｎｉｎｇ  ２）、ＯＡＣＴ２、またはＬＰＣＡＴ４と呼ばれるタンパク質であり、そのアミノ酸配列はＧｅｎＢａｎｋ  Ｎｏ．ＮＰ＿６２０１５４．２に示される。
配列番号２０に記載のアミノ酸配列からなるポリペプチドは、ＳＬＣ７Ａ１（Ｓｏｌｕｔｅ  ｃａｒｒｉｅｒ  ｆａｍｉｌｙ  ７  ｍｅｍｂｅｒ  １）、ＥＲＲ、ＨＣＡＴ１、ＲＥＣ１Ｌ、またはＡＴＲＣ１と呼ばれるタンパク質であり、そのアミノ酸配列はＧｅｎＢａｎｋ  Ｎｏ．ＮＰ＿００３０３６．１に示される。
配列番号２１に記載のアミノ酸配列からなるポリペプチドは、ＭＢＴＰＳ２（Ｍｅｍｂｒａｎｅ  ｂｏｕｎｄ  ｔｒａｎｓｃｒｉｐｔｉｏｎ  ｆａｃｔｏｒ  ｐｅｐｔｉｄａｓｅ，  ｓｉｔｅ  ２）、ＩＦＡＰ、ＫＦＳＤ、ＫＦＳＤＸ、ＯＬＭＳＸ、Ｓ２Ｐ、またはＢＲＥＳＥＫと呼ばれるタンパク質であり、そのアミノ酸配列はＧｅｎＢａｎｋ  Ｎｏ．ＮＰ＿０５６９６８．１に示される。
【００３１】
配列番号２２に記載のアミノ酸配列からなるポリペプチドは、ＦＡＤＳ１（Ｆａｔｔｙ  ａｃｉｄ  ｄｅｓａｔｕｒａｓｅ  １）、ＦＡＤＳ６、ＦＡＤＳＤ５、ＬＬＣＤＬ１、ＴＵ１２、またはＤ５Ｄと呼ばれるタンパク質であり、そのアミノ酸配列はＧｅｎＢａｎｋ  Ｎｏ．ＮＰ＿０３７５３４．３に示される。
配列番号２３に記載のアミノ酸配列からなるポリペプチドは、ＲＨＢＤＦ１（Ｒｈｏｍｂｏｉｄ  ５  ｈｏｍｏｌｏｇ  １）、Ｄｉｓｔ１、ＥＧＦＲ−ＲＳ、ｇｅｎｅ−８９、ｇｅｎｅ−９０、ｈＤｉｓｔ１、またはＣ１６ｏｒｆ８と呼ばれるタンパク質であり、そのアミノ酸配列はＧｅｎＢａｎｋ  Ｎｏ．ＮＰ＿０７１８９５．３に示される。
配列番号２４に記載のアミノ酸配列からなるポリペプチドは、ＳＬＣ２７Ａ４（Ｓｏｌｕｔｅ  ｃａｒｒｉｅｒ  ｆａｍｉｌｙ  ２７  ｍｅｍｂｅｒ  ４）、ＦＡＴＰ４、ＩＰＳ、またはＡＣＳＶＬ４と呼ばれるタンパク質であり、そのアミノ酸配列はＧｅｎＢａｎｋ  Ｎｏ．ＮＰ＿００５０８５．２に示される。
【００３２】
配列番号２５に記載のアミノ酸配列からなるポリペプチドは、ＣＤＨ１（Ｃａｄｈｅｒｉｎ  １）、ＣＤ３２４、ＣＤＨＥ、ＥＣＡＤ、ＬＣＡＭ、ＵＶＯ、またはＡｒｃ−１と呼ばれるタンパク質であり、そのアミノ酸配列はＧｅｎＢａｎｋ  Ｎｏ．ＮＰ＿００４３５１．１に示される。
配列番号２６に記載のアミノ酸配列からなるポリペプチドは、ＩＴＧＢ４（Ｉｎｔｅｇｒｉｎ，  ｂｅｔａ  ４）、またはＣＤ１０４と呼ばれるタンパク質であり、そのアミノ酸配列はＧｅｎＢａｎｋ  Ｎｏ．ＮＰ＿０００２０４．３に示される。
配列番号２７に記載のアミノ酸配列からなるポリペプチドは、ＩＦＩ２７（Ｉｎｔｅｒｆｅｒｏｎ  ａｌｐｈａ  ｉｎｄｕｃｉｂｌｅ  ｐｒｏｔｅｉｎ  ２７）、ＩＳＧ１２、ＩＳＧ１２Ａ、Ｐ２７、またはＦＡＭ１４Ｄと呼ばれるタンパク質であり、そのアミノ酸配列はＧｅｎＢａｎｋ  Ｎｏ．ＮＰ＿００５５２３．３に示される。
【００３３】
配列番号２８に記載のアミノ酸配列からなるポリペプチドは、ＦＧＦＲ２（Ｆｉｂｒｏｂｌａｓｔ  ｇｒｏｗｔｈ  ｆａｃｔｏｒ  ｒｅｃｅｐｔｏｒ  ２）、ＢＥＫ、ＢＦＲ−１、ＣＤ３３２、ＣＥＫ３、ＣＦＤ１、ＥＣＴ１、ＪＷＳ、Ｋ−ＳＡＭ、ＫＧＦＲ、ＴＫ１４、ＴＫ２５、またはＢＢＤＳと呼ばれるタンパク質であり、そのアミノ酸配列はＧｅｎＢａｎｋ  Ｎｏ．ＮＰ＿０００１３２．３に示される。
配列番号２９に記載のアミノ酸配列からなるポリペプチドは、ＰＣＤＨ１（Ｐｒｏｔｏｃａｄｈｅｒｉｎ  １）、ＰＣＤＨ４２、またはＰＣ４２と呼ばれるタンパク質であり、そのアミノ酸配列はＧｅｎＢａｎｋ  Ｎｏ．ＮＰ＿１１５７９６．２に示される。
配列番号３０に記載のアミノ酸配列からなるポリペプチドは、ＥＭＰ１（Ｅｐｉｔｈｅｌｉａｌ  ｍｅｍｂｒａｎｅ  ｐｒｏｔｅｉｎ  １）、ＴＭＰ、またはＣＬ−２０と呼ばれるタンパク質であり、そのアミノ酸配列はＧｅｎＢａｎｋ  Ｎｏ．ＮＰ＿００１４１４．１に示される。
【００３４】
配列番号３１に記載のアミノ酸配列からなるポリペプチドは、ＧＣＮＴ３（Ｇｌｕｃｏｓａｍｉｎｙｌ  （Ｎ−ａｃｅｔｙｌ）  ｔｒａｎｓｆｅｒａｓｅ  ３）、Ｃ２４ＧＮＴ、Ｃ２ＧＮＴ２、Ｃ２ＧＮＴＭ、ＧＮＴＭ、またはＣ２／４ＧｎＴと呼ばれるタンパク質であり、そのアミノ酸配列はＧｅｎＢａｎｋ  Ｎｏ．ＮＰ＿００４７４２．１に示される。
配列番号３２に記載のアミノ酸配列からなるポリペプチドは、ＭＹＯＦ（Ｍｙｏｆｅｒｌｉｎ）、またはＦＥＲ１Ｌ３と呼ばれるタンパク質であり、そのアミノ酸配列はＧｅｎＢａｎｋ  Ｎｏ．ＮＰ＿０３８４７９．１に示される。
配列番号３３に記載のアミノ酸配列からなるポリペプチドは、ＥＰＨＢ４（ＥＰＨ  ｒｅｃｅｐｔｏｒ  Ｂ４）、ＭＹＫ１、ＴＹＲＯ１１、またはＨＴＫと呼ばれるタンパク質であり、そのアミノ酸配列はＧｅｎＢａｎｋ  Ｎｏ．ＮＰ＿００４４３５．３に示される。
【００３５】
配列番号３４に記載のアミノ酸配列からなるポリペプチドは、ＷＬＳ（Ｗｎｔｌｅｓｓ  Ｗｎｔ  ｌｉｇａｎｄ  ｓｅｃｒｅｔｉｏｎ  ｍｅｄｉａｔｏｒ）、ＥＶＩ、ＧＰＲ１７７、ｍｉｇ−１４、ＭＲＰ、またはＣ１ｏｒｆ１３９と呼ばれるタンパク質であり、そのアミノ酸配列はＧｅｎＢａｎｋ  Ｎｏ．ＮＰ＿００１００２２９２．３に示される。
配列番号３５に記載のアミノ酸配列からなるポリペプチドは、ＡＮＯ１（Ａｎｏｃｔａｍｉｎ  １）、ＯＲＡＯＶ２、ＴＡＯＳ２、ＴＭＥＭ１６Ａ、またはＤＯＧ１と呼ばれるタンパク質であり、そのアミノ酸配列はＧｅｎＢａｎｋ  Ｎｏ．ＮＰ＿０６０５１３．５に示される。
配列番号３６に記載のアミノ酸配列からなるポリペプチドは、ＣＤＣＰ１（ＣＵＢ  ｄｏｍａｉｎ  ｃｏｎｔａｉｎｉｎｇ  ｐｒｏｔｅｉｎ  １）、ＳＩＭＡ１３５、ＴＲＡＳＫ、またはＣＤ３１８と呼ばれるタンパク質であり、そのアミノ酸配列はＧｅｎＢａｎｋ  Ｎｏ．ＮＰ＿０７３７５３．３に示される。
【００３６】
配列番号３７に記載のアミノ酸配列からなるポリペプチドは、ＰＲＯＣＲ（Ｐｒｏｔｅｉｎ  Ｃ  ｒｅｃｅｐｔｏｒ）、ＣＣＤ４１、ＥＰＣＲ、またはＣＣＣＡと呼ばれるタンパク質であり、そのアミノ酸配列はＧｅｎＢａｎｋ  Ｎｏ．ＮＰ＿００６３９５．２に示される。
配列番号３８に記載のアミノ酸配列からなるポリペプチドは、ＰＲＳＳ８（Ｐｒｏｔｅａｓｅ，  ｓｅｒｉｎｅ，  ８）、ＰＲＯＳＴＡＳＩＮ、またはＣＡＰ１と呼ばれるタンパク質であり、そのアミノ酸配列はＧｅｎＢａｎｋ  Ｎｏ．ＮＰ＿００２７６４．１に示される。
配列番号３９に記載のアミノ酸配列からなるポリペプチドは、ＤＰＹ１９Ｌ１（Ｄｐｙ−１９  ｌｉｋｅ  １）と呼ばれるタンパク質であり、そのアミノ酸配列はＧｅｎＢａｎｋ  Ｎｏ．ＮＰ＿０５６０９８．１に示される。
【００３７】
配列番号４０に記載のアミノ酸配列からなるポリペプチドは、ＭＳＴ１Ｒ（Ｍａｃｒｏｐｈａｇｅ  ｓｔｉｍｕｌａｔｉｎｇ  １  ｒｅｃｅｐｔｏｒ）、ＣＤｗ１３６、ＰＴＫ８、ＲＯＮ、またはＣＤ１３６と呼ばれるタンパク質であり、そのアミノ酸配列はＧｅｎＢａｎｋ  Ｎｏ．ＮＰ＿００２４３８．２に示される。
配列番号４１に記載のアミノ酸配列からなるポリペプチドは、ＥＬＯＶＬ６（ＥＬＯＶＬ  ｆａｔｔｙ  ａｃｉｄ  ｅｌｏｎｇａｓｅ  ６）、ＦＡＥ、ＬＣＥ、またはＦＡＣＥと呼ばれるタンパク質であり、そのアミノ酸配列はＧｅｎＢａｎｋ  Ｎｏ．ＮＰ＿０７６９９５．１に示される。
配列番号４２に記載のアミノ酸配列からなるポリペプチドは、ＥＦＮＢ２（Ｅｐｈｒｉｎ  Ｂ２）、ＨＴＫＬ、ＬＥＲＫ５、またはＥＰＬＧ５と呼ばれるタンパク質であり、そのアミノ酸配列はＧｅｎＢａｎｋ  Ｎｏ．ＮＰ＿００４０８４．１に示される。
【００３８】
配列番号４３に記載のアミノ酸配列からなるポリペプチドは、ＧＡＬＮＴ５（Ｐｏｌｙｐｅｐｔｉｄｅ  Ｎ−ａｃｅｔｙｌｇａｌａｃｔｏｓａｍｉｎｙｌｔｒａｎｓｆｅｒａｓｅ  ５）、またはＧＡＬＮＡＣＴ５と呼ばれるタンパク質であり、そのアミノ酸配列はＧｅｎＢａｎｋ  Ｎｏ．ＮＰ＿０５５３８３．１に示される。
配列番号４４に記載のアミノ酸配列からなるポリペプチドは、ＦＡＴ１（ＦＡＴ  ａｔｙｐｉｃａｌ  ｃａｄｈｅｒｉｎ  １）、ＣＤＨＲ８、ＦＡＴ、ｈＦａｔ１、ＭＥ５、またはＣＤＨＦ７と呼ばれるタンパク質であり、そのアミノ酸配列はＧｅｎＢａｎｋ  Ｎｏ．ＮＰ＿００５２３６．２に示される。
配列番号４５に記載のアミノ酸配列からなるポリペプチドは、ＭＭＰ１５（Ｍａｔｒｉｘ  ｍｅｔａｌｌｏｐｅｐｔｉｄａｓｅ  １５）、ＭＴＭＭＰ２、ＳＭＣＰ−２、またはＭＴ２−ＭＭＰと呼ばれるタンパク質であり、そのアミノ酸配列はＧｅｎＢａｎｋ  Ｎｏ．ＮＰ＿００２４１９．１に示される。
【００３９】
配列番号４６に記載のアミノ酸配列からなるポリペプチドは、ＦＧＦＲＬ１（Ｆｉｂｒｏｂｌａｓｔ  ｇｒｏｗｔｈ  ｆａｃｔｏｒ  ｒｅｃｅｐｔｏｒ−ｌｉｋｅ  １）、ＦＨＦＲ、またはＦＧＦＲ５と呼ばれるタンパク質であり、そのアミノ酸配列はＧｅｎＢａｎｋ  Ｎｏ．ＮＰ＿０６８７４２．２に示される。
配列番号４７に記載のアミノ酸配列からなるポリペプチドは、Ｂ３ＧＮＴ３（ＵＤＰ−ＧｌｃＮＡｃ：ｂｅｔａＧａｌ  ｂｅｔａ−１，３−Ｎ−ａｃｅｔｙｌｇｌｕｃｏｓａｍｉｎｙｌｔｒａｎｓｆｅｒａｓｅ  ３）、ｂｅｔａ３Ｇｎ−Ｔ３、ＨＰ１０３２８、ＴＭＥＭ３、またはＢ３ＧＡＬ−Ｔ８と呼ばれるタンパク質であり、そのアミノ酸配列はＧｅｎＢａｎｋ  Ｎｏ．ＮＰ＿０５５０７１．２に示される。
配列番号４８に記載のアミノ酸配列からなるポリペプチドは、ＴＲＰＭ４（Ｔｒａｎｓｉｅｎｔ  ｒｅｃｅｐｔｏｒ  ｐｏｔｅｎｔｉａｌ  ｃａｔｉｏｎ  ｃｈａｎｎｅｌ  ｓｕｂｆａｍｉｌｙ  Ｍ  ｍｅｍｂｅｒ  ４）、ＴＲＰＭ４Ｂ、またはＰＦＨＢ１Ｂと呼ばれるタンパク質であり、そのアミノ酸配列はＧｅｎＢａｎｋ  Ｎｏ．ＮＰ＿０６０１０６．２に示される。
【００４０】
配列番号４９に記載のアミノ酸配列からなるポリペプチドは、ＡＩＦＭ２（Ａｐｏｐｔｏｓｉｓ  ｉｎｄｕｃｉｎｇ  ｆａｃｔｏｒ，  ｍｉｔｏｃｈｏｎｄｒｉａ  ａｓｓｏｃｉａｔｅｄ  ２）、ＰＲＧ３、またはＡＭＩＤと呼ばれるタンパク質であり、そのアミノ酸配列はＧｅｎＢａｎｋ  Ｎｏ．ＮＰ＿１１６１８６．１に示される。
配列番号５０に記載のアミノ酸配列からなるポリペプチドは、ＭＵＣ１３（Ｍｕｃｉｎ  １３）、またはＤＲＣＣ１と呼ばれるタンパク質であり、そのアミノ酸配列はＧｅｎＢａｎｋ  Ｎｏ．ＮＰ＿１４９０３８．３に示される。
配列番号５１に記載のアミノ酸配列からなるポリペプチドは、ＬＲＦＮ４（Ｌｅｕｃｉｎｅ  ｒｉｃｈ  ｒｅｐｅａｔ  ａｎｄ  ｆｉｂｒｏｎｅｃｔｉｎ  ｔｙｐｅ  ＩＩＩ  ｄｏｍａｉｎ  ｃｏｎｔａｉｎｉｎｇ  ４）、ＳＡＬＭ３、またはＦＩＧＬＥＲ６と呼ばれるタンパク質であり、そのアミノ酸配列はＧｅｎＢａｎｋ  Ｎｏ．ＮＰ＿０７６９４１．２に示される。
【００４１】
配列番号５２に記載のアミノ酸配列からなるポリペプチドは、ＣＥＡＣＡＭ１（Ｃａｒｃｉｎｏｅｍｂｒｙｏｎｉｃ  ａｎｔｉｇｅｎ  ｒｅｌａｔｅｄ  ｃｅｌｌ  ａｄｈｅｓｉｏｎ  ｍｏｌｅｃｕｌｅ  １）、ＢＧＰ１、ＢＧＰＩ、またはＢＧＰと呼ばれるタンパク質であり、そのアミノ酸配列はＧｅｎＢａｎｋ  Ｎｏ．ＮＰ＿００１７０３．２に示される。
配列番号５３に記載のアミノ酸配列からなるポリペプチドは、ＫＲＴＣＡＰ３（Ｋｅｒａｔｉｎｏｃｙｔｅ  ａｓｓｏｃｉａｔｅｄ  ｐｒｏｔｅｉｎ  ３）、ＭＲＶ２２２、ＰＲＯ９８９８、またはＫＣＰ３と呼ばれるタンパク質であり、そのアミノ酸配列はＧｅｎＢａｎｋ  Ｎｏ．ＮＰ＿７７６２５２．２に示される。
配列番号５４に記載のアミノ酸配列からなるポリペプチドは、ＴＹＲＯ３、Ｄｔｋ、Ｅｔｋ−２、Ｒｅｋ、ＲＳＥ、Ｓｋｙ、Ｔｉｆ、またはＢＹＫと呼ばれるタンパク質であり、そのアミノ酸配列はＧｅｎＢａｎｋ  Ｎｏ．ＮＰ＿００６２８４．２に示される。
【００４２】
配列番号５５に記載のアミノ酸配列からなるポリペプチドは、Ｆ２ＲＬ１（Ｆ２Ｒ  ｌｉｋｅ  ｔｒｙｐｓｉｎ  ｒｅｃｅｐｔｏｒ  １）、ＰＡＲ２、またはＧＰＲ１１と呼ばれるタンパク質であり、そのアミノ酸配列はＧｅｎＢａｎｋ  Ｎｏ．ＮＰ＿００５２３３．３に示される。
配列番号５６に記載のアミノ酸配列からなるポリペプチドは、ＡＧＲＮ（Ａｇｒｉｎ）、またはＣＭＳＰＰＤと呼ばれるタンパク質であり、そのアミノ酸配列はＧｅｎＢａｎｋ  Ｎｏ．ＮＰ＿９４０９７８．２に示される。
配列番号５７に記載のアミノ酸配列からなるポリペプチドは、ＥＦＮＢ１（Ｅｐｈｒｉｎ  Ｂ１）、ＣＦＮＳ、ＥＦＢ１、ＥＦＬ３、Ｅｌｋ−Ｌ、ＥＰＬＧ２、ＬＥＲＫ２、またはＣＦＮＤと呼ばれるタンパク質であり、そのアミノ酸配列はＧｅｎＢａｎｋ  Ｎｏ．ＮＰ＿００４４２０．１に示される。
【００４３】
配列番号５８に記載のアミノ酸配列からなるポリペプチドは、ＰＯＤＸＬ（Ｐｏｄｏｃａｌｙｘｉｎ  ｌｉｋｅ）、ＰＣ、ＰＣＬＰ、ＰＣＬＰ−１、またはＧｐ２００と呼ばれるタンパク質であり、そのアミノ酸配列はＧｅｎＢａｎｋ  Ｎｏ．ＮＰ＿００５３８８．２に示される。
配列番号５９に記載のアミノ酸配列からなるポリペプチドは、ＳＬＣ２５Ａ２３（Ｓｏｌｕｔｅ  ｃａｒｒｉｅｒ  ｆａｍｉｌｙ  ２５  ｍｅｍｂｅｒ  ２３）、ＭＣＳＣ２、ＳＣａＭＣ−３、またはＡＰＣ２と呼ばれるタンパク質であり、そのアミノ酸配列はＧｅｎＢａｎｋ  Ｎｏ．ＮＰ＿０７７００８．２に示される。
配列番号６０に記載のアミノ酸配列からなるポリペプチドは、ＴＭＥＭ５２（Ｔｒａｎｓｍｅｍｂｒａｎｅ  ｐｒｏｔｅｉｎ  ５２）と呼ばれるタンパク質であり、そのアミノ酸配列はＧｅｎＢａｎｋ  Ｎｏ．ＮＰ＿８４８６４０．１に示される。
【００４４】
配列番号６１に記載のアミノ酸配列からなるポリペプチドは、ＡＳＰＨＤ１（Ａｓｐａｒｔａｔｅ  ｂｅｔａ−ｈｙｄｒｏｘｙｌａｓｅ  ｄｏｍａｉｎ  ｃｏｎｔａｉｎｉｎｇ  １）と呼ばれるタンパク質であり、そのアミノ酸配列はＧｅｎＢａｎｋ  Ｎｏ．ＮＰ＿８５９０６９．２に示される。
配列番号６２に記載のアミノ酸配列からなるポリペプチドは、ＵＧＴ８（ＵＤＰ  ｇｌｙｃｏｓｙｌｔｒａｎｓｆｅｒａｓｅ  ８）、ＵＧＴ４、またはＣＧＴと呼ばれるタンパク質であり、そのアミノ酸配列はＧｅｎＢａｎｋ  Ｎｏ．ＮＰ＿００３３５１．２に示される。
配列番号６３に記載のアミノ酸配列からなるポリペプチドは、ＰＴＰＲＵ（Ｐｒｏｔｅｉｎ  ｔｙｒｏｓｉｎｅ  ｐｈｏｓｐｈａｔａｓｅ，  ｒｅｃｅｐｔｏｒ  ｔｙｐｅ  Ｕ）、ｈＰＴＰ−Ｊ、ＰＣＰ−２、ＰＴＰ、ＰＴＰ−Ｊ、ＰＴＰ−ＰＩ、ＰＴＰ−ＲＯ、ＰＴＰＰＳＩ、ＰＴＰＲＯ、ＰＴＰＵ２、Ｒ−ＰＴＰ−ＰＳＩ、Ｒ−ＰＴＰ−Ｕ、またはＦＭＩと呼ばれるタンパク質であり、そのアミノ酸配列はＧｅｎＢａｎｋ  Ｎｏ．ＮＰ＿００５６９５．３に示される。
【００４５】
配列番号６４に記載のアミノ酸配列からなるポリペプチドは、ＣＥＲＳ６（Ｃｅｒａｍｉｄｅ  ｓｙｎｔｈａｓｅ  ６）、ＬＡＳＳ６、またはＣＥＲＳ５と呼ばれるタンパク質であり、そのアミノ酸配列はＧｅｎＢａｎｋ  Ｎｏ．ＮＰ＿９８２２８８．１に示される。
配列番号６５に記載のアミノ酸配列からなるポリペプチドは、ＭＹＲＦ（Ｍｙｅｌｉｎ  ｒｅｇｕｌａｔｏｒｙ  ｆａｃｔｏｒ）、ＭＲＦ、Ｎｄｔ８０、ｐｑｎ−４７、またはＣ１１ｏｒｆ９と呼ばれるタンパク質であり、そのアミノ酸配列はＧｅｎＢａｎｋ  Ｎｏ．ＮＰ＿００１１２０８６４．１に示される。
配列番号６６に記載のアミノ酸配列からなるポリペプチドは、ＣＯＬ１７Ａ１（Ｃｏｌｌａｇｅｎ  ｔｙｐｅ  ＸＶＩＩ  ａｌｐｈａ  １  ｃｈａｉｎ）、ＢＰ１８０、ＢＰＡ−２、ＢＰＡＧ２、ＥＢＲ２Ａ、ＪＥＢ−Ｉ、ＬＡＤ−１、またはＢＡ１６Ｈ２３．２と呼ばれるタンパク質であり、そのアミノ酸配列はＧｅｎＢａｎｋ  Ｎｏ．ＮＰ＿０００４８５．３に示される。
【００４６】
配列番号６７に記載のアミノ酸配列からなるポリペプチドは、ＴＭＰＲＳＳ４（Ｔｒａｎｓｍｅｍｂｒａｎｅ  ｐｒｏｔｅａｓｅ，  ｓｅｒｉｎｅ  ４）、ＭＴ−ＳＰ２、ＴＭＰＲＳＳ３、またはＣＡＰＨ２と呼ばれるタンパク質であり、そのアミノ酸配列はＧｅｎＢａｎｋ  Ｎｏ．ＮＰ＿０６３９４７．１に示される。
配列番号６８に記載のアミノ酸配列からなるポリペプチドは、ＧＪＢ３（Ｇａｐ  ｊｕｎｃｔｉｏｎ  ｐｒｏｔｅｉｎ  ｂｅｔａ  ３）、ＤＦＮＡ２、ＤＦＮＡ２Ｂ、ＥＫＶ、またはＣＸ３１と呼ばれるタンパク質であり、そのアミノ酸配列はＧｅｎＢａｎｋ  Ｎｏ．ＮＰ＿０７６８７２．１に示される。
配列番号６９に記載のアミノ酸配列からなるポリペプチドは、ＳＣＮＮ１Ａ（Ｓｏｄｉｕｍ  ｃｈａｎｎｅｌ  ｅｐｉｔｈｅｌｉａｌ  １  ａｌｐｈａ  ｓｕｂｕｎｉｔ）、ＥＮａＣａ、ＥＮａＣａｌｐｈａ、ＳＣＮＥＡ、ＳＣＮＮ１、またはＢＥＳＣ２と呼ばれるタンパク質であり、そのアミノ酸配列はＧｅｎＢａｎｋ  Ｎｏ．ＮＰ＿００１１５３０４７．１に示される。
【００４７】
配列番号７０に記載のアミノ酸配列からなるポリペプチドは、ＰＴＰＲＨ（Ｐｒｏｔｅｉｎ  ｔｙｒｏｓｉｎｅ  ｐｈｏｓｐｈａｔａｓｅ，  ｒｅｃｅｐｔｏｒ  ｔｙｐｅ  Ｈ）、ＳＡＰ１、またはＲ−ＰＴＰ−Ｈと呼ばれるタンパク質であり、そのアミノ酸配列はＧｅｎＢａｎｋ  Ｎｏ．ＮＰ＿００２８３３．４に示される。
配列番号７１に記載のアミノ酸配列からなるポリペプチドは、ＰＴＫ７（Ｐｒｏｔｅｉｎ  ｔｙｒｏｓｉｎｅ  ｋｉｎａｓｅ  ７）、またはＣＣＫ４と呼ばれるタンパク質であり、そのアミノ酸配列はＧｅｎＢａｎｋ  Ｎｏ．ＮＰ＿００２８１２．２に示される。
配列番号７２に記載のアミノ酸配列からなるポリペプチドは、ＬＤＬＲＡＤ３（Ｌｏｗ  ｄｅｎｓｉｔｙ  ｌｉｐｏｐｒｏｔｅｉｎ  ｒｅｃｅｐｔｏｒ  ｃｌａｓｓ  Ａ  ｄｏｍａｉｎ  ｃｏｎｔａｉｎｉｎｇ  ３）、またはＬＲＡＤ３と呼ばれるタンパク質であり、そのアミノ酸配列はＧｅｎＢａｎｋ  Ｎｏ．ＮＰ＿７７７５６２．１に示される。
【００４８】
配列番号７３に記載のアミノ酸配列からなるポリペプチドは、ＤＬＬ３（Ｄｅｌｔａ  ｌｉｋｅ  ｃａｎｏｎｉｃａｌ  Ｎｏｔｃｈ  ｌｉｇａｎｄ  ３）、またはＳＣＤＯ１と呼ばれるタンパク質であり、そのアミノ酸配列はＧｅｎＢａｎｋ  Ｎｏ．ＮＰ＿０５８６３７．１に示される。
配列番号７４に記載のアミノ酸配列からなるポリペプチドは、ＳＶ２Ａ（Ｓｙｎａｐｔｉｃ  ｖｅｓｉｃｌｅ  ｇｌｙｃｏｐｒｏｔｅｉｎ  ２Ａ）、またはＳＶ２と呼ばれるタンパク質であり、そのアミノ酸配列はＧｅｎＢａｎｋ  Ｎｏ．ＮＰ＿０５５６６４．３に示される。
配列番号７５に記載のアミノ酸配列からなるポリペプチドは、ＧＰＲＣ５Ｂ（Ｇ  ｐｒｏｔｅｉｎ−ｃｏｕｐｌｅｄ  ｒｅｃｅｐｔｏｒ  ｃｌａｓｓ  Ｃ  ｇｒｏｕｐ  ５  ｍｅｍｂｅｒ  Ｂ）、またはＲＡＩＧ２と呼ばれるタンパク質であり、そのアミノ酸配列はＧｅｎＢａｎｋ  Ｎｏ．ＮＰ＿００１２９１７００．１に示される。
【００４９】
配列番号７６に記載のアミノ酸配列からなるポリペプチドは、ＡＢＣＡ３（ＡＴＰ  ｂｉｎｄｉｎｇ  ｃａｓｓｅｔｔｅ  ｓｕｂｆａｍｉｌｙ  Ａ  ｍｅｍｂｅｒ  ３）、ＡＢＣ３、ＥＳＴ１１１６５３、ＬＢＭ１８０、ＳＭＤＰ３、またはＡＢＣ−Ｃと呼ばれるタンパク質であり、そのアミノ酸配列はＧｅｎＢａｎｋ  Ｎｏ．ＮＰ＿００１０８０．２に示される。
配列番号７７に記載のアミノ酸配列からなるポリペプチドは、ＨＥＰＡＣＡＭ２（ＨＥＰＡＣＡＭ  ｆａｍｉｌｙ  ｍｅｍｂｅｒ  ２）、またはＭＩＫＩと呼ばれるタンパク質であり、そのアミノ酸配列はＧｅｎＢａｎｋ  Ｎｏ．ＮＰ＿００１０３４４６１．１に示される。
配列番号７８に記載のアミノ酸配列からなるポリペプチドは、ＫＣＮＨ２（Ｐｏｔａｓｓｉｕｍ  ｖｏｌｔａｇｅ−ｇａｔｅｄ  ｃｈａｎｎｅｌ，  ｓｕｂｆａｍｉｌｙ  Ｈ  ｍｅｍｂｅｒ  ２）、ＥＲＧ１、ＨＥＲＧ、ＨＥＲＧ１、Ｋｖ１１．１、ＬＱＴ２、またはＳＱＴと呼ばれるタンパク質であり、そのアミノ酸配列はＧｅｎＢａｎｋ  Ｎｏ．ＮＰ＿０００２２９．１に示される。
【００５０】
配列番号７９に記載のアミノ酸配列からなるポリペプチドは、ＴＭＥＦＦ１（Ｔｒａｎｓｍｅｍｂｒａｎｅ  ｐｒｏｔｅｉｎ  ｗｉｔｈ  ＥＧＦ  ｌｉｋｅ  ａｎｄ  ｔｗｏ  ｆｏｌｌｉｓｔａｔｉｎ  ｌｉｋｅ  ｄｏｍａｉｎｓ  １）、ＣＴ１２０．１、Ｈ７３６５、ＴＲ−１、またはＣ９ｏｒｆ２と呼ばれるタンパク質であり、そのアミノ酸配列はＧｅｎＢａｎｋ  Ｎｏ．ＮＰ＿００３６８３．２に示される。
配列番号８０に記載のアミノ酸配列からなるポリペプチドは、Ｂ４ＧＡＬＮＴ１（Ｂｅｔａ−１，４−Ｎ−ａｃｅｔｙｌ−ｇａｌａｃｔｏｓａｍｉｎｙｌｔｒａｎｓｆｅｒａｓｅ  １）、ＧａｌＮＡｃ−Ｔ、ＳＰＧ２６、またはＧＡＬＧＴと呼ばれるタンパク質であり、そのアミノ酸配列はＧｅｎＢａｎｋ  Ｎｏ．ＮＰ＿００１４６９．１に示される。
配列番号８１に記載のアミノ酸配列からなるポリペプチドは、ＦＸＹＤ６（ＦＸＹＤ  ｄｏｍａｉｎ  ｃｏｎｔａｉｎｉｎｇ  ｉｏｎ  ｔｒａｎｓｐｏｒｔ  ｒｅｇｕｌａｔｏｒ  ６）と呼ばれるタンパク質であり、そのアミノ酸配列はＧｅｎＢａｎｋ  Ｎｏ．ＮＰ＿０７１２８６．１に示される。
【００５１】
配列番号８２に記載のアミノ酸配列からなるポリペプチドは、ＴＳＰＡＮ１２（Ｔｅｔｒａｓｐａｎｉｎ  １２）、ＮＥＴ２、ＴＭ４ＳＦ１２、またはＥＶＲ５と呼ばれるタンパク質であり、そのアミノ酸配列はＧｅｎＢａｎｋ  Ｎｏ．ＮＰ＿０３６４７０．１に示される。
配列番号８３に記載のアミノ酸配列からなるポリペプチドは、ＲＥＥＰ２（Ｒｅｃｅｐｔｏｒ  ａｃｃｅｓｓｏｒｙ  ｐｒｏｔｅｉｎ  ２）、ＳＧＣ３２４４５、ＳＰＧ７２、またはＣ５ｏｒｆ１９と呼ばれるタンパク質であり、そのアミノ酸配列はＧｅｎＢａｎｋ  Ｎｏ．ＮＰ＿０５７６９０．２に示される。
配列番号８４に記載のアミノ酸配列からなるポリペプチドは、ＳＬＣ１Ａ４（Ｓｏｌｕｔｅ  ｃａｒｒｉｅｒ  ｆａｍｉｌｙ  １  ｍｅｍｂｅｒ  ４）、ＳＡＴＴ、またはＡＳＣＴ１と呼ばれるタンパク質であり、そのアミノ酸配列はＧｅｎＢａｎｋ  Ｎｏ．ＮＰ＿００１１８０４２２．１に示される。
【００５２】
配列番号８５に記載のアミノ酸配列からなるポリペプチドは、ＩＦＩ２７Ｌ１（Ｉｎｔｅｒｆｅｒｏｎ  ａｌｐｈａ  ｉｎｄｕｃｉｂｌｅ  ｐｒｏｔｅｉｎ  ２７  ｌｉｋｅ  １）、ＩＳＧ１２Ｃ、またはＦＡＭ１４Ｂと呼ばれるタンパク質であり、そのアミノ酸配列はＧｅｎＢａｎｋ  Ｎｏ．ＮＰ＿６６０２９２．１に示される。
配列番号８６に記載のアミノ酸配列からなるポリペプチドは、ＲＮＦ１８２（Ｒｉｎｇ  ｆｉｎｇｅｒ  ｐｒｏｔｅｉｎ  １８２）と呼ばれるタンパク質であり、そのアミノ酸配列はＧｅｎＢａｎｋ  Ｎｏ．ＮＰ＿６８９９５０．１に示される。
配列番号８７に記載のアミノ酸配列からなるポリペプチドは、ＳＹＰ（Ｓｙｎａｐｔｏｐｈｙｓｉｎ）、ＭＲＸＳＹＰ、またはＭＲＸ９６と呼ばれるタンパク質であり、そのアミノ酸配列はＧｅｎＢａｎｋ  Ｎｏ．ＮＰ＿００３１７０．１に示される。
【００５３】
配列番号８８に記載のアミノ酸配列からなるポリペプチドは、ＮＡＴ１４（Ｎ−ａｃｅｔｙｌｔｒａｎｓｆｅｒａｓｅ  １４）、またはＫＬＰ１と呼ばれるタンパク質であり、そのアミノ酸配列はＧｅｎＢａｎｋ  Ｎｏ．ＮＰ＿０６５１１１．１に示される。
配列番号８９に記載のアミノ酸配列からなるポリペプチドは、ＳＣ５Ｄ（Ｓｔｅｒｏｌ−Ｃ５−ｄｅｓａｔｕｒａｓｅ）、Ｓ５ＤＥＳ、ＳＣ５ＤＬ、またはＥＲＧ３と呼ばれるタンパク質であり、そのアミノ酸配列はＧｅｎＢａｎｋ  Ｎｏ．ＮＰ＿００８８４９．２に示される。
配列番号９０に記載のアミノ酸配列からなるポリペプチドは、ＳＹＮＧＲ３（Ｓｙｎａｐｔｏｇｙｒｉｎ  ３）と呼ばれるタンパク質であり、そのアミノ酸配列はＧｅｎＢａｎｋ  Ｎｏ．ＮＰ＿００４２００．２に示される。
【００５４】
配列番号９１に記載のアミノ酸配列からなるポリペプチドは、ＣＴＸＮ１（Ｃｏｒｔｅｘｉｎ  １）、またはＣＴＸＮと呼ばれるタンパク質であり、そのアミノ酸配列はＧｅｎＢａｎｋ  Ｎｏ．ＮＰ＿９９６６６４．１に示される。
配列番号９２に記載のアミノ酸配列からなるポリペプチドは、ＳＥＺ６（Ｓｅｉｚｕｒｅ  ｒｅｌａｔｅｄ  ６  ｈｏｍｏｌｏｇ）と呼ばれるタンパク質であり、そのアミノ酸配列はＧｅｎＢａｎｋ  Ｎｏ．ＮＰ＿００１２７７１３１．１に示される。
配列番号９３に記載のアミノ酸配列からなるポリペプチドは、ＨＣＮ３（Ｈｙｐｅｒｐｏｌａｒｉｚａｔｉｏｎ  ａｃｔｉｖａｔｅｄ  ｃｙｃｌｉｃ  ｎｕｃｌｅｏｔｉｄｅ  ｇａｔｅｄ  ｐｏｔａｓｓｉｕｍ  ｃｈａｎｎｅｌ  ３）と呼ばれるタンパク質であり、そのアミノ酸配列はＧｅｎＢａｎｋ  Ｎｏ．ＮＰ＿０６５９４８．１に示される。
【００５５】
配列番号９４に記載のアミノ酸配列からなるポリペプチドは、ＩＧＳＦ９（Ｉｍｍｕｎｏｇｌｏｂｕｌｉｎ  ｓｕｐｅｒｆａｍｉｌｙ  ｍｅｍｂｅｒ  ９）、ＩＧＳＦ９Ａ、Ｎｒｔ１、またはＦＰ１８７９８と呼ばれるタンパク質であり、そのアミノ酸配列はＧｅｎＢａｎｋ  Ｎｏ．ＮＰ＿０６５８４０．２に示される。
配列番号９５に記載のアミノ酸配列からなるポリペプチドは、ＸＰＲ１（Ｘｅｎｏｔｒｏｐｉｃ  ａｎｄ  ｐｏｌｙｔｒｏｐｉｃ  ｒｅｔｒｏｖｉｒｕｓ  ｒｅｃｅｐｔｏｒ  １）、Ｘ３、またはＳＹＧ１と呼ばれるタンパク質であり、そのアミノ酸配列はＧｅｎＢａｎｋ  Ｎｏ．ＮＰ＿００４７２７．２に示される。
配列番号９６に記載のアミノ酸配列からなるポリペプチドは、ＮＲＰ１（Ｎｅｕｒｏｐｉｌｉｎ  １）、ＣＤ３０４、ＮＰ１、ＮＲＰ、ＶＥＧＦ１６５Ｒ、またはＢＤＣＡ４と呼ばれるタンパク質であり、そのアミノ酸配列はＧｅｎＢａｎｋ  Ｎｏ．ＮＰ＿００３８６４．４に示される。
【００５６】
配列番号９７に記載のアミノ酸配列からなるポリペプチドは、ＰＭＰ２２（Ｐｅｒｉｐｈｅｒａｌ  ｍｙｅｌｉｎ  ｐｒｏｔｅｉｎ  ２２）、ＣＭＴ１Ｅ、ＤＳＳ、ＧＡＳ−３、ＨＭＳＮＩＡ、ＨＮＰＰ、Ｓｐ１１０、またはＣＭＴ１Ａと呼ばれるタンパク質であり、そのアミノ酸配列はＧｅｎＢａｎｋ  Ｎｏ．ＮＰ＿０００２９５．１に示される。
配列番号９８に記載のアミノ酸配列からなるポリペプチドは、ＣＡ１２（Ｃａｒｂｏｎｉｃ  ａｎｈｙｄｒａｓｅ  １２）、ＨｓＴ１８８１６、またはＣＡＸＩＩと呼ばれるタンパク質であり、そのアミノ酸配列はＧｅｎＢａｎｋ  Ｎｏ．ＮＰ＿００１２０９．１に示される。
配列番号９９に記載のアミノ酸配列からなるポリペプチドは、ＡＸＬ、ＪＴＫ１１、Ｔｙｒｏ７、ＵＦＯ、またはＡＲＫと呼ばれるタンパク質であり、そのアミノ酸配列はＧｅｎＢａｎｋ  Ｎｏ．ＮＰ＿００１６９０．２に示される。
【００５７】
配列番号１００に記載のアミノ酸配列からなるポリペプチドは、ＳＴＥＡＰ３（Ｓｉｘ−Ｔｒａｎｓｍｅｍｂｒａｎｅ  Ｅｐｉｔｈｅｌｉａｌ  Ａｎｔｉｇｅｎ  Ｏｆ  Ｐｒｏｓｔａｔｅ  ３）、ｄｕｄｌｉｎ−２、ＳＴＭＰ３、ＴＳＡＰ６、またはＡＨＭＩＯ２と呼ばれるタンパク質であり、そのアミノ酸配列はＧｅｎＢａｎｋ  Ｎｏ．ＮＰ＿００１００８４１０．１に示される。
配列番号１０１に記載のアミノ酸配列からなるポリペプチドは、ＮＤＳＴ１（Ｎ−ｄｅａｃｅｔｙｌａｓｅ  ａｎｄ  Ｎ−ｓｕｌｆｏｔｒａｎｓｆｅｒａｓｅ  １）、ＭＲＴ４６、ＮＳＴ１、またはＨＳＳＴと呼ばれるタンパク質であり、そのアミノ酸配列はＧｅｎＢａｎｋ  Ｎｏ．ＮＰ＿００１２８７９９２．１に示される。
配列番号１０２に記載のアミノ酸配列からなるポリペプチドは、ＰＯＭＴ２（Ｐｒｏｔｅｉｎ  Ｏ−ｍａｎｎｏｓｙｌｔｒａｎｓｆｅｒａｓｅ  ２）、ＭＤＤＧＡ２、ＭＤＤＧＢ２、ＭＤＤＧＣ２、またはＬＧＭＤ２Ｎと呼ばれるタンパク質であり、そのアミノ酸配列はＧｅｎＢａｎｋ  Ｎｏ．ＮＰ＿０３７５１４．２に示される。
【００５８】
配列番号１０３に記載のアミノ酸配列からなるポリペプチドは、ＲＥＥＰ６（Ｒｅｃｅｐｔｏｒ  ａｃｃｅｓｓｏｒｙ  ｐｒｏｔｅｉｎ  ６）、ＤＰ１Ｌ１、ＴＢ２Ｌ１、またはＣ１９ｏｒｆ３２と呼ばれるタンパク質であり、そのアミノ酸配列はＧｅｎＢａｎｋ  Ｎｏ．ＮＰ＿６１２４０２．１に示される。
配列番号１０４に記載のアミノ酸配列からなるポリペプチドは、ＳＣＡＭＰ４（Ｓｅｃｒｅｔｏｒｙ  ｃａｒｒｉｅｒ  ｍｅｍｂｒａｎｅ  ｐｒｏｔｅｉｎ  ４）と呼ばれるタンパク質であり、そのアミノ酸配列はＧｅｎＢａｎｋ  Ｎｏ．ＮＰ＿５２４５５８．１に示される。
配列番号１０５に記載のアミノ酸配列からなるポリペプチドは、ＶＡＳＮ（Ｖａｓｏｒｉｎ）、またはＳＬＩＴＬ２と呼ばれるタンパク質であり、そのアミノ酸配列はＧｅｎＢａｎｋ  Ｎｏ．ＮＰ＿６１２４４９．２に示される。
【００５９】
配列番号１０６に記載のアミノ酸配列からなるポリペプチドは、ＴＰ５３Ｉ１１（Ｔｕｍｏｒ  ｐｒｏｔｅｉｎ  ｐ５３  ｉｎｄｕｃｉｂｌｅ  ｐｒｏｔｅｉｎ  １１）、またはＰＩＧ１１と呼ばれるタンパク質であり、そのアミノ酸配列はＧｅｎＢａｎｋ  Ｎｏ．ＮＰ＿００６０２５．２に示される。
配列番号１０７に記載のアミノ酸配列からなるポリペプチドは、ＡＴＰ９Ａ（ＡＴＰａｓｅ  ｐｈｏｓｐｈｏｌｉｐｉｄ  ｔｒａｎｓｐｏｒｔｉｎｇ  ９Ａ）、またはＡＴＰＩＩＡと呼ばれるタンパク質であり、そのアミノ酸配列はＧｅｎＢａｎｋ  Ｎｏ．ＮＰ＿００６０３６．１に示される。
配列番号１０８に記載のアミノ酸配列からなるポリペプチドは、ＳＭＩＭ２２（Ｓｍａｌｌ  ｉｎｔｅｇｒａｌ  ｍｅｍｂｒａｎｅ  ｐｒｏｔｅｉｎ  ２２）と呼ばれるタンパク質であり、そのアミノ酸配列はＧｅｎＢａｎｋ  Ｎｏ．ＮＰ＿００１２４０７１９．１に示される。
【００６０】
配列番号１０９に記載のアミノ酸配列からなるポリペプチドは、Ｌ１ＣＡＭ（Ｌ１  ｃｅｌｌ  ａｄｈｅｓｉｏｎ  ｍｏｌｅｃｕｌｅ）、ＣＤ１７１、ＨＳＡＳ、ＨＳＡＳ１、ＭＡＳＡ、ＭＩＣ５、Ｎ−ＣＡＭＬ１、Ｓ１０、ＳＰＧ１、またはＣＡＭＬ１と呼ばれるタンパク質であり、そのアミノ酸配列はＧｅｎＢａｎｋ  Ｎｏ．ＮＰ＿０００４１６．１に示される。
配列番号１１０に記載のアミノ酸配列からなるポリペプチドは、ＢＣＡＭ（Ｂａｓａｌ  ｃｅｌｌ  ａｄｈｅｓｉｏｎ  ｍｏｌｅｃｕｌｅ）、ＣＤ２３９、ＬＵ、ＭＳＫ１９、またはＡＵと呼ばれるタンパク質であり、そのアミノ酸配列はＧｅｎＢａｎｋ  Ｎｏ．ＮＰ＿００５５７２．２に示される。
配列番号１１１に記載のアミノ酸配列からなるポリペプチドは、ＶＡＮＧＬ１（ＶＡＮＧＬ  ｐｌａｎａｒ  ｃｅｌｌ  ｐｏｌａｒｉｔｙ  ｐｒｏｔｅｉｎ  １）、ＬＰＰ２、ＳＴＢ２、ＳＴＢＭ２、またはＫＩＴＥＮＩＮと呼ばれるタンパク質であり、そのアミノ酸配列はＧｅｎＢａｎｋ  Ｎｏ．ＮＰ＿６２０４０９．１に示される。
【００６１】
配列番号１１２に記載のアミノ酸配列からなるポリペプチドは、ＦＧＦＲ３（Ｆｉｂｒｏｂｌａｓｔ  ｇｒｏｗｔｈ  ｆａｃｔｏｒ  ｒｅｃｅｐｔｏｒ  ３）、ＣＤ３３３、ＣＥＫ２、ＨＳＦＧＦＲ３ＥＸ、ＪＴＫ４、またはＡＣＨと呼ばれるタンパク質であり、そのアミノ酸配列はＧｅｎＢａｎｋ  Ｎｏ．ＮＰ＿０００１３３．１に示される。
配列番号１１３に記載のアミノ酸配列からなるポリペプチドは、ＣＨＳＴ１３（Ｃａｒｂｏｈｙｄｒａｔｅ  ｓｕｌｆｏｔｒａｎｓｆｅｒａｓｅ  １３）、またはＣ４ＳＴ３と呼ばれるタンパク質であり、そのアミノ酸配列はＧｅｎＢａｎｋ  Ｎｏ．ＮＰ＿６９０８４９．１に示される。
配列番号１１４に記載のアミノ酸配列からなるポリペプチドは、ＭＸＲＡ８（Ｍａｔｒｉｘ  ｒｅｍｏｄｅｌｉｎｇ  ａｓｓｏｃｉａｔｅｄ  ８）と呼ばれるタンパク質であり、そのアミノ酸配列はＧｅｎＢａｎｋ  Ｎｏ．ＮＰ＿１１５７２４．１に示される。
【００６２】
配列番号１１５に記載のアミノ酸配列からなるポリペプチドは、ＩＧＤＣＣ３（Ｉｍｍｕｎｏｇｌｏｂｕｌｉｎ  ｓｕｐｅｒｆａｍｉｌｙ  ＤＣＣ  ｓｕｂｃｌａｓｓ  ｍｅｍｂｅｒ  ３）、ＰＵＮＣ、またはＨｓＴ１８８８０と呼ばれるタンパク質であり、そのアミノ酸配列はＧｅｎＢａｎｋ  Ｎｏ．ＮＰ＿００４８７５．２に示される。
配列番号１１６に記載のアミノ酸配列からなるポリペプチドは、ＳＯＡＴ２（Ｓｔｅｒｏｌ  Ｏ−ａｃｙｌｔｒａｎｓｆｅｒａｓｅ  ２）、ＡＣＡＴ２、ＡＲＧＰ２、またはＡＣＡＣＴ２と呼ばれるタンパク質であり、そのアミノ酸配列はＧｅｎＢａｎｋ  Ｎｏ．ＮＰ＿００３５６９．１に示される。
配列番号１１７に記載のアミノ酸配列からなるポリペプチドは、ＳＬＣ５１Ｂ（Ｓｏｌｕｔｅ  ｃａｒｒｉｅｒ  ｆａｍｉｌｙ  ５１  ｂｅｔａ  ｓｕｂｕｎｉｔ）、ＯＳＴＢＥＴＡ、またはＯＳＴＢと呼ばれるタンパク質であり、そのアミノ酸配列はＧｅｎＢａｎｋ  Ｎｏ．ＮＰ＿８４９１９０．２に示される。
【００６３】
配列番号１１８に記載のアミノ酸配列からなるポリペプチドは、ＳＬＣ１３Ａ５（Ｓｏｌｕｔｅ  ｃａｒｒｉｅｒ  ｆａｍｉｌｙ  １３  ｍｅｍｂｅｒ  ５）、ｍＩｎｄｙ、ＮＡＣＴ、またはＥＩＥＥ２５と呼ばれるタンパク質であり、そのアミノ酸配列はＧｅｎＢａｎｋ  Ｎｏ．ＮＰ＿８０８２１８．１に示される。
配列番号１１９に記載のアミノ酸配列からなるポリペプチドは、ＦＺＤ５（Ｆｒｉｚｚｌｅｄ  ｃｌａｓｓ  ｒｅｃｅｐｔｏｒ  ５）、ＨＦＺ５、またはＣ２ｏｒｆ３１と呼ばれるタンパク質であり、そのアミノ酸配列はＧｅｎＢａｎｋ  Ｎｏ．ＮＰ＿００３４５９．２に示される。
配列番号１２０に記載のアミノ酸配列からなるポリペプチドは、ＳＬＣ３９Ａ５（Ｓｏｌｕｔｅ  ｃａｒｒｉｅｒ  ｆａｍｉｌｙ  ３９  ｍｅｍｂｅｒ  ５）、ＭＹＰ２４、ＺＩＰ５、またはＬＺＴ−Ｈｓ７と呼ばれるタンパク質であり、そのアミノ酸配列はＧｅｎＢａｎｋ  Ｎｏ．ＮＰ＿７７５８６７．２に示される。
【００６４】
配列番号１２１に記載のアミノ酸配列からなるポリペプチドは、ＡＤＧＲＡ３（Ａｄｈｅｓｉｏｎ  Ｇ  ｐｒｏｔｅｉｎ−ｃｏｕｐｌｅｄ  ｒｅｃｅｐｔｏｒ  Ａ３）、ＴＥＭ５Ｌ、またはＰＧＲ２１と呼ばれるタンパク質であり、そのアミノ酸配列はＧｅｎＢａｎｋ  Ｎｏ．ＮＰ＿６６０３３３．２に示される。
配列番号１２２に記載のアミノ酸配列からなるポリペプチドは、ＡＤＧＲＬ２（Ａｄｈｅｓｉｏｎ  Ｇ  ｐｒｏｔｅｉｎ−ｃｏｕｐｌｅｄ  ｒｅｃｅｐｔｏｒ  Ｌ２）、ＣＬ２、ＬＥＣ１、ＬＰＨＨ１、またはＣＩＲＬ２と呼ばれるタンパク質であり、そのアミノ酸配列はＧｅｎＢａｎｋ  Ｎｏ．ＮＰ＿０３６４３４．１に示される。
配列番号１２３に記載のアミノ酸配列からなるポリペプチドは、ＴＦＲ２（Ｔｒａｎｓｆｅｒｒｉｎ  ｒｅｃｅｐｔｏｒ  ２）、ＴＦＲＣ２、またはＨＦＥ３と呼ばれるタンパク質であり、そのアミノ酸配列はＧｅｎＢａｎｋ  Ｎｏ．ＮＰ＿００３２１８．２に示される。
【００６５】
配列番号１２４に記載のアミノ酸配列からなるポリペプチドは、ＤＣＢＬＤ１（Ｄｉｓｃｏｉｄｉｎ，  ＣＵＢ  ａｎｄ  ＬＣＣＬ  ｄｏｍａｉｎ  ｃｏｎｔａｉｎｉｎｇ  １）、またはｄＪ９４Ｇ１６．１と呼ばれるタンパク質であり、そのアミノ酸配列はＧｅｎＢａｎｋ  Ｎｏ．ＮＰ＿７７５９４５．１に示される。
配列番号１２５に記載のアミノ酸配列からなるポリペプチドは、ＡＧＴＲ１（Ａｎｇｉｏｔｅｎｓｉｎ  ＩＩ  ｒｅｃｅｐｔｏｒ  ｔｙｐｅ  １）、ＡＧＴＲ１Ｂ、ＡＴ１、ＡＴ１ＡＲ、ＡＴ１Ｂ、ＡＴ１ＢＲ、ＡＴ１Ｒ、ＡＴ２Ｒ１、ＨＡＴ１Ｒ、またはＡＧ２Ｓと呼ばれるタンパク質であり、そのアミノ酸配列はＧｅｎＢａｎｋ  Ｎｏ．ＮＰ＿０００６７６．１に示される。
配列番号１２６に記載のアミノ酸配列からなるポリペプチドは、ＤＧＡＴ２（Ｄｉａｃｙｌｇｌｙｃｅｒｏｌ  Ｏ−ａｃｙｌｔｒａｎｓｆｅｒａｓｅ  ２）、ＧＳ１９９９ＦＵＬＬ、ＨＭＦＮ１０４５、またはＡＲＡＴと呼ばれるタンパク質であり、そのアミノ酸配列はＧｅｎＢａｎｋ  Ｎｏ．ＮＰ＿１１５９５３．２に示される。
【００６６】
配列番号１２７に記載のアミノ酸配列からなるポリペプチドは、ＦＮＤＣ４（Ｆｉｂｒｏｎｅｃｔｉｎ  ｔｙｐｅ  ＩＩＩ  ｄｏｍａｉｎ  ｃｏｎｔａｉｎｉｎｇ  ４）、またはＦＲＣＰ１と呼ばれるタンパク質であり、そのアミノ酸配列はＧｅｎＢａｎｋ  Ｎｏ．ＮＰ＿０７３７３４．１に示される。
配列番号１２８に記載のアミノ酸配列からなるポリペプチドは、ＰＬＸＮＢ１（Ｐｌｅｘｉｎ  Ｂ１）、ＰＬＸＮ５、ＳＥＰ、またはＰＬＥＸＩＮ−Ｂ１と呼ばれるタンパク質であり、そのアミノ酸配列はＧｅｎＢａｎｋ  Ｎｏ．ＮＰ＿００２６６４．２に示される。
配列番号１２９に記載のアミノ酸配列からなるポリペプチドは、ＳＬＣ２Ａ２（Ｓｏｌｕｔｅ  ｃａｒｒｉｅｒ  ｆａｍｉｌｙ  ２  ｍｅｍｂｅｒ  ２）、またはＧＬＵＴ２と呼ばれるタンパク質であり、そのアミノ酸配列はＧｅｎＢａｎｋ  Ｎｏ．ＮＰ＿０００３３１．１に示される。
【００６７】
配列番号１３０に記載のアミノ酸配列からなるポリペプチドは、ＳＬＣ２２Ａ３（Ｓｏｌｕｔｅ  ｃａｒｒｉｅｒ  ｆａｍｉｌｙ  ２２  ｍｅｍｂｅｒ  ３）、ＥＭＴＨ、ＯＣＴ３、またはＥＭＴと呼ばれるタンパク質であり、そのアミノ酸配列はＧｅｎＢａｎｋ  Ｎｏ．ＮＰ＿０６８８１２．１に示される。
配列番号１３１に記載のアミノ酸配列からなるポリペプチドは、ＳＬＣ７Ａ２（Ｓｏｌｕｔｅ  ｃａｒｒｉｅｒ  ｆａｍｉｌｙ  ７  ｍｅｍｂｅｒ  ２）、ＣＡＴ２、ＨＣＡＴ２、またはＡＴＲＣ２と呼ばれるタンパク質であり、そのアミノ酸配列はＧｅｎＢａｎｋ  Ｎｏ．ＮＰ＿００１００８５３９．３に示される。
配列番号１３２に記載のアミノ酸配列からなるポリペプチドは、ＳＬＣ２９Ａ４（Ｓｏｌｕｔｅ  ｃａｒｒｉｅｒ  ｆａｍｉｌｙ  ２９  ｍｅｍｂｅｒ  ４）、ＰＭＡＴ、またはＥＮＴ４と呼ばれるタンパク質であり、そのアミノ酸配列はＧｅｎＢａｎｋ  Ｎｏ．ＮＰ＿６９４９７９．２に示される。
【００６８】
配列番号１３３に記載のアミノ酸配列からなるポリペプチドは、ＦＡＭ１７１Ａ１（Ｆａｍｉｌｙ  ｗｉｔｈ  ｓｅｑｕｅｎｃｅ  ｓｉｍｉｌａｒｉｔｙ  １７１  ｍｅｍｂｅｒ  Ａ１）、またはＣ１０ｏｒｆ３８と呼ばれるタンパク質であり、そのアミノ酸配列はＧｅｎＢａｎｋ  Ｎｏ．ＮＰ＿００１０１０９２４．１に示される。
配列番号１３４に記載のアミノ酸配列からなるポリペプチドは、ＦＺＤ４（Ｆｒｉｚｚｌｅｄ  ｃｌａｓｓ  ｒｅｃｅｐｔｏｒ  ４）、ＥＶＲ１、ＦＥＶＲ、Ｆｚ４、ＦＺＤ４Ｓ、ＦｚＥ４、ＧＰＣＲ、ｈＦｚ４、またはＣＤ３４４と呼ばれるタンパク質であり、そのアミノ酸配列はＧｅｎＢａｎｋ  Ｎｏ．ＮＰ＿０３６３２５．２に示される。
配列番号１３５に記載のアミノ酸配列からなるポリペプチドは、ＰＬＬＰ（Ｐｌａｓｍｏｌｉｐｉｎ）、ＴＭ４ＳＦ１１、またはＰＭＬＰと呼ばれるタンパク質であり、そのアミノ酸配列はＧｅｎＢａｎｋ  Ｎｏ．ＮＰ＿０５７０７７．１に示される。
【００６９】
配列番号１３６に記載のアミノ酸配列からなるポリペプチドは、ＲＯＢＯ１（Ｒｏｕｎｄａｂｏｕｔ  ｇｕｉｄａｎｃｅ  ｒｅｃｅｐｔｏｒ  １）、ＳＡＸ３、またはＤＵＴＴ１と呼ばれるタンパク質であり、そのアミノ酸配列はＧｅｎＢａｎｋ  Ｎｏ．ＮＰ＿００２９３２．１に示される。
配列番号１３７に記載のアミノ酸配列からなるポリペプチドは、ＡＴＰ７Ｂ（ＡＴＰａｓｅ  ｃｏｐｐｅｒ  ｔｒａｎｓｐｏｒｔｉｎｇ  ｂｅｔａ）、ＷＣ１、ＷＤ、ＷＮＤ、またはＰＷＤと呼ばれるタンパク質であり、そのアミノ酸配列はＧｅｎＢａｎｋ  Ｎｏ．ＮＰ＿００００４４．２に示される。
配列番号１３８に記載のアミノ酸配列からなるポリペプチドは、ＳＣＡＲＡ３（Ｓｃａｖｅｎｇｅｒ  ｒｅｃｅｐｔｏｒ  ｃｌａｓｓ  Ａ  ｍｅｍｂｅｒ  ３）、ＣＳＲ、ＣＳＲ１、ＭＳＬＲ１、ＭＳＲＬ１、またはＡＰＣ７と呼ばれるタンパク質であり、そのアミノ酸配列はＧｅｎＢａｎｋ  Ｎｏ．ＮＰ＿８７８１８５．１に示される。
【００７０】
配列番号１３９に記載のアミノ酸配列からなるポリペプチドは、ＭＡＯＡ（Ｍｏｎｏａｍｉｎｅ  ｏｘｉｄａｓｅ  Ａ）と呼ばれるタンパク質であり、そのアミノ酸配列はＧｅｎＢａｎｋ  Ｎｏ．ＮＰ＿０００２３１．１に示される。
配列番号１４０に記載のアミノ酸配列からなるポリペプチドは、Ｃ２ｏｒｆ８２（Ｃｈｒｏｍｏｓｏｍｅ  ２  ｏｐｅｎ  ｒｅａｄｉｎｇ  ｆｒａｍｅ  ８２）、またはＵＮＱ８３０と呼ばれるタンパク質であり、そのアミノ酸配列はＧｅｎＢａｎｋ  Ｎｏ．ＮＰ＿９９６７７８．１に示される。
配列番号１４１に記載のアミノ酸配列からなるポリペプチドは、ＲＮＦ４３（Ｒｉｎｇ  ｆｉｎｇｅｒ  ｐｒｏｔｅｉｎ  ４３）、ＵＲＣＣ、またはＲＮＦ１２４と呼ばれるタンパク質であり、そのアミノ酸配列はＧｅｎＢａｎｋ  Ｎｏ．ＮＰ＿０６０２３３．３に示される。
【００７１】
配列番号１４２に記載のアミノ酸配列からなるポリペプチドは、ＫＩＡＡ１１６１、またはＮＥＴ３７と呼ばれるタンパク質であり、そのアミノ酸配列はＧｅｎＢａｎｋ  Ｎｏ．ＮＰ＿０６５７５３．２に示される。
配列番号１４３に記載のアミノ酸配列からなるポリペプチドは、ＬＲＩＧ３（Ｌｅｕｃｉｎｅ  ｒｉｃｈ  ｒｅｐｅａｔｓ  ａｎｄ  ｉｍｍｕｎｏｇｌｏｂｕｌｉｎ  ｌｉｋｅ  ｄｏｍａｉｎｓ  ３）、またはＬＩＧ３と呼ばれるタンパク質であり、そのアミノ酸配列はＧｅｎＢａｎｋ  Ｎｏ．ＮＰ＿７００３５６．２に示される。
配列番号１４４に記載のアミノ酸配列からなるポリペプチドは、ＧＯＬＴ１Ａ（Ｇｏｌｇｉ  ｔｒａｎｓｐｏｒｔ  １Ａ）、ＧＯＴ１、ＨＭＦＮ１１８７、ＹＭＲ２９２Ｗ、またはＣＧＩ−１４１と呼ばれるタンパク質であり、そのアミノ酸配列はＧｅｎＢａｎｋ  Ｎｏ．ＮＰ＿９４０８４９．１に示される。
【００７２】
配列番号１４５に記載のアミノ酸配列からなるポリペプチドは、ＳＬＣ１９Ａ２（Ｓｏｌｕｔｅ  ｃａｒｒｉｅｒ  ｆａｍｉｌｙ  １９  ｍｅｍｂｅｒ  ２）、ＴＨＭＤ１、ＴＨＴ１、ＴＨＴＲ１、ＴＲＭＡ、またはＴＣ１と呼ばれるタンパク質であり、そのアミノ酸配列はＧｅｎＢａｎｋ  Ｎｏ．ＮＰ＿００８９２７．１に示される。
配列番号１４６に記載のアミノ酸配列からなるポリペプチドは、ＧＲＥＢ１（Ｇｒｏｗｔｈ  ｒｅｇｕｌａｔｉｏｎ  ｂｙ  ｅｓｔｒｏｇｅｎ  ｉｎ  ｂｒｅａｓｔ  ｃａｎｃｅｒ  １）と呼ばれるタンパク質であり、そのアミノ酸配列はＧｅｎＢａｎｋ  Ｎｏ．ＮＰ＿０５５４８３．２に示される。
配列番号１４７に記載のアミノ酸配列からなるポリペプチドは、ＭＣＡＭ（Ｍｅｌａｎｏｍａ  ｃｅｌｌ  ａｄｈｅｓｉｏｎ  ｍｏｌｅｃｕｌｅ）、ＭＵＣ１８、またはＣＤ１４６と呼ばれるタンパク質であり、そのアミノ酸配列はＧｅｎＢａｎｋ  Ｎｏ．ＮＰ＿００６４９１．２に示される。
【００７３】
配列番号１４８に記載のアミノ酸配列からなるポリペプチドは、ＳＬＣ６Ａ１１（Ｓｏｌｕｔｅ  ｃａｒｒｉｅｒ  ｆａｍｉｌｙ  ６  Ｍｅｍｂｅｒ  １１）、ＧＡＴ３、またはＧＡＴ４と呼ばれるタンパク質であり、そのアミノ酸配列はＧｅｎＢａｎｋ  Ｎｏ．ＮＰ＿０５５０４４．１に示される。
配列番号１４９に記載のアミノ酸配列からなるポリペプチドは、ＧＰＥＲ１（Ｇ  ｐｒｏｔｅｉｎ−ｃｏｕｐｌｅｄ  ｅｓｔｒｏｇｅｎ  ｒｅｃｅｐｔｏｒ  １）、ＣＭＫＲＬ２、ＤＲＹ１２、ＦＥＧ−１、ＧＰＣＲ−Ｂｒ、ＧＰＥＲ、ＧＰＲ３０、ＬＥＲＧＵ、ＬＥＲＧＵ２、ＬｙＧＰＲ、ｍＥＲ、またはＣＥＰＲと呼ばれるタンパク質であり、そのアミノ酸配列はＧｅｎＢａｎｋ  Ｎｏ．ＮＰ＿００１４９６．１に示される。
配列番号１５０に記載のアミノ酸配列からなるポリペプチドは、ＢＯＫ、ＢＣＬ２  Ｆａｍｉｌｙ  Ａｐｏｐｔｏｓｉｓ  Ｒｅｇｕｌａｔｏｒ、ＢＯＫＬ、またはＢＣＬ２Ｌ９と呼ばれるタンパク質であり、そのアミノ酸配列はＧｅｎＢａｎｋ  Ｎｏ．ＮＰ＿１１５９０４．１に示される。
【００７４】
配列番号１５１に記載のアミノ酸配列からなるポリペプチドは、ＳＬＣ９Ｂ２（Ｓｏｌｕｔｅ  ｃａｒｒｉｅｒ  ｆａｍｉｌｙ  ９  ｍｅｍｂｅｒ  Ｂ２）、ＮＨＥ１０、ＮＨＥＤＣ２、またはＮＨＡ２と呼ばれるタンパク質であり、そのアミノ酸配列はＧｅｎＢａｎｋ  Ｎｏ．ＮＰ＿００１２８７６８３．１に示される。
配列番号１５２に記載のアミノ酸配列からなるポリペプチドは、ＴＲＡＭ２（Ｔｒａｎｓｌｏｃａｔｉｏｎ  ａｓｓｏｃｉａｔｅｄ  ｍｅｍｂｒａｎｅ  ｐｒｏｔｅｉｎ  ２）と呼ばれるタンパク質であり、そのアミノ酸配列はＧｅｎＢａｎｋ  Ｎｏ．ＮＰ＿０３６４２０．１に示される。
配列番号１５３に記載のアミノ酸配列からなるポリペプチドは、ＨＳ６ＳＴ１（Ｈｅｐａｒａｎ  ｓｕｌｆａｔｅ  ６−Ｏ−ｓｕｌｆｏｔｒａｎｓｆｅｒａｓｅ  １）、ＨＳ６ＳＴ、またはＨＨ１５と呼ばれるタンパク質であり、そのアミノ酸配列はＧｅｎＢａｎｋ  Ｎｏ．ＮＰ＿００４７９８．３に示される。
【００７５】
配列番号１５４に記載のアミノ酸配列からなるポリペプチドは、ＮＴＳＲ１（Ｎｅｕｒｏｔｅｎｓｉｎ  ｒｅｃｅｐｔｏｒ  １）、またはＮＴＲと呼ばれるタンパク質であり、そのアミノ酸配列はＧｅｎＢａｎｋ  Ｎｏ．ＮＰ＿００２５２２．２に示される。
配列番号１５５に記載のアミノ酸配列からなるポリペプチドは、ＧＡＬＮＴ７（Ｐｏｌｙｐｅｐｔｉｄｅ  Ｎ−ａｃｅｔｙｌｇａｌａｃｔｏｓａｍｉｎｙｌｔｒａｎｓｆｅｒａｓｅ  ７）、またはＧａｌＮＡｃＴ７と呼ばれるタンパク質であり、そのアミノ酸配列はＧｅｎＢａｎｋ  Ｎｏ．ＮＰ＿０５９１１９．２に示される。
配列番号１５６に記載のアミノ酸配列からなるポリペプチドは、ＫＩＲＲＥＬ（Ｋｉｒｒｅ  ｌｉｋｅ  ｎｅｐｈｒｉｎ  ｆａｍｉｌｙ  ａｄｈｅｓｉｏｎ  ｍｏｌｅｃｕｌｅ  １）、またはＮＥＰＨ１と呼ばれるタンパク質であり、そのアミノ酸配列はＧｅｎＢａｎｋ  Ｎｏ．ＮＰ＿０６０７１０．３に示される。
【００７６】
配列番号１５７に記載のアミノ酸配列からなるポリペプチドは、ＰＣＤＨ７（Ｐｒｏｔｏｃａｄｈｅｒｉｎ  ７）、ＢＨＰＣＤＨ、またはＰＰＰ１Ｒ１２０と呼ばれるタンパク質であり、そのアミノ酸配列はＧｅｎＢａｎｋ  Ｎｏ．ＮＰ＿１１５８３３．２に示される。
配列番号１５８に記載のアミノ酸配列からなるポリペプチドは、ＴＯＲ４Ａ（Ｔｏｒｓｉｎ  ｆａｍｉｌｙ  ４  ｍｅｍｂｅｒ  Ａ）、またはＣ９ｏｒｆ１６７と呼ばれるタンパク質であり、そのアミノ酸配列はＧｅｎＢａｎｋ  Ｎｏ．ＮＰ＿０６０１９３．２に示される。
配列番号１５９に記載のアミノ酸配列からなるポリペプチドは、ＣＡ９（Ｃａｒｂｏｎｉｃ  ａｎｈｙｄｒａｓｅ  ９）、ＭＮ、またはＣＡＩＸと呼ばれるタンパク質であり、そのアミノ酸配列はＧｅｎＢａｎｋ  Ｎｏ．ＮＰ＿００１２０７．２に示される。
【００７７】
配列番号１６０に記載のアミノ酸配列からなるポリペプチドは、ＰＭＥＰＡ１（Ｐｒｏｓｔａｔｅ  ｔｒａｎｓｍｅｍｂｒａｎｅ  ｐｒｏｔｅｉｎ，  ａｎｄｒｏｇｅｎ  ｉｎｄｕｃｅｄ  １）、ＴＭＥＰＡＩ、またはＳＴＡＧ１と呼ばれるタンパク質であり、そのアミノ酸配列はＧｅｎＢａｎｋ  Ｎｏ．ＮＰ＿９５４６３９．１に示される。
配列番号１６１に記載のアミノ酸配列からなるポリペプチドは、ＴＮＦＳＦ９（Ｔｕｍｏｒ  ｎｅｃｒｏｓｉｓ  ｆａｃｔｏｒ  ｓｕｐｅｒｆａｍｉｌｙ  ｍｅｍｂｅｒ  ９）、ＣＤ１３７Ｌ、または４−１ＢＢ−Ｌと呼ばれるタンパク質であり、そのアミノ酸配列はＧｅｎＢａｎｋ  Ｎｏ．ＮＰ＿００３８０２．１に示される。
配列番号１６２に記載のアミノ酸配列からなるポリペプチドは、ＳＴＥＡＰ２（Ｓｉｘ−Ｔｒａｎｓｍｅｍｂｒａｎｅ  Ｅｐｉｔｈｅｌｉａｌ  Ａｎｔｉｇｅｎ  Ｏｆ  Ｐｒｏｓｔａｔｅ  ２）、ＰＣＡＮＡＰ１、ＰＵＭＰＣｎ、ＳＴＡＭＰ１、ＳＴＭＰ、またはＩＰＣＡ１と呼ばれるタンパク質であり、そのアミノ酸配列はＧｅｎＢａｎｋ  Ｎｏ．ＮＰ＿００１０３５７５５．１に示される。
【００７８】
配列番号１６３に記載のアミノ酸配列からなるポリペプチドは、ＳＥＺ６Ｌ２（Ｓｅｉｚｕｒｅ  ｒｅｌａｔｅｄ  ６  ｈｏｍｏｌｏｇ  ｌｉｋｅ  ２）、またはＰＳＫ−１と呼ばれるタンパク質であり、そのアミノ酸配列はＧｅｎＢａｎｋ  Ｎｏ．ＮＰ＿０３６５４２．１に示される。
配列番号１６４に記載のアミノ酸配列からなるポリペプチドは、ＭＡＲＶＥＬＤ１（ＭＡＲＶＥＬ  ｄｏｍａｉｎ  ｃｏｎｔａｉｎｉｎｇ  １）、ＧＢ１４、ＭＡＲＶＤ１、ＭＲＶＬＤＣ１、ＲＰ１１−５４８Ｋ２３．８、またはｂＡ５４８Ｋ２３．８と呼ばれるタンパク質であり、そのアミノ酸配列はＧｅｎＢａｎｋ  Ｎｏ．ＮＰ＿１１３６７２．１に示される。
配列番号１６５に記載のアミノ酸配列からなるポリペプチドは、ＨＴＲ１Ｄ（５−ｈｙｄｒｏｘｙｔｒｙｐｔａｍｉｎｅ  ｒｅｃｅｐｔｏｒ  １Ｄ）、ＨＴ１ＤＡ、ＨＴＲ１ＤＡ、ＨＴＲＬ、ＲＤＣ４、または５−ＨＴ１Ｄと呼ばれるタンパク質であり、そのアミノ酸配列はＧｅｎＢａｎｋ  Ｎｏ．ＮＰ＿０００８５５．１に示される。
【００７９】
配列番号１６６に記載のアミノ酸配列からなるポリペプチドは、ＴＭＣ７（Ｔｒａｎｓｍｅｍｂｒａｎｅ  ｃｈａｎｎｅｌ  ｌｉｋｅ  ７）と呼ばれるタンパク質であり、そのアミノ酸配列はＧｅｎＢａｎｋ  Ｎｏ．ＮＰ＿０７９１２３．３に示される。
配列番号１６７に記載のアミノ酸配列からなるポリペプチドは、ＴＭＥＭ４４（Ｔｒａｎｓｍｅｍｂｒａｎｅ  ｐｒｏｔｅｉｎ  ４４）と呼ばれるタンパク質であり、そのアミノ酸配列はＧｅｎＢａｎｋ  Ｎｏ．ＮＰ＿６１２４０８．３に示される。
配列番号１６８に記載のアミノ酸配列からなるポリペプチドは、ＦＯＬＨ１（Ｆｏｌａｔｅ  ｈｙｄｒｏｌａｓｅ  １）、ＦＯＬＨ、ＧＣＰ２、ＧＣＰＩＩ、ｍＧＣＰ、ＮＡＡＬＡＤ１、ＮＡＡＬＡｄａｓｅ、ＰＳＭ、ＰＳＭＡ、またはＦＧＣＰと呼ばれるタンパク質であり、そのアミノ酸配列はＧｅｎＢａｎｋ  Ｎｏ．ＮＰ＿００４４６７．１に示される。
【００８０】
配列番号１６９に記載のアミノ酸配列からなるポリペプチドは、ＴＭＥＦＦ２（Ｔｒａｎｓｍｅｍｂｒａｎｅ  ｐｒｏｔｅｉｎ  ｗｉｔｈ  ＥＧＦ  ｌｉｋｅ  ａｎｄ  ｔｗｏ  ｆｏｌｌｉｓｔａｔｉｎ  ｌｉｋｅ  ｄｏｍａｉｎｓ  ２）、ＨＰＰ１、ＴＥＮＢ２、ＴＰＥＦ、ＴＲ、またはＣＴ１２０．２と呼ばれるタンパク質であり、そのアミノ酸配列はＧｅｎＢａｎｋ  Ｎｏ．ＮＰ＿０５７２７６．２に示される。
配列番号１７０に記載のアミノ酸配列からなるポリペプチドは、ＴＭＰＲＳＳ２（Ｔｒａｎｓｍｅｍｂｒａｎｅ  ｐｒｏｔｅａｓｅ，  ｓｅｒｉｎｅ  ２）、ＰＲＳＳ１０、またはＰＰ９２８４と呼ばれるタンパク質であり、そのアミノ酸配列はＧｅｎＢａｎｋ  Ｎｏ．ＮＰ＿００５６４７．３に示される。
配列番号１７１に記載のアミノ酸配列からなるポリペプチドは、ＳＹＮＥ４（Ｓｐｅｃｔｒｉｎ  ｒｅｐｅａｔ  ｃｏｎｔａｉｎｉｎｇ  ｎｕｃｌｅａｒ  ｅｎｖｅｌｏｐｅ  ｆａｍｉｌｙ  ｍｅｍｂｅｒ  ４）、ＤＦＮＢ７６、Ｎｅｓｐ４、またはＣ１９ｏｒｆ４６と呼ばれるタンパク質であり、そのアミノ酸配列はＧｅｎＢａｎｋ  Ｎｏ．ＮＰ＿００１０３４９６５．１に示される。
【００８１】
配列番号１７２に記載のアミノ酸配列からなるポリペプチドは、ＥＰＨＢ３（ＥＰＨ  ｒｅｃｅｐｔｏｒ  Ｂ３）、ＨＥＫ２、ＴＹＲＯ６、またはＥＴＫ２と呼ばれるタンパク質であり、そのアミノ酸配列はＧｅｎＢａｎｋ  Ｎｏ．ＮＰ＿００４４３４．２に示される。
配列番号１７３に記載のアミノ酸配列からなるポリペプチドは、ＳＬＣ４４Ａ４（Ｓｏｌｕｔｅ  ｃａｒｒｉｅｒ  ｆａｍｉｌｙ  ４４  ｍｅｍｂｅｒ  ４）、ＣＴＬ４、ＮＧ２２、ＴＰＰＴ、またはＣ６ｏｒｆ２９と呼ばれるタンパク質であり、そのアミノ酸配列はＧｅｎＢａｎｋ  Ｎｏ．ＮＰ＿０７９５３３．２に示される。
配列番号１７４に記載のアミノ酸配列からなるポリペプチドは、ＳＹＴ４（Ｓｙｎａｐｔｏｔａｇｍｉｎ  ４）、またはＨｓＴ１１９２と呼ばれるタンパク質であり、そのアミノ酸配列はＧｅｎＢａｎｋ  Ｎｏ．ＮＰ＿０６５８３４．１に示される。
【００８２】
配列番号１７５に記載のアミノ酸配列からなるポリペプチドは、ＳＬＣ４５Ａ３（Ｓｏｌｕｔｅ  ｃａｒｒｉｅｒ  ｆａｍｉｌｙ  ４５  ｍｅｍｂｅｒ  ３）、ＩＰＣＡ−６、ＩＰＣＡ−８、ＰＣＡＮＡＰ２、ＰＣＡＮＡＰ６、ＰＣＡＮＡＰ８、ＰＲＳＴ、またはＩＰＣＡ−２と呼ばれるタンパク質であり、そのアミノ酸配列はＧｅｎＢａｎｋ  Ｎｏ．ＮＰ＿１４９０９３．１に示される。
配列番号１７６に記載のアミノ酸配列からなるポリペプチドは、ＤＳＥＬ（Ｄｅｒｍａｔａｎ  ｓｕｌｆａｔｅ  ｅｐｉｍｅｒａｓｅ−ｌｉｋｅ）、またはＣ１８ｏｒｆ４と呼ばれるタンパク質であり、そのアミノ酸配列はＧｅｎＢａｎｋ  Ｎｏ．ＮＰ＿１１５５３６．１に示される。
配列番号１７７に記載のアミノ酸配列からなるポリペプチドは、ＬＲＲＣ２６（Ｌｅｕｃｉｎｅ  ｒｉｃｈ  ｒｅｐｅａｔ  ｃｏｎｔａｉｎｉｎｇ  ２６）、ＣＡＰＣ、またはｂＡ３５０Ｏ１４．１０と呼ばれるタンパク質であり、そのアミノ酸配列はＧｅｎＢａｎｋ  Ｎｏ．ＮＰ＿００１０１３６７５．１に示される。
【００８３】
配列番号１７８に記載のアミノ酸配列からなるポリペプチドは、ＴＭＥＭ１２５（Ｔｒａｎｓｍｅｍｂｒａｎｅ  ｐｒｏｔｅｉｎ  １２５）と呼ばれるタンパク質であり、そのアミノ酸配列はＧｅｎＢａｎｋ  Ｎｏ．ＮＰ＿６５３２２７．１に示される。
配列番号１７９に記載のアミノ酸配列からなるポリペプチドは、ＭＡＲＶＥＬＤ２（ＭＡＲＶＥＬ  ｄｏｍａｉｎ  ｃｏｎｔａｉｎｉｎｇ  ２）、ＭＡＲＶＤ２、ＭＲＶＬＤＣ２、Ｔｒｉｃ、またはＤＦＮＢ４９と呼ばれるタンパク質であり、そのアミノ酸配列はＧｅｎＢａｎｋ  Ｎｏ．ＮＰ＿００１０３３６９２．２に示される。
配列番号１８０に記載のアミノ酸配列からなるポリペプチドは、ＣＯＬＥＣ１２（Ｃｏｌｌｅｃｔｉｎ  ｓｕｂｆａｍｉｌｙ  ｍｅｍｂｅｒ  １２）、ＮＳＲ２、ＳＣＡＲＡ４、ＳＲＣＬ、またはＣＬＰ１と呼ばれるタンパク質であり、そのアミノ酸配列はＧｅｎＢａｎｋ  Ｎｏ．ＮＰ＿５６９０５７．１に示される。
【００８４】
配列番号１８１に記載のアミノ酸配列からなるポリペプチドは、ＣＯＬＣＡ１（Ｃｏｌｏｒｅｃｔａｌ  ｃａｎｃｅｒ  ａｓｓｏｃｉａｔｅｄ  １）、ＣＡＳＣ１２、ＬＯＨ１１ＣＲ１Ｆ、またはＣ１１ｏｒｆ９２と呼ばれるタンパク質であり、そのアミノ酸配列はＧｅｎＢａｎｋ  Ｎｏ．ＮＰ＿９９７３１２．１に示される。
配列番号１８２に記載のアミノ酸配列からなるポリペプチドは、ＳＬＣ４６Ａ１（Ｓｏｌｕｔｅ  ｃａｒｒｉｅｒ  ｆａｍｉｌｙ  ４６  ｍｅｍｂｅｒ  １）、ＨＣＰ１、ＰＣＦＴ、またはＧ２１と呼ばれるタンパク質であり、そのアミノ酸配列はＧｅｎＢａｎｋ  Ｎｏ．ＮＰ＿５４２４００．２に示される。
配列番号１８３に記載のアミノ酸配列からなるポリペプチドは、ＴＲＩＱＫ（Ｔｒｉｐｌｅ  ＱｘｘＫ／Ｒ  ｍｏｔｉｆ  ｃｏｎｔａｉｎｉｎｇ）、ＰＲＯ０８４５、ＵＰＦ０５９９、またはＣ８ｏｒｆ８３と呼ばれるタンパク質であり、そのアミノ酸配列はＧｅｎＢａｎｋ  Ｎｏ．ＮＰ＿００１１６５２６７．１に示される。
【００８５】
配列番号１８４に記載のアミノ酸配列からなるポリペプチドは、ＭＹＢＬ２（ＭＹＢ  ｐｒｏｔｏ−ｏｎｃｏｇｅｎｅ  ｌｉｋｅ  ２）、またはＢＭＹＢと呼ばれるタンパク質であり、そのアミノ酸配列はＧｅｎＢａｎｋ  Ｎｏ．ＮＰ＿００２４５７．１に示される。
配列番号１８５に記載のアミノ酸配列からなるポリペプチドは、Ｈ１Ｆ０（Ｈ１  ｈｉｓｔｏｎｅ  ｆａｍｉｌｙ  ｍｅｍｂｅｒ  ０）、Ｈ１ＦＶ、またはＨ１０と呼ばれるタンパク質であり、そのアミノ酸配列はＧｅｎＢａｎｋ  Ｎｏ．ＮＰ＿００５３０９．１に示される。
配列番号１８６に記載のアミノ酸配列からなるポリペプチドは、ＪＵＰ（Ｊｕｎｃｔｉｏｎ  ｐｌａｋｏｇｌｏｂｉｎ）、ＣＴＮＮＧ、ＤＰ３、ＤＰＩＩＩ、ＰＤＧＢ、ＰＫＧＢ、またはＡＲＶＤ１２と呼ばれるタンパク質であり、そのアミノ酸配列はＧｅｎＢａｎｋ  Ｎｏ．ＮＰ＿００２２２１．１に示される。
【００８６】
配列番号１８７に記載のアミノ酸配列からなるポリペプチドは、ＭＣＭ４（Ｍｉｎｉｃｈｒｏｍｏｓｏｍｅ  ｍａｉｎｔｅｎａｎｃｅ  ｃｏｍｐｌｅｘ  ｃｏｍｐｏｎｅｎｔ  ４）、ＣＤＣ５４、ｈＣｄｃ２１、ＮＫＣＤ、ＮＫＧＣＤ、Ｐ１−ＣＤＣ２１、またはＣＤＣ２１と呼ばれるタンパク質であり、そのアミノ酸配列はＧｅｎＢａｎｋ  Ｎｏ．ＮＰ＿８７７４２３．１に示される。
配列番号１８８に記載のアミノ酸配列からなるポリペプチドは、ＰＲＣ１（Ｐｒｏｔｅｉｎ  ｒｅｇｕｌａｔｏｒ  ｏｆ  ｃｙｔｏｋｉｎｅｓｉｓ  １）、またはＡＳＥ１と呼ばれるタンパク質であり、そのアミノ酸配列はＧｅｎＢａｎｋ  Ｎｏ．ＮＰ＿００３９７２．１に示される。
配列番号１８９に記載のアミノ酸配列からなるポリペプチドは、ＰＦＮ２（Ｐｒｏｆｉｌｉｎ  ２）、ＰＦＬ、またはＤ３Ｓ１３１９Ｅと呼ばれるタンパク質であり、そのアミノ酸配列はＧｅｎＢａｎｋ  Ｎｏ．ＮＰ＿００２６１９．１に示される。
【００８７】
配列番号１９０に記載のアミノ酸配列からなるポリペプチドは、ＰＫＭＹＴ１（Ｐｒｏｔｅｉｎ  ｋｉｎａｓｅ，  ｍｅｍｂｒａｎｅ  ａｓｓｏｃｉａｔｅｄ  ｔｙｒｏｓｉｎｅ／ｔｈｒｅｏｎｉｎｅ  １）、ＰＰＰ１Ｒ１２６、またはＭＹＴ１と呼ばれるタンパク質であり、そのアミノ酸配列はＧｅｎＢａｎｋ  Ｎｏ．ＮＰ＿００４１９４．３に示される。
配列番号１９１に記載のアミノ酸配列からなるポリペプチドは、ＡＳＦ１Ｂ（Ａｎｔｉ−ｓｉｌｅｎｃｉｎｇ  ｆｕｎｃｔｉｏｎ  １Ｂ  ｈｉｓｔｏｎｅ  ｃｈａｐｅｒｏｎｅ）、またはＣＩＡ−ＩＩと呼ばれるタンパク質であり、そのアミノ酸配列はＧｅｎＢａｎｋ  Ｎｏ．ＮＰ＿０６０６２４．１に示される。
配列番号１９２に記載のアミノ酸配列からなるポリペプチドは、ＣＴＮＮＡＬ１（Ｃａｔｅｎｉｎ  ａｌｐｈａ  ｌｉｋｅ  １）、ａｌｐｈａ−ＣＡＴＵ、ＣＬＬＰ、またはＡＣＲＰと呼ばれるタンパク質であり、そのアミノ酸配列はＧｅｎＢａｎｋ  Ｎｏ．ＮＰ＿００３７８９．１に示される。
【００８８】
配列番号１９３に記載のアミノ酸配列からなるポリペプチドは、ＫＣＴＤ３（Ｐｏｔａｓｓｉｕｍ  ｃｈａｎｎｅｌ  ｔｅｔｒａｍｅｒｉｚａｔｉｏｎ  ｄｏｍａｉｎ  ｃｏｎｔａｉｎｉｎｇ  ３）、またはＮＹ−ＲＥＮ−４５と呼ばれるタンパク質であり、そのアミノ酸配列はＧｅｎＢａｎｋ  Ｎｏ．ＮＰ＿０５７２０５．２に示される。
配列番号１９４に記載のアミノ酸配列からなるポリペプチドは、ＫＩＦ２３（Ｋｉｎｅｓｉｎ  ｆａｍｉｌｙ  ｍｅｍｂｅｒ  ２３）、ＫＮＳＬ５、ＭＫＬＰ１、またはＣＨＯ１と呼ばれるタンパク質であり、そのアミノ酸配列はＧｅｎＢａｎｋ  Ｎｏ．ＮＰ＿００４８４７．２に示される。
配列番号１９５に記載のアミノ酸配列からなるポリペプチドは、ＮＴ５ＤＣ２（５’−ｎｕｃｌｅｏｔｉｄａｓｅ  ｄｏｍａｉｎ  ｃｏｎｔａｉｎｉｎｇ  ２）と呼ばれるタンパク質であり、そのアミノ酸配列はＧｅｎＢａｎｋ  Ｎｏ．ＮＰ＿０７５０５９．１に示される。
【００８９】
配列番号１９６に記載のアミノ酸配列からなるポリペプチドは、ＧＩＮＳ２（ＧＩＮＳ  ｃｏｍｐｌｅｘ  ｓｕｂｕｎｉｔ  ２）、Ｐｆｓ２、ＰＳＦ２、またはＨＳＰＣ０３７と呼ばれるタンパク質であり、そのアミノ酸配列はＧｅｎＢａｎｋ  Ｎｏ．ＮＰ＿０５７１７９．１に示される。
配列番号１９７に記載のアミノ酸配列からなるポリペプチドは、ＰＴＭＳ（Ｐａｒａｔｈｙｍｏｓｉｎ）、またはＰａｒａＴと呼ばれるタンパク質であり、そのアミノ酸配列はＧｅｎＢａｎｋ  Ｎｏ．ＮＰ＿００２８１５．３に示される。
配列番号１９８に記載のアミノ酸配列からなるポリペプチドは、ＵＨＲＦ１（Ｕｂｉｑｕｉｔｉｎ  ｌｉｋｅ  ｗｉｔｈ  ＰＨＤ  ａｎｄ  ｒｉｎｇ  ｆｉｎｇｅｒ  ｄｏｍａｉｎｓ  １）、ｈＵＨＲＦ１、ｈｕＮｐ９５、ＩＣＢＰ９０、Ｎｐ９５、ＲＮＦ１０６、またはｈＮＰ９５と呼ばれるタンパク質であり、そのアミノ酸配列はＧｅｎＢａｎｋ  Ｎｏ．ＮＰ＿００１０４１６６６．１に示される。
【００９０】
配列番号１９９に記載のアミノ酸配列からなるポリペプチドは、ＡＰ１Ｓ１（Ａｄａｐｔｏｒ  ｒｅｌａｔｅｄ  ｐｒｏｔｅｉｎ  ｃｏｍｐｌｅｘ  １  ｓｉｇｍａ  １  ｓｕｂｕｎｉｔ）、ＣＬＡＰＳ１、ＥＫＶ３、ＭＥＤＮＩＫ、ＳＩＧＭＡ１Ａ、またはＡＰ１９と呼ばれるタンパク質であり、そのアミノ酸配列はＧｅｎＢａｎｋ  Ｎｏ．ＮＰ＿００１２７４．１に示される。
配列番号２００に記載のアミノ酸配列からなるポリペプチドは、ＴＪＰ１（Ｔｉｇｈｔ  ｊｕｎｃｔｉｏｎ  ｐｒｏｔｅｉｎ  １）、またはＺＯ−１と呼ばれるタンパク質であり、そのアミノ酸配列はＧｅｎＢａｎｋ  Ｎｏ．ＮＰ＿００１２８７９５４．１に示される。
配列番号２０１に記載のアミノ酸配列からなるポリペプチドは、ＳＡＰＣＤ２（Ｓｕｐｐｒｅｓｓｏｒ  ＡＰＣ  ｄｏｍａｉｎ  ｃｏｎｔａｉｎｉｎｇ  ２）、ｐ４２．３、またはＣ９ｏｒｆ１４０と呼ばれるタンパク質であり、そのアミノ酸配列はＧｅｎＢａｎｋ  Ｎｏ．ＮＰ＿８４８５４３．２に示される。
【００９１】
配列番号２０２に記載のアミノ酸配列からなるポリペプチドは、ＤＰＣＤ（Ｄｅｌｅｔｅｄ  ｉｎ  ｐｒｉｍａｒｙ  ｃｉｌｉａｒｙ  ｄｙｓｋｉｎｅｓｉａ  ｈｏｍｏｌｏｇ）と呼ばれるタンパク質であり、そのアミノ酸配列はＧｅｎＢａｎｋ  Ｎｏ．ＮＰ＿０５６２６３．１に示される。
配列番号２０３に記載のアミノ酸配列からなるポリペプチドは、ＳＲＸＮ１（Ｓｕｌｆｉｒｅｄｏｘｉｎ  １）、Ｎｐｎ３、ＳＲＸ、ＳＲＸ１、またはＣ２０ｏｒｆ１３９と呼ばれるタンパク質であり、そのアミノ酸配列はＧｅｎＢａｎｋ  Ｎｏ．ＮＰ＿５４２７６３．１に示される。
配列番号２０４に記載のアミノ酸配列からなるポリペプチドは、ＭＹＬ６Ｂ（Ｍｙｏｓｉｎ  ｌｉｇｈｔ  ｃｈａｉｎ  ６Ｂ）、またはＭＬＣ１ＳＡと呼ばれるタンパク質であり、そのアミノ酸配列はＧｅｎＢａｎｋ  Ｎｏ．ＮＰ＿００２４６６．１に示される。
【００９２】
配列番号２０５に記載のアミノ酸配列からなるポリペプチドは、ＫＮＳＴＲＮ（Ｋｉｎｅｔｏｃｈｏｒｅ  ｌｏｃａｌｉｚｅｄ  ａｓｔｒｉｎ／ＳＰＡＧ５  ｂｉｎｄｉｎｇ  ｐｒｏｔｅｉｎ）、ＨＳＤ１１、ＳＫＡＰ、ＴＲＡＦ４ＡＦ１、またはＣ１５ｏｒｆ２３と呼ばれるタンパク質であり、そのアミノ酸配列はＧｅｎＢａｎｋ  Ｎｏ．ＮＰ＿１５０６２８．３に示される。
配列番号２０６に記載のアミノ酸配列からなるポリペプチドは、ＳＯＲＤ（Ｓｏｒｂｉｔｏｌ  ｄｅｈｙｄｒｏｇｅｎａｓｅ）、ＳＯＲＤ１、またはＨＥＬ−Ｓ−９５ｎと呼ばれるタンパク質であり、そのアミノ酸配列はＧｅｎＢａｎｋ  Ｎｏ．ＮＰ＿００３０９５．２に示される。
配列番号２０７に記載のアミノ酸配列からなるポリペプチドは、ＣＣＮＥ２（Ｃｙｃｌｉｎ  Ｅ２）、またはＣＹＣＥ２と呼ばれるタンパク質であり、そのアミノ酸配列はＧｅｎＢａｎｋ  Ｎｏ．ＮＰ＿４７７０９７．１に示される。
【００９３】
配列番号２０８に記載のアミノ酸配列からなるポリペプチドは、ＯＲＣ６（Ｏｒｉｇｉｎ  ｒｅｃｏｇｎｉｔｉｏｎ  ｃｏｍｐｌｅｘ  ｓｕｂｕｎｉｔ  ６）、またはＯＲＣ６Ｌと呼ばれるタンパク質であり、そのアミノ酸配列はＧｅｎＢａｎｋ  Ｎｏ．ＮＰ＿０５５１３６．１に示される。
配列番号２０９に記載のアミノ酸配列からなるポリペプチドは、ＬＡＭＣ１（Ｌａｍｉｎｉｎ  ｓｕｂｕｎｉｔ  ｇａｍｍａ  １）、またはＬＡＭＢ２と呼ばれるタンパク質であり、そのアミノ酸配列はＧｅｎＢａｎｋ  Ｎｏ．ＮＰ＿００２２８４．３に示される。
配列番号２１０に記載のアミノ酸配列からなるポリペプチドは、ＧＰＣ１（Ｇｌｙｐｉｃａｎ  １）、またはｇｌｙｐｉｃａｎと呼ばれるタンパク質であり、そのアミノ酸配列はＧｅｎＢａｎｋ  Ｎｏ．ＮＰ＿００２０７２．２に示される。
【００９４】
配列番号２１１に記載のアミノ酸配列からなるポリペプチドは、ＣＣＮＦ（Ｃｙｃｌｉｎ  Ｆ）、ＦＢＸＯ１、またはＦＢＸ１と呼ばれるタンパク質であり、そのアミノ酸配列はＧｅｎＢａｎｋ  Ｎｏ．ＮＰ＿００１７５２．２に示される。
配列番号２１２に記載のアミノ酸配列からなるポリペプチドは、ＴＳＫＵ（Ｔｓｕｋｕｓｈｉ，  Ｓｍａｌｌ  Ｌｅｕｃｉｎｅ  Ｒｉｃｈ  Ｐｒｏｔｅｏｇｌｙｃａｎ）、ＬＲＲＣ５４、ＴＳＫ、またはＥ２ＩＧ４と呼ばれるタンパク質であり、そのアミノ酸配列はＧｅｎＢａｎｋ  Ｎｏ．ＮＰ＿０５６３３１．２に示される。
配列番号２１３に記載のアミノ酸配列からなるポリペプチドは、ＨＥＳ１（Ｈｅｓ  ｆａｍｉｌｙ  ｂＨＬＨ  ｔｒａｎｓｃｒｉｐｔｉｏｎ  ｆａｃｔｏｒ  １）、ＨＨＬ、ＨＲＹ、またはｂＨＬＨｂ３９と呼ばれるタンパク質であり、そのアミノ酸配列はＧｅｎＢａｎｋ  Ｎｏ．ＮＰ＿００５５１５．１に示される。
【００９５】
配列番号２１４に記載のアミノ酸配列からなるポリペプチドは、ＦＡＳＮ（Ｆａｔｔｙ  ａｃｉｄ  ｓｙｎｔｈａｓｅ）、ＯＡ−５１９、ＳＤＲ２７Ｘ１、またはＦＡＳと呼ばれるタンパク質であり、そのアミノ酸配列はＧｅｎＢａｎｋ  Ｎｏ．ＮＰ＿００４０９５．４に示される。
配列番号２１５に記載のアミノ酸配列からなるポリペプチドは、ＬＡＭＢ２（Ｌａｍｉｎｉｎ  ｓｕｂｕｎｉｔ  ｂｅｔａ  ２）、ＮＰＨＳ５、またはＬＡＭＳと呼ばれるタンパク質であり、そのアミノ酸配列はＧｅｎＢａｎｋ  Ｎｏ．ＮＰ＿００２２８３．３に示される。
配列番号２１６に記載のアミノ酸配列からなるポリペプチドは、ＰＵＳ７（Ｐｓｅｕｄｏｕｒｉｄｙｌａｔｅ  ｓｙｎｔｈａｓｅ  ７）と呼ばれるタンパク質であり、そのアミノ酸配列はＧｅｎＢａｎｋ  Ｎｏ．ＮＰ＿０６１９１５．２に示される。
【００９６】
配列番号２１７に記載のアミノ酸配列からなるポリペプチドは、ＦＡＭ１６６Ａ（Ｆａｍｉｌｙ  ｗｉｔｈ  ｓｅｑｕｅｎｃｅ  ｓｉｍｉｌａｒｉｔｙ  １６６  ｍｅｍｂｅｒ  Ａ）、またはＨＳＤ４６と呼ばれるタンパク質であり、そのアミノ酸配列はＧｅｎＢａｎｋ  Ｎｏ．ＮＰ＿００１００１７１０．１に示される。
配列番号２１８に記載のアミノ酸配列からなるポリペプチドは、ＩＧＦＢＰ２（Ｉｎｓｕｌｉｎ  ｌｉｋｅ  ｇｒｏｗｔｈ  ｆａｃｔｏｒ  ｂｉｎｄｉｎｇ  ｐｒｏｔｅｉｎ  ２）、ＩＧＦ−ＢＰ５３、またはＩＢＰ２と呼ばれるタンパク質であり、そのアミノ酸配列はＧｅｎＢａｎｋ  Ｎｏ．ＮＰ＿０００５８８．２に示される。
配列番号２１９に記載のアミノ酸配列からなるポリペプチドは、ＥＥＦ１Ａ２（Ｅｕｋａｒｙｏｔｉｃ  ｔｒａｎｓｌａｔｉｏｎ  ｅｌｏｎｇａｔｉｏｎ  ｆａｃｔｏｒ  １  ａｌｐｈａ  ２）、ＥＦ−１−ａｌｐｈａ−２、ＥＦ１Ａ、ＨＳ１、ＳＴＮ、ＳＴＮＬ、またはＥＥＦ１ＡＬと呼ばれるタンパク質であり、そのアミノ酸配列はＧｅｎＢａｎｋ  Ｎｏ．ＮＰ＿００１９４９．１に示される。
【００９７】
配列番号２２０に記載のアミノ酸配列からなるポリペプチドは、ＭＴＨＦＤ１Ｌ（Ｍｅｔｈｙｌｅｎｅｔｅｔｒａｈｙｄｒｏｆｏｌａｔｅ  ｄｅｈｙｄｒｏｇｅｎａｓｅ  １  ｌｉｋｅ）、ＦＴＨＦＳＤＣ１、ＭＴＣ１ＴＨＦＳ、ＲＰ１−２９２Ｂ１８．２、またはｄＪ２９２Ｂ１８．２と呼ばれるタンパク質であり、そのアミノ酸配列はＧｅｎＢａｎｋ  Ｎｏ．ＮＰ＿０５６２５５．２に示される。
配列番号２２１に記載のアミノ酸配列からなるポリペプチドは、ＣＤＣＡ７（Ｃｅｌｌ  ｄｉｖｉｓｉｏｎ  ｃｙｃｌｅ  ａｓｓｏｃｉａｔｅｄ  ７）、またはＪＰＯ１と呼ばれるタンパク質であり、そのアミノ酸配列はＧｅｎＢａｎｋ  Ｎｏ．ＮＰ＿１１４１４８．３に示される。
配列番号２２２に記載のアミノ酸配列からなるポリペプチドは、ＺＮＦ６６４（Ｚｉｎｃ  ｆｉｎｇｅｒ  ｐｒｏｔｅｉｎ  ６６４）、ＺＮＦ１７６、またはＺＦＯＣ１と呼ばれるタンパク質であり、そのアミノ酸配列はＧｅｎＢａｎｋ  Ｎｏ．ＮＰ＿６８９６５０．１に示される。
【００９８】
配列番号２２３に記載のアミノ酸配列からなるポリペプチドは、ＦＯＸＲＥＤ２（ＦＡＤ  ｄｅｐｅｎｄｅｎｔ  ｏｘｉｄｏｒｅｄｕｃｔａｓｅ  ｄｏｍａｉｎ  ｃｏｎｔａｉｎｉｎｇ  ２）、またはＥＲＦＡＤと呼ばれるタンパク質であり、そのアミノ酸配列はＧｅｎＢａｎｋ  Ｎｏ．ＮＰ＿０７９２３１．４に示される。
配列番号２２４に記載のアミノ酸配列からなるポリペプチドは、ＴＷＳＧ１（Ｔｗｉｓｔｅｄ  ｇａｓｔｒｕｌａｔｉｏｎ  ＢＭＰ  ｓｉｇｎａｌｉｎｇ  ｍｏｄｕｌａｔｏｒ  １）、またはＴＳＧと呼ばれるタンパク質であり、そのアミノ酸配列はＧｅｎＢａｎｋ  Ｎｏ．ＮＰ＿０６５６９９．１に示される。
配列番号２２５に記載のアミノ酸配列からなるポリペプチドは、ＳＯＸ９（ＳＲＹ−ｂｏｘ  ９）、ＣＭＰＤ１、ＳＲＡ１、またはＣＭＤ１と呼ばれるタンパク質であり、そのアミノ酸配列はＧｅｎＢａｎｋ  Ｎｏ．ＮＰ＿０００３３７．１に示される。
【００９９】
配列番号２２６に記載のアミノ酸配列からなるポリペプチドは、ＥＬＦ３（Ｅ７４  ｌｉｋｅ  ＥＴＳ  ｔｒａｎｓｃｒｉｐｔｉｏｎ  ｆａｃｔｏｒ  ３）、ＥＲＴ、ＥＳＥ−１、ＥＳＸ、またはＥＰＲ−１と呼ばれるタンパク質であり、そのアミノ酸配列はＧｅｎＢａｎｋ  Ｎｏ．ＮＰ＿００１１０７７８１．１に示される。
配列番号２２７に記載のアミノ酸配列からなるポリペプチドは、ＣＤＣ４２ＥＰ４（ＣＤＣ４２  ｅｆｆｅｃｔｏｒ  ｐｒｏｔｅｉｎ  ４）、ＣＥＰ４、ＫＡＩＡ１７７７、またはＢＯＲＧ４と呼ばれるタンパク質であり、そのアミノ酸配列はＧｅｎＢａｎｋ  Ｎｏ．ＮＰ＿０３６２５３．２に示される。
配列番号２２８に記載のアミノ酸配列からなるポリペプチドは、ＲＡＤ５１ＡＰ１（ＲＡＤ５１  ａｓｓｏｃｉａｔｅｄ  ｐｒｏｔｅｉｎ  １）、またはＰＩＲ５１と呼ばれるタンパク質であり、そのアミノ酸配列はＧｅｎＢａｎｋ  Ｎｏ．ＮＰ＿００６４７０．１に示される。
【０１００】
配列番号２２９に記載のアミノ酸配列からなるポリペプチドは、ＰＤＦ（Ｐｅｐｔｉｄｅ  ｄｅｆｏｒｍｙｌａｓｅ）と呼ばれるタンパク質であり、そのアミノ酸配列はＧｅｎＢａｎｋ  Ｎｏ．ＮＰ＿０７１７３６．１に示される。
配列番号２３０に記載のアミノ酸配列からなるポリペプチドは、ＳＨ３ＢＰ４（ＳＨ３  ｄｏｍａｉｎ  ｂｉｎｄｉｎｇ  ｐｒｏｔｅｉｎ  ４）、ＴＴＰ、またはＢＯＧ２５と呼ばれるタンパク質であり、そのアミノ酸配列はＧｅｎＢａｎｋ  Ｎｏ．ＮＰ＿０５５３３６．１に示される。
配列番号２３１に記載のアミノ酸配列からなるポリペプチドは、Ｃ１ｏｒｆ１９８（Ｃｈｒｏｍｏｓｏｍｅ  １  ｏｐｅｎ  ｒｅａｄｉｎｇ  ｆｒａｍｅ  １９８）と呼ばれるタンパク質であり、そのアミノ酸配列はＧｅｎＢａｎｋ  Ｎｏ．ＮＰ＿００１１２９９６６．１に示される。
【０１０１】
配列番号２３２に記載のアミノ酸配列からなるポリペプチドは、ＫＩＦ１Ｃ（Ｋｉｎｅｓｉｎ  ｆａｍｉｌｙ  ｍｅｍｂｅｒ  １Ｃ）、ＳＡＴＸ２、ＳＡＸ２、ＳＰＡＸ２、ＳＰＧ５８、またはＬＴＸＳ１と呼ばれるタンパク質であり、そのアミノ酸配列はＧｅｎＢａｎｋ  Ｎｏ．ＮＰ＿００６６０３．２に示される。
配列番号２３３に記載のアミノ酸配列からなるポリペプチドは、ＥＰＡＳ１（Ｅｎｄｏｔｈｅｌｉａｌ  ＰＡＳ  ｄｏｍａｉｎ  ｐｒｏｔｅｉｎ  １）、ＥＣＹＴ４、ＨＩＦ２Ａ、ＨＬＦ、ＭＯＰ２、ＰＡＳＤ２、またはｂＨＬＨｅ７３と呼ばれるタンパク質であり、そのアミノ酸配列はＧｅｎＢａｎｋ  Ｎｏ．ＮＰ＿００１４２１．２に示される。
配列番号２３４に記載のアミノ酸配列からなるポリペプチドは、ＥＰＳ８Ｌ２（ＥＰＳ８  ｌｉｋｅ  ２）、またはＥＰＳ８Ｒ２と呼ばれるタンパク質であり、そのアミノ酸配列はＧｅｎＢａｎｋ  Ｎｏ．ＮＰ＿０７３６０９．２に示される。
【０１０２】
配列番号２３５に記載のアミノ酸配列からなるポリペプチドは、ＴＲＩＰ１０（Ｔｈｙｒｏｉｄ  ｈｏｒｍｏｎｅ  ｒｅｃｅｐｔｏｒ  ｉｎｔｅｒａｃｔｏｒ  １０）、ＨＳＴＰ、ＳＴＯＴ、ＳＴＰ、またはＣＩＰ４と呼ばれるタンパク質であり、そのアミノ酸配列はＧｅｎＢａｎｋ  Ｎｏ．ＮＰ＿００４２３１．１に示される。
配列番号２３６に記載のアミノ酸配列からなるポリペプチドは、ＭＴ１Ｇ（Ｍｅｔａｌｌｏｔｈｉｏｎｅｉｎ  １Ｇ）、ＭＴ１Ｋ、またはＭＴ１と呼ばれるタンパク質であり、そのアミノ酸配列はＧｅｎＢａｎｋ  Ｎｏ．ＮＰ＿００５９４１．１に示される。
配列番号２３７に記載のアミノ酸配列からなるポリペプチドは、ＡＢＨＤ１７Ｃ（Ａｂｈｙｄｒｏｌａｓｅ  ｄｏｍａｉｎ  ｃｏｎｔａｉｎｉｎｇ  １７Ｃ）、またはＦＡＭ１０８Ｃ１と呼ばれるタンパク質であり、そのアミノ酸配列はＧｅｎＢａｎｋ  Ｎｏ．ＮＰ＿０６７０３７．１に示される。
【０１０３】
配列番号２３８に記載のアミノ酸配列からなるポリペプチドは、Ｃ１９ｏｒｆ３３（Ｃｈｒｏｍｏｓｏｍｅ  １９  ｏｐｅｎ  ｒｅａｄｉｎｇ  ｆｒａｍｅ  ３３）、ＩＭＵＰ、ＩＭＵＰ−１、ＩＭＵＰ−２、またはＨ２ＲＳＰと呼ばれるタンパク質であり、そのアミノ酸配列はＧｅｎＢａｎｋ  Ｎｏ．ＮＰ＿２７７０５５．１に示される。
配列番号２３９に記載のアミノ酸配列からなるポリペプチドは、ＣＥＮＰＵ（Ｃｅｎｔｒｏｍｅｒｅ  ｐｒｏｔｅｉｎ  Ｕ）、ＣＥＮＰＵ５０、ＫＬＩＰ１、ＭＬＦ１ＩＰ、ＰＢＩＰ１、またはＣＥＮＰ５０と呼ばれるタンパク質であり、そのアミノ酸配列はＧｅｎＢａｎｋ  Ｎｏ．ＮＰ＿０７８９０５．２に示される。
配列番号２４０に記載のアミノ酸配列からなるポリペプチドは、ＴＲＡＦ４（ＴＮＦ  ｒｅｃｅｐｔｏｒ  ａｓｓｏｃｉａｔｅｄ  ｆａｃｔｏｒ  ４）、ＭＬＮ６２、ＲＮＦ８３、またはＣＡＲＴ１と呼ばれるタンパク質であり、そのアミノ酸配列はＧｅｎＢａｎｋ  Ｎｏ．ＮＰ＿００４２８６．２に示される。
【０１０４】
配列番号２４１に記載のアミノ酸配列からなるポリペプチドは、ＮＯＬ３（Ｎｕｃｌｅｏｌａｒ  ｐｒｏｔｅｉｎ  ３）、ＦＣＭ、ＭＹＰ、ＮＯＰ、ＮＯＰ３０、またはＡＲＣと呼ばれるタンパク質であり、そのアミノ酸配列はＧｅｎＢａｎｋ  Ｎｏ．ＮＰ＿００３９３７．１に示される。
配列番号２４２に記載のアミノ酸配列からなるポリペプチドは、ＣＢＸ２（Ｃｈｒｏｍｏｂｏｘ  ２）、Ｍ３３、ＳＲＸＹ５、またはＣＤＣＡ６と呼ばれるタンパク質であり、そのアミノ酸配列はＧｅｎＢａｎｋ  Ｎｏ．ＮＰ＿００５１８０．１に示される。
配列番号２４３に記載のアミノ酸配列からなるポリペプチドは、ＴＮＫＳ１ＢＰ１（Ｔａｎｋｙｒａｓｅ  １  ｂｉｎｄｉｎｇ  ｐｒｏｔｅｉｎ  １）、またはＴＡＢ１８２と呼ばれるタンパク質であり、そのアミノ酸配列はＧｅｎＢａｎｋ  Ｎｏ．ＮＰ＿２０３７５４．２に示される。
【０１０５】
配列番号２４４に記載のアミノ酸配列からなるポリペプチドは、ＳＥＴＤ７（ＳＥＴ  ｄｏｍａｉｎ  ｃｏｎｔａｉｎｉｎｇ  ｌｙｓｉｎｅ  ｍｅｔｈｙｌｔｒａｎｓｆｅｒａｓｅ  ７）、ＳＥＴ７、ＳＥＴ７／９、ＳＥＴ９、またはＫＭＴ７と呼ばれるタンパク質であり、そのアミノ酸配列はＧｅｎＢａｎｋ  Ｎｏ．ＮＰ＿０８５１５１．１に示される。
配列番号２４５に記載のアミノ酸配列からなるポリペプチドは、ＣＢＳ（Ｃｙｓｔａｔｈｉｏｎｉｎｅ−ｂｅｔａ−ｓｙｎｔｈａｓｅ）、またはＨＩＰ４と呼ばれるタンパク質であり、そのアミノ酸配列はＧｅｎＢａｎｋ  Ｎｏ．ＮＰ＿００００６２．１に示される。
配列番号２４６に記載のアミノ酸配列からなるポリペプチドは、ＦＫＢＰ１０（ＦＫ５０６  ｂｉｎｄｉｎｇ  ｐｒｏｔｅｉｎ  １０）、ｈＦＫＢＰ６５、ＯＩ１１、ＯＩ６、ＰＰＩＡＳＥ、またはＦＫＢＰ６５と呼ばれるタンパク質であり、そのアミノ酸配列はＧｅｎＢａｎｋ  Ｎｏ．ＮＰ＿０６８７５８．３に示される。
【０１０６】
配列番号２４７に記載のアミノ酸配列からなるポリペプチドは、ＳＥＰＴ１０（Ｓｅｐｔｉｎ  １０）と呼ばれるタンパク質であり、そのアミノ酸配列はＧｅｎＢａｎｋ  Ｎｏ．ＮＰ＿６５３３１１．１に示される。
配列番号２４８に記載のアミノ酸配列からなるポリペプチドは、ＴＵＦＴ１（Ｔｕｆｔｅｌｉｎ  １）と呼ばれるタンパク質であり、そのアミノ酸配列はＧｅｎＢａｎｋ  Ｎｏ．ＮＰ＿０６４５１２．１に示される。
配列番号２４９に記載のアミノ酸配列からなるポリペプチドは、Ｐ３Ｈ４（Ｐｒｏｌｙｌ  ３−ｈｙｄｒｏｘｙｌａｓｅ  ｆａｍｉｌｙ  ｍｅｍｂｅｒ  ４）、ＮＯ５５、ＮＯＬ５５、ＳＣ６５、またはＬＥＰＲＥＬ４と呼ばれるタンパク質であり、そのアミノ酸配列はＧｅｎＢａｎｋ  Ｎｏ．ＮＰ＿００６４４６．１に示される。
【０１０７】
配列番号２５０に記載のアミノ酸配列からなるポリペプチドは、ＭＹＯ１Ｅ（Ｍｙｏｓｉｎ  ＩＥ）、ＨｕｎｃＭ−ＩＣ、ＭＹＯ１Ｃ、またはＦＳＧＳ６と呼ばれるタンパク質であり、そのアミノ酸配列はＧｅｎＢａｎｋ  Ｎｏ．ＮＰ＿００４９８９．２に示される。
配列番号２５１に記載のアミノ酸配列からなるポリペプチドは、ＬＯＣ１０２７２４５６０、またはＣＢＳ（Ｃｙｓｔａｔｈｉｏｎｉｎｅ  ｂｅｔａ−ｓｙｎｔｈａｓｅ）と呼ばれるタンパク質であり、そのアミノ酸配列はＧｅｎＢａｎｋ  Ｎｏ．ＸＰ＿０１１５４４３９６．１に示される。
配列番号２５２に記載のアミノ酸配列からなるポリペプチドは、ＰＤＩＡ５（Ｐｒｏｔｅｉｎ  ｄｉｓｕｌｆｉｄｅ  ｉｓｏｍｅｒａｓｅ  ｆａｍｉｌｙ  Ａ  ｍｅｍｂｅｒ  ５）、またはＰＤＩＲと呼ばれるタンパク質であり、そのアミノ酸配列はＧｅｎＢａｎｋ  Ｎｏ．ＮＰ＿００６８０１．１に示される。
【０１０８】
配列番号２５３に記載のアミノ酸配列からなるポリペプチドは、ＣＯＡ７（Ｃｙｔｏｃｈｒｏｍｅ  ｃ  ｏｘｉｄａｓｅ  ａｓｓｅｍｂｌｙ  ｆａｃｔｏｒ  ７）、ＲＥＳＡ１、ＳＥＬＲＣ１、またはＣ１ｏｒｆ１６３と呼ばれるタンパク質であり、そのアミノ酸配列はＧｅｎＢａｎｋ  Ｎｏ．ＮＰ＿０７５５６５．２に示される。
配列番号２５４に記載のアミノ酸配列からなるポリペプチドは、ＲＰＰ２５（Ｒｉｂｏｎｕｃｌｅａｓｅ  Ｐ  ａｎｄ  ＭＲＰ  ｓｕｂｕｎｉｔ  ｐ２５）と呼ばれるタンパク質であり、そのアミノ酸配列はＧｅｎＢａｎｋ  Ｎｏ．ＮＰ＿０６０２６３．２に示される。
配列番号２５５に記載のアミノ酸配列からなるポリペプチドは、ＡＣＡＣＡ（Ａｃｅｔｙｌ−ＣｏＡ  ｃａｒｂｏｘｙｌａｓｅ  ａｌｐｈａ）、ＡＣＡＣＡＤ、ＡＣＣ、ＡＣＣ１、ＡＣＣＡ、またはＡＣＡＣと呼ばれるタンパク質であり、そのアミノ酸配列はＧｅｎＢａｎｋ  Ｎｏ．ＮＰ＿９４２１３１．１に示される。
【０１０９】
配列番号２５６に記載のアミノ酸配列からなるポリペプチドは、ＭＡＳＴ２（Ｍｉｃｒｏｔｕｂｕｌｅ  ａｓｓｏｃｉａｔｅｄ  ｓｅｒｉｎｅ／ｔｈｒｅｏｎｉｎｅ  ｋｉｎａｓｅ  ２）、ＭＴＳＳＫ、またはＭＡＳＴ２０５と呼ばれるタンパク質であり、そのアミノ酸配列はＧｅｎＢａｎｋ  Ｎｏ．ＮＰ＿０５５９２７．２に示される。
配列番号２５７に記載のアミノ酸配列からなるポリペプチドは、ＬＡＭＡ５（Ｌａｍｉｎｉｎ  ｓｕｂｕｎｉｔ  ａｌｐｈａ  ５）と呼ばれるタンパク質であり、そのアミノ酸配列はＧｅｎＢａｎｋ  Ｎｏ．ＮＰ＿００５５５１．３に示される。
配列番号２５８に記載のアミノ酸配列からなるポリペプチドは、ＭＹＥＯＶ（Ｍｙｅｌｏｍａ  ｏｖｅｒｅｘｐｒｅｓｓｅｄ）、またはＯＣＩＭと呼ばれるタンパク質であり、そのアミノ酸配列はＧｅｎＢａｎｋ  Ｎｏ．ＮＰ＿６２０１２３．２に示される。
【０１１０】
配列番号２５９に記載のアミノ酸配列からなるポリペプチドは、ＰＬＣＤ３（Ｐｈｏｓｐｈｏｌｉｐａｓｅ  Ｃ  ｄｅｌｔａ  ３）、またはＰＬＣ−ｄｅｌｔａ−３と呼ばれるタンパク質であり、そのアミノ酸配列はＧｅｎＢａｎｋ  Ｎｏ．ＮＰ＿５８８６１４．１に示される。
配列番号２６０に記載のアミノ酸配列からなるポリペプチドは、ＣＥＡＣＡＭ５（Ｃａｒｃｉｎｏｅｍｂｒｙｏｎｉｃ  ａｎｔｉｇｅｎ  ｒｅｌａｔｅｄ  ｃｅｌｌ  ａｄｈｅｓｉｏｎ  ｍｏｌｅｃｕｌｅ  ５）、ＣＥＡ、またはＣＤ６６ｅと呼ばれるタンパク質であり、そのアミノ酸配列はＧｅｎＢａｎｋ  Ｎｏ．ＮＰ＿００４３５４．３に示される。
配列番号２６１に記載のアミノ酸配列からなるポリペプチドは、ＧＡＴＡ６（ＧＡＴＡ  ｂｉｎｄｉｎｇ  ｐｒｏｔｅｉｎ  ６）と呼ばれるタンパク質であり、そのアミノ酸配列はＧｅｎＢａｎｋ  Ｎｏ．ＮＰ＿００５２４８．２に示される。
【０１１１】
配列番号２６２に記載のアミノ酸配列からなるポリペプチドは、ＰＯＦ１Ｂ（Ｐｒｅｍａｔｕｒｅ  ｏｖａｒｉａｎ  ｆａｉｌｕｒｅ，  １Ｂ）、ＰＯＦ２Ｂ、またはＰＯＦと呼ばれるタンパク質であり、そのアミノ酸配列はＧｅｎＢａｎｋ  Ｎｏ．ＮＰ＿０７９１９７．３に示される。
配列番号２６３に記載のアミノ酸配列からなるポリペプチドは、ＳＥＭＡ３Ｂ（Ｓｅｍａｐｈｏｒｉｎ  ３Ｂ）、ＳｅｍＡ、ＳＥＭＡ５、ＳＥＭＡＡ、ｓｅｍａＶ、またはＬＵＣＡ−１と呼ばれるタンパク質であり、そのアミノ酸配列はＧｅｎＢａｎｋ  Ｎｏ．ＮＰ＿００４６２７．１に示される。
配列番号２６４に記載のアミノ酸配列からなるポリペプチドは、ＰＣＳＫ９（Ｐｒｏｐｒｏｔｅｉｎ  ｃｏｎｖｅｒｔａｓｅ  ｓｕｂｔｉｌｉｓｉｎ／ｋｅｘｉｎ  ｔｙｐｅ  ９）、ＨＣＨＯＬＡ３、ＬＤＬＣＱ１、ＮＡＲＣ１、ＰＣ９、またはＦＨ３と呼ばれるタンパク質であり、そのアミノ酸配列はＧｅｎＢａｎｋ  Ｎｏ．ＮＰ＿７７７５９６．２に示される。
【０１１２】
配列番号２６５に記載のアミノ酸配列からなるポリペプチドは、ＣＰＮＥ７（Ｃｏｐｉｎｅ  ７）と呼ばれるタンパク質であり、そのアミノ酸配列はＧｅｎＢａｎｋ  Ｎｏ．ＮＰ＿０５５２４２．１に示される。
配列番号２６６に記載のアミノ酸配列からなるポリペプチドは、ＰＫＰ２（Ｐｌａｋｏｐｈｉｌｉｎ  ２）、またはＡＲＶＤ９と呼ばれるタンパク質であり、そのアミノ酸配列はＧｅｎＢａｎｋ  Ｎｏ．ＮＰ＿００４５６３．２に示される。
配列番号２６７に記載のアミノ酸配列からなるポリペプチドは、ＥＴＶ５（ＥＴＳ  ｖａｒｉａｎｔ  ５）、またはＥＲＭと呼ばれるタンパク質であり、そのアミノ酸配列はＧｅｎＢａｎｋ  Ｎｏ．ＮＰ＿００４４４５．１に示される。
【０１１３】
配列番号２６８に記載のアミノ酸配列からなるポリペプチドは、ＣＤＸ２（Ｃａｕｄａｌ  ｔｙｐｅ  ｈｏｍｅｏｂｏｘ  ２）、ＣＤＸ２／ＡＳ、またはＣＤＸ３と呼ばれるタンパク質であり、そのアミノ酸配列はＧｅｎＢａｎｋ  Ｎｏ．ＮＰ＿００１２５６．３に示される。
配列番号２６９に記載のアミノ酸配列からなるポリペプチドは、ＤＵＳＰ４（Ｄｕａｌ  ｓｐｅｃｉｆｉｃｉｔｙ  ｐｈｏｓｐｈａｔａｓｅ  ４）、ＭＫＰ２、ＴＹＰ、またはＨＶＨ２と呼ばれるタンパク質であり、そのアミノ酸配列はＧｅｎＢａｎｋ  Ｎｏ．ＮＰ＿００１３８５．１に示される。
配列番号２７０に記載のアミノ酸配列からなるポリペプチドは、ＲＡＢ２５、ＲＡＢ１１Ｃ、またはＣＡＴＸ−８と呼ばれるタンパク質であり、そのアミノ酸配列はＧｅｎＢａｎｋ  Ｎｏ．ＮＰ＿０６５１２０．２に示される。
【０１１４】
配列番号２７１に記載のアミノ酸配列からなるポリペプチドは、ＰＫＤＣＣ（Ｐｒｏｔｅｉｎ  ｋｉｎａｓｅ  ｄｏｍａｉｎ  ｃｏｎｔａｉｎｉｎｇ，  ｃｙｔｏｐｌａｓｍｉｃ）、Ｖｌｋ、またはＳＧＫ４９３と呼ばれるタンパク質であり、そのアミノ酸配列はＧｅｎＢａｎｋ  Ｎｏ．ＮＰ＿６１２３７９．２に示される。
配列番号２７２に記載のアミノ酸配列からなるポリペプチドは、ＥＨＦ（ＥＴＳ  ｈｏｍｏｌｏｇｏｕｓ  ｆａｃｔｏｒ）、ＥＳＥ３Ｂ、ＥＳＥＪ、またはＥＳＥ３と呼ばれるタンパク質であり、そのアミノ酸配列はＧｅｎＢａｎｋ  Ｎｏ．ＮＰ＿０３６２８５．２に示される。
配列番号２７３に記載のアミノ酸配列からなるポリペプチドは、ＬＡＭＢ３（Ｌａｍｉｎｉｎ  ｓｕｂｕｎｉｔ  ｂｅｔａ  ３）、ＬＡＭ５、ＬＡＭＮＢ１、またはＢＭ６００−１２５ＫＤＡと呼ばれるタンパク質であり、そのアミノ酸配列はＧｅｎＢａｎｋ  Ｎｏ．ＮＰ＿０００２１９．２に示される。
【０１１５】
配列番号２７４に記載のアミノ酸配列からなるポリペプチドは、ＯＰＬＡＨ（５−ｏｘｏｐｒｏｌｉｎａｓｅ  （ＡＴＰ−ｈｙｄｒｏｌｙｓｉｎｇ））、ＯＰＬＡ、ＯＰＬＡＨＤ、または５−Ｏｐａｓｅと呼ばれるタンパク質であり、そのアミノ酸配列はＧｅｎＢａｎｋ  Ｎｏ．ＮＰ＿０６００４０．１に示される。
配列番号２７５に記載のアミノ酸配列からなるポリペプチドは、ＧＬＢ１Ｌ２（Ｇａｌａｃｔｏｓｉｄａｓｅ  ｂｅｔａ  １  ｌｉｋｅ  ２）、ＭＳＴＰ１１４、またはＭＳＴ１１４と呼ばれるタンパク質であり、そのアミノ酸配列はＧｅｎＢａｎｋ  Ｎｏ．ＮＰ＿６１２３５１．２に示される。
配列番号２７６に記載のアミノ酸配列からなるポリペプチドは、ＭＹＨ１４（Ｍｙｏｓｉｎ  ｈｅａｖｙ  ｃｈａｉｎ  １４）、ＤＦＮＡ４Ａ、ＦＰ１７４２５、ＭＨＣ１６、ＭＹＨ１７、ｍｙｏｓｉｎ、ＮＭＨＣ−ＩＩ−Ｃ、ＰＮＭＨＨ、またはＤＦＮＡ４と呼ばれるタンパク質であり、そのアミノ酸配列はＧｅｎＢａｎｋ  Ｎｏ．ＮＰ＿０７９００５．３に示される。
【０１１６】
配列番号２７７に記載のアミノ酸配列からなるポリペプチドは、ＷＷＣ１（ＷＷ  ａｎｄ  Ｃ２  ｄｏｍａｉｎ  ｃｏｎｔａｉｎｉｎｇ  １）、ＨＢＥＢＰ３６、ＫＩＢＲＡ、ＭＥＭＲＹＱＴＬ、ＰＰＰ１Ｒ１６８、またはＨＢＥＢＰ３と呼ばれるタンパク質であり、そのアミノ酸配列はＧｅｎＢａｎｋ  Ｎｏ．ＮＰ＿０５６０５３．１に示される。
配列番号２７８に記載のアミノ酸配列からなるポリペプチドは、Ｃ１ｏｒｆ１０６（Ｃｈｒｏｍｏｓｏｍｅ  １  ｏｐｅｎ  ｒｅａｄｉｎｇ  ｆｒａｍｅ  １０６）と呼ばれるタンパク質であり、そのアミノ酸配列はＧｅｎＢａｎｋ  Ｎｏ．ＮＰ＿０６０７３５．３に示される。
配列番号２７９に記載のアミノ酸配列からなるポリペプチドは、ＴＡＣＣ２（Ｔｒａｎｓｆｏｒｍｉｎｇ  ａｃｉｄｉｃ  ｃｏｉｌｅｄ−ｃｏｉｌ  ｃｏｎｔａｉｎｉｎｇ  ｐｒｏｔｅｉｎ  ２）、ＥＣＴＡＣＣ、またはＡＺＵ−１と呼ばれるタンパク質であり、そのアミノ酸配列はＧｅｎＢａｎｋ  Ｎｏ．ＮＰ＿９９６７４３．１に示される。
【０１１７】
配列番号２８０に記載のアミノ酸配列からなるポリペプチドは、ＭＴＵＳ１（Ｍｉｃｒｏｔｕｂｕｌｅ  ａｓｓｏｃｉａｔｅｄ  ｔｕｍｏｒ  ｓｕｐｐｒｅｓｓｏｒ  １）、ＡＴＩＰ、ＩＣＩＳ、ＭＰ４４、ＭＴＳＧ１、またはＡＴＢＰと呼ばれるタンパク質であり、そのアミノ酸配列はＧｅｎＢａｎｋ  Ｎｏ．ＮＰ＿００１００１９２４．１に示される。
配列番号２８１に記載のアミノ酸配列からなるポリペプチドは、ＣＡＲＤ１０（Ｃａｓｐａｓｅ  ｒｅｃｒｕｉｔｍｅｎｔ  ｄｏｍａｉｎ  ｆａｍｉｌｙ  ｍｅｍｂｅｒ  １０）、ＣＡＲＭＡ３、またはＢＩＭＰ１と呼ばれるタンパク質であり、そのアミノ酸配列はＧｅｎＢａｎｋ  Ｎｏ．ＮＰ＿０５５３６５．２に示される。
配列番号２８２に記載のアミノ酸配列からなるポリペプチドは、ＤＮＡＡＦ５（Ｄｙｎｅｉｎ  ａｘｏｎｅｍａｌ  ａｓｓｅｍｂｌｙ  ｆａｃｔｏｒ  ５）、ＨＥＡＴＲ２、またはＣＩＬＤ１８と呼ばれるタンパク質であり、そのアミノ酸配列はＧｅｎＢａｎｋ  Ｎｏ．ＮＰ＿０６０２７２．３に示される。
【０１１８】
配列番号２８３に記載のアミノ酸配列からなるポリペプチドは、ＦＡＭ１２９Ｂ（Ｆａｍｉｌｙ  ｗｉｔｈ  ｓｅｑｕｅｎｃｅ  ｓｉｍｉｌａｒｉｔｙ  １２９  ｍｅｍｂｅｒ  Ｂ）、Ｃ９ｏｒｆ８８、ＭＥＧ−３、ＭＩＮＥＲＶＡ、ＯＣ５８、またはｂＡ３５６Ｂ１９．６と呼ばれるタンパク質であり、そのアミノ酸配列はＧｅｎＢａｎｋ  Ｎｏ．ＮＰ＿００１０３０６１１．１に示される。
配列番号２８４に記載のアミノ酸配列からなるポリペプチドは、ＳＰＲＹ１（Ｓｐｒｏｕｔｙ  ＲＴＫ  ｓｉｇｎａｌｉｎｇ  ａｎｔａｇｏｎｉｓｔ  １）、またはｈＳＰＲＹ１と呼ばれるタンパク質であり、そのアミノ酸配列はＧｅｎＢａｎｋ  Ｎｏ．ＮＰ＿００５８３２．１に示される。
配列番号２８５に記載のアミノ酸配列からなるポリペプチドは、ＬＲＲＣ１（Ｌｅｕｃｉｎｅ  ｒｉｃｈ  ｒｅｐｅａｔ  ｃｏｎｔａｉｎｉｎｇ  １）、ＬＡＮＯ、またはｄＪ５２３Ｅ１９．１と呼ばれるタンパク質であり、そのアミノ酸配列はＧｅｎＢａｎｋ  Ｎｏ．ＮＰ＿０６０６８４．４に示される。
【０１１９】
配列番号２８６に記載のアミノ酸配列からなるポリペプチドは、ＳＵＬＴ２Ｂ１（Ｓｕｌｆｏｔｒａｎｓｆｅｒａｓｅ  ｆａｍｉｌｙ  ２Ｂ  ｍｅｍｂｅｒ  １）、またはＨＳＳＴ２と呼ばれるタンパク質であり、そのアミノ酸配列はＧｅｎＢａｎｋ  Ｎｏ．ＮＰ＿８１４４４４．１に示される。
配列番号２８７に記載のアミノ酸配列からなるポリペプチドは、ＥＰＳ８Ｌ３（ＥＰＳ８  ｌｉｋｅ  ３）、またはＥＰＳ８Ｒ３と呼ばれるタンパク質であり、そのアミノ酸配列はＧｅｎＢａｎｋ  Ｎｏ．ＮＰ＿０７８８０２．２に示される。
配列番号２８８に記載のアミノ酸配列からなるポリペプチドは、ＭＳＸ２（Ｍｓｈ  ｈｏｍｅｏｂｏｘ  ２）、ＦＰＰ、ＨＯＸ８、ＭＳＨ、ＰＦＭ、ＰＦＭ１、またはＣＲＳ２と呼ばれるタンパク質であり、そのアミノ酸配列はＧｅｎＢａｎｋ  Ｎｏ．ＮＰ＿００２４４０．２に示される。
【０１２０】
配列番号２８９に記載のアミノ酸配列からなるポリペプチドは、ＡＳＢ１３（Ａｎｋｙｒｉｎ  ｒｅｐｅａｔ  ａｎｄ  ＳＯＣＳ  ｂｏｘ  ｃｏｎｔａｉｎｉｎｇ  １３）と呼ばれるタンパク質であり、そのアミノ酸配列はＧｅｎＢａｎｋ  Ｎｏ．ＮＰ＿０７８９７７．２に示される。
配列番号２９０に記載のアミノ酸配列からなるポリペプチドは、ＦＯＸＱ１（Ｆｏｒｋｈｅａｄ  ｂｏｘ  Ｑ１）、またはＨＦＨ１と呼ばれるタンパク質であり、そのアミノ酸配列はＧｅｎＢａｎｋ  Ｎｏ．ＮＰ＿１５０２８５．３に示される。
配列番号２９１に記載のアミノ酸配列からなるポリペプチドは、ＫＲＴ８０（Ｋｅｒａｔｉｎ  ８０）、またはＫＢ２０と呼ばれるタンパク質であり、そのアミノ酸配列はＧｅｎＢａｎｋ  Ｎｏ．ＮＰ＿８７２３１３．２に示される。
【０１２１】
配列番号２９２に記載のアミノ酸配列からなるポリペプチドは、ＹＡＰ１（Ｙｅｓ  ａｓｓｏｃｉａｔｅｄ  ｐｒｏｔｅｉｎ  １）、ＹＡＰ、ＹＡＰ２、ＹＡＰ６５、ＹＫＩ、またはＣＯＢ１と呼ばれるタンパク質であり、そのアミノ酸配列はＧｅｎＢａｎｋ  Ｎｏ．ＮＰ＿００６０９７．２に示される。
配列番号２９３に記載のアミノ酸配列からなるポリペプチドは、ＣＤＲ２Ｌ（Ｃｅｒｅｂｅｌｌａｒ  ｄｅｇｅｎｅｒａｔｉｏｎ  ｒｅｌａｔｅｄ  ｐｒｏｔｅｉｎ  ２  ｌｉｋｅ）、またはＨＵＭＰＰＡと呼ばれるタンパク質であり、そのアミノ酸配列はＧｅｎＢａｎｋ  Ｎｏ．ＮＰ＿０５５４１８．２に示される。
配列番号２９４に記載のアミノ酸配列からなるポリペプチドは、ＳＨ３ＲＦ１（ＳＨ３  ｄｏｍａｉｎ  ｃｏｎｔａｉｎｉｎｇ  ｒｉｎｇ  ｆｉｎｇｅｒ  １）、ＲＮＦ１４２、ＳＨ３ＭＤ２、またはＰＯＳＨと呼ばれるタンパク質であり、そのアミノ酸配列はＧｅｎＢａｎｋ  Ｎｏ．ＮＰ＿０６５９２１．２に示される。
【０１２２】
配列番号２９５に記載のアミノ酸配列からなるポリペプチドは、ＨＰＤＬ（４−ｈｙｄｒｏｘｙｐｈｅｎｙｌｐｙｒｕｖａｔｅ  ｄｉｏｘｙｇｅｎａｓｅ  ｌｉｋｅ）、ＧＬＯＸＤ１、または４−ＨＰＰＤ−Ｌと呼ばれるタンパク質であり、そのアミノ酸配列はＧｅｎＢａｎｋ  Ｎｏ．ＮＰ＿１１６１４５．１に示される。
配列番号２９６に記載のアミノ酸配列からなるポリペプチドは、ＡＲＨＧＥＦ１６（Ｒｈｏ  ｇｕａｎｉｎｅ  ｎｕｃｌｅｏｔｉｄｅ  ｅｘｃｈａｎｇｅ  ｆａｃｔｏｒ  １６）、ＮＢＲ、またはＧＥＦ１６と呼ばれるタンパク質であり、そのアミノ酸配列はＧｅｎＢａｎｋ  Ｎｏ．ＮＰ＿０５５２６３．２に示される。
配列番号２９７に記載のアミノ酸配列からなるポリペプチドは、ＧＴＦ２ＩＲＤ１（ＧＴＦ２Ｉ  ｒｅｐｅａｔ  ｄｏｍａｉｎ  ｃｏｎｔａｉｎｉｎｇ  １）、ＣＲＥＡＭ１、ＧＴＦ３、ｈＭｕｓＴＲＤ１ａｌｐｈａ１、ＭＵＳＴＲＤ１、ＲＢＡＰ２、ＷＢＳ、ＷＢＳＣＲ１１、ＷＢＳＣＲ１２、またはＢＥＮと呼ばれるタンパク質であり、そのアミノ酸配列はＧｅｎＢａｎｋ  Ｎｏ．ＮＰ＿００５６７６．３に示される。
【０１２３】
配列番号２９８に記載のアミノ酸配列からなるポリペプチドは、ＮＰＡＳ２（Ｎｅｕｒｏｎａｌ  ＰＡＳ  ｄｏｍａｉｎ  ｐｒｏｔｅｉｎ  ２）、ＭＯＰ４、ＰＡＳＤ４、またはｂＨＬＨｅ９と呼ばれるタンパク質であり、そのアミノ酸配列はＧｅｎＢａｎｋ  Ｎｏ．ＮＰ＿００２５０９．２に示される。
配列番号２９９に記載のアミノ酸配列からなるポリペプチドは、ＧＡＴＡ４（ＧＡＴＡ  ｂｉｎｄｉｎｇ  ｐｒｏｔｅｉｎ  ４）、ＴＡＣＨＤ、ＴＯＦ、ＶＳＤ１、またはＡＳＤ２と呼ばれるタンパク質であり、そのアミノ酸配列はＧｅｎＢａｎｋ  Ｎｏ．ＮＰ＿００２０４３．２に示される。
配列番号３００に記載のアミノ酸配列からなるポリペプチドは、ＡＧＲ３（Ａｎｔｅｒｉｏｒ  ｇｒａｄｉｅｎｔ  ３）、ＡＧ３、ＢＣＭＰ１１、ｈＡＧ−３、ＨＡＧ３、またはＰＤＩＡ１８と呼ばれるタンパク質であり、そのアミノ酸配列はＧｅｎＢａｎｋ  Ｎｏ．ＮＰ＿７８９７８３．１に示される。
【０１２４】
配列番号３０１に記載のアミノ酸配列からなるポリペプチドは、ＥＶＰＬ（Ｅｎｖｏｐｌａｋｉｎ）、またはＥＶＰＫと呼ばれるタンパク質であり、そのアミノ酸配列はＧｅｎＢａｎｋ  Ｎｏ．ＮＰ＿００１９７９．２に示される。
配列番号３０２に記載のアミノ酸配列からなるポリペプチドは、ＰＨＬＤＡ３（Ｐｌｅｃｋｓｔｒｉｎ  ｈｏｍｏｌｏｇｙ  ｌｉｋｅ  ｄｏｍａｉｎ  ｆａｍｉｌｙ  Ａ  ｍｅｍｂｅｒ  ３）、またはＴＩＨ１と呼ばれるタンパク質であり、そのアミノ酸配列はＧｅｎＢａｎｋ  Ｎｏ．ＮＰ＿０３６５２８．１に示される。
配列番号３０３に記載のアミノ酸配列からなるポリペプチドは、ＢＭＩ１、ＰＣＧＦ４、ＲＮＦ５１、またはＦＬＶＩ２／ＢＭＩ１と呼ばれるタンパク質であり、そのアミノ酸配列はＧｅｎＢａｎｋ  Ｎｏ．ＮＰ＿００５１７１．４に示される。
【０１２５】
配列番号３０４に記載のアミノ酸配列からなるポリペプチドは、ＣＬＩＰ２（ＣＡＰ−Ｇｌｙ  ｄｏｍａｉｎ  ｃｏｎｔａｉｎｉｎｇ  ｌｉｎｋｅｒ  ｐｒｏｔｅｉｎ  ２）、ＣＬＩＰ−１１５、ＣＹＬＮ２、ＷＢＳＣＲ３、ＷＢＳＣＲ４、ＷＳＣＲ３、ＷＳＣＲ４、またはＣＬＩＰと呼ばれるタンパク質であり、そのアミノ酸配列はＧｅｎＢａｎｋ  Ｎｏ．ＮＰ＿００３３７９．３に示される。
配列番号３０５に記載のアミノ酸配列からなるポリペプチドは、ＣＹＰ２Ｓ１（Ｃｙｔｏｃｈｒｏｍｅ  Ｐ４５０  ｆａｍｉｌｙ  ２  ｓｕｂｆａｍｉｌｙ  Ｓ  ｍｅｍｂｅｒ  １）、またはＣＹＰＩＩＳ１と呼ばれるタンパク質であり、そのアミノ酸配列はＧｅｎＢａｎｋ  Ｎｏ．ＮＰ＿０８５１２５．１に示される。
配列番号３０６に記載のアミノ酸配列からなるポリペプチドは、ＦＥＲＭＴ１（Ｆｅｒｍｉｔｉｎ  ｆａｍｉｌｙ  ｍｅｍｂｅｒ  １）、ＤＴＧＣＵ２、ＫＩＮＤ１、ＵＮＣ１１２Ａ、ＵＲＰ１、またはＣ２０ｏｒｆ４２と呼ばれるタンパク質であり、そのアミノ酸配列はＧｅｎＢａｎｋ  Ｎｏ．ＮＰ＿０６０１４１．３に示される。
【０１２６】
配列番号３０７に記載のアミノ酸配列からなるポリペプチドは、ＳＨＲＯＯＭ３（Ｓｈｒｏｏｍ  ｆａｍｉｌｙ  ｍｅｍｂｅｒ  ３）、ＭＳＴＰ０１３、ＳＨＲＭ、ＳｈｒｍＬ、またはＡＰＸＬ３と呼ばれるタンパク質であり、そのアミノ酸配列はＧｅｎＢａｎｋ  Ｎｏ．ＮＰ＿０６５９１０．３に示される。
配列番号３０８に記載のアミノ酸配列からなるポリペプチドは、ＰＲＲ１５Ｌ（Ｐｒｏｌｉｎｅ  ｒｉｃｈ  １５  ｌｉｋｅ）、またはＡＴＡＤ４と呼ばれるタンパク質であり、そのアミノ酸配列はＧｅｎＢａｎｋ  Ｎｏ．ＮＰ＿０７７２９６．１に示される。
配列番号３０９に記載のアミノ酸配列からなるポリペプチドは、ＬＩＰＨ（Ｌｉｐａｓｅ  Ｈ）、ＡＲＷＨ２、ＨＹＰＴ７、ＬＡＨ２、ＬＰＤＬＲ、ｍＰＡ−ＰＬＡ１、ＰＬＡ１Ｂ、またはＡＨと呼ばれるタンパク質であり、そのアミノ酸配列はＧｅｎＢａｎｋ  Ｎｏ．ＮＰ＿６４０３４１．１に示される。
【０１２７】
配列番号３１０に記載のアミノ酸配列からなるポリペプチドは、ＣＲＭＰ１（Ｃｏｌｌａｐｓｉｎ  ｒｅｓｐｏｎｓｅ  ｍｅｄｉａｔｏｒ  ｐｒｏｔｅｉｎ  １）、ＤＰＹＳＬ１、ＤＲＰ１、またはＵＬＩＰ−３と呼ばれるタンパク質であり、そのアミノ酸配列はＧｅｎＢａｎｋ  Ｎｏ．ＮＰ＿００１０１４８０９．１に示される。
配列番号３１１に記載のアミノ酸配列からなるポリペプチドは、ＷＡＳＦ１（ＷＡＳ  ｐｒｏｔｅｉｎ  ｆａｍｉｌｙ  ｍｅｍｂｅｒ  １）、ＷＡＶＥ、ＷＡＶＥ１、またはＳＣＡＲ１と呼ばれるタンパク質であり、そのアミノ酸配列はＧｅｎＢａｎｋ  Ｎｏ．ＮＰ＿００３９２２．１に示される。
配列番号３１２に記載のアミノ酸配列からなるポリペプチドは、ＫＩＦ１Ａ（Ｋｉｎｅｓｉｎ  ｆａｍｉｌｙ  ｍｅｍｂｅｒ  １Ａ）、Ｃ２ｏｒｆ２０、ＨＳＮ２Ｃ、ＭＲＤ９、ＳＰＧ３０、ＵＮＣ１０４、またはＡＴＳＶと呼ばれるタンパク質であり、そのアミノ酸配列はＧｅｎＢａｎｋ  Ｎｏ．ＮＰ＿００１２３０９３７．１に示される。
【０１２８】
配列番号３１３に記載のアミノ酸配列からなるポリペプチドは、ＢＥＸ１（Ｂｒａｉｎ  ｅｘｐｒｅｓｓｅｄ  Ｘ−ｌｉｎｋｅｄ  １）、ＨＢＥＸ２、ＨＧＲ７４−ｈ、またはＢＥＸ２と呼ばれるタンパク質であり、そのアミノ酸配列はＧｅｎＢａｎｋ  Ｎｏ．ＮＰ＿０６０９４６．３に示される。
配列番号３１４に記載のアミノ酸配列からなるポリペプチドは、ＮＴＳ（Ｎｅｕｒｏｔｅｎｓｉｎ）、ＮＮ、ＮＴ、ＮＴ／Ｎ、ＮＴＳ１、またはＮＭＮ−１２５と呼ばれるタンパク質であり、そのアミノ酸配列はＧｅｎＢａｎｋ  Ｎｏ．ＮＰ＿００６１７４．１に示される。
配列番号３１５に記載のアミノ酸配列からなるポリペプチドは、ＤＬＸ５（Ｄｉｓｔａｌ−ｌｅｓｓ  ｈｏｍｅｏｂｏｘ  ５）、またはＳＨＦＭ１Ｄと呼ばれるタンパク質であり、そのアミノ酸配列はＧｅｎＢａｎｋ  Ｎｏ．ＮＰ＿００５２１２．１に示される。
【０１２９】
配列番号３１６に記載のアミノ酸配列からなるポリペプチドは、ＤＰＹＳＬ５（Ｄｉｈｙｄｒｏｐｙｒｉｍｉｄｉｎａｓｅ  ｌｉｋｅ  ５）、ＣＲＭＰ５、Ｕｌｉｐ６、またはＣＲＡＭと呼ばれるタンパク質であり、そのアミノ酸配列はＧｅｎＢａｎｋ  Ｎｏ．ＮＰ＿０６４５１９．２に示される。
配列番号３１７に記載のアミノ酸配列からなるポリペプチドは、ＧＮＧ４（Ｇ  ｐｒｏｔｅｉｎ  ｓｕｂｕｎｉｔ  ｇａｍｍａ  ４）と呼ばれるタンパク質であり、そのアミノ酸配列はＧｅｎＢａｎｋ  Ｎｏ．ＮＰ＿００４４７６．１に示される。
配列番号３１８に記載のアミノ酸配列からなるポリペプチドは、ＩＤ４（Ｉｎｈｉｂｉｔｏｒ  ｏｆ  ＤＮＡ  ｂｉｎｄｉｎｇ  ４）、ＩＤＢ４、またはｂＨＬＨｂ２７と呼ばれるタンパク質であり、そのアミノ酸配列はＧｅｎＢａｎｋ  Ｎｏ．ＮＰ＿００１５３７．１に示される。
【０１３０】
配列番号３１９に記載のアミノ酸配列からなるポリペプチドは、ＴＦＦ３（Ｔｒｅｆｏｉｌ  ｆａｃｔｏｒ  ３）、Ｐ１Ｂ、ＴＦＩ、またはＩＴＦと呼ばれるタンパク質であり、そのアミノ酸配列はＧｅｎＢａｎｋ  Ｎｏ．ＮＰ＿００３２１７．３に示される。
配列番号３２０に記載のアミノ酸配列からなるポリペプチドは、ＳＣＭＬ２（Ｓｃｍ  ｐｏｌｙｃｏｍｂ  ｇｒｏｕｐ  ｐｒｏｔｅｉｎ  ｌｉｋｅ  ２）と呼ばれるタンパク質であり、そのアミノ酸配列はＧｅｎＢａｎｋ  Ｎｏ．ＮＰ＿００６０８０．１に示される。
配列番号３２１に記載のアミノ酸配列からなるポリペプチドは、ＳＯＸ２（ＳＲＹ−ｂｏｘ  ２）、ＭＣＯＰＳ３、またはＡＮＯＰ３と呼ばれるタンパク質であり、そのアミノ酸配列はＧｅｎＢａｎｋ  Ｎｏ．ＮＰ＿００３０９７．１に示される。
【０１３１】
配列番号３２２に記載のアミノ酸配列からなるポリペプチドは、ＤＬＸ１（Ｄｉｓｔａｌ−ｌｅｓｓ  ｈｏｍｅｏｂｏｘ  １）と呼ばれるタンパク質であり、そのアミノ酸配列はＧｅｎＢａｎｋ  Ｎｏ．ＮＰ＿８３５２２１．２に示される。
配列番号３２３に記載のアミノ酸配列からなるポリペプチドは、ＰＬＥＫＨＨ３（Ｐｌｅｃｋｓｔｒｉｎ  ｈｏｍｏｌｏｇｙ，  ＭｙＴＨ４  ａｎｄ  ＦＥＲＭ  ｄｏｍａｉｎ  ｃｏｎｔａｉｎｉｎｇ  Ｈ３）と呼ばれるタンパク質であり、そのアミノ酸配列はＧｅｎＢａｎｋ  Ｎｏ．ＮＰ＿０７９２０３．３に示される。
配列番号３２４に記載のアミノ酸配列からなるポリペプチドは、ＦＡＭ２２２Ａ（Ｆａｍｉｌｙ  ｗｉｔｈ  ｓｅｑｕｅｎｃｅ  ｓｉｍｉｌａｒｉｔｙ  ２２２  ｍｅｍｂｅｒ  Ａ）、またはＣ１２ｏｒｆ３４と呼ばれるタンパク質であり、そのアミノ酸配列はＧｅｎＢａｎｋ  Ｎｏ．ＮＰ＿１１６２１８．２に示される。
【０１３２】
配列番号３２５に記載のアミノ酸配列からなるポリペプチドは、ＤＬＸ２（Ｄｉｓｔａｌ−ｌｅｓｓ  ｈｏｍｅｏｂｏｘ  ２）、またはＴＥＳ１と呼ばれるタンパク質であり、そのアミノ酸配列はＧｅｎＢａｎｋ  Ｎｏ．ＮＰ＿００４３９６．１に示される。
配列番号３２６に記載のアミノ酸配列からなるポリペプチドは、ＧＰＲＩＮ１（Ｇ  ｐｒｏｔｅｉｎ  ｒｅｇｕｌａｔｅｄ  ｉｎｄｕｃｅｒ  ｏｆ  ｎｅｕｒｉｔｅ  ｏｕｔｇｒｏｗｔｈ  １）、またはＧＲＩＮ１と呼ばれるタンパク質であり、そのアミノ酸配列はＧｅｎＢａｎｋ  Ｎｏ．ＮＰ＿４４３１３１．２に示される。
配列番号３２７に記載のアミノ酸配列からなるポリペプチドは、ＦＳＤ１（Ｆｉｂｒｏｎｅｃｔｉｎ  ｔｙｐｅ  ＩＩＩ  ａｎｄ  ＳＰＲＹ  ｄｏｍａｉｎ  ｃｏｎｔａｉｎｉｎｇ  １）、ＭＩＲ１、またはＧＬＦＮＤと呼ばれるタンパク質であり、そのアミノ酸配列はＧｅｎＢａｎｋ  Ｎｏ．ＮＰ＿０７７３０９．１に示される。
【０１３３】
配列番号３２８に記載のアミノ酸配列からなるポリペプチドは、ＳＯＸ４（ＳＲＹ−ｂｏｘ  ４）、またはＥＶＩ１６と呼ばれるタンパク質であり、そのアミノ酸配列はＧｅｎＢａｎｋ  Ｎｏ．ＮＰ＿００３０９８．１に示される。
配列番号３２９に記載のアミノ酸配列からなるポリペプチドは、ＣＤＫＮ２Ｃ（Ｃｙｃｌｉｎ  ｄｅｐｅｎｄｅｎｔ  ｋｉｎａｓｅ  ｉｎｈｉｂｉｔｏｒ  ２Ｃ）、ｐ１８、ｐ１８−ＩＮＫ４Ｃ、またはＩＮＫ４Ｃと呼ばれるタンパク質であり、そのアミノ酸配列はＧｅｎＢａｎｋ  Ｎｏ．ＮＰ＿００１２５３．１に示される。
配列番号３３０に記載のアミノ酸配列からなるポリペプチドは、ＩＦＴ８１（Ｉｎｔｒａｆｌａｇｅｌｌａｒ  ｔｒａｎｓｐｏｒｔ  ８１）、ＣＤＶ１、ＣＤＶ１Ｒ、またはＤＶ１と呼ばれるタンパク質であり、そのアミノ酸配列はＧｅｎＢａｎｋ  Ｎｏ．ＮＰ＿０５４７７４．２に示される。
【０１３４】
配列番号３３１に記載のアミノ酸配列からなるポリペプチドは、ＰＨＫＡ１（Ｐｈｏｓｐｈｏｒｙｌａｓｅ  ｋｉｎａｓｅ  ｒｅｇｕｌａｔｏｒｙ  ｓｕｂｕｎｉｔ  ａｌｐｈａ  １）、またはＰＨＫＡと呼ばれるタンパク質であり、そのアミノ酸配列はＧｅｎＢａｎｋ  Ｎｏ．ＮＰ＿００２６２８．２に示される。
配列番号３３２に記載のアミノ酸配列からなるポリペプチドは、ＲＡＣ３（Ｒａｃ  ｆａｍｉｌｙ  ｓｍａｌｌ  ＧＴＰａｓｅ  ３）と呼ばれるタンパク質であり、そのアミノ酸配列はＧｅｎＢａｎｋ  Ｎｏ．ＮＰ＿００５０４３．１に示される。
配列番号３３３に記載のアミノ酸配列からなるポリペプチドは、ＣＨＮ１（Ｃｈｉｍｅｒｉｎ  １）、ＣＨＮ、ＤＵＲＳ２、ＮＣ、ＲＨＯＧＡＰ２、またはＡＲＨＧＡＰ２と呼ばれるタンパク質であり、そのアミノ酸配列はＧｅｎＢａｎｋ  Ｎｏ．ＮＰ＿００１０２０３７２．２に示される。
【０１３５】
配列番号３３４に記載のアミノ酸配列からなるポリペプチドは、ＴＭＳＢ１５Ａ（Ｔｈｙｍｏｓｉｎ  ｂｅｔａ  １５ａ）、ＴｂＮＢ、ＴＭＳＢ１５、ＴＭＳＢ１５Ｂ、ＴＭＳＬ８、ＴＭＳＮＢ、またはＴｂ１５と呼ばれるタンパク質であり、そのアミノ酸配列はＧｅｎＢａｎｋ  Ｎｏ．ＮＰ＿０６８８３２．１に示される。
配列番号３３５に記載のアミノ酸配列からなるポリペプチドは、ＤＹＮＣ１Ｉ１（Ｄｙｎｅｉｎ  ｃｙｔｏｐｌａｓｍｉｃ  １  ｉｎｔｅｒｍｅｄｉａｔｅ  ｃｈａｉｎ  １）、ＤＮＣＩＣ１、またはＤＮＣＩ１と呼ばれるタンパク質であり、そのアミノ酸配列はＧｅｎＢａｎｋ  Ｎｏ．ＮＰ＿００１２６５３５１．１に示される。
配列番号３３６に記載のアミノ酸配列からなるポリペプチドは、ＭＡＧＥＡ９（ＭＡＧＥ  ｆａｍｉｌｙ  ｍｅｍｂｅｒ  Ａ９）、ＭＡＧＥ９、またはＣＴ１．９と呼ばれるタンパク質であり、そのアミノ酸配列はＧｅｎＢａｎｋ  Ｎｏ．ＮＰ＿００５３５６．１に示される。
【０１３６】
配列番号３３７に記載のアミノ酸配列からなるポリペプチドは、ＡＩＦ１Ｌ（Ａｌｌｏｇｒａｆｔ  ｉｎｆｌａｍｍａｔｏｒｙ  ｆａｃｔｏｒ  １  ｌｉｋｅ）、ＩＢＡ２、またはＣ９ｏｒｆ５８と呼ばれるタンパク質であり、そのアミノ酸配列はＧｅｎＢａｎｋ  Ｎｏ．ＮＰ＿１１３６１４．１に示される。
配列番号３３８に記載のアミノ酸配列からなるポリペプチドは、ＭＡＧＥＡ９Ｂ（ＭＡＧＥ  ｆａｍｉｌｙ  ｍｅｍｂｅｒ  Ａ９Ｂ）と呼ばれるタンパク質であり、そのアミノ酸配列はＧｅｎＢａｎｋ  Ｎｏ．ＮＰ＿００５３５６．１に示される。
配列番号３３９に記載のアミノ酸配列からなるポリペプチドは、ＤＮＡＪＣ６（ＤｎａＪ  ｈｅａｔ  ｓｈｏｃｋ  ｐｒｏｔｅｉｎ  ｆａｍｉｌｙ  （Ｈｓｐ４０）  ｍｅｍｂｅｒ  Ｃ６）、ＰＡＲＫ１９、またはＤＪＣ６と呼ばれるタンパク質であり、そのアミノ酸配列はＧｅｎＢａｎｋ  Ｎｏ．ＮＰ＿０５５６０２．１に示される。
【０１３７】
配列番号３４０に記載のアミノ酸配列からなるポリペプチドは、ＭＡＰＫ８ＩＰ１（Ｍｉｔｏｇｅｎ−ａｃｔｉｖａｔｅｄ  ｐｒｏｔｅｉｎ  ｋｉｎａｓｅ  ８  ｉｎｔｅｒａｃｔｉｎｇ  ｐｒｏｔｅｉｎ  １）、ＪＩＰ１、ＰＲＫＭ８ＩＰ、またはＩＢ１と呼ばれるタンパク質であり、そのアミノ酸配列はＧｅｎＢａｎｋ  Ｎｏ．ＮＰ＿００５４４７．１に示される。
配列番号３４１に記載のアミノ酸配列からなるポリペプチドは、ＣＨＡＦ１Ｂ（Ｃｈｒｏｍａｔｉｎ  ａｓｓｅｍｂｌｙ  ｆａｃｔｏｒ  １  ｓｕｂｕｎｉｔ  Ｂ）、ＣＡＦ−ＩＰ６０、ＣＡＦ１、ＣＡＦ１Ａ、ＣＡＦ１Ｐ６０、ＭＰＨＯＳＰＨ７、またはＭＰＰ７と呼ばれるタンパク質であり、そのアミノ酸配列はＧｅｎＢａｎｋ  Ｎｏ．ＮＰ＿００５４３２．１に示される。
配列番号３４２に記載のアミノ酸配列からなるポリペプチドは、ＦＡＲＰ１（ＦＥＲＭ，  ＡＲＨ／ＲｈｏＧＥＦ  ａｎｄ  ｐｌｅｃｋｓｔｒｉｎ  ｄｏｍａｉｎ  ｐｒｏｔｅｉｎ  １）、ＦＡＲＰ１−ＩＴ１、ＰＬＥＫＨＣ２、ＰＰＰ１Ｒ７５、またはＣＤＥＰと呼ばれるタンパク質であり、そのアミノ酸配列はＧｅｎＢａｎｋ  Ｎｏ．ＮＰ＿００１２７３７６８．１に示される。
【０１３８】
配列番号３４３に記載のアミノ酸配列からなるポリペプチドは、ＲＧＳ１６（Ｒｅｇｕｌａｔｏｒ  ｏｆ  Ｇ−ｐｒｏｔｅｉｎ  ｓｉｇｎａｌｉｎｇ  １６）、Ａ２８−ＲＧＳ１４Ｐ、ＲＧＳ−Ｒ、またはＡ２８−ＲＧＳ１４と呼ばれるタンパク質であり、そのアミノ酸配列はＧｅｎＢａｎｋ  Ｎｏ．ＮＰ＿００２９１９．３に示される。
配列番号３４４に記載のアミノ酸配列からなるポリペプチドは、Ｃ４ｏｒｆ４６（Ｃｈｒｏｍｏｓｏｍｅ  ４  ｏｐｅｎ  ｒｅａｄｉｎｇ  ｆｒａｍｅ  ４６）、またはＲＣＤＧ１と呼ばれるタンパク質であり、そのアミノ酸配列はＧｅｎＢａｎｋ  Ｎｏ．ＮＰ＿００１００８３９４．１に示される。
配列番号３４５に記載のアミノ酸配列からなるポリペプチドは、ＴＲＩＭ３６（Ｔｒｉｐａｒｔｉｔｅ  ｍｏｔｉｆ  ｃｏｎｔａｉｎｉｎｇ  ３６）、ＲＢＣＣ７２８、ＲＮＦ９８、またはＨＡＰＲＩＮと呼ばれるタンパク質であり、そのアミノ酸配列はＧｅｎＢａｎｋ  Ｎｏ．ＮＰ＿０６１１７０．２に示される。
【０１３９】
配列番号３４６に記載のアミノ酸配列からなるポリペプチドは、ＳＮＡＰ２５（Ｓｙｎａｐｔｏｓｏｍａｌ−ａｓｓｏｃｉａｔｅｄ  ｐｒｏｔｅｉｎ，  ２５ｋＤａ）、ｄＪ１０６８Ｆ１６．２、ＲＩＣ４、ＳＥＣ９、ＳＮＡＰ、またはｂＡ４１６Ｎ４．２と呼ばれるタンパク質であり、そのアミノ酸配列はＧｅｎＢａｎｋ  Ｎｏ．ＮＰ＿００３０７２．２に示される。
配列番号３４７に記載のアミノ酸配列からなるポリペプチドは、ＡＧＢＬ５（ＡＴＰ／ＧＴＰ  ｂｉｎｄｉｎｇ  ｐｒｏｔｅｉｎ  ｌｉｋｅ  ５）、またはＣＣＰ５と呼ばれるタンパク質であり、そのアミノ酸配列はＧｅｎＢａｎｋ  Ｎｏ．ＮＰ＿０６８６０３．４に示される。
配列番号３４８に記載のアミノ酸配列からなるポリペプチドは、ＴＯＮＳＬ（Ｔｏｎｓｏｋｕ−ｌｉｋｅ，  ＤＮＡ  ｒｅｐａｉｒ  ｐｒｏｔｅｉｎ）、ＮＦＫＢＩＬ２、またはＩＫＢＲと呼ばれるタンパク質であり、そのアミノ酸配列はＧｅｎＢａｎｋ  Ｎｏ．ＮＰ＿０３８４６０．４に示される。
【０１４０】
配列番号３４９に記載のアミノ酸配列からなるポリペプチドは、ＩＦＴ２２（Ｉｎｔｒａｆｌａｇｅｌｌａｒ  ｔｒａｎｓｐｏｒｔ  ２２）、またはＲＡＢＬ５と呼ばれるタンパク質であり、そのアミノ酸配列はＧｅｎＢａｎｋ  Ｎｏ．ＮＰ＿０７３６１４．１に示される。
配列番号３５０に記載のアミノ酸配列からなるポリペプチドは、ＧＰＨＮ（Ｇｅｐｈｙｒｉｎ）、ＧＰＨ、ＧＰＨＲＹＮ、ＨＫＰＸ１、ＭＯＣＯＤＣ、またはＧＥＰＨと呼ばれるタンパク質であり、そのアミノ酸配列はＧｅｎＢａｎｋ  Ｎｏ．ＮＰ＿０６５８５７．１に示される。
配列番号３５１に記載のアミノ酸配列からなるポリペプチドは、ＣＤＣ２５Ａ（Ｃｅｌｌ  ｄｉｖｉｓｉｏｎ  ｃｙｃｌｅ  ２５Ａ）、またはＣＤＣ２５Ａ２と呼ばれるタンパク質であり、そのアミノ酸配列はＧｅｎＢａｎｋ  Ｎｏ．ＮＰ＿００１７８０．２に示される。
【０１４１】
配列番号３５２に記載のアミノ酸配列からなるポリペプチドは、ＭＰＤＺ（Ｍｕｌｔｉｐｌｅ  ＰＤＺ  ｄｏｍａｉｎ  ｃｒｕｍｂｓ  ｃｅｌｌ  ｐｏｌａｒｉｔｙ  ｃｏｍｐｌｅｘ  ｃｏｍｐｏｎｅｎｔ）、ＭＵＰＰ１、またはＨＹＣ２と呼ばれるタンパク質であり、そのアミノ酸配列はＧｅｎＢａｎｋ  Ｎｏ．ＮＰ＿００３８２０．２に示される。
配列番号３５３に記載のアミノ酸配列からなるポリペプチドは、ＣＨＧＡ（Ｃｈｒｏｍｏｇｒａｎｉｎ  Ａ）、またはＣＧＡと呼ばれるタンパク質であり、そのアミノ酸配列はＧｅｎＢａｎｋ  Ｎｏ．ＮＰ＿００１２６６．１に示される。
配列番号３５４に記載のアミノ酸配列からなるポリペプチドは、ＥＬＫ１と呼ばれるタンパク質であり、そのアミノ酸配列はＧｅｎＢａｎｋ  Ｎｏ．ＮＰ＿００５２２０．２に示される。
【０１４２】
配列番号３５５に記載のアミノ酸配列からなるポリペプチドは、ＭＹＣＮ（Ｖ−ｍｙｃ  ａｖｉａｎ  ｍｙｅｌｏｃｙｔｏｍａｔｏｓｉｓ  ｖｉｒａｌ  ｏｎｃｏｇｅｎｅ  ｎｅｕｒｏｂｌａｓｔｏｍａ  ｄｅｒｉｖｅｄ  ｈｏｍｏｌｏｇ）、ＭＯＤＥＤ、ＮＭＹＣ、ＯＤＥＤ、またはｂＨＬＨｅ３７と呼ばれるタンパク質であり、そのアミノ酸配列はＧｅｎＢａｎｋ  Ｎｏ．ＮＰ＿００５３６９．２に示される。
配列番号３５６に記載のアミノ酸配列からなるポリペプチドは、ＰＩＫ３Ｒ３（Ｐｈｏｓｐｈｏｉｎｏｓｉｔｉｄｅ−３−ｋｉｎａｓｅ  ｒｅｇｕｌａｔｏｒｙ  ｓｕｂｕｎｉｔ  ３）、ｐ５５−ＧＡＭＭＡ、ｐ５５ＰＩＫ、またはｐ５５と呼ばれるタンパク質であり、そのアミノ酸配列はＧｅｎＢａｎｋ  Ｎｏ．ＮＰ＿００１２９０３５６．１に示される。
配列番号３５７に記載のアミノ酸配列からなるポリペプチドは、ＭＥＩＳ２（Ｍｅｉｓ  ｈｏｍｅｏｂｏｘ  ２）、ＭＲＧ１、またはＨｓＴ１８３６１と呼ばれるタンパク質であり、そのアミノ酸配列はＧｅｎＢａｎｋ  Ｎｏ．ＮＰ＿００２３９０．１に示される。
【０１４３】
配列番号３５８に記載のアミノ酸配列からなるポリペプチドは、ＩＮＳＭ１（ＩＮＳＭ  ｔｒａｎｓｃｒｉｐｔｉｏｎａｌ  ｒｅｐｒｅｓｓｏｒ  １）、またはＩＡ１と呼ばれるタンパク質であり、そのアミノ酸配列はＧｅｎＢａｎｋ  Ｎｏ．ＮＰ＿００２１８７．１に示される。
配列番号３５９に記載のアミノ酸配列からなるポリペプチドは、ＡＭＯＴＬ１（Ａｎｇｉｏｍｏｔｉｎ  ｌｉｋｅ  １）、またはＪＥＡＰと呼ばれるタンパク質であり、そのアミノ酸配列はＧｅｎＢａｎｋ  Ｎｏ．ＮＰ＿５７０８９９．１に示される。
配列番号３６０に記載のアミノ酸配列からなるポリペプチドは、ＺＦＰ６９Ｂ（ＺＦＰ６９  ｚｉｎｃ  ｆｉｎｇｅｒ  ｐｒｏｔｅｉｎ  Ｂ）、ＺＮＦ６４３、ＺＳＣＡＮ５４Ｂ、またはＺＫＳＣＡＮ２３Ｂと呼ばれるタンパク質であり、そのアミノ酸配列はＧｅｎＢａｎｋ  Ｎｏ．ＮＰ＿０７５５５８．２に示される。
【０１４４】
配列番号３６１に記載のアミノ酸配列からなるポリペプチドは、ＡＲＬ４Ｄ（ＡＤＰ  ｒｉｂｏｓｙｌａｔｉｏｎ  ｆａｃｔｏｒ  ｌｉｋｅ  ＧＴＰａｓｅ  ４Ｄ）、ＡＲＬ６、またはＡＲＦ４Ｌと呼ばれるタンパク質であり、そのアミノ酸配列はＧｅｎＢａｎｋ  Ｎｏ．ＮＰ＿００１６５２．２に示される。
配列番号３６２に記載のアミノ酸配列からなるポリペプチドは、ＧＰＳＭ１（Ｇ−ｐｒｏｔｅｉｎ  ｓｉｇｎａｌｉｎｇ  ｍｏｄｕｌａｔｏｒ  １）、またはＡＧＳ３と呼ばれるタンパク質であり、そのアミノ酸配列はＧｅｎＢａｎｋ  Ｎｏ．ＮＰ＿００１１３９１１０．２に示される。
配列番号３６３に記載のアミノ酸配列からなるポリペプチドは、ＬＤＯＣ１Ｌ（ＬＤＯＣ１  ｌｉｋｅ）、Ｍａｒ６、Ｍａｒｔ６、またはｄＪ１０３３Ｅ１５．２と呼ばれるタンパク質であり、そのアミノ酸配列はＧｅｎＢａｎｋ  Ｎｏ．ＮＰ＿１１５６６３．２に示される。
【０１４５】
配列番号３６４に記載のアミノ酸配列からなるポリペプチドは、ＮＸＮ（Ｎｕｃｌｅｏｒｅｄｏｘｉｎ）、ＴＲＧ−４、またはＮＲＸと呼ばれるタンパク質であり、そのアミノ酸配列はＧｅｎＢａｎｋ  Ｎｏ．ＮＰ＿０７１９０８．２に示される。
配列番号３６５に記載のアミノ酸配列からなるポリペプチドは、ＰＨＬＤＢ１（Ｐｌｅｃｋｓｔｒｉｎ  ｈｏｍｏｌｏｇｙ  ｌｉｋｅ  ｄｏｍａｉｎ  ｆａｍｉｌｙ  Ｂ  ｍｅｍｂｅｒ  １）、またはＬＬ５Ａと呼ばれるタンパク質であり、そのアミノ酸配列はＧｅｎＢａｎｋ  Ｎｏ．ＮＰ＿０５５９７２．１に示される。
配列番号３６６に記載のアミノ酸配列からなるポリペプチドは、ＭＡＰＫ８ＩＰ２（Ｍｉｔｏｇｅｎ−ａｃｔｉｖａｔｅｄ  ｐｒｏｔｅｉｎ  ｋｉｎａｓｅ  ８  ｉｎｔｅｒａｃｔｉｎｇ  ｐｒｏｔｅｉｎ  ２）、ＩＢ２、ＪＩＰ２、またはＰＲＫＭ８ＩＰＬと呼ばれるタンパク質であり、そのアミノ酸配列はＧｅｎＢａｎｋ  Ｎｏ．ＮＰ＿０３６４５６．１に示される。
【０１４６】
配列番号３６７に記載のアミノ酸配列からなるポリペプチドは、ＷＤＲ６２（ＷＤ  ｒｅｐｅａｔ  ｄｏｍａｉｎ  ６２）、ＭＣＰＨ２、またはＣ１９ｏｒｆ１４と呼ばれるタンパク質であり、そのアミノ酸配列はＧｅｎＢａｎｋ  Ｎｏ．ＮＰ＿７７５９０７．４に示される。
配列番号３６８に記載のアミノ酸配列からなるポリペプチドは、ＫＩＦ５Ｃ（Ｋｉｎｅｓｉｎ  ｆａｍｉｌｙ  ｍｅｍｂｅｒ  ５Ｃ）、ＫＩＮＮ、ＮＫＨＣ、ＮＫＨＣ２、またはＣＤＣＢＭ２と呼ばれるタンパク質であり、そのアミノ酸配列はＧｅｎＢａｎｋ  Ｎｏ．ＮＰ＿００４５１３．１に示される。
配列番号３６９に記載のアミノ酸配列からなるポリペプチドは、ＣＣＮＥ１（Ｃｙｃｌｉｎ  Ｅ１）、またはＣＣＮＥと呼ばれるタンパク質であり、そのアミノ酸配列はＧｅｎＢａｎｋ  Ｎｏ．ＮＰ＿００１２２９．１に示される。
【０１４７】
配列番号３７０に記載のアミノ酸配列からなるポリペプチドは、ＲＲＡＧＤ（Ｒａｓ  ｒｅｌａｔｅｄ  ＧＴＰ  ｂｉｎｄｉｎｇ  Ｄ）、ＲＡＧＤ、またはｂＡ１１Ｄ８．２．１と呼ばれるタンパク質であり、そのアミノ酸配列はＧｅｎＢａｎｋ  Ｎｏ．ＮＰ＿０６７０６７．１に示される。
配列番号３７１に記載のアミノ酸配列からなるポリペプチドは、ＺＣ３ＨＡＶ１Ｌ（Ｚｉｎｃ  ｆｉｎｇｅｒ  ＣＣＣＨ−ｔｙｐｅ  ｃｏｎｔａｉｎｉｎｇ，  ａｎｔｉｖｉｒａｌ  １  ｌｉｋｅ）、またはＣ７ｏｒｆ３９と呼ばれるタンパク質であり、そのアミノ酸配列はＧｅｎＢａｎｋ  Ｎｏ．ＮＰ＿５４２３９１．２に示される。
配列番号３７２に記載のアミノ酸配列からなるポリペプチドは、ＳＴＣ２（Ｓｔａｎｎｉｏｃａｌｃｉｎ  ２）、またはＳＴＣＲＰと呼ばれるタンパク質であり、そのアミノ酸配列はＧｅｎＢａｎｋ  Ｎｏ．ＮＰ＿００３７０５．１に示される。
【０１４８】
配列番号３７３に記載のアミノ酸配列からなるポリペプチドは、ＲＩＭＫＬＡ（Ｒｉｂｏｓｏｍａｌ  ｍｏｄｉｆｉｃａｔｉｏｎ  ｐｒｏｔｅｉｎ  ｒｉｍＫ  ｌｉｋｅ  ｆａｍｉｌｙ  ｍｅｍｂｅｒ  Ａ）、ＮＡＡＧＳ、ＮＡＡＧＳ−ＩＩ、またはＦＡＭ８０Ａと呼ばれるタンパク質であり、そのアミノ酸配列はＧｅｎＢａｎｋ  Ｎｏ．ＮＰ＿７７５９１３．２に示される。
配列番号３７４に記載のアミノ酸配列からなるポリペプチドは、ＳＰＡＴＳ２（Ｓｐｅｒｍａｔｏｇｅｎｅｓｉｓ  ａｓｓｏｃｉａｔｅｄ  ｓｅｒｉｎｅ  ｒｉｃｈ  ２）、Ｐ５９ＳＣＲ、ＳＣＲ５９、ＳＰＡＴＡ１０、またはＮｂｌａ００５２６と呼ばれるタンパク質であり、そのアミノ酸配列はＧｅｎＢａｎｋ  Ｎｏ．ＮＰ＿０７５５５９．２に示される。
配列番号３７５に記載のアミノ酸配列からなるポリペプチドは、ＰＯＬＡ１（ＤＮＡ  ｐｏｌｙｍｅｒａｓｅ  ａｌｐｈａ  １）、ｐ１８０、ＰＯＬＡ、またはＮＳＸと呼ばれるタンパク質であり、そのアミノ酸配列はＧｅｎＢａｎｋ  Ｎｏ．ＮＰ＿０５８６３３．２に示される。
【０１４９】
配列番号３７６に記載のアミノ酸配列からなるポリペプチドは、ＮＥＢＬ（Ｎｅｂｕｌｅｔｔｅ）、ＬＮＥＢＬ、またはＬＡＳＰ２と呼ばれるタンパク質であり、そのアミノ酸配列はＧｅｎＢａｎｋ  Ｎｏ．ＮＰ＿９９８７３４．１に示される。
配列番号３７７に記載のアミノ酸配列からなるポリペプチドは、ＬＯＮＲＦ１（ＬＯＮ  ｐｅｐｔｉｄａｓｅ  Ｎ−ｔｅｒｍｉｎａｌ  ｄｏｍａｉｎ  ａｎｄ  ｒｉｎｇ  ｆｉｎｇｅｒ  １）、またはＲＮＦ１９１と呼ばれるタンパク質であり、そのアミノ酸配列はＧｅｎＢａｎｋ  Ｎｏ．ＮＰ＿６８９４８４．３に示される。
配列番号３７８に記載のアミノ酸配列からなるポリペプチドは、ＥＳＰＬ１（Ｅｘｔｒａ  ｓｐｉｎｄｌｅ  ｐｏｌｅ  ｂｏｄｉｅｓ  ｌｉｋｅ  １，  ｓｅｐａｒａｓｅ）、ＳＥＰＡ、またはＥＳＰ１と呼ばれるタンパク質であり、そのアミノ酸配列はＧｅｎＢａｎｋ  Ｎｏ．ＮＰ＿０３６４２３．４に示される。
【０１５０】
配列番号３７９に記載のアミノ酸配列からなるポリペプチドは、ＲＡＳＬ１０Ｂ（ＲＡＳ  ｌｉｋｅ  ｆａｍｉｌｙ  １０  ｍｅｍｂｅｒ  Ｂ）、ＶＴＳ５８６３５、またはＲＲＰ１７と呼ばれるタンパク質であり、そのアミノ酸配列はＧｅｎＢａｎｋ  Ｎｏ．ＮＰ＿２０１５７２．１に示される。
配列番号３８０に記載のアミノ酸配列からなるポリペプチドは、ＨＥＳ４（Ｈｅｓ  ｆａｍｉｌｙ  ｂＨＬＨ  ｔｒａｎｓｃｒｉｐｔｉｏｎ  ｆａｃｔｏｒ  ４）、またはｂＨＬＨｂ４２と呼ばれるタンパク質であり、そのアミノ酸配列はＧｅｎＢａｎｋ  Ｎｏ．ＮＰ＿０６６９９３．１に示される。
配列番号３８１に記載のアミノ酸配列からなるポリペプチドは、ＬＩＮ９（Ｌｉｎ−９  ＤＲＥＡＭ  ＭｕｖＢ  ｃｏｒｅ  ｃｏｍｐｌｅｘ  ｃｏｍｐｏｎｅｎｔ）、ＢＡＲＰｓｖ、ＴＧＳ、ＴＧＳ１、ＴＧＳ２、またはＢＡＲＡと呼ばれるタンパク質であり、そのアミノ酸配列はＧｅｎＢａｎｋ  Ｎｏ．ＮＰ＿００１２５７３３９．１に示される。
【０１５１】
配列番号３８２に記載のアミノ酸配列からなるポリペプチドは、ＡＡＤＡＴ（Ａｍｉｎｏａｄｉｐａｔｅ  ａｍｉｎｏｔｒａｎｓｆｅｒａｓｅ）、ＫＡＴＩＩ、またはＫＡＴ２と呼ばれるタンパク質であり、そのアミノ酸配列はＧｅｎＢａｎｋ  Ｎｏ．ＮＰ＿０５７３１２．１に示される。
配列番号３８３に記載のアミノ酸配列からなるポリペプチドは、ＫＬＨＬ１５（Ｋｅｌｃｈ  ｌｉｋｅ  ｆａｍｉｌｙ  ｍｅｍｂｅｒ  １５）、またはＨＥＬ−Ｓ−３０５と呼ばれるタンパク質であり、そのアミノ酸配列はＧｅｎＢａｎｋ  Ｎｏ．ＮＰ＿０８５１２７．２に示される。
配列番号３８４に記載のアミノ酸配列からなるポリペプチドは、Ｃ３（Ｃｏｍｐｌｅｍｅｎｔ  Ｃ３）、ＡＲＭＤ９、ＡＳＰ、Ｃ３ａ、Ｃ３ｂ、ＣＰＡＭＤ１、ＨＥＬ−Ｓ−６２ｐ、またはＡＨＵＳ５と呼ばれるタンパク質であり、そのアミノ酸配列はＧｅｎＢａｎｋ  Ｎｏ．ＮＰ＿００００５５．２に示される。
【０１５２】
配列番号３８５に記載のアミノ酸配列からなるポリペプチドは、ＡＫＲ１Ｃ２（Ａｌｄｏ−ｋｅｔｏ  ｒｅｄｕｃｔａｓｅ  ｆａｍｉｌｙ  １  ｍｅｍｂｅｒ  Ｃ２）、ＢＡＢＰ、ＤＤ、ＤＤ／ＢＡＢＰ、ＤＤ２、ＤＤＨ２、ＨＡＫＲＤ、ＨＢＡＢ、ＭＣＤＲ２、ＳＲＸＹ８、ＴＤＤ、またはＡＫＲ１Ｃ−ｐｓｅｕｄｏと呼ばれるタンパク質であり、そのアミノ酸配列はＧｅｎＢａｎｋ  Ｎｏ．ＮＰ＿００１３４５．１に示される。
配列番号３８６に記載のアミノ酸配列からなるポリペプチドは、ＡＫＲ１Ｃ１（Ａｌｄｏ−ｋｅｔｏ  ｒｅｄｕｃｔａｓｅ  ｆａｍｉｌｙ  １  ｍｅｍｂｅｒ  Ｃ１）、２０−ＡＬＰＨＡ−ＨＳＤ、Ｃ９、ＤＤ１、ＤＤ１／ＤＤ２、ＤＤＨ、ＤＤＨ１、Ｈ−３７、ＨＡＫＲＣ、ＨＢＡＢ、ＭＢＡＢ、または２−ＡＬＰＨＡ−ＨＳＤと呼ばれるタンパク質であり、そのアミノ酸配列はＧｅｎＢａｎｋ  Ｎｏ．ＮＰ＿００１３４４．２に示される。
配列番号３８７に記載のアミノ酸配列からなるポリペプチドは、ＴＲＩＭ１６Ｌ（Ｔｒｉｐａｒｔｉｔｅ  ｍｏｔｉｆ  ｃｏｎｔａｉｎｉｎｇ  １６−ｌｉｋｅ）、またはＴＲＩＭ７０と呼ばれるタンパク質であり、そのアミノ酸配列はＧｅｎＢａｎｋ  Ｎｏ．ＮＰ＿００１０３２４０７．１に示される。
【０１５３】
配列番号３８８に記載のアミノ酸配列からなるポリペプチドは、ＥＨＤ２（ＥＨ  ｄｏｍａｉｎ  ｃｏｎｔａｉｎｉｎｇ  ２）、またはＰＡＳＴ２と呼ばれるタンパク質であり、そのアミノ酸配列はＧｅｎＢａｎｋ  Ｎｏ．ＮＰ＿０５５４１６．２に示される。
配列番号３８９に記載のアミノ酸配列からなるポリペプチドは、ＣＸＣＬ１（Ｃ−Ｘ−Ｃ  ｍｏｔｉｆ  ｃｈｅｍｏｋｉｎｅ  ｌｉｇａｎｄ  １）、ＧＲＯ１、ＧＲＯａ、ＭＧＳＡ、ＭＧＳＡ−ａ、ＮＡＰ−３、ＳＣＹＢ１、またはＦＳＰと呼ばれるタンパク質であり、そのアミノ酸配列はＧｅｎＢａｎｋ  Ｎｏ．ＮＰ＿００１５０２．１に示される。
配列番号３９０に記載のアミノ酸配列からなるポリペプチドは、ＨＫＤＣ１（Ｈｅｘｏｋｉｎａｓｅ  ｄｏｍａｉｎ  ｃｏｎｔａｉｎｉｎｇ  １）と呼ばれるタンパク質であり、そのアミノ酸配列はＧｅｎＢａｎｋ  Ｎｏ．ＮＰ＿０７９４０６．３に示される。
【０１５４】
配列番号３９１に記載のアミノ酸配列からなるポリペプチドは、ＣＸＣＬ２（Ｃ−Ｘ−Ｃ  ｍｏｔｉｆ  ｃｈｅｍｏｋｉｎｅ  ｌｉｇａｎｄ  ２）、ＧＲＯ２、ＧＲＯｂ、ＭＧＳＡ−ｂ、ＭＩＰ２、ＭＩＰ２Ａ、ＳＣＹＢ２、またはＣＩＮＣ−２ａと呼ばれるタンパク質であり、そのアミノ酸配列はＧｅｎＢａｎｋ  Ｎｏ．ＮＰ＿００２０８０．１に示される。
配列番号３９２に記載のアミノ酸配列からなるポリペプチドは、ＫＩＦＣ３（Ｋｉｎｅｓｉｎ  ｆａｍｉｌｙ  ｍｅｍｂｅｒ  Ｃ３）と呼ばれるタンパク質であり、そのアミノ酸配列はＧｅｎＢａｎｋ  Ｎｏ．ＮＰ＿００５５４１．３に示される。
配列番号３９３に記載のアミノ酸配列からなるポリペプチドは、ＬＩＦ（Ｌｅｕｋｅｍｉａ  ｉｎｈｉｂｉｔｏｒｙ  ｆａｃｔｏｒ）、ＤＩＡ、ＨＩＬＤＡ、ＭＬＰＬＩ、またはＣＤＦと呼ばれるタンパク質であり、そのアミノ酸配列はＧｅｎＢａｎｋ  Ｎｏ．ＮＰ＿００２３００．１に示される。
【０１５５】
配列番号３９４に記載のアミノ酸配列からなるポリペプチドは、Ｃ１Ｓ（Ｃｏｍｐｌｅｍｅｎｔ  ｃｏｍｐｏｎｅｎｔ  １，  ｓ  ｓｕｂｃｏｍｐｏｎｅｎｔ）と呼ばれるタンパク質であり、そのアミノ酸配列はＧｅｎＢａｎｋ  Ｎｏ．ＮＰ＿００１７２５．１に示される。
配列番号３９５に記載のアミノ酸配列からなるポリペプチドは、ＧＦＰＴ２（Ｇｌｕｔａｍｉｎｅ−ｆｒｕｃｔｏｓｅ−６−ｐｈｏｓｐｈａｔｅ  ｔｒａｎｓａｍｉｎａｓｅ  ２）、またはＧＦＡＴ２と呼ばれるタンパク質であり、そのアミノ酸配列はＧｅｎＢａｎｋ  Ｎｏ．ＮＰ＿００５１０１．１に示される。
配列番号３９６に記載のアミノ酸配列からなるポリペプチドは、ＮＮＭＴ（Ｎｉｃｏｔｉｎａｍｉｄｅ  Ｎ−ｍｅｔｈｙｌｔｒａｎｓｆｅｒａｓｅ）と呼ばれるタンパク質であり、そのアミノ酸配列はＧｅｎＢａｎｋ  Ｎｏ．ＮＰ＿００６１６０．１に示される。
【０１５６】
配列番号３９７に記載のアミノ酸配列からなるポリペプチドは、ＰＲＳＳ２１（Ｐｒｏｔｅａｓｅ，  ｓｅｒｉｎｅ  ２１）、ＥＳＰ１、ＴＥＳＴ１、ＴＥＳＴＩＳＩＮ、またはＥＳＰ−１と呼ばれるタンパク質であり、そのアミノ酸配列はＧｅｎＢａｎｋ  Ｎｏ．ＮＰ＿００６７９０．１に示される。
配列番号３９８に記載のアミノ酸配列からなるポリペプチドは、ＢＣＡＲ３（Ｂｒｅａｓｔ  ｃａｎｃｅｒ  ａｎｔｉ−ｅｓｔｒｏｇｅｎ  ｒｅｓｉｓｔａｎｃｅ  ３）、ＳＨ２Ｄ３Ｂ、またはＮＳＰ２と呼ばれるタンパク質であり、そのアミノ酸配列はＧｅｎＢａｎｋ  Ｎｏ．ＮＰ＿００３５５８．１に示される。
配列番号３９９に記載のアミノ酸配列からなるポリペプチドは、ＭＹＯ１０（Ｍｙｏｓｉｎ  Ｘ）と呼ばれるタンパク質であり、そのアミノ酸配列はＧｅｎＢａｎｋ  Ｎｏ．ＮＰ＿０３６４６６．２に示される。
【０１５７】
配列番号４００に記載のアミノ酸配列からなるポリペプチドは、ＤＵＳＰ５（Ｄｕａｌ  ｓｐｅｃｉｆｉｃｉｔｙ  ｐｈｏｓｐｈａｔａｓｅ  ５）、ＨＶＨ３、またはＤＵＳＰと呼ばれるタンパク質であり、そのアミノ酸配列はＧｅｎＢａｎｋ  Ｎｏ．ＮＰ＿００４４１０．３に示される。
配列番号４０１に記載のアミノ酸配列からなるポリペプチドは、ＮＭＢ（Ｎｅｕｒｏｍｅｄｉｎ  Ｂ）と呼ばれるタンパク質であり、そのアミノ酸配列はＧｅｎＢａｎｋ  Ｎｏ．ＮＰ＿０６６５６３．２に示される。
配列番号４０２に記載のアミノ酸配列からなるポリペプチドは、Ｃ１１ｏｒｆ７４（Ｃｈｒｏｍｏｓｏｍｅ  １１  ｏｐｅｎ  ｒｅａｄｉｎｇ  ｆｒａｍｅ  ７４）、またはＨＥＰＩＳと呼ばれるタンパク質であり、そのアミノ酸配列はＧｅｎＢａｎｋ  Ｎｏ．ＮＰ＿６２０１４２．２に示される。
【０１５８】
配列番号４０３に記載のアミノ酸配列からなるポリペプチドは、ＳＤＳＬ（Ｓｅｒｉｎｅ  ｄｅｈｙｄｒａｔａｓｅ  ｌｉｋｅ）、ＳＤＨ２、ＳＤＳ−ＲＳ１、ＴＤＨ、またはｃＳＤＨと呼ばれるタンパク質であり、そのアミノ酸配列はＧｅｎＢａｎｋ  Ｎｏ．ＮＰ＿６１２４４１．１に示される。
配列番号４０４に記載のアミノ酸配列からなるポリペプチドは、ＧＳＴＺ１（Ｇｌｕｔａｔｈｉｏｎｅ  Ｓ−ｔｒａｎｓｆｅｒａｓｅ  ｚｅｔａ  １）、ＭＡＡＩ、ＭＡＩ、またはＧＳＴＺ１−１と呼ばれるタンパク質であり、そのアミノ酸配列はＧｅｎＢａｎｋ  Ｎｏ．ＮＰ＿６６５８７７．１に示される。
配列番号４０５に記載のアミノ酸配列からなるポリペプチドは、ＡＤＭ（Ａｄｒｅｎｏｍｅｄｕｌｌｉｎ）、ＰＡＭＰ、またはＡＭと呼ばれるタンパク質であり、そのアミノ酸配列はＧｅｎＢａｎｋ  Ｎｏ．ＮＰ＿００１１１５．１に示される。
【０１５９】
配列番号４０６に記載のアミノ酸配列からなるポリペプチドは、ＨＳＰＡ２（Ｈｅａｔ  ｓｈｏｃｋ  ｐｒｏｔｅｉｎ  ｆａｍｉｌｙ  Ａ  （Ｈｓｐ７０）  ｍｅｍｂｅｒ  ２）、ＨＳＰ７０−３、またはＨＳＰ７０−２と呼ばれるタンパク質であり、そのアミノ酸配列はＧｅｎＢａｎｋ  Ｎｏ．ＮＰ＿０６８８１４．２に示される。
配列番号４０７に記載のアミノ酸配列からなるポリペプチドは、Ｐ３Ｈ２（Ｐｒｏｌｙｌ  ３−ｈｙｄｒｏｘｙｌａｓｅ  ２）、ＭＣＶＤ、ＭＬＡＴ４、またはＬＥＰＲＥＬ１と呼ばれるタンパク質であり、そのアミノ酸配列はＧｅｎＢａｎｋ  Ｎｏ．ＮＰ＿００１１２７８９０．１に示される。
配列番号４０８に記載のアミノ酸配列からなるポリペプチドは、Ｃ９ｏｒｆ１１６（Ｃｈｒｏｍｏｓｏｍｅ  ９  ｏｐｅｎ  ｒｅａｄｉｎｇ  ｆｒａｍｅ  １１６）、ＲｂＥＳＴ４７、またはＰＩＥＲＣＥ１と呼ばれるタンパク質であり、そのアミノ酸配列はＧｅｎＢａｎｋ  Ｎｏ．ＮＰ＿６５３２５５．１に示される。
【０１６０】
配列番号４０９に記載のアミノ酸配列からなるポリペプチドは、ＴＬＤＣ１（ＴＢＣ／ＬｙｓＭ−ａｓｓｏｃｉａｔｅｄ  ｄｏｍａｉｎ  ｃｏｎｔａｉｎｉｎｇ  １）、またはＫＩＡＡ１６０９と呼ばれるタンパク質であり、そのアミノ酸配列はＧｅｎＢａｎｋ  Ｎｏ．ＮＰ＿０６５９９８．３に示される。
配列番号４１０に記載のアミノ酸配列からなるポリペプチドは、ＣＬＰＢ、ＳＫＤ３、またはＨＳＰ７８と呼ばれるタンパク質であり、そのアミノ酸配列はＧｅｎＢａｎｋ  Ｎｏ．ＮＰ＿１１０４４０．１に示される。
配列番号４１１に記載のアミノ酸配列からなるポリペプチドは、ＴＯＸ２（ＴＯＸ  ｈｉｇｈ  ｍｏｂｉｌｉｔｙ  ｇｒｏｕｐ  ｂｏｘ  ｆａｍｉｌｙ  ｍｅｍｂｅｒ  ２）、ｄＪ１１０８Ｄ１１．２、ｄＪ４９５Ｏ３．１、ＧＣＸ１、またはＣ２０ｏｒｆ１００と呼ばれるタンパク質であり、そのアミノ酸配列はＧｅｎＢａｎｋ  Ｎｏ．ＮＰ＿００１０９２２６７．１に示される。
【０１６１】
配列番号４１２に記載のアミノ酸配列からなるポリペプチドは、ＣＬＶＳ１（Ｃｌａｖｅｓｉｎ  １）、ＲＬＢＰ１Ｌ１、またはＣＲＡＬＢＰＬと呼ばれるタンパク質であり、そのアミノ酸配列はＧｅｎＢａｎｋ  Ｎｏ．ＮＰ＿７７５７９０．１に示される。
配列番号４１３に記載のアミノ酸配列からなるポリペプチドは、ＸＲＣＣ３（Ｘ−ｒａｙ  ｒｅｐａｉｒ  ｃｒｏｓｓ  ｃｏｍｐｌｅｍｅｎｔｉｎｇ  ３）、またはＣＭＭ６と呼ばれるタンパク質であり、そのアミノ酸配列はＧｅｎＢａｎｋ  Ｎｏ．ＮＰ＿００５４２３．１に示される。
配列番号４１４に記載のアミノ酸配列からなるポリペプチドは、ＳＥＭＡ３Ｃ（Ｓｅｍａｐｈｏｒｉｎ  ３Ｃ）、ＳｅｍＥ、またはＳＥＭＡＥと呼ばれるタンパク質であり、そのアミノ酸配列はＧｅｎＢａｎｋ  Ｎｏ．ＮＰ＿００６３７０．１に示される。
【０１６２】
配列番号４１５に記載のアミノ酸配列からなるポリペプチドは、ＲＩＰＫ４（Ｒｅｃｅｐｔｏｒ  ｉｎｔｅｒａｃｔｉｎｇ  ｓｅｒｉｎｅ／ｔｈｒｅｏｎｉｎｅ  ｋｉｎａｓｅ  ４）、ＡＮＫＲＤ３、ＤＩＫ、ＮＫＲＤ３、ＰＫＫ、ＰＰＳ２、ＲＩＰ４、またはＡＮＫＫ２と呼ばれるタンパク質であり、そのアミノ酸配列はＧｅｎＢａｎｋ  Ｎｏ．ＮＰ＿０６５６９０．２に示される。
配列番号４１６に記載のアミノ酸配列からなるポリペプチドは、Ｃ１Ｒ（Ｃｏｍｐｌｅｍｅｎｔ  Ｃ１ｒ）と呼ばれるタンパク質であり、そのアミノ酸配列はＧｅｎＢａｎｋ  Ｎｏ．ＮＰ＿００１７２４．３に示される。
配列番号４１７に記載のアミノ酸配列からなるポリペプチドは、ＰＴＧＲ２（Ｐｒｏｓｔａｇｌａｎｄｉｎ  ｒｅｄｕｃｔａｓｅ  ２）、ＰＧＲ２、ＺＡＤＨ１、またはＨＥＬ−Ｓ−２９８と呼ばれるタンパク質であり、そのアミノ酸配列はＧｅｎＢａｎｋ  Ｎｏ．ＮＰ＿６８９６５７．１に示される。
【０１６３】
配列番号４１８に記載のアミノ酸配列からなるポリペプチドは、ＴＥＡＤ２（ＴＥＡ  ｄｏｍａｉｎ  ｔｒａｎｓｃｒｉｐｔｉｏｎ  ｆａｃｔｏｒ  ２）、ＴＥＦ４、またはＥＴＦと呼ばれるタンパク質であり、そのアミノ酸配列はＧｅｎＢａｎｋ  Ｎｏ．ＮＰ＿００３５８９．１に示される。
配列番号４１９に記載のアミノ酸配列からなるポリペプチドは、ＮＴ５Ｅ（５’−ｎｕｃｌｅｏｔｉｄａｓｅ  ｅｃｔｏ）、ＣＤ７３、Ｅ５ＮＴ、ｅＮ、ｅＮＴ、ＮＴ、ＮＴ５、ＮＴＥ、またはＣＡＬＪＡと呼ばれるタンパク質であり、そのアミノ酸配列はＧｅｎＢａｎｋ  Ｎｏ．ＮＰ＿００２５１７．１に示される。
配列番号４２０に記載のアミノ酸配列からなるポリペプチドは、ＤＮＭ１（Ｄｙｎａｍｉｎ  １）、またはＤＮＭと呼ばれるタンパク質であり、そのアミノ酸配列はＧｅｎＢａｎｋ  Ｎｏ．ＮＰ＿００４３９９．２に示される。
【０１６４】
配列番号４２１に記載のアミノ酸配列からなるポリペプチドは、ＦＩＧＮＬ１（Ｆｉｄｇｅｔｉｎ  ｌｉｋｅ  １）と呼ばれるタンパク質であり、そのアミノ酸配列はＧｅｎＢａｎｋ  Ｎｏ．ＮＰ＿０７１３９９．２に示される。
配列番号４２２に記載のアミノ酸配列からなるポリペプチドは、ＰＲＯＳＥＲ２（Ｐｒｏｌｉｎｅ  ａｎｄ  ｓｅｒｉｎｅ  ｒｉｃｈ  ２）、またはＣ１０ｏｒｆ４７と呼ばれるタンパク質であり、そのアミノ酸配列はＧｅｎＢａｎｋ  Ｎｏ．ＮＰ＿６９４９８８．３に示される。
配列番号４２３に記載のアミノ酸配列からなるポリペプチドは、ＦＪＸ１（Ｆｏｕｒ  ｊｏｉｎｔｅｄ  ｂｏｘ  １）と呼ばれるタンパク質であり、そのアミノ酸配列はＧｅｎＢａｎｋ  Ｎｏ．ＮＰ＿０５５１５９．２に示される。
【０１６５】
配列番号４２４に記載のアミノ酸配列からなるポリペプチドは、ＰＸＤＮ（Ｐｅｒｏｘｉｄａｓｉｎ）、Ｄ２Ｓ４４８、Ｄ２Ｓ４４８Ｅ、ＭＧ５０、ＰＲＧ２、ＰＸＮ、ＶＰＯ、またはＣＯＰＯＡと呼ばれるタンパク質であり、そのアミノ酸配列はＧｅｎＢａｎｋ  Ｎｏ．ＮＰ＿０３６４２５．１に示される。
配列番号４２５に記載のアミノ酸配列からなるポリペプチドは、Ｃ３ｏｒｆ１４（Ｃｈｒｏｍｏｓｏｍｅ  ３  ｏｐｅｎ  ｒｅａｄｉｎｇ  ｆｒａｍｅ  １４）、またはＨＴ０２１と呼ばれるタンパク質であり、そのアミノ酸配列はＧｅｎＢａｎｋ  Ｎｏ．ＮＰ＿０６５７３６．１に示される。
配列番号４２６に記載のアミノ酸配列からなるポリペプチドは、ＥＦＨＤ１（ＥＦ−ｈａｎｄ  ｄｏｍａｉｎ  ｆａｍｉｌｙ  ｍｅｍｂｅｒ  Ｄ１）、ＭＳＴＰ１３３、ＰＰ３０５１、ＳＷＳ２、またはＭＳＴ１３３と呼ばれるタンパク質であり、そのアミノ酸配列はＧｅｎＢａｎｋ  Ｎｏ．ＮＰ＿００１２３０１８１．１に示される。
【０１６６】
配列番号４２７に記載のアミノ酸配列からなるポリペプチドは、ＳＥＭＡ３Ｆ（Ｓｅｍａｐｈｏｒｉｎ  ３Ｆ）、ＳＥＭＡ４、ＳＥＭＡＫ、またはＳＥＭＡ−ＩＶと呼ばれるタンパク質であり、そのアミノ酸配列はＧｅｎＢａｎｋ  Ｎｏ．ＮＰ＿００４１７７．３に示される。
配列番号４２８に記載のアミノ酸配列からなるポリペプチドは、ＺＧ１６Ｂ（Ｚｙｍｏｇｅｎ  ｇｒａｎｕｌｅ  ｐｒｏｔｅｉｎ  １６Ｂ）、ＨＲＰＥ７７３、ＪＣＬＮ２、ＰＡＵＦ、ＰＲＯ１５６７、またはＥＥＣＰと呼ばれるタンパク質であり、そのアミノ酸配列はＧｅｎＢａｎｋ  Ｎｏ．ＮＰ＿６６０２９５．２に示される。
配列番号４２９に記載のアミノ酸配列からなるポリペプチドは、ＮＴＮ４（Ｎｅｔｒｉｎ  ４）、またはＰＲＯ３０９１と呼ばれるタンパク質であり、そのアミノ酸配列はＧｅｎＢａｎｋ  Ｎｏ．ＮＰ＿０６７０５２．２に示される。
【０１６７】
配列番号４３０に記載のアミノ酸配列からなるポリペプチドは、ＰＡＰＳＳ２（３’−ｐｈｏｓｐｈｏａｄｅｎｏｓｉｎｅ  ５’−ｐｈｏｓｐｈｏｓｕｌｆａｔｅ  ｓｙｎｔｈａｓｅ  ２）、ＢＣＹＭ４、ＳＫ２、またはＡＴＰＳＫ２と呼ばれるタンパク質であり、そのアミノ酸配列はＧｅｎＢａｎｋ  Ｎｏ．ＮＰ＿００４６６１．２に示される。
配列番号４３１に記載のアミノ酸配列からなるポリペプチドは、ＢＭＰ７（Ｂｏｎｅ  ｍｏｒｐｈｏｇｅｎｅｔｉｃ  ｐｒｏｔｅｉｎ  ７）、またはＯＰ−１と呼ばれるタンパク質であり、そのアミノ酸配列はＧｅｎＢａｎｋ  Ｎｏ．ＮＰ＿００１７１０．１に示される。
配列番号４３２に記載のアミノ酸配列からなるポリペプチドは、ＺＮＲＦ１（Ｚｉｎｃ  ａｎｄ  ｒｉｎｇ  ｆｉｎｇｅｒ  １）、またはＮＩＮ２８３と呼ばれるタンパク質であり、そのアミノ酸配列はＧｅｎＢａｎｋ  Ｎｏ．ＮＰ＿１１５６４４．１に示される。
【０１６８】
配列番号４３３に記載のアミノ酸配列からなるポリペプチドは、ＯＳＲ２（Ｏｄｄ−ｓｋｉｐｐｅｄ  ｒｅｌａｔｅｄ  ｔｒａｎｓｃｉｐｔｉｏｎ  ｆａｃｔｏｒ  ２）と呼ばれるタンパク質であり、そのアミノ酸配列はＧｅｎＢａｎｋ  Ｎｏ．ＮＰ＿４４３７２７．２に示される。
配列番号４３４に記載のアミノ酸配列からなるポリペプチドは、ＰＣＰ４（Ｐｕｒｋｉｎｊｅ  ｃｅｌｌ  ｐｒｏｔｅｉｎ  ４）、またはＰＥＰ−１９と呼ばれるタンパク質であり、そのアミノ酸配列はＧｅｎＢａｎｋ  Ｎｏ．ＮＰ＿００６１８９．２に示される。
配列番号４３５に記載のアミノ酸配列からなるポリペプチドは、ＡＲＭＣ９（Ａｒｍａｄｉｌｌｏ  ｒｅｐｅａｔ  ｃｏｎｔａｉｎｉｎｇ  ９）、ＫＵ−ＭＥＬ−１、ＮＳ２１、またはＡＲＭと呼ばれるタンパク質であり、そのアミノ酸配列はＧｅｎＢａｎｋ  Ｎｏ．ＮＰ＿００１２５８３９５．１に示される。
【０１６９】
配列番号４３６に記載のアミノ酸配列からなるポリペプチドは、ＥＰＳ８Ｌ１（ＥＰＳ８  ｌｉｋｅ  １）、ＥＰＳ８Ｒ１、ＰＰ１０５６６、またはＤＲＣ３と呼ばれるタンパク質であり、そのアミノ酸配列はＧｅｎＢａｎｋ  Ｎｏ．ＮＰ＿５７３４４１．２に示される。
配列番号４３７に記載のアミノ酸配列からなるポリペプチドは、ＶＡＶ２（Ｖａｖ  ｇｕａｎｉｎｅ  ｎｕｃｌｅｏｔｉｄｅ  ｅｘｃｈａｎｇｅ  ｆａｃｔｏｒ  ２）と呼ばれるタンパク質であり、そのアミノ酸配列はＧｅｎＢａｎｋ  Ｎｏ．ＮＰ＿００３３６２．２に示される。
配列番号４３８に記載のアミノ酸配列からなるポリペプチドは、ＤＬＧ５（Ｄｉｓｃｓ  ｌａｒｇｅ  ＭＡＧＵＫ  ｓｃａｆｆｏｌｄ  ｐｒｏｔｅｉｎ  ５）、Ｐ−ＤＬＧ５、ＰＤＬＧ、またはＬＰ−ＤＬＧと呼ばれるタンパク質であり、そのアミノ酸配列はＧｅｎＢａｎｋ  Ｎｏ．ＮＰ＿００４７３８．３に示される。
【０１７０】
配列番号４３９に記載のアミノ酸配列からなるポリペプチドは、ＦＡＭ１２７Ｃ（Ｆａｍｉｌｙ  ｗｉｔｈ  ｓｅｑｕｅｎｃｅ  ｓｉｍｉｌａｒｉｔｙ  １２７  ｍｅｍｂｅｒ  Ｃ）、ＭＡＲ８Ｂ、またはＣＸＸ１ｃと呼ばれるタンパク質であり、そのアミノ酸配列はＧｅｎＢａｎｋ  Ｎｏ．ＮＰ＿００１０７１６４１．１に示される。
配列番号４４０に記載のアミノ酸配列からなるポリペプチドは、ＨＤＡＣ１１（Ｈｉｓｔｏｎｅ  ｄｅａｃｅｔｙｌａｓｅ  １１）、またはＨＤ１１と呼ばれるタンパク質であり、そのアミノ酸配列はＧｅｎＢａｎｋ  Ｎｏ．ＮＰ＿０７９１０３．２に示される。
配列番号４４１に記載のアミノ酸配列からなるポリペプチドは、ＬＯＣ１０５３７４８６０と呼ばれるタンパク質であり、そのアミノ酸配列はＧｅｎＢａｎｋ  Ｎｏ．ＸＰ＿０１１５１３０８９．１に示される。
【０１７１】
配列番号４４２に記載のアミノ酸配列からなるポリペプチドは、ＲＨＯＶ（Ｒａｓ  ｈｏｍｏｌｏｇ  ｆａｍｉｌｙ  ｍｅｍｂｅｒ  Ｖ）、ＣＨＰ、ＷＲＣＨ２、またはＡＲＨＶと呼ばれるタンパク質であり、そのアミノ酸配列はＧｅｎＢａｎｋ  Ｎｏ．ＮＰ＿５９８３７８．３に示される。
配列番号４４３に記載のアミノ酸配列からなるポリペプチドは、ＫＬＣ３（Ｋｉｎｅｓｉｎ  ｌｉｇｈｔ  ｃｈａｉｎ  ３）、ＫＬＣ２Ｌ、ＫＬＣｔ、ＫＮＳ２Ｂ、またはＫＬＣ２と呼ばれるタンパク質であり、そのアミノ酸配列はＧｅｎＢａｎｋ  Ｎｏ．ＮＰ＿８０３１３６．２に示される。
配列番号４４４に記載のアミノ酸配列からなるポリペプチドは、ＣＹＴＨ３（Ｃｙｔｏｈｅｓｉｎ  ３）、ＧＲＰ１、ＰＳＣＤ３、またはＡＲＮＯ３と呼ばれるタンパク質であり、そのアミノ酸配列はＧｅｎＢａｎｋ  Ｎｏ．ＮＰ＿００４２１８．１に示される。
【０１７２】
配列番号４４５に記載のアミノ酸配列からなるポリペプチドは、ＰＴＰＮ３（Ｐｒｏｔｅｉｎ  ｔｙｒｏｓｉｎｅ  ｐｈｏｓｐｈａｔａｓｅ，  ｎｏｎ−ｒｅｃｅｐｔｏｒ  ｔｙｐｅ  ３）、ＰＴＰＨ１、またはＰＴＰ−Ｈ１と呼ばれるタンパク質であり、そのアミノ酸配列はＧｅｎＢａｎｋ  Ｎｏ．ＮＰ＿００２８２０．３に示される。
配列番号４４６に記載のアミノ酸配列からなるポリペプチドは、ＺＮＦ７６８（Ｚｉｎｃ  ｆｉｎｇｅｒ  ｐｒｏｔｅｉｎ  ７６８）と呼ばれるタンパク質であり、そのアミノ酸配列はＧｅｎＢａｎｋ  Ｎｏ．ＮＰ＿０７８９４７．３に示される。
配列番号４４７に記載のアミノ酸配列からなるポリペプチドは、ＡＦＰ（Ａｌｐｈａ  ｆｅｔｏｐｒｏｔｅｉｎ）、ＦＥＴＡ、ＨＰＡＦＰ、またはＡＦＰＤと呼ばれるタンパク質であり、そのアミノ酸配列はＧｅｎＢａｎｋ  Ｎｏ．ＮＰ＿００１１２５．１に示される。
【０１７３】
配列番号４４８に記載のアミノ酸配列からなるポリペプチドは、ＡＭＢＰ（Ａｌｐｈａ−１−ｍｉｃｒｏｇｌｏｂｕｌｉｎ／ｂｉｋｕｎｉｎ  ｐｒｅｃｕｒｓｏｒ）、ＥＤＣ１、ＨＣＰ、ＨＩ３０、ＩＡＴＩＬ、ＩＴＩ、ＩＴＩＬ、ＩＴＩＬＣ、ＵＴＩ、またはＡ１Ｍと呼ばれるタンパク質であり、そのアミノ酸配列はＧｅｎＢａｎｋ  Ｎｏ．ＮＰ＿００１６２４．１に示される。
配列番号４４９に記載のアミノ酸配列からなるポリペプチドは、ＯＲＭ１（Ｏｒｏｓｏｍｕｃｏｉｄ  １）、ＡＧＰ１、ＨＥＬ−Ｓ−１５３ｗ、ＯＲＭ、またはＡＧＰ−Ａと呼ばれるタンパク質であり、そのアミノ酸配列はＧｅｎＢａｎｋ  Ｎｏ．ＮＰ＿０００５９８．２に示される。
配列番号４５０に記載のアミノ酸配列からなるポリペプチドは、ＡＰＯＭ（Ａｐｏｌｉｐｏｐｒｏｔｅｉｎ  Ｍ）、Ｇ３ａ、ＨＳＰＣ３３６、またはＮＧ２０と呼ばれるタンパク質であり、そのアミノ酸配列はＧｅｎＢａｎｋ  Ｎｏ．ＮＰ＿００１２４３０９８．１に示される。
【０１７４】
配列番号４５１に記載のアミノ酸配列からなるポリペプチドは、ＨＡＭＰ（Ｈｅｐｃｉｄｉｎ  ａｎｔｉｍｉｃｒｏｂｉａｌ  ｐｅｐｔｉｄｅ）、ＨＦＥ２Ｂ、ＬＥＡＰ１、ＰＬＴＲ、またはＨＥＰＣと呼ばれるタンパク質であり、そのアミノ酸配列はＧｅｎＢａｎｋ  Ｎｏ．ＮＰ＿０６６９９８．１に示される。
配列番号４５２に記載のアミノ酸配列からなるポリペプチドは、ＱＰＲＴ（Ｑｕｉｎｏｌｉｎａｔｅ  ｐｈｏｓｐｈｏｒｉｂｏｓｙｌｔｒａｎｓｆｅｒａｓｅ）、ＱＰＲＴａｓｅ、またはＨＥＬ−Ｓ−９０ｎと呼ばれるタンパク質であり、そのアミノ酸配列はＧｅｎＢａｎｋ  Ｎｏ．ＮＰ＿０５５１１３．２に示される。
配列番号４５３に記載のアミノ酸配列からなるポリペプチドは、ＮＩＤ１（Ｎｉｄｏｇｅｎ  １）、またはＮＩＤと呼ばれるタンパク質であり、そのアミノ酸配列はＧｅｎＢａｎｋ  Ｎｏ．ＮＰ＿００２４９９．２に示される。
【０１７５】
配列番号４５４に記載のアミノ酸配列からなるポリペプチドは、ＲＮＡＳＥ４（Ｒｉｂｏｎｕｃｌｅａｓｅ  Ａ  ｆａｍｉｌｙ  ｍｅｍｂｅｒ  ４）、ＲＮＳ４、またはＲＡＢ１と呼ばれるタンパク質であり、そのアミノ酸配列はＧｅｎＢａｎｋ  Ｎｏ．ＮＰ＿００２９２８．１に示される。
配列番号４５５に記載のアミノ酸配列からなるポリペプチドは、ＦＯＸＡ２（Ｆｏｒｋｈｅａｄ  ｂｏｘ  Ａ２）、ＴＣＦ３Ｂ、またはＨＮＦ３Ｂと呼ばれるタンパク質であり、そのアミノ酸配列はＧｅｎＢａｎｋ  Ｎｏ．ＮＰ＿７１０１４１．１に示される。
配列番号４５６に記載のアミノ酸配列からなるポリペプチドは、Ｃ２（Ｃｏｍｐｌｅｍｅｎｔ  Ｃ２）、ＣＯ２、またはＡＲＭＤ１４と呼ばれるタンパク質であり、そのアミノ酸配列はＧｅｎＢａｎｋ  Ｎｏ．ＮＰ＿００１２６９３８６．１に示される。
【０１７６】
配列番号４５７に記載のアミノ酸配列からなるポリペプチドは、ＡＬＤＨ４Ａ１（Ａｌｄｅｈｙｄｅ  ｄｅｈｙｄｒｏｇｅｎａｓｅ  ４  ｆａｍｉｌｙ  ｍｅｍｂｅｒ  Ａ１）、Ｐ５ＣＤ、Ｐ５ＣＤｈ、またはＡＬＤＨ４と呼ばれるタンパク質であり、そのアミノ酸配列はＧｅｎＢａｎｋ  Ｎｏ．ＮＰ＿００３７３９．２に示される。
配列番号４５８に記載のアミノ酸配列からなるポリペプチドは、ＣＨＤＨ（Ｃｈｏｌｉｎｅ  ｄｅｈｙｄｒｏｇｅｎａｓｅ）と呼ばれるタンパク質であり、そのアミノ酸配列はＧｅｎＢａｎｋ  Ｎｏ．ＮＰ＿０６０８６７．２に示される。
配列番号４５９に記載のアミノ酸配列からなるポリペプチドは、ＭＭＰ１１（Ｍａｔｒｉｘ  ｍｅｔａｌｌｏｐｅｐｔｉｄａｓｅ  １１）、ＳＴ３、ＳＴＭＹ３、またはＳＬ−３と呼ばれるタンパク質であり、そのアミノ酸配列はＧｅｎＢａｎｋ  Ｎｏ．ＮＰ＿００５９３１．２に示される。
【０１７７】
配列番号４６０に記載のアミノ酸配列からなるポリペプチドは、ＨＬＦと呼ばれるタンパク質であり、そのアミノ酸配列はＧｅｎＢａｎｋ  Ｎｏ．ＮＰ＿００２１１７．１に示される。
配列番号４６１に記載のアミノ酸配列からなるポリペプチドは、ＣＯＬ２Ａ１（Ｃｏｌｌａｇｅｎ  ｔｙｐｅ  ＩＩ  ａｌｐｈａ  １  ｃｈａｉｎ）、ＡＯＭ、ＣＯＬ１１Ａ３、ＳＥＤＣ、ＳＴＬ１、またはＡＮＦＨと呼ばれるタンパク質であり、そのアミノ酸配列はＧｅｎＢａｎｋ  Ｎｏ．ＮＰ＿００１８３５．３に示される。
配列番号４６２に記載のアミノ酸配列からなるポリペプチドは、ＫＡＮＫ１（ＫＮ  ｍｏｔｉｆ  ａｎｄ  ａｎｋｙｒｉｎ  ｒｅｐｅａｔ  ｄｏｍａｉｎｓ  １）、ＣＰＳＱ２、ＫＡＮＫ、またはＡＮＫＲＤ１５と呼ばれるタンパク質であり、そのアミノ酸配列はＧｅｎＢａｎｋ  Ｎｏ．ＮＰ＿０５５９７３．２に示される。
【０１７８】
配列番号４６３に記載のアミノ酸配列からなるポリペプチドは、ＦＯＸＡ３（Ｆｏｒｋｈｅａｄ  ｂｏｘ  Ａ３）、ＨＮＦ３Ｇ、ＴＣＦ３Ｇ、またはＦＫＨＨ３と呼ばれるタンパク質であり、そのアミノ酸配列はＧｅｎＢａｎｋ  Ｎｏ．ＮＰ＿００４４８８．２に示される。
配列番号４６４に記載のアミノ酸配列からなるポリペプチドは、ＧＬＴＰＤ２（Ｇｌｙｃｏｌｉｐｉｄ  ｔｒａｎｓｆｅｒ  ｐｒｏｔｅｉｎ  ｄｏｍａｉｎ  ｃｏｎｔａｉｎｉｎｇ  ２）と呼ばれるタンパク質であり、そのアミノ酸配列はＧｅｎＢａｎｋ  Ｎｏ．ＮＰ＿００１０１４９８５．２に示される。
配列番号４６５に記載のアミノ酸配列からなるポリペプチドは、ＩＧＦＢＰ１（Ｉｎｓｕｌｉｎ  ｌｉｋｅ  ｇｒｏｗｔｈ  ｆａｃｔｏｒ  ｂｉｎｄｉｎｇ  ｐｒｏｔｅｉｎ  １）、ｈＩＧＦＢＰ−１、ＩＢＰ１、ＩＧＦ−ＢＰ２５、ＰＰ１２、またはＡＦＢＰと呼ばれるタンパク質であり、そのアミノ酸配列はＧｅｎＢａｎｋ  Ｎｏ．ＮＰ＿０００５８７．１に示される。
【０１７９】
配列番号４６６に記載のアミノ酸配列からなるポリペプチドは、ＳＥＲＰＩＮＡ３（Ｓｅｒｐｉｎ  ｆａｍｉｌｙ  Ａ  ｍｅｍｂｅｒ  ３）、ＡＣＴ、ＧＩＧ２４、ＧＩＧ２５、またはＡＡＣＴと呼ばれるタンパク質であり、そのアミノ酸配列はＧｅｎＢａｎｋ  Ｎｏ．ＮＰ＿００１０７６．２に示される。
配列番号４６７に記載のアミノ酸配列からなるポリペプチドは、ＬＯＸ（Ｌｙｓｙｌ  ｏｘｉｄａｓｅ）と呼ばれるタンパク質であり、そのアミノ酸配列はＧｅｎＢａｎｋ  Ｎｏ．ＮＰ＿００２３０８．２に示される。
配列番号４６８に記載のアミノ酸配列からなるポリペプチドは、ＨＮＦ４Ａ（Ｈｅｐａｔｏｃｙｔｅ  ｎｕｃｌｅａｒ  ｆａｃｔｏｒ  ４  ａｌｐｈａ）、ＨＮＦ４、ＨＮＦ４ａ７、ＨＮＦ４ａ８、ＨＮＦ４ａ９、ＨＮＦ４ａｌｐｈａ、ＭＯＤＹ、ＭＯＤＹ１、ＮＲ２Ａ１、ＮＲ２Ａ２１、ＴＣＦ、ＴＣＦ１４、またはＦＲＴＳ４と呼ばれるタンパク質であり、そのアミノ酸配列はＧｅｎＢａｎｋ  Ｎｏ．ＮＰ＿７８７１１０．２に示される。
【０１８０】
配列番号４６９に記載のアミノ酸配列からなるポリペプチドは、ＩＴＰＫＡ（Ｉｎｏｓｉｔｏｌ−ｔｒｉｓｐｈｏｓｐｈａｔｅ  ３−ｋｉｎａｓｅ  Ａ）、ＩＰ３ＫＡ、またはＩＰ３−３ＫＡと呼ばれるタンパク質であり、そのアミノ酸配列はＧｅｎＢａｎｋ  Ｎｏ．ＮＰ＿００２２１１．１に示される。
配列番号４７０に記載のアミノ酸配列からなるポリペプチドは、ＨＮＦ１Ａ（ＨＮＦ１  ｈｏｍｅｏｂｏｘ  Ａ）、ＨＮＦ１、ＩＤＤＭ２０、ＬＦＢ１、ＭＯＤＹ３、またはＴＣＦ１と呼ばれるタンパク質であり、そのアミノ酸配列はＧｅｎＢａｎｋ  Ｎｏ．ＮＰ＿０００５３６．５に示される。
配列番号４７１に記載のアミノ酸配列からなるポリペプチドは、ＴＣＡＦ１（ＴＲＰＭ８  ｃｈａｎｎｅｌ  ａｓｓｏｃｉａｔｅｄ  ｆａｃｔｏｒ  １）と呼ばれるタンパク質であり、そのアミノ酸配列はＧｅｎＢａｎｋ  Ｎｏ．ＮＰ＿００１１９３８６７．１に示される。
【０１８１】
配列番号４７２に記載のアミノ酸配列からなるポリペプチドは、ＰＬＣＸＤ１（Ｐｈｏｓｐｈａｔｉｄｙｌｉｎｏｓｉｔｏｌ  ｓｐｅｃｉｆｉｃ  ｐｈｏｓｐｈｏｌｉｐａｓｅ  Ｃ  Ｘ  ｄｏｍａｉｎ  ｃｏｎｔａｉｎｉｎｇ  １）、またはＬＬ０ＸＮＣ０１−１３６Ｇ２．１と呼ばれるタンパク質であり、そのアミノ酸配列はＧｅｎＢａｎｋ  Ｎｏ．ＮＰ＿０６０８６０．１に示される。
配列番号４７３に記載のアミノ酸配列からなるポリペプチドは、ＭＩＡ２（Ｍｅｌａｎｏｍａ  ｉｎｈｉｂｉｔｏｒｙ  ａｃｔｉｖｉｔｙ  ２）と呼ばれるタンパク質であり、そのアミノ酸配列はＧｅｎＢａｎｋ  Ｎｏ．ＮＰ＿４７３３６５．３に示される。
配列番号４７４に記載のアミノ酸配列からなるポリペプチドは、ＩＧＦ２ＢＰ１（Ｉｎｓｕｌｉｎ  ｌｉｋｅ  ｇｒｏｗｔｈ  ｆａｃｔｏｒ  ２  ｍＲＮＡ  ｂｉｎｄｉｎｇ  ｐｒｏｔｅｉｎ  １）、ＣＲＤＢＰ、ＩＭＰ１、ＶＩＣＫＺ１、またはＺＢＰ１と呼ばれるタンパク質であり、そのアミノ酸配列はＧｅｎＢａｎｋ  Ｎｏ．ＮＰ＿００６５３７．３に示される。
【０１８２】
配列番号４７５に記載のアミノ酸配列からなるポリペプチドは、ＳＡＲＤＨ（Ｓａｒｃｏｓｉｎｅ  ｄｅｈｙｄｒｏｇｅｎａｓｅ）、ＤＭＧＤＨＬ１、ＳＡＲ、ＳＡＲＤ、ＳＤＨ、またはＢＰＲ−２と呼ばれるタンパク質であり、そのアミノ酸配列はＧｅｎＢａｎｋ  Ｎｏ．ＮＰ＿００９０３２．２に示される。
配列番号４７６に記載のアミノ酸配列からなるポリペプチドは、ＰＲＯＸ１（Ｐｒｏｓｐｅｒｏ  ｈｏｍｅｏｂｏｘ  １）と呼ばれるタンパク質であり、そのアミノ酸配列はＧｅｎＢａｎｋ  Ｎｏ．ＮＰ＿００２７５４．２に示される。
配列番号４７７に記載のアミノ酸配列からなるポリペプチドは、ＡＲＳＢ（Ａｒｙｌｓｕｌｆａｔａｓｅ  Ｂ）、Ｇ４Ｓ、ＭＰＳ６、またはＡＳＢと呼ばれるタンパク質であり、そのアミノ酸配列はＧｅｎＢａｎｋ  Ｎｏ．ＮＰ＿００００３７．２に示される。
【０１８３】
配列番号４７８に記載のアミノ酸配列からなるポリペプチドは、ＮＥＵ４（Ｎｅｕｒａｍｉｎｉｄａｓｅ  ４）と呼ばれるタンパク質であり、そのアミノ酸配列はＧｅｎＢａｎｋ  Ｎｏ．ＮＰ＿００１１６１０７２．１に示される。
配列番号４７９に記載のアミノ酸配列からなるポリペプチドは、ＯＢＳＬ１（Ｏｂｓｃｕｒｉｎ  ｌｉｋｅ  １）と呼ばれるタンパク質であり、そのアミノ酸配列はＧｅｎＢａｎｋ  Ｎｏ．ＮＰ＿０５６１２６．１に示される。
配列番号４８０に記載のアミノ酸配列からなるポリペプチドは、ＴＲＩＭ７１（Ｔｒｉｐａｒｔｉｔｅ  ｍｏｔｉｆ  ｃｏｎｔａｉｎｉｎｇ  ７１）、またはＬＩＮ４１と呼ばれるタンパク質であり、そのアミノ酸配列はＧｅｎＢａｎｋ  Ｎｏ．ＮＰ＿００１０３４２００．１に示される。
【０１８４】
配列番号４８１に記載のアミノ酸配列からなるポリペプチドは、ＸＹＬＢ（Ｘｙｌｕｌｏｋｉｎａｓｅ）と呼ばれるタンパク質であり、そのアミノ酸配列はＧｅｎＢａｎｋ  Ｎｏ．ＮＰ＿００５０９９．２に示される。
配列番号４８２に記載のアミノ酸配列からなるポリペプチドは、ＣＰＮ２（Ｃａｒｂｏｘｙｐｅｐｔｉｄａｓｅ  Ｎ  ｓｕｂｕｎｉｔ  ２）、またはＡＣＢＰと呼ばれるタンパク質であり、そのアミノ酸配列はＧｅｎＢａｎｋ  Ｎｏ．ＮＰ＿００１０７３９８２．３に示される。
配列番号４８３に記載のアミノ酸配列からなるポリペプチドは、ＰＸＤＣ１（ＰＸ  ｄｏｍａｉｎ  ｃｏｎｔａｉｎｉｎｇ  １）、またはＣ６ｏｒｆ１４５と呼ばれるタンパク質であり、そのアミノ酸配列はＧｅｎＢａｎｋ  Ｎｏ．ＮＰ＿８９９２２９．２に示される。
【０１８５】
配列番号４８４に記載のアミノ酸配列からなるポリペプチドは、ＮＯＴＵＭと呼ばれるタンパク質であり、そのアミノ酸配列はＧｅｎＢａｎｋ  Ｎｏ．ＮＰ＿８４８５８８．３に示される。
配列番号４８５に記載のアミノ酸配列からなるポリペプチドは、ＦＯＸＰ４（Ｆｏｒｋｈｅａｄ  ｂｏｘ  Ｐ４）、またはｈＦＫＨＬＡと呼ばれるタンパク質であり、そのアミノ酸配列はＧｅｎＢａｎｋ  Ｎｏ．ＮＰ＿６１２４６６．１に示される。
配列番号４８６に記載のアミノ酸配列からなるポリペプチドは、ＳＯＷＡＨＣ（Ｓｏｓｏｎｄｏｗａｈ  ａｎｋｙｒｉｎ  ｒｅｐｅａｔ  ｄｏｍａｉｎ  ｆａｍｉｌｙ  ｍｅｍｂｅｒ  Ｃ）、Ｃ２ｏｒｆ２６、またはＡＮＫＲＤ５７と呼ばれるタンパク質であり、そのアミノ酸配列はＧｅｎＢａｎｋ  Ｎｏ．ＮＰ＿０７５３９２．２に示される。
【０１８６】
配列番号４８７に記載のアミノ酸配列からなるポリペプチドは、ＮＲ１Ｈ４（Ｎｕｃｌｅａｒ  ｒｅｃｅｐｔｏｒ  ｓｕｂｆａｍｉｌｙ  １  ｇｒｏｕｐ  Ｈ  ｍｅｍｂｅｒ  ４）、ＦＸＲ、ＨＲＲ１、ＲＩＰ１４、またはＢＡＲと呼ばれるタンパク質であり、そのアミノ酸配列はＧｅｎＢａｎｋ  Ｎｏ．ＮＰ＿００５１１４．１に示される。
配列番号４８８に記載のアミノ酸配列からなるポリペプチドは、ＳＰＲＹ４（Ｓｐｒｏｕｔｙ  ＲＴＫ  ｓｉｇｎａｌｉｎｇ  ａｎｔａｇｏｎｉｓｔ  ４）、またはＨＨ１７と呼ばれるタンパク質であり、そのアミノ酸配列はＧｅｎＢａｎｋ  Ｎｏ．ＮＰ＿１１２２２６．２に示される。
配列番号４８９に記載のアミノ酸配列からなるポリペプチドは、ＡＮＫＲＤ１（Ａｎｋｙｒｉｎ  ｒｅｐｅａｔ  ｄｏｍａｉｎ  １）、ｂＡ３２０Ｆ１５．２、Ｃ−１９３、ＣＡＲＰ、ＣＶＡＲＰ、ＭＣＡＲＰ、またはＡＬＲＰと呼ばれるタンパク質であり、そのアミノ酸配列はＧｅｎＢａｎｋ  Ｎｏ．ＮＰ＿０５５２０６．２に示される。
【０１８７】
配列番号４９０に記載のアミノ酸配列からなるポリペプチドは、ＴＰ５３ＩＮＰ２（Ｔｕｍｏｒ  ｐｒｏｔｅｉｎ  ｐ５３  ｉｎｄｕｃｉｂｌｅ  ｎｕｃｌｅａｒ  ｐｒｏｔｅｉｎ  ２）、ｄＪ１１８１Ｎ３．１、ＤＯＲ、ＰＩＮＨ、またはＣ２０ｏｒｆ１１０と呼ばれるタンパク質であり、そのアミノ酸配列はＧｅｎＢａｎｋ  Ｎｏ．ＮＰ＿０６７０２５．１に示される。
配列番号４９１に記載のアミノ酸配列からなるポリペプチドは、ＶＷＣＥ（Ｖｏｎ  Ｗｉｌｌｅｂｒａｎｄ  ｆａｃｔｏｒ  Ｃ  ａｎｄ  ＥＧＦ  ｄｏｍａｉｎｓ）、ＶＷＣ１、またはＵＲＧ１１と呼ばれるタンパク質であり、そのアミノ酸配列はＧｅｎＢａｎｋ  Ｎｏ．ＮＰ＿６８９９３１．２に示される。
配列番号４９２に記載のアミノ酸配列からなるポリペプチドは、ＣＯＢＬＬ１（Ｃｏｒｄｏｎ−ｂｌｅｕ  ＷＨ２  ｒｅｐｅａｔ  ｐｒｏｔｅｉｎ  ｌｉｋｅ  １）、またはＣＯＢＬＲ１と呼ばれるタンパク質であり、そのアミノ酸配列はＧｅｎＢａｎｋ  Ｎｏ．ＮＰ＿００１２６５３８７．１に示される。
【０１８８】
配列番号４９３に記載のアミノ酸配列からなるポリペプチドは、ＲＡＢ１７と呼ばれるタンパク質であり、そのアミノ酸配列はＧｅｎＢａｎｋ  Ｎｏ．ＮＰ＿０７１８９４．１に示される。
配列番号４９４に記載のアミノ酸配列からなるポリペプチドは、ＤＬＣ１（Ｄｅｌｅｔｅｄ  Ｉｎ  Ｌｉｖｅｒ  Ｃａｎｃｅｒ  １）、ＨＰ、ｐ１２２−ＲｈｏＧＡＰ、ＳＴＡＲＤ１２、またはＡＲＨＧＡＰ７と呼ばれるタンパク質であり、そのアミノ酸配列はＧｅｎＢａｎｋ  Ｎｏ．ＮＰ＿８７２５８４．２に示される。
配列番号４９５に記載のアミノ酸配列からなるポリペプチドは、ＣＡＭＳＡＰ３（Ｃａｌｍｏｄｕｌｉｎ  ｒｅｇｕｌａｔｅｄ  ｓｐｅｃｔｒｉｎ  ａｓｓｏｃｉａｔｅｄ  ｐｒｏｔｅｉｎ  ｆａｍｉｌｙ  ｍｅｍｂｅｒ  ３）、ＮＥＺＨＡ、ＰＰＰ１Ｒ８０、またはＫＩＡＡ１５４３と呼ばれるタンパク質であり、そのアミノ酸配列はＧｅｎＢａｎｋ  Ｎｏ．ＮＰ＿０６５９５３．１に示される。
【０１８９】
配列番号４９６に記載のアミノ酸配列からなるポリペプチドは、ＭＡＳＰ１（Ｍａｎｎａｎ  ｂｉｎｄｉｎｇ  ｌｅｃｔｉｎ  ｓｅｒｉｎｅ  ｐｅｐｔｉｄａｓｅ  １）、ＣＲＡＲＦ、ＣＲＡＲＦ１、ＭＡＰ１、ＭＡｐ４４、ＭＡＳＰ、ＭＡＳＰ３、ＰＲＳＳ５、ＲａＲＦ、または３ＭＣ１と呼ばれるタンパク質であり、そのアミノ酸配列はＧｅｎＢａｎｋ  Ｎｏ．ＮＰ＿００１８７０．３に示される。
配列番号４９７に記載のアミノ酸配列からなるポリペプチドは、ＰＧＦ（Ｐｌａｃｅｎｔａｌ  ｇｒｏｗｔｈ  ｆａｃｔｏｒ）、ＰＧＦＬ、ＰＬＧＦ、ＰｌＧＦ−２、ＳＨＧＣ−１０７６０、またはＤ１２Ｓ１９００と呼ばれるタンパク質であり、そのアミノ酸配列はＧｅｎＢａｎｋ  Ｎｏ．ＮＰ＿００２６２３．２に示される。
配列番号４９８に記載のアミノ酸配列からなるポリペプチドは、Ｃ２ｏｒｆ７２（Ｃｈｒｏｍｏｓｏｍｅ  ２  ｏｐｅｎ  ｒｅａｄｉｎｇ  ｆｒａｍｅ  ７２）と呼ばれるタンパク質であり、そのアミノ酸配列はＧｅｎＢａｎｋ  Ｎｏ．ＮＰ＿００１１３８４６６．１に示される。
【０１９０】
配列番号４９９に記載のアミノ酸配列からなるポリペプチドは、ＴＲＮＰ１（ＴＭＦ１−ｒｅｇｕｌａｔｅｄ  ｎｕｃｌｅａｒ  ｐｒｏｔｅｉｎ  １）、ＴＮＲＰ、またはＣ１ｏｒｆ２２５と呼ばれるタンパク質であり、そのアミノ酸配列はＧｅｎＢａｎｋ  Ｎｏ．ＮＰ＿００１０１３６６４．１に示される。
配列番号５００に記載のアミノ酸配列からなるポリペプチドは、ＬＲＧ１（Ｌｅｕｃｉｎｅ  ｒｉｃｈ  ａｌｐｈａ−２−ｇｌｙｃｏｐｒｏｔｅｉｎ  １）、ＬＲＧ、またはＨＭＦＴ１７６６と呼ばれるタンパク質であり、そのアミノ酸配列はＧｅｎＢａｎｋ  Ｎｏ．ＮＰ＿４４３２０４．１に示される。
配列番号５０１に記載のアミノ酸配列からなるポリペプチドは、ＭＳＴ１（Ｍａｃｒｏｐｈａｇｅ  ｓｔｉｍｕｌａｔｉｎｇ  １）、ＤＮＦ１５Ｓ２、ＨＧＦＬ、ＭＳＰ、ＮＦ１５Ｓ２、またはＤ３Ｆ１５Ｓ２と呼ばれるタンパク質であり、そのアミノ酸配列はＧｅｎＢａｎｋ  Ｎｏ．ＮＰ＿０６６２７８．３に示される。
【０１９１】
配列番号５０２に記載のアミノ酸配列からなるポリペプチドは、ＡＳＡＰ３（ＡｒｆＧＡＰ  ｗｉｔｈ  ＳＨ３  ｄｏｍａｉｎ，  ａｎｋｙｒｉｎ  ｒｅｐｅａｔ  ａｎｄ  ＰＨ  ｄｏｍａｉｎ  ３）、ＣＥＮＴＢ６、ＤＤＥＦＬ１、ＵＰＬＣ１、またはＡＣＡＰ４と呼ばれるタンパク質であり、そのアミノ酸配列はＧｅｎＢａｎｋ  Ｎｏ．ＮＰ＿０６０１７７．２に示される。
配列番号５０３に記載のアミノ酸配列からなるポリペプチドは、ＡＦＭＩＤ（Ａｒｙｌｆｏｒｍａｍｉｄａｓｅ）、ＫＦ、ＫＦＡ、またはＦＫＦと呼ばれるタンパク質であり、そのアミノ酸配列はＧｅｎＢａｎｋ  Ｎｏ．ＮＰ＿００１０１０９８２．２に示される。
配列番号５０４に記載のアミノ酸配列からなるポリペプチドは、ＮＲ５Ａ２（Ｎｕｃｌｅａｒ  ｒｅｃｅｐｔｏｒ  ｓｕｂｆａｍｉｌｙ  ５  ｇｒｏｕｐ  Ａ  ｍｅｍｂｅｒ  ２）、Ｂ１Ｆ２、ＣＰＦ、ＦＴＦ、ＦＴＺ−Ｆ１、ＦＴＺ−Ｆ１ｂｅｔａ、ｈＢ１Ｆ−２、ＬＲＨ１、またはＢ１Ｆと呼ばれるタンパク質であり、そのアミノ酸配列はＧｅｎＢａｎｋ  Ｎｏ．ＮＰ＿００３８１３．１に示される。
【０１９２】
配列番号５０５に記載のアミノ酸配列からなるポリペプチドは、ＭＡＴ１Ａ（Ｍｅｔｈｉｏｎｉｎｅ  ａｄｅｎｏｓｙｌｔｒａｎｓｆｅｒａｓｅ  １Ａ）、ＭＡＴＡ１、ＳＡＭＳ、ＳＡＭＳ１、またはＭＡＴと呼ばれるタンパク質であり、そのアミノ酸配列はＧｅｎＢａｎｋ  Ｎｏ．ＮＰ＿０００４２０．１に示される。
配列番号５０６に記載のアミノ酸配列からなるポリペプチドは、Ｃ４Ｂ（Ｃｏｍｐｌｅｍｅｎｔ  Ｃ４Ｂ）、Ｃ４Ｂ１２、Ｃ４Ｂ２、Ｃ４Ｂ３、Ｃ４Ｂ５、Ｃ４ＢＤ、Ｃ４Ｆ、ＣＨ、ＣＯ４、ＣＰＡＭＤ３、またはＣ４Ｂ１と呼ばれるタンパク質であり、そのアミノ酸配列はＧｅｎＢａｎｋ  Ｎｏ．ＮＰ＿００１００２０２９．３に示される。
配列番号５０７に記載のアミノ酸配列からなるポリペプチドは、ＴＯＸ３（ＴＯＸ  ｈｉｇｈ  ｍｏｂｉｌｉｔｙ  ｇｒｏｕｐ  ｂｏｘ  ｆａｍｉｌｙ  ｍｅｍｂｅｒ  ３）、ＴＮＲＣ９、またはＣＡＧＦ９と呼ばれるタンパク質であり、そのアミノ酸配列はＧｅｎＢａｎｋ  Ｎｏ．ＮＰ＿００１１３９６６０．１に示される。
【０１９３】
配列番号５０８に記載のアミノ酸配列からなるポリペプチドは、ＭＳＸ１（Ｍｓｈ  ｈｏｍｅｏｂｏｘ  １）、ＨＯＸ７、ＨＹＤ１、ＳＴＨＡＧ１、またはＥＣＴＤ３と呼ばれるタンパク質であり、そのアミノ酸配列はＧｅｎＢａｎｋ  Ｎｏ．ＮＰ＿００２４３９．２に示される。
配列番号５０９に記載のアミノ酸配列からなるポリペプチドは、ＰＨＹＨＤ１（Ｐｈｙｔａｎｏｙｌ−ＣｏＡ  ｄｉｏｘｙｇｅｎａｓｅ  ｄｏｍａｉｎ  ｃｏｎｔａｉｎｉｎｇ  １）と呼ばれるタンパク質であり、そのアミノ酸配列はＧｅｎＢａｎｋ  Ｎｏ．ＮＰ＿７７７５９３．２に示される。
配列番号５１０に記載のアミノ酸配列からなるポリペプチドは、ＨＳＤ１１Ｂ２（Ｈｙｄｒｏｘｙｓｔｅｒｏｉｄ  １１−ｂｅｔａ  ｄｅｈｙｄｒｏｇｅｎａｓｅ  ２）、ＡＭＥ１、ＨＳＤ１１Ｋ、ＨＳＤ２、ＳＤＲ９Ｃ３、またはＡＭＥと呼ばれるタンパク質であり、そのアミノ酸配列はＧｅｎＢａｎｋ  Ｎｏ．ＮＰ＿０００１８７．３に示される。
【０１９４】
配列番号５１１に記載のアミノ酸配列からなるポリペプチドは、ＦＴＣＤ（Ｆｏｒｍｉｍｉｄｏｙｌｔｒａｎｓｆｅｒａｓｅ  ｃｙｃｌｏｄｅａｍｉｎａｓｅ）、またはＬＣＨＣ１と呼ばれるタンパク質であり、そのアミノ酸配列はＧｅｎＢａｎｋ  Ｎｏ．ＮＰ＿００６６４８．１に示される。
配列番号５１２に記載のアミノ酸配列からなるポリペプチドは、ＨＰＤ（４−ｈｙｄｒｏｘｙｐｈｅｎｙｌｐｙｒｕｖａｔｅ  ｄｉｏｘｙｇｅｎａｓｅ）、４ＨＰＰＤ、ＧＬＯＤ３、ＨＰＰＤＡＳＥ、またはＰＰＤと呼ばれるタンパク質であり、そのアミノ酸配列はＧｅｎＢａｎｋ  Ｎｏ．ＮＰ＿００１１６５４６４．１に示される。
配列番号５１３に記載のアミノ酸配列からなるポリペプチドは、Ｃ４ＢＰＡ（Ｃｏｍｐｌｅｍｅｎｔ  ｃｏｍｐｏｎｅｎｔ  ４  ｂｉｎｄｉｎｇ  ｐｒｏｔｅｉｎ  ａｌｐｈａ）、ＰＲＰ、またはＣ４ＢＰと呼ばれるタンパク質であり、そのアミノ酸配列はＧｅｎＢａｎｋ  Ｎｏ．ＮＰ＿０００７０６．１に示される。
【０１９５】
配列番号５１４に記載のアミノ酸配列からなるポリペプチドは、ＣＮＫＳＲ３（ＣＮＫＳＲ  ｆａｍｉｌｙ  ｍｅｍｂｅｒ  ３）、またはＭＡＧＩ１と呼ばれるタンパク質であり、そのアミノ酸配列はＧｅｎＢａｎｋ  Ｎｏ．ＮＰ＿７７５７８６．２に示される。
配列番号５１５に記載のアミノ酸配列からなるポリペプチドは、ＮＫＤ１（Ｎａｋｅｄ  ｃｕｔｉｃｌｅ  ｈｏｍｏｌｏｇ  １）、またはＮａｋｅｄ１と呼ばれるタンパク質であり、そのアミノ酸配列はＧｅｎＢａｎｋ  Ｎｏ．ＮＰ＿１４９１１０．１に示される。
配列番号５１６に記載のアミノ酸配列からなるポリペプチドは、Ｃ４Ａ（Ｃｏｍｐｌｅｍｅｎｔ  Ｃ４Ａ）、Ｃ４Ａ２、Ｃ４Ａ３、Ｃ４Ａ４、Ｃ４Ａ６、Ｃ４ＡＤ、Ｃ４Ｓ、ＣＯ４、ＣＰＡＭＤ２、ＲＧ、またはＣ４と呼ばれるタンパク質であり、そのアミノ酸配列はＧｅｎＢａｎｋ  Ｎｏ．ＮＰ＿００９２２４．２に示される。
【０１９６】
配列番号５１７に記載のアミノ酸配列からなるポリペプチドは、ＡＲＨＧＥＦ２８（Ｒｈｏ  ｇｕａｎｉｎｅ  ｎｕｃｌｅｏｔｉｄｅ  ｅｘｃｈａｎｇｅ  ｆａｃｔｏｒ  ２８）、ＲＧＮＥＦ、ＲＩＰ２、またはｐ１９０ＲＨＯＧＥＦと呼ばれるタンパク質であり、そのアミノ酸配列はＧｅｎＢａｎｋ  Ｎｏ．ＮＰ＿００１０７３９４８．２に示される。
配列番号５１８に記載のアミノ酸配列からなるポリペプチドは、ＲＡＳＤ１（Ｒａｓ  ｒｅｌａｔｅｄ  ｄｅｘａｍｅｔｈａｓｏｎｅ  ｉｎｄｕｃｅｄ  １）、ＤＥＸＲＡＳ１、ＭＧＣ：２６２９０、またはＡＧＳ１と呼ばれるタンパク質であり、そのアミノ酸配列はＧｅｎＢａｎｋ  Ｎｏ．ＮＰ＿０５７１６８．１に示される。
配列番号５１９に記載のアミノ酸配列からなるポリペプチドは、ＮＥＤＤ４Ｌ（Ｎｅｕｒａｌ  ｐｒｅｃｕｒｓｏｒ  ｃｅｌｌ  ｅｘｐｒｅｓｓｅｄ，  ｄｅｖｅｌｏｐｍｅｎｔａｌｌｙ  ｄｏｗｎ−ｒｅｇｕｌａｔｅｄ  ４−ｌｉｋｅ）、ＮＥＤＤ４−２、ＮＥＤＤ４．２、ＲＳＰ５、またはｈＮＥＤＤ４−２と呼ばれるタンパク質であり、そのアミノ酸配列はＧｅｎＢａｎｋ  Ｎｏ．ＮＰ＿０５６０９２．２に示される。
【０１９７】
配列番号５２０に記載のアミノ酸配列からなるポリペプチドは、ＥＮＰＰ２（Ｅｃｔｏｎｕｃｌｅｏｔｉｄｅ  ｐｙｒｏｐｈｏｓｐｈａｔａｓｅ／ｐｈｏｓｐｈｏｄｉｅｓｔｅｒａｓｅ  ２）、ＡＴＸ−Ｘ、ＡＵＴＯＴＡＸＩＮ、ＬｙｓｏＰＬＤ、ＮＰＰ２、ＰＤ−ＩＡＬＰＨＡ、ＰＤＮＰ２、またはＡＴＸと呼ばれるタンパク質であり、そのアミノ酸配列はＧｅｎＢａｎｋ  Ｎｏ．ＮＰ＿００６２００．３に示される。
配列番号５２１に記載のアミノ酸配列からなるポリペプチドは、ＣＡＤＰＳ２（Ｃａｌｃｉｕｍ  ｄｅｐｅｎｄｅｎｔ  ｓｅｃｒｅｔｉｏｎ  ａｃｔｉｖａｔｏｒ  ２）と呼ばれるタンパク質であり、そのアミノ酸配列はＧｅｎＢａｎｋ  Ｎｏ．ＮＰ＿０６０４２４．９に示される。
配列番号５２２に記載のアミノ酸配列からなるポリペプチドは、ＣＲＬＦ１（Ｃｙｔｏｋｉｎｅ  ｒｅｃｅｐｔｏｒ  ｌｉｋｅ  ｆａｃｔｏｒ  １）、ＣＩＳＳ１、ＣＬＦ、ＣＬＦ−１、ＮＲ６、ｚｃｙｔｏｒ５、またはＣＩＳＳと呼ばれるタンパク質であり、そのアミノ酸配列はＧｅｎＢａｎｋ  Ｎｏ．ＮＰ＿００４７４１．１に示される。
【０１９８】
配列番号５２３に記載のアミノ酸配列からなるポリペプチドは、ＶＷＡ１（Ｖｏｎ  Ｗｉｌｌｅｂｒａｎｄ  ｆａｃｔｏｒ  Ａ  ｄｏｍａｉｎ  ｃｏｎｔａｉｎｉｎｇ  １）、またはＷＡＲＰと呼ばれるタンパク質であり、そのアミノ酸配列はＧｅｎＢａｎｋ  Ｎｏ．ＮＰ＿０７３７４５．２に示される。
配列番号５２４に記載のアミノ酸配列からなるポリペプチドは、ＰＡＮＫ３（Ｐａｎｔｏｔｈｅｎａｔｅ  ｋｉｎａｓｅ  ３）と呼ばれるタンパク質であり、そのアミノ酸配列はＧｅｎＢａｎｋ  Ｎｏ．ＮＰ＿０７８８７０．１に示される。
配列番号５２５に記載のアミノ酸配列からなるポリペプチドは、ＳＣＬＹ（Ｓｅｌｅｎｏｃｙｓｔｅｉｎｅ  ｌｙａｓｅ）、ＳＣＬ、またはｈＳＣＬと呼ばれるタンパク質であり、そのアミノ酸配列はＧｅｎＢａｎｋ  Ｎｏ．ＮＰ＿０５７５９４．４に示される。
【０１９９】
配列番号５２６に記載のアミノ酸配列からなるポリペプチドは、ＤＰＥＰ１（Ｄｉｐｅｐｔｉｄａｓｅ  １）、ＭＤＰ、ＲＤＰ、またはＭＢＤ１と呼ばれるタンパク質であり、そのアミノ酸配列はＧｅｎＢａｎｋ  Ｎｏ．ＮＰ＿００４４０４．１に示される。
配列番号５２７に記載のアミノ酸配列からなるポリペプチドは、ＤＴＤ２（Ｄ−ｔｙｒｏｓｙｌ−ｔＲＮＡ  ｄｅａｃｙｌａｓｅ  ２）、またはＣ１４ｏｒｆ１２６と呼ばれるタンパク質であり、そのアミノ酸配列はＧｅｎＢａｎｋ  Ｎｏ．ＮＰ＿５４２３９５．１に示される。
配列番号５２８に記載のアミノ酸配列からなるポリペプチドは、ＡＣＯＸ２（Ａｃｙｌ−ＣｏＡ  ｏｘｉｄａｓｅ  ２）、ＢＲＣＡＣＯＸ、ＢＲＣＯＸ、ＴＨＣＣｏｘ、またはＢＣＯＸと呼ばれるタンパク質であり、そのアミノ酸配列はＧｅｎＢａｎｋ  Ｎｏ．ＮＰ＿００３４９１．１に示される。
【０２００】
配列番号５２９に記載のアミノ酸配列からなるポリペプチドは、ＣＯＬ９Ａ３（Ｃｏｌｌａｇｅｎ  ｔｙｐｅ  ＩＸ  ａｌｐｈａ  ３  ｃｈａｉｎ）、ＥＤＭ３、ＩＤＤ、ＭＥＤ、またはＤＪ８８５Ｌ７．４．１と呼ばれるタンパク質であり、そのアミノ酸配列はＧｅｎＢａｎｋ  Ｎｏ．ＮＰ＿００１８４４．３に示される。
配列番号５３０に記載のアミノ酸配列からなるポリペプチドは、ＵＳＰ１８（Ｕｂｉｑｕｉｔｉｎ  ｓｐｅｃｉｆｉｃ  ｐｅｐｔｉｄａｓｅ  １８）、ＵＢＰ４３、またはＩＳＧ４３と呼ばれるタンパク質であり、そのアミノ酸配列はＧｅｎＢａｎｋ  Ｎｏ．ＮＰ＿０５９１１０．２に示される。
配列番号５３１に記載のアミノ酸配列からなるポリペプチドは、ＲＥＬＮ（Ｒｅｅｌｉｎ）、ＰＲＯ１５９８、ＲＬ、またはＬＩＳ２と呼ばれるタンパク質であり、そのアミノ酸配列はＧｅｎＢａｎｋ  Ｎｏ．ＮＰ＿００５０３６．２に示される。
【０２０１】
配列番号５３２に記載のアミノ酸配列からなるポリペプチドは、ＳＵＯＸ（Ｓｕｌｆｉｔｅ  ｏｘｉｄａｓｅ）と呼ばれるタンパク質であり、そのアミノ酸配列はＧｅｎＢａｎｋ  Ｎｏ．ＮＰ＿０００４４７．２に示される。
配列番号５３３に記載のアミノ酸配列からなるポリペプチドは、ＳＥＲＰＩＮＡ７（Ｓｅｒｐｉｎ  ｆａｍｉｌｙ  Ａ  ｍｅｍｂｅｒ  ７）、またはＴＢＧと呼ばれるタンパク質であり、そのアミノ酸配列はＧｅｎＢａｎｋ  Ｎｏ．ＮＰ＿０００３４５．２に示される。
配列番号５３４に記載のアミノ酸配列からなるポリペプチドは、Ｃ１６ｏｒｆ４５（Ｃｈｒｏｍｏｓｏｍｅ  １６  ｏｐｅｎ  ｒｅａｄｉｎｇ  ｆｒａｍｅ  ４５）と呼ばれるタンパク質であり、そのアミノ酸配列はＧｅｎＢａｎｋ  Ｎｏ．ＮＰ＿１４９９７８．１に示される。
【０２０２】
配列番号５３５に記載のアミノ酸配列からなるポリペプチドは、ＣＣＬ２（Ｃ−Ｃ  ｍｏｔｉｆ  ｃｈｅｍｏｋｉｎｅ  ｌｉｇａｎｄ  ２）、ＨＣ１１、ＨＳＭＣＲ３０、ＭＣＡＦ、ＭＣＰ１、ＳＣＹＡ２、ＳＭＣ−ＣＦ、またはＧＤＣＦ−２と呼ばれるタンパク質であり、そのアミノ酸配列はＧｅｎＢａｎｋ  Ｎｏ．ＮＰ＿００２９７３．１に示される。
配列番号５３６に記載のアミノ酸配列からなるポリペプチドは、ＰＰＰ１Ｒ１４Ａ（Ｐｒｏｔｅｉｎ  ｐｈｏｓｐｈａｔａｓｅ  １  ｒｅｇｕｌａｔｏｒｙ  ｉｎｈｉｂｉｔｏｒ  ｓｕｂｕｎｉｔ  １４Ａ）、ＣＰＩ１７、またはＰＰＰ１ＩＮＬと呼ばれるタンパク質であり、そのアミノ酸配列はＧｅｎＢａｎｋ  Ｎｏ．ＮＰ＿１５０２８１．１に示される。
配列番号５３７に記載のアミノ酸配列からなるポリペプチドは、ＵＡＣＡ（Ｕｖｅａｌ  ａｕｔｏａｎｔｉｇｅｎ  ｗｉｔｈ  ｃｏｉｌｅｄ−ｃｏｉｌ  ｄｏｍａｉｎｓ  ａｎｄ  ａｎｋｙｒｉｎ  ｒｅｐｅａｔｓ）、またはＮＵＣＬＩＮＧと呼ばれるタンパク質であり、そのアミノ酸配列はＧｅｎＢａｎｋ  Ｎｏ．ＮＰ＿０６０４７３．２に示される。
【０２０３】
配列番号５３８に記載のアミノ酸配列からなるポリペプチドは、ＡＳＡＰ２（ＡｒｆＧＡＰ  ｗｉｔｈ  ＳＨ３  ｄｏｍａｉｎ，  ａｎｋｙｒｉｎ  ｒｅｐｅａｔ  ａｎｄ  ＰＨ  ｄｏｍａｉｎ  ２）、ＣＥＮＴＢ３、ＤＤＥＦ２、ＰＡＧ３、ＰＡＰ、Ｐａｐ−ａｌｐｈａ、ＳＨＡＧ１、またはＡＭＡＰ２と呼ばれるタンパク質であり、そのアミノ酸配列はＧｅｎＢａｎｋ  Ｎｏ．ＮＰ＿００３８７８．１に示される。
配列番号５３９に記載のアミノ酸配列からなるポリペプチドは、ＨＯＸＢ６（Ｈｏｍｅｏｂｏｘ  Ｂ６）、ＨＯＸ２、ＨＯＸ２Ｂ、ＨＵ−２、またはＨｏｘ−２．２と呼ばれるタンパク質であり、そのアミノ酸配列はＧｅｎＢａｎｋ  Ｎｏ．ＮＰ＿０６１８２５．２に示される。
配列番号５４０に記載のアミノ酸配列からなるポリペプチドは、ＭＳＬＮ（Ｍｅｓｏｔｈｅｌｉｎ）、ＳＭＲＰ、またはＭＰＦと呼ばれるタンパク質であり、そのアミノ酸配列はＧｅｎＢａｎｋ  Ｎｏ．ＮＰ＿００５８１４．２に示される。
【０２０４】
配列番号５４１に記載のアミノ酸配列からなるポリペプチドは、ＷＮＴ７Ｂ（Ｗｎｔ  ｆａｍｉｌｙ  ｍｅｍｂｅｒ  ７Ｂ）と呼ばれるタンパク質であり、そのアミノ酸配列はＧｅｎＢａｎｋ  Ｎｏ．ＮＰ＿４７８６７９．１に示される。
配列番号５４２に記載のアミノ酸配列からなるポリペプチドは、ＳＮＸ８（Ｓｏｒｔｉｎｇ  ｎｅｘｉｎ  ８）、またはＭｖｐ１と呼ばれるタンパク質であり、そのアミノ酸配列はＧｅｎＢａｎｋ  Ｎｏ．ＮＰ＿０３７４５３．１に示される。
配列番号５４３に記載のアミノ酸配列からなるポリペプチドは、ＰＬＥＫＨＧ２（Ｐｌｅｃｋｓｔｒｉｎ  ｈｏｍｏｌｏｇｙ  ａｎｄ  ＲｈｏＧＥＦ  ｄｏｍａｉｎ  ｃｏｎｔａｉｎｉｎｇ  Ｇ２）、ＣＬＧ、またはＡＲＨＧＥＦ４２と呼ばれるタンパク質であり、そのアミノ酸配列はＧｅｎＢａｎｋ  Ｎｏ．ＮＰ＿０７３７４６．２に示される。
【０２０５】
配列番号５４４に記載のアミノ酸配列からなるポリペプチドは、ＨＴＲＡ１（ＨｔｒＡ  ｓｅｒｉｎｅ  ｐｅｐｔｉｄａｓｅ  １）、ＣＡＲＡＳＩＬ、ＨｔｒＡ、Ｌ５６、ＯＲＦ４８０、ＰＲＳＳ１１、またはＡＲＭＤ７と呼ばれるタンパク質であり、そのアミノ酸配列はＧｅｎＢａｎｋ  Ｎｏ．ＮＰ＿００２７６６．１に示される。
配列番号５４５に記載のアミノ酸配列からなるポリペプチドは、ＰＡＤＩ２（Ｐｅｐｔｉｄｙｌ  ａｒｇｉｎｉｎｅ  ｄｅｉｍｉｎａｓｅ  ２）、ＰＡＤ２、ＰＤＩ２、またはＰＡＤ−Ｈ１９と呼ばれるタンパク質であり、そのアミノ酸配列はＧｅｎＢａｎｋ  Ｎｏ．ＮＰ＿０３１３９１．２に示される。
配列番号５４６に記載のアミノ酸配列からなるポリペプチドは、ＥＥＰＤ１（Ｅｎｄｏｎｕｃｌｅａｓｅ／ｅｘｏｎｕｃｌｅａｓｅ／ｐｈｏｓｐｈａｔａｓｅ  ｆａｍｉｌｙ  ｄｏｍａｉｎ  ｃｏｎｔａｉｎｉｎｇ  １）、またはＨＳＰＣ１０７と呼ばれるタンパク質であり、そのアミノ酸配列はＧｅｎＢａｎｋ  Ｎｏ．ＮＰ＿０８５１３９．２に示される。
【０２０６】
配列番号５４７に記載のアミノ酸配列からなるポリペプチドは、ＦＡＭ１３２Ａ、Ｃ１ＱＴＮＦ１２（Ｃ１ｑ  ａｎｄ  ｔｕｍｏｒ  ｎｅｃｒｏｓｉｓ  ｆａｃｔｏｒ  ｒｅｌａｔｅｄ  ｐｒｏｔｅｉｎ  １２）、ＣＴＲＰ１２、またはＣ１ＱＤＣ２と呼ばれるタンパク質であり、そのアミノ酸配列はＧｅｎＢａｎｋ  Ｎｏ．ＮＰ＿００１０１４９８０．１に示される。
配列番号５４８に記載のアミノ酸配列からなるポリペプチドは、ＭＩＣＡＬＬ２（ＭＩＣＡＬ  ｌｉｋｅ  ２）、またはＪＲＡＢと呼ばれるタンパク質であり、そのアミノ酸配列はＧｅｎＢａｎｋ  Ｎｏ．ＮＰ＿８９１５５４．１に示される。
配列番号５４９に記載のアミノ酸配列からなるポリペプチドは、ＡＦＡＰ１（Ａｃｔｉｎ  ｆｉｌａｍｅｎｔ  ａｓｓｏｃｉａｔｅｄ  ｐｒｏｔｅｉｎ  １）、ＡＦＡＰ１１０、またはＡＦＡＰと呼ばれるタンパク質であり、そのアミノ酸配列はＧｅｎＢａｎｋ  Ｎｏ．ＮＰ＿９４０９９７．１に示される。
【０２０７】
配列番号５５０に記載のアミノ酸配列からなるポリペプチドは、ＴＮＣ（Ｔｅｎａｓｃｉｎ  Ｃ）、ＤＦＮＡ５６、ＧＭＥＭ、ＧＰ、ＨＸＢ、ＪＩ、ＴＮ、ＴＮ−Ｃ、または１５０−２２５と呼ばれるタンパク質であり、そのアミノ酸配列はＧｅｎＢａｎｋ  Ｎｏ．ＮＰ＿００２１５１．２に示される。
配列番号５５１に記載のアミノ酸配列からなるポリペプチドは、ＫＡＮＫ２（ＫＮ  ｍｏｔｉｆ  ａｎｄ  ａｎｋｙｒｉｎ  ｒｅｐｅａｔ  ｄｏｍａｉｎｓ  ２）、ＭＸＲＡ３、ＰＰＫＷＨ、ＳＩＰ、またはＡＮＫＲＤ２５と呼ばれるタンパク質であり、そのアミノ酸配列はＧｅｎＢａｎｋ  Ｎｏ．ＮＰ＿００１１２９６６３．１に示される。
配列番号５５２に記載のアミノ酸配列からなるポリペプチドは、ＧＮＥ（Ｇｌｕｃｏｓａｍｉｎｅ）、ＧＬＣＮＥ、ＩＢＭ２、ＮＭ、Ｕａｅ１、またはＤＭＲＶと呼ばれるタンパク質であり、そのアミノ酸配列はＧｅｎＢａｎｋ  Ｎｏ．ＮＰ＿００１１２１６９９．１に示される。
【０２０８】
配列番号５５３に記載のアミノ酸配列からなるポリペプチドは、ＡＮＧＰＴＬ４（Ａｎｇｉｏｐｏｉｅｔｉｎ  ｌｉｋｅ  ４）、ＡＲＰ４、ＦＩＡＦ、ＨＡＲＰ、ＨＦＡＲＰ、ＮＬ２、ＰＧＡＲ、ｐｐ１１５８、ＴＧＱＴＬ、ＵＮＱ１７１、またはＡＮＧＰＴＬ２と呼ばれるタンパク質であり、そのアミノ酸配列はＧｅｎＢａｎｋ  Ｎｏ．ＮＰ＿６４７４７５．１に示される。
配列番号５５４に記載のアミノ酸配列からなるポリペプチドは、ＡＫＲ７Ａ３（Ａｌｄｏ−ｋｅｔｏ  ｒｅｄｕｃｔａｓｅ  ｆａｍｉｌｙ  ７  ｍｅｍｂｅｒ  Ａ３）、またはＡＦＡＲ２と呼ばれるタンパク質であり、そのアミノ酸配列はＧｅｎＢａｎｋ  Ｎｏ．ＮＰ＿０３６１９９．２に示される。
配列番号５５５に記載のアミノ酸配列からなるポリペプチドは、ＴＲＡＦ７（ＴＮＦ  ｒｅｃｅｐｔｏｒ  ａｓｓｏｃｉａｔｅｄ  ｆａｃｔｏｒ  ７）、ＲＮＦ１１９、またはＲＦＷＤ１と呼ばれるタンパク質であり、そのアミノ酸配列はＧｅｎＢａｎｋ  Ｎｏ．ＮＰ＿１１５６４７．２に示される。
【０２０９】
配列番号５５６に記載のアミノ酸配列からなるポリペプチドは、ＳＯＣＳ６（Ｓｕｐｐｒｅｓｓｏｒ  ｏｆ  ｃｙｔｏｋｉｎｅ  ｓｉｇｎａｌｉｎｇ  ６）、ＣＩＳ４、ＨＳＰＣ０６０、ＳＯＣＳ４、ＳＳＩ４、ＳＴＡＩ４、またはＳＴＡＴＩ４と呼ばれるタンパク質であり、そのアミノ酸配列はＧｅｎＢａｎｋ  Ｎｏ．ＮＰ＿００４２２３．２に示される。
配列番号５５７に記載のアミノ酸配列からなるポリペプチドは、ＤＯＣＫ１（Ｄｅｄｉｃａｔｏｒ  ｏｆ  ｃｙｔｏｋｉｎｅｓｉｓ  １）、ＤＯＣＫ１８０、またはｃｅｄ５と呼ばれるタンパク質であり、そのアミノ酸配列はＧｅｎＢａｎｋ  Ｎｏ．ＮＰ＿００１３７１．１に示される。
配列番号５５８に記載のアミノ酸配列からなるポリペプチドは、ＰＡＫ４（Ｐ２１  （ＲＡＣ１）  ａｃｔｉｖａｔｅｄ  ｋｉｎａｓｅ  ４）と呼ばれるタンパク質であり、そのアミノ酸配列はＧｅｎＢａｎｋ  Ｎｏ．ＮＰ＿００５８７５．１に示される。
【０２１０】
配列番号５５９に記載のアミノ酸配列からなるポリペプチドは、ＩＲＡＫ２（Ｉｎｔｅｒｌｅｕｋｉｎ  １  ｒｅｃｅｐｔｏｒ  ａｓｓｏｃｉａｔｅｄ  ｋｉｎａｓｅ  ２）と呼ばれるタンパク質であり、そのアミノ酸配列はＧｅｎＢａｎｋ  Ｎｏ．ＮＰ＿００１５６１．３に示される。
配列番号５６０に記載のアミノ酸配列からなるポリペプチドは、ＦＧＦ１９（Ｆｉｂｒｏｂｌａｓｔ  ｇｒｏｗｔｈ  ｆａｃｔｏｒ  １９）と呼ばれるタンパク質であり、そのアミノ酸配列はＧｅｎＢａｎｋ  Ｎｏ．ＮＰ＿００５１０８．１に示される。
配列番号５６１に記載のアミノ酸配列からなるポリペプチドは、ＣＡＰＮ５（Ｃａｌｐａｉｎ  ５）、ＨＴＲＡ３、ｎＣＬ−３、ＶＲＮＩ、またはＡＤＮＩＶと呼ばれるタンパク質であり、そのアミノ酸配列はＧｅｎＢａｎｋ  Ｎｏ．ＮＰ＿００４０４６．２に示される。
【０２１１】
配列番号５６２に記載のアミノ酸配列からなるポリペプチドは、ＴＦＡＰ２Ａ（Ｔｒａｎｓｃｒｉｐｔｉｏｎ  ｆａｃｔｏｒ  ＡＰ−２  ａｌｐｈａ）、ＡＰ−２ａｌｐｈａ、ＡＰ２ＴＦ、ＢＯＦＳ、ＴＦＡＰ２、またはＡＰ−２と呼ばれるタンパク質であり、そのアミノ酸配列はＧｅｎＢａｎｋ  Ｎｏ．ＮＰ＿００１０３５８９０．１に示される。
配列番号５６３に記載のアミノ酸配列からなるポリペプチドは、ＵＳＨ１Ｃ（ＵＳＨ１  ｐｒｏｔｅｉｎ  ｎｅｔｗｏｒｋ  ｃｏｍｐｏｎｅｎｔ  ｈａｒｍｏｎｉｎ）、ＤＦＮＢ１８、ＤＦＮＢ１８Ａ、ＮＹ−ＣＯ−３７、ＮＹ−ＣＯ−３８、ＰＤＺ−４５、ＰＤＺ−７３、ＰＤＺ−７３／ＮＹ−ＣＯ−３８、ＰＤＺＤ７Ｃ、ｕｓｈ１ｃｐｓｔ、またはＡＩＥ−７５と呼ばれるタンパク質であり、そのアミノ酸配列はＧｅｎＢａｎｋ  Ｎｏ．ＮＰ＿００５７００．２に示される。
配列番号５６４に記載のアミノ酸配列からなるポリペプチドは、ＬＡＭＡ４（Ｌａｍｉｎｉｎ  ｓｕｂｕｎｉｔ  ａｌｐｈａ  ４）、ＬＡＭＡ３、ＬＡＭＡ４＊−１、またはＣＭＤ１ＪＪと呼ばれるタンパク質であり、そのアミノ酸配列はＧｅｎＢａｎｋ  Ｎｏ．ＮＰ＿００１０９８６７７．２に示される。
【０２１２】
配列番号５６５に記載のアミノ酸配列からなるポリペプチドは、ＫＬＫ２（Ｋａｌｌｉｋｒｅｉｎ  ｒｅｌａｔｅｄ  ｐｅｐｔｉｄａｓｅ  ２）、ｈＫ２、ＫＬＫ２Ａ２、またはｈＧＫ−１と呼ばれるタンパク質であり、そのアミノ酸配列はＧｅｎＢａｎｋ  Ｎｏ．ＮＰ＿００５５４２．１に示される。
配列番号５６６に記載のアミノ酸配列からなるポリペプチドは、ＫＬＫ３（Ｋａｌｌｉｋｒｅｉｎ  ｒｅｌａｔｅｄ  ｐｅｐｔｉｄａｓｅ  ３）、ｈＫ３、ＫＬＫ２Ａ１、ＰＳＡ、またはＡＰＳと呼ばれるタンパク質であり、そのアミノ酸配列はＧｅｎＢａｎｋ  Ｎｏ．ＮＰ＿００１６３９．１に示される。
配列番号５６７に記載のアミノ酸配列からなるポリペプチドは、ＮＫＸ３−１（ＮＫ３  ｈｏｍｅｏｂｏｘ  １）、ＮＫＸ３、ＮＫＸ３．１、ＮＫＸ３Ａ、またはＢＡＰＸ２と呼ばれるタンパク質であり、そのアミノ酸配列はＧｅｎＢａｎｋ  Ｎｏ．ＮＰ＿００６１５８．２に示される。
【０２１３】
配列番号５６８に記載のアミノ酸配列からなるポリペプチドは、ＫＬＫ４（Ｋａｌｌｉｋｒｅｉｎ  ｒｅｌａｔｅｄ  ｐｅｐｔｉｄａｓｅ  ４）、ＡＲＭ１、ＥＭＳＰ、ＥＭＳＰ１、ｋａｌｌｉｋｒｅｉｎ、ＫＬＫ−Ｌ１、ＰＲＳＳ１７、ＰＳＴＳ、またはＡＩ２Ａ１と呼ばれるタンパク質であり、そのアミノ酸配列はＧｅｎＢａｎｋ  Ｎｏ．ＮＰ＿００４９０８．４に示される。
配列番号５６９に記載のアミノ酸配列からなるポリペプチドは、Ｃ１ｏｒｆ１１６（Ｃｈｒｏｍｏｓｏｍｅ  １  ｏｐｅｎ  ｒｅａｄｉｎｇ  ｆｒａｍｅ  １１６）、またはＳＡＲＧと呼ばれるタンパク質であり、そのアミノ酸配列はＧｅｎＢａｎｋ  Ｎｏ．ＮＰ＿０７６４２７．２に示される。
配列番号５７０に記載のアミノ酸配列からなるポリペプチドは、ＭＳＭＰ（Ｍｉｃｒｏｓｅｍｉｎｏｐｒｏｔｅｉｎ，  ｐｒｏｓｔａｔｅ  ａｓｓｏｃｉａｔｅｄ）、またはＰＳＭＰと呼ばれるタンパク質であり、そのアミノ酸配列はＧｅｎＢａｎｋ  Ｎｏ．ＮＰ＿００１０３７７２９．１に示される。
【０２１４】
配列番号５７１に記載のアミノ酸配列からなるポリペプチドは、ＡＤＡＭＴＳ１（ＡＤＡＭ  ｍｅｔａｌｌｏｐｅｐｔｉｄａｓｅ  ｗｉｔｈ  ｔｈｒｏｍｂｏｓｐｏｎｄｉｎ  ｔｙｐｅ  １  ｍｏｔｉｆ  １）、ＭＥＴＨ１、またはＣ３−Ｃ５と呼ばれるタンパク質であり、そのアミノ酸配列はＧｅｎＢａｎｋ  Ｎｏ．ＮＰ＿００８９１９．３に示される。
配列番号５７２に記載のアミノ酸配列からなるポリペプチドは、ＦＯＬＨ１Ｂ（Ｆｏｌａｔｅ  ｈｙｄｒｏｌａｓｅ  １Ｂ）、ＦＯＬＨＰ、ＧＣＰ３、ＧＣＰＩＩＩ、ＰＳＭ、ＰＳＭＡ−ＬＩＫＥ、ＰＳＭＡＬ、またはＦＯＬＨ２と呼ばれるタンパク質であり、そのアミノ酸配列はＧｅｎＢａｎｋ  Ｎｏ．ＮＰ＿７１０１６３．１に示される。
配列番号５７３に記載のアミノ酸配列からなるポリペプチドは、ＭＥＳＰ１（Ｍｅｓｏｄｅｒｍ  ｐｏｓｔｅｒｉｏｒ  ｂＨＬＨ  ｔｒａｎｓｃｒｉｐｔｉｏｎ  ｆａｃｔｏｒ  １）、またはｂＨＬＨｃ５と呼ばれるタンパク質であり、そのアミノ酸配列はＧｅｎＢａｎｋ  Ｎｏ．ＮＰ＿０６１１４０．１に示される。
【０２１５】
配列番号５７４に記載のアミノ酸配列からなるポリペプチドは、ＰＡＲＤ６Ａ（Ｐａｒ−６  ｆａｍｉｌｙ  ｃｅｌｌ  ｐｏｌａｒｉｔｙ  ｒｅｇｕｌａｔｏｒ  ａｌｐｈａ）、ＰＡＲ６、ＰＡＲ６ａｌｐｈａ、ＰＡＲ６Ｃ、ＴＡＸ４０、ＴＩＰ−４０、またはＰＡＲ−６Ａと呼ばれるタンパク質であり、そのアミノ酸配列はＧｅｎＢａｎｋ  Ｎｏ．ＮＰ＿０５８６４４．１に示される。
配列番号５７５に記載のアミノ酸配列からなるポリペプチドは、ＨＳＢＰ１Ｌ１（Ｈｅａｔ  ｓｈｏｃｋ  ｆａｃｔｏｒ  ｂｉｎｄｉｎｇ  ｐｒｏｔｅｉｎ  １  ｌｉｋｅ  １）と呼ばれるタンパク質であり、そのアミノ酸配列はＧｅｎＢａｎｋ  Ｎｏ．ＮＰ＿００１１２９６５２．１に示される。
配列番号５７６に記載のアミノ酸配列からなるポリペプチドは、ＴＵＳＣ１（Ｔｕｍｏｒ  ｓｕｐｐｒｅｓｓｏｒ  ｃａｎｄｉｄａｔｅ  １）、またはＴＳＧ９と呼ばれるタンパク質であり、そのアミノ酸配列はＧｅｎＢａｎｋ  Ｎｏ．ＮＰ＿００１００４１２５．１に示される。
【０２１６】
配列番号５７７に記載のアミノ酸配列からなるポリペプチドは、ＤＬＧ３（Ｄｉｓｃｓ  ｌａｒｇｅ  ＭＡＧＵＫ  ｓｃａｆｆｏｌｄ  ｐｒｏｔｅｉｎ  ３）、ＭＲＸ９０、ＮＥＤＬＧ、ＰＰＰ１Ｒ８２、ＳＡＰ１０２、ＸＬＭＲ、またはＭＲＸと呼ばれるタンパク質であり、そのアミノ酸配列はＧｅｎＢａｎｋ  Ｎｏ．ＮＰ＿０６６９４３．２に示される。
配列番号５７８に記載のアミノ酸配列からなるポリペプチドは、ＭＢ（Ｍｙｏｇｌｏｂｉｎ）、ＰＶＡＬＢ、またはｍｙｏｇｌｏｂｇｉｎと呼ばれるタンパク質であり、そのアミノ酸配列はＧｅｎＢａｎｋ  Ｎｏ．ＮＰ＿００５３５９．１に示される。
配列番号５７９に記載のアミノ酸配列からなるポリペプチドは、ＨＯＭＥＲ２（Ｈｏｍｅｒ  ｓｃａｆｆｏｌｄｉｎｇ  ｐｒｏｔｅｉｎ  ２）、ＣＰＤ、ＶＥＳＬ−２、またはＡＣＰＤと呼ばれるタンパク質であり、そのアミノ酸配列はＧｅｎＢａｎｋ  Ｎｏ．ＮＰ＿００４８３０．２に示される。
【０２１７】
配列番号５８０に記載のアミノ酸配列からなるポリペプチドは、ＡＲＨＧＥＦ２６（Ｒｈｏ  ｇｕａｎｉｎｅ  ｎｕｃｌｅｏｔｉｄｅ  ｅｘｃｈａｎｇｅ  ｆａｃｔｏｒ  ２６）、ＨＭＦＮ１８６４、ＳＧＥＦ、またはＣＳＧＥＦと呼ばれるタンパク質であり、そのアミノ酸配列はＧｅｎＢａｎｋ  Ｎｏ．ＮＰ＿０５６４１０．３に示される。
配列番号５８１に記載のアミノ酸配列からなるポリペプチドは、ＥＳＲＰ１（Ｅｐｉｔｈｅｌｉａｌ  ｓｐｌｉｃｉｎｇ  ｒｅｇｕｌａｔｏｒｙ  ｐｒｏｔｅｉｎ  １）、ＲＭＢ３５Ａ、またはＲＢＭ３５Ａと呼ばれるタンパク質であり、そのアミノ酸配列はＧｅｎＢａｎｋ  Ｎｏ．ＮＰ＿０６０１６７．２に示される。
配列番号５８２に記載のアミノ酸配列からなるポリペプチドは、ＰＬＣＢ４（Ｐｈｏｓｐｈｏｌｉｐａｓｅ  Ｃ  ｂｅｔａ  ４）、ＰＩ−ＰＬＣ、またはＡＲＣＮＤ２と呼ばれるタンパク質であり、そのアミノ酸配列はＧｅｎＢａｎｋ  Ｎｏ．ＮＰ＿００１１６６１１７．１に示される。
【０２１８】
配列番号５８３に記載のアミノ酸配列からなるポリペプチドは、ＢＣＨＥ（Ｂｕｔｙｒｙｌｃｈｏｌｉｎｅｓｔｅｒａｓｅ）、ＣＨＥ２、Ｅ１、またはＣＨＥ１と呼ばれるタンパク質であり、そのアミノ酸配列はＧｅｎＢａｎｋ  Ｎｏ．ＮＰ＿００００４６．１に示される。
配列番号５８４に記載のアミノ酸配列からなるポリペプチドは、ＡＰＬＮ（Ａｐｅｌｉｎ）、ＸＮＰＥＰ２、またはＡＰＥＬと呼ばれるタンパク質であり、そのアミノ酸配列はＧｅｎＢａｎｋ  Ｎｏ．ＮＰ＿０５９１０９．３に示される。
配列番号５８５に記載のアミノ酸配列からなるポリペプチドは、ＤＳＮ１、ＭＩＳ１２  ｋｉｎｅｔｏｃｈｏｒｅ  ｃｏｍｐｌｅｘ  ｃｏｍｐｏｎｅｎｔ、ｄＪ４６９Ａ１３．２、ｈＫＮＬ−３、ＫＮＬ３、ＭＩＳ１３、またはＣ２０ｏｒｆ１７２と呼ばれるタンパク質であり、そのアミノ酸配列はＧｅｎＢａｎｋ  Ｎｏ．ＮＰ＿００１１３８７８７．１に示される。
【０２１９】
配列番号５８６に記載のアミノ酸配列からなるポリペプチドは、ＳＰＲＹＤ４（ＳＰＲＹ  ｄｏｍａｉｎ  ｃｏｎｔａｉｎｉｎｇ  ４）と呼ばれるタンパク質であり、そのアミノ酸配列はＧｅｎＢａｎｋ  Ｎｏ．ＮＰ＿９９７２２７．１に示される。
配列番号５８７に記載のアミノ酸配列からなるポリペプチドは、Ｃ１２ｏｒｆ７３（Ｃｈｒｏｍｏｓｏｍｅ  １２  ｏｐｅｎ  ｒｅａｄｉｎｇ  ｆｒａｍｅ  ７３）と呼ばれるタンパク質であり、そのアミノ酸配列はＧｅｎＢａｎｋ  Ｎｏ．ＮＰ＿００１１２９０４２．１に示される。
配列番号５８８に記載のアミノ酸配列からなるポリペプチドは、ＯＣＲＬ、ＬＯＣＲ、ＮＰＨＬ２、ＯＣＲＬ１、またはＩＮＰＰ５Ｆ（ｉｎｏｓｉｔｏｌ  ｐｏｌｙｐｈｏｓｐｈａｔｅ−５−ｐｈｏｓｐｈａｔａｓｅ）と呼ばれるタンパク質であり、そのアミノ酸配列はＧｅｎＢａｎｋ  Ｎｏ．ＮＰ＿０００２６７．２に示される。
【０２２０】
配列番号５８９に記載のアミノ酸配列からなるポリペプチドは、ＤＤＩＡＳ（ＤＮＡ  ｄａｍａｇｅ  ｉｎｄｕｃｅｄ  ａｐｏｐｔｏｓｉｓ  ｓｕｐｐｒｅｓｓｏｒ）、ｎｏｘｉｎ、またはＣ１１ｏｒｆ８２と呼ばれるタンパク質であり、そのアミノ酸配列はＧｅｎＢａｎｋ  Ｎｏ．ＮＰ＿６５９４５５．３に示される。
配列番号５９０に記載のアミノ酸配列からなるポリペプチドは、ＣＮＦＮ（Ｃｏｒｎｉｆｅｌｉｎ）、またはＰＬＡＣ８Ｌ２と呼ばれるタンパク質であり、そのアミノ酸配列はＧｅｎＢａｎｋ  Ｎｏ．ＮＰ＿１１５８７７．２に示される。
配列番号５９１に記載のアミノ酸配列からなるポリペプチドは、ＳＩＭ２（Ｓｉｎｇｌｅ−ｍｉｎｄｅｄ  ｆａｍｉｌｙ  ｂＨＬＨ  ｔｒａｎｓｃｒｉｐｔｉｏｎ  ｆａｃｔｏｒ  ２）、ＨＭＣ１３Ｆ０６、ＨＭＣ２９Ｃ０１、ＳＩＭ、またはｂＨＬＨｅ１５と呼ばれるタンパク質であり、そのアミノ酸配列はＧｅｎＢａｎｋ  Ｎｏ．ＮＰ＿００５０６０．１に示される。
【０２２１】
中でも、後述の実施例に示す遺伝子発現解析の結果から、ＳＬＣ７Ａ５（配列番号１）、ＤＨＣＲ７（配列番号２）、ＳＬＣ２９Ａ１（配列番号４）、ＳＣＡＲＢ１（配列番号５）、ＬＲＰ５（配列番号６）、ＭＰＺＬ１（配列番号７）、ＣＤ２７６（配列番号９）、ＰＸＭＰ２（配列番号１０）、ＥＣＥ２（配列番号１２）、ＤＡＧ１（配列番号１３）、ＴＥＸ２６１（配列番号１８）、ＭＹＢＬ２（配列番号１８４）、Ｈ１Ｆ０（配列番号１８５）、ＪＵＰ（配列番号１８６）、ＭＣＭ４（配列番号１８７）、ＰＲＣ１（配列番号１８８）、ＰＫＭＹＴ１（配列番号１９０）、ＡＳＦ１Ｂ（配列番号１９１）、ＣＴＮＮＡＬ１（配列番号１９２）、ＫＣＴＤ３（配列番号１９３）、ＫＩＦ２３（配列番号１９４）、ＮＴ５ＤＣ２（配列番号１９５）、ＧＩＮＳ２（配列番号１９６）、ＰＴＭＳ（配列番号１９７）、ＵＨＲＦ１（配列番号１９８）、ＴＪＰ１（配列番号２００）、ＤＰＣＤ（配列番号２０２）、ＭＹＬ６Ｂ（配列番号２０４）、ＯＲＣ６（配列番号２０８）、ＣＣＮＦ（配列番号２１１）およびＰＵＳ７（配列番号２１６）は、試料中に含まれる腫瘍細胞を癌種（胃癌、小細胞肺癌、肺腺癌、乳癌（本明細書では乳腺癌も含む、以下同じ）、肝癌、膵臓癌、前立腺癌）を問わず広範囲に検出できることが示唆される。
【０２２２】
なお、ＳＬＣ７Ａ５（配列番号１）、ＤＨＣＲ７（配列番号２）、ＳＬＣ２９Ａ１（配列番号４）、ＳＣＡＲＢ１（配列番号５）、ＬＲＰ５（配列番号６）、ＭＰＺＬ１（配列番号７）、ＣＤ２７６（配列番号９）、ＰＸＭＰ２（配列番号１０）、ＥＣＥ２（配列番号１２）、ＤＡＧ１（配列番号１３）およびＴＥＸ２６１（配列番号１８）は膜貫通型タンパク質であることから、試料中に含まれる腫瘍細胞を癌種（胃癌、小細胞肺癌、肺腺癌、乳癌、肝癌、膵臓癌、前立腺癌）を問わず広範囲に回収できることが示唆される。
【０２２３】
また胃癌細胞を特異的に検出したい場合は、後述の実施例に示す遺伝子発現解析の結果から、ＩＦＩ２７（配列番号２７）、ＦＧＦＲ２（配列番号２８）、ＧＡＬＮＴ５（配列番号４３）、Ｂ３ＧＮＴ３（配列番号４７）、ＭＵＣ１３（配列番号５０）、ＰＴＰＲＵ（配列番号６３）、ＭＹＲＦ（配列番号６５）、ＴＭＰＲＳＳ４（配列番号６７）、ＧＪＢ３（配列番号６８）、ＣＥＡＣＡＭ５（配列番号２６０）、ＧＡＴＡ６（配列番号２６１）、ＰＯＦ１Ｂ（配列番号２６２）、ＣＤＸ２（配列番号２６８）、ＭＹＨ１４（配列番号２７６）、Ｃ１ｏｒｆ１０６（配列番号２７８）、ＳＵＬＴ２Ｂ１（配列番号２８６）、ＭＳＸ２（配列番号２８８）、ＦＯＸＱ１（配列番号２９０）、ＣＤＲ２Ｌ（配列番号２９３）、ＨＰＤＬ（配列番号２９５）、ＡＧＲ３（配列番号３００）、ＢＭＩ１（配列番号３０３）、ＦＥＲＭＴ１（配列番号３０６）、ＳＨＲＯＯＭ３（配列番号３０７）およびＰＲＲ１５Ｌ（配列番号３０８）のうち、少なくともいずれか一つを用いると好ましいことが示唆される。
【０２２４】
なお、ＩＦＩ２７（配列番号２７）、ＦＧＦＲ２（配列番号２８）、ＧＡＬＮＴ５（配列番号４３）、Ｂ３ＧＮＴ３（配列番号４７）、ＭＵＣ１３（配列番号５０）、ＰＴＰＲＵ（配列番号６３）、ＭＹＲＦ（配列番号６５）、ＴＭＰＲＳＳ４（配列番号６７）およびＧＪＢ３（配列番号６８）は膜貫通型タンパク質であることから、胃癌細胞を特異的に回収したい場合は、これらのうち、少なくともいずれか一つを用いると好ましいことが示唆される。
【０２２５】
また小細胞肺癌細胞を特異的に検出したい場合は、後述の実施例に示す遺伝子発現解析の結果から、ＳＶ２Ａ（配列番号７４）、ＨＥＰＡＣＡＭ２（配列番号７７）、ＫＣＮＨ２（配列番号７８）、ＴＭＥＦＦ１（配列番号７９）、ＦＸＹＤ６（配列番号８１）、ＲＥＥＰ２（配列番号８３）、ＳＥＺ６（配列番号９２）、ＨＣＮ３（配列番号９３）、ＣＲＭＰ１（配列番号３１０）、ＤＬＸ５（配列番号３１５）、ＳＯＸ２（配列番号３２１）、ＤＬＸ２（配列番号３２５）、ＦＳＤ１（配列番号３２７）、ＤＹＮＣ１Ｉ１（配列番号３３５）、ＭＡＧＥＡ９（配列番号３３６）、ＭＡＧＥＡ９Ｂ（配列番号３３８）、ＳＮＡＰ２５（配列番号３４６）、ＭＰＤＺ（配列番号３５２）、ＩＮＳＭ１（配列番号３５８）、ＰＴＫ７（配列番号７１）、ＧＰＲＣ５Ｂ（配列番号７５）、ＡＢＣＡ３（配列番号７６）、ＴＳＰＡＮ１２（配列番号８２）、ＳＬＣ１Ａ４（配列番号８４）、ＩＦＩ２７Ｌ１（配列番号８５）、ＲＮＦ１８２（配列番号８６）、ＳＹＰ（配列番号８７）、ＮＡＴ１４（配列番号８８）、ＳＹＮＧＲ３（配列番号９０）、ＣＴＸＮ１（配列番号９１）、ＩＧＳＦ９（配列番号９４）およびＸＰＲ１（配列番号９５）のうち、少なくともいずれか一つを用いると好ましいことが示唆される。
【０２２６】
また同様に、小細胞肺癌細胞を特異的に検出したい場合は、後述の実施例に示す遺伝子発現解析の結果から、ＫＩＦ１Ａ（配列番号３１２）、ＮＴＳ（配列番号３１４）、ＤＰＹＳＬ５（配列番号３１６）、ＧＮＧ４（配列番号３１７）、ＩＤ４（配列番号３１８）、ＳＣＭＬ２（配列番号３２０）、ＤＬＸ１（配列番号３２２）、ＰＬＥＫＨＨ３（配列番号３２３）、ＦＡＭ２２２Ａ（配列番号３２４）、ＩＦＴ８１（配列番号３３０）、ＲＡＣ３（配列番号３３２）、ＣＨＮ１（配列番号３３３）、ＴＭＳＢ１５Ａ（配列番号３３４）、ＤＮＡＪＣ６（配列番号３３９）、ＭＡＰＫ８ＩＰ１（配列番号３４０）、ＲＧＳ１６（配列番号３４３）、ＴＲＩＭ３６（配列番号３４５）、ＧＰＨＮ（配列番号３５０）、ＣＨＧＡ（配列番号３５３）、ＥＬＫ１（配列番号３５４）、ＭＹＣＮ（配列番号３５５）、ＭＥＩＳ２（配列番号３５７）、ＡＭＯＴＬ１（配列番号３５９）、ＺＦＰ６９Ｂ（配列番号３６０）、ＧＰＳＭ１（配列番号３６２）、ＬＤＯＣ１Ｌ（配列番号３６３）、ＰＨＬＤＢ１（配列番号３６５）、ＭＡＰＫ８ＩＰ２（配列番号３６６）、ＫＩＦ５Ｃ（配列番号３６８）、ＣＣＮＥ１（配列番号３６９）、ＲＲＡＧＤ（配列番号３７０）、ＺＣ３ＨＡＶ１Ｌ（配列番号３７１）、ＲＩＭＫＬＡ（配列番号３７３）、ＳＰＡＴＳ２（配列番号３７４）、ＰＯＬＡ１（配列番号３７５）、ＮＥＢＬ（配列番号３７６）、ＬＯＮＲＦ１（配列番号３７７）、ＲＡＳＬ１０Ｂ（配列番号３７９）およびＫＬＨＬ１５（配列番号３８３）のうち、少なくともいずれか一つを用いると好ましいことが示唆される。
【０２２７】
中でも、ＳＶ２Ａ（配列番号７４）、ＨＥＰＡＣＡＭ２（配列番号７７）、ＫＣＮＨ２（配列番号７８）、ＴＭＥＦＦ１（配列番号７９）、ＦＸＹＤ６（配列番号８１）、ＲＥＥＰ２（配列番号８３）、ＳＥＺ６（配列番号９２）、ＨＣＮ３（配列番号９３）、ＣＲＭＰ１（配列番号３１０）、ＤＬＸ５（配列番号３１５）、ＳＯＸ２（配列番号３２１）、ＤＬＸ２（配列番号３２５）、ＦＳＤ１（配列番号３２７）、ＤＹＮＣ１Ｉ１（配列番号３３５）、ＭＡＧＥＡ９（配列番号３３６）、ＭＡＧＥＡ９Ｂ（配列番号３３８）、ＳＮＡＰ２５（配列番号３４６）、ＭＰＤＺ（配列番号３５２）およびＩＮＳＭ１（配列番号３５８）は、他の癌種（胃癌、肺腺癌、乳癌、肝癌、膵臓癌、前立腺癌）細胞における発現量が少ない点で、小細胞肺癌細胞を特異的に検出するポリペプチドとして特に好ましい態様であることが示唆される。
【０２２８】
なお、ＳＶ２Ａ（配列番号７４）、ＨＥＰＡＣＡＭ２（配列番号７７）、ＫＣＮＨ２（配列番号７８）、ＴＭＥＦＦ１（配列番号７９）、ＦＸＹＤ６（配列番号８１）、ＲＥＥＰ２（配列番号８３）、ＳＥＺ６（配列番号９２）、ＨＣＮ３（配列番号９３）、ＰＴＫ７（配列番号７１）、ＧＰＲＣ５Ｂ（配列番号７５）、ＡＢＣＡ３（配列番号７６）、ＴＳＰＡＮ１２（配列番号８２）、ＳＬＣ１Ａ４（配列番号８４）、ＩＦＩ２７Ｌ１（配列番号８５）、ＲＮＦ１８２（配列番号８６）、ＳＹＰ（配列番号８７）、ＮＡＴ１４（配列番号８８）、ＳＹＮＧＲ３（配列番号９０）、ＣＴＸＮ１（配列番号９１）、ＩＧＳＦ９（配列番号９４）およびＸＰＲ１（配列番号９５）は膜貫通型タンパク質であることから、小細胞肺癌細胞を特異的に回収したい場合は、これらのうち、少なくともいずれか一つを用いると好ましいことが示唆される。
【０２２９】
中でも、ＳＶ２Ａ（配列番号７４）、ＨＥＰＡＣＡＭ２（配列番号７７）、ＫＣＮＨ２（配列番号７８）、ＴＭＥＦＦ１（配列番号７９）、ＦＸＹＤ６（配列番号８１）、ＲＥＥＰ２（配列番号８３）、ＳＥＺ６（配列番号９２）およびＨＣＮ３（配列番号９３）は、他の癌種（胃癌、肺腺癌、乳癌、肝癌、膵臓癌、前立腺癌）細胞における発現量が少ない点で、小細胞肺癌細胞を特異的に回収するポリペプチドとして特に好ましい態様であることが示唆される。
【０２３０】
また肺腺癌細胞を特異的に検出したい場合は、後述の実施例に示す遺伝子発現解析の結果から、ＮＮＭＴ（配列番号３９６）、ＰＯＭＴ２（配列番号１０２）、ＣＸＣＬ１（配列番号３８９）、ＨＫＤＣ１（配列番号３９０）、ＣＸＣＬ２（配列番号３９１）、ＧＦＰＴ２（配列番号３９５）、ＰＲＳＳ２１（配列番号３９７）、ＭＹＯ１０（配列番号３９９）、ＤＵＳＰ５（配列番号４００）、Ｃ１１ｏｒｆ７４（配列番号４０２）、ＨＳＰＡ２（配列番号４０６）、Ｐ３Ｈ２（配列番号４０７）、Ｃ９ｏｒｆ１１６（配列番号４０８）、ＣＬＰＢ（配列番号４１０）、ＴＯＸ２（配列番号４１１）、ＣＬＶＳ１（配列番号４１２）、ＸＲＣＣ３（配列番号４１３）、Ｃ１Ｒ（配列番号４１６）、ＴＥＡＤ２（配列番号４１８）、ＤＮＭ１（配列番号４２０）およびＦＪＸ１（配列番号４２３）のうち、少なくともいずれか一つを用いると好ましいことが示唆される。
【０２３１】
中でも、ＮＮＭＴ（配列番号３９６）は、他の癌種（胃癌、小細胞肺癌、乳癌、肝癌、膵臓癌、前立腺癌）細胞における発現量が少ない点で、肺腺癌細胞を特異的に検出するポリペプチドとして特に好ましい態様であることが示唆される。
【０２３２】
なお、ＰＯＭＴ２（配列番号１０２）は膜貫通型タンパク質であることから、肺腺癌細胞を特異的に回収したい場合に用いると好ましいことが示唆される。
【０２３３】
また乳癌細胞（場合によっては乳腺癌細胞であってもよい）を特異的に検出したい場合は、後述の実施例に示す遺伝子発現解析の結果から、ＴＰ５３Ｉ１１（配列番号１０６）、ＡＴＰ９Ａ（配列番号１０７）、ＳＭＩＭ２２（配列番号１０８）、Ｌ１ＣＡＭ（配列番号１０９）、ＶＡＮＧＬ１（配列番号１１１）、ＰＸＤＮ（配列番号４２４）、Ｃ３ｏｒｆ１４（配列番号４２５）、ＥＦＨＤ１（配列番号４２６）、ＳＥＭＡ３Ｆ（配列番号４２７）、ＮＴＮ４（配列番号４２９）、ＢＭＰ７（配列番号４３１）、ＯＳＲ２（配列番号４３３）、ＰＣＰ４（配列番号４３４）、ＡＲＭＣ９（配列番号４３５）、ＥＰＳ８Ｌ１（配列番号４３６）、ＦＡＭ１２７Ｃ（配列番号４３９）、ＨＤＡＣ１１（配列番号４４０）、ＬＯＣ１０５３７４８６０（配列番号４４１）、ＲＨＯＶ（配列番号４４２）、ＫＬＣ３（配列番号４４３）、ＣＹＴＨ３（配列番号４４４）、ＰＴＰＮ３（配列番号４４５）およびＺＮＦ７６８（配列番号４４６）のうち、少なくともいずれか一つを用いると好ましいことが示唆される。
【０２３４】
なお、ＴＰ５３Ｉ１１（配列番号１０６）、ＡＴＰ９Ａ（配列番号１０７）、ＳＭＩＭ２２（配列番号１０８）、Ｌ１ＣＡＭ（配列番号１０９）およびＶＡＮＧＬ１（配列番号１１１）は膜貫通型タンパク質であることから、乳癌細胞（場合によっては乳腺癌細胞であってもよい）を特異的に回収したい場合は、これらのうち、少なくともいずれか一つを用いると好ましいことが示唆される。
【０２３５】
また肝癌細胞を特異的に検出したい場合は、後述の実施例に示す遺伝子発現解析の結果から、ＣＨＳＴ１３（配列番号１１３）、ＩＧＤＣＣ３（配列番号１１５）、ＳＯＡＴ２（配列番号１１６）、ＳＬＣ５１Ｂ（配列番号１１７）、ＳＬＣ１３Ａ５（配列番号１１８）、ＳＬＣ３９Ａ５（配列番号１２０）、ＡＤＧＲＬ２（配列番号１２２）、ＴＦＲ２（配列番号１２３）、ＡＧＴＲ１（配列番号１２５）、ＳＬＣ２Ａ２（配列番号１２９）、ＡＦＰ（配列番号４４７）、ＡＭＢＰ（配列番号４４８）、ＯＲＭ１（配列番号４４９）、ＡＰＯＭ（配列番号４５０）、ＨＡＭＰ（配列番号４５１）、Ｃ２（配列番号４５６）、ＨＬＦ（配列番号４６０）、ＧＬＴＰＤ２（配列番号４６４）、ＳＡＲＤＨ（配列番号４７５）、ＮＥＵ４（配列番号４７８）、ＴＲＩＭ７１（配列番号４８０）、ＣＰＮ２（配列番号４８２）、ＮＲ１Ｈ４（配列番号４８７）、ＶＷＣＥ（配列番号４９１）、ＭＡＳＰ１（配列番号４９６）、Ｃ２ｏｒｆ７２（配列番号４９８）、ＭＳＴ１（配列番号５０１）、ＭＡＴ１Ａ（配列番号５０５）、Ｃ４Ｂ（配列番号５０６）、ＰＨＹＨＤ１（配列番号５０９）、ＦＴＣＤ（配列番号５１１）、ＨＰＤ（配列番号５１２）、Ｃ４ＢＰＡ（配列番号５１３）、ＮＫＤ１（配列番号５１５）、Ｃ４Ａ（配列番号５１６）、ＥＮＰＰ２（配列番号５２０）、ＣＲＬＦ１（配列番号５２２）、ＲＥＬＮ（配列番号５３１）およびＳＥＲＰＩＮＡ７（配列番号５３３）のうち、少なくともいずれか一つを用いると好ましいことが示唆される。
【０２３６】
また同様に、肝癌細胞を特異的に検出したい場合は、後述の実施例に示す遺伝子発現解析の結果から、ＦＧＦＲ３（配列番号１１２）、ＭＸＲＡ８（配列番号１１４）、ＦＺＤ５（配列番号１１９）、ＡＤＧＲＡ３（配列番号１２１）、ＤＣＢＬＤ１（配列番号１２４）、ＤＧＡＴ２（配列番号１２６）、ＦＮＤＣ４（配列番号１２７）、ＰＬＸＮＢ１（配列番号１２８）、ＳＬＣ２２Ａ３（配列番号１３０）、ＳＬＣ７Ａ２（配列番号１３１）、ＳＬＣ２９Ａ４（配列番号１３２）、ＦＡＭ１７１Ａ１（配列番号１３３）、ＦＺＤ４（配列番号１３４）、ＰＬＬＰ（配列番号１３５）、ＲＯＢＯ１（配列番号１３６）、ＡＴＰ７Ｂ（配列番号１３７）、ＳＣＡＲＡ３（配列番号１３８）、Ｃ２ｏｒｆ８２（配列番号１４０）、ＲＮＦ４３（配列番号１４１）、ＫＩＡＡ１１６１（配列番号１４２）、ＬＲＩＧ３（配列番号１４３）、ＧＯＬＴ１Ａ（配列番号１４４）、ＳＬＣ１９Ａ２（配列番号１４５）、ＧＲＥＢ１（配列番号１４６）、ＭＣＡＭ（配列番号１４７）、ＳＬＣ６Ａ１１（配列番号１４８）、ＧＰＥＲ１（配列番号１４９）、ＳＬＣ９Ｂ２（配列番号１５１）、ＴＲＡＭ２（配列番号１５２）、ＨＳ６ＳＴ１（配列番号１５３）、ＱＰＲＴ（配列番号４５２）、ＲＮＡＳＥ４（配列番号４５４）、ＦＯＸＡ２（配列番号４５５）、ＭＭＰ１１（配列番号４５９）、ＣＯＬ２Ａ１（配列番号４６１）、ＫＡＮＫ１（配列番号４６２）およびＦＯＸＡ３（配列番号４６３）のうち、少なくともいずれか一つを用いると好ましいことが示唆される。
【０２３７】
また同様に、肝癌細胞を特異的に検出したい場合は、後述の実施例に示す遺伝子発現解析の結果から、ＳＥＲＰＩＮＡ３（配列番号４６６）、ＬＯＸ（配列番号４６７）、ＨＮＦ４Ａ（配列番号４６８）、ＩＴＰＫＡ（配列番号４６９）、ＨＮＦ１Ａ（配列番号４７０）、ＴＣＡＦ１（配列番号４７１）、ＰＬＣＸＤ１（配列番号４７２）、ＭＩＡ２（配列番号４７３）、ＩＧＦ２ＢＰ１（配列番号４７４）、ＰＲＯＸ１（配列番号４７６）、ＡＲＳＢ（配列番号４７７）、ＯＢＳＬ１（配列番号４７９）、ＸＹＬＢ（配列番号４８１）、ＮＯＴＵＭ（配列番号４８４）、ＦＯＸＰ４（配列番号４８５）、ＡＮＫＲＤ１（配列番号４８９）、ＴＰ５３ＩＮＰ２（配列番号４９０）、ＣＯＢＬＬ１（配列番号４９２）、ＤＬＣ１（配列番号４９４）、ＣＡＭＳＡＰ３（配列番号４９５）、ＰＧＦ（配列番号４９７）、ＬＲＧ１（配列番号５００）、ＡＳＡＰ３（配列番号５０２）、ＡＦＭＩＤ（配列番号５０３）、ＮＲ５Ａ２（配列番号５０４）、ＴＯＸ３（配列番号５０７）、ＭＳＸ１（配列番号５０８）、ＨＳＤ１１Ｂ２（配列番号５１０）、ＣＮＫＳＲ３（配列番号５１４）、ＡＲＨＧＥＦ２８（配列番号５１７）、ＲＡＳＤ１（配列番号５１８）、ＣＡＤＰＳ２（配列番号５２１）、ＰＡＮＫ３（配列番号５２４）、ＳＣＬＹ（配列番号５２５）、ＤＰＥＰ１（配列番号５２６）、ＤＴＤ２（配列番号５２７）、ＡＣＯＸ２（配列番号５２８）、ＣＯＬ９Ａ３（配列番号５２９）およびＵＳＰ１８（配列番号５３０）のうち、少なくともいずれか一つを用いると好ましいことが示唆される。
【０２３８】
中でも、ＣＨＳＴ１３（配列番号１１３）、ＩＧＤＣＣ３（配列番号１１５）、ＳＯＡＴ２（配列番号１１６）、ＳＬＣ５１Ｂ（配列番号１１７）、ＳＬＣ１３Ａ５（配列番号１１８）、ＳＬＣ３９Ａ５（配列番号１２０）、ＡＤＧＲＬ２（配列番号１２２）、ＴＦＲ２（配列番号１２３）、ＡＧＴＲ１（配列番号１２５）、ＳＬＣ２Ａ２（配列番号１２９）、ＡＦＰ（配列番号４４７）、ＡＭＢＰ（配列番号４４８）、ＯＲＭ１（配列番号４４９）、ＡＰＯＭ（配列番号４５０）、ＨＡＭＰ（配列番号４５１）、Ｃ２（配列番号４５６）、ＨＬＦ（配列番号４６０）、ＧＬＴＰＤ２（配列番号４６４）、ＳＡＲＤＨ（配列番号４７５）、ＮＥＵ４（配列番号４７８）、ＴＲＩＭ７１（配列番号４８０）、ＣＰＮ２（配列番号４８２）、ＮＲ１Ｈ４（配列番号４８７）、ＶＷＣＥ（配列番号４９１）、ＭＡＳＰ１（配列番号４９６）、Ｃ２ｏｒｆ７２（配列番号４９８）、ＭＳＴ１（配列番号５０１）、ＭＡＴ１Ａ（配列番号５０５）、Ｃ４Ｂ（配列番号５０６）、ＰＨＹＨＤ１（配列番号５０９）、ＦＴＣＤ（配列番号５１１）、ＨＰＤ（配列番号５１２）、Ｃ４ＢＰＡ（配列番号５１３）、ＮＫＤ１（配列番号５１５）、Ｃ４Ａ（配列番号５１６）、ＥＮＰＰ２（配列番号５２０）、ＣＲＬＦ１（配列番号５２２）、ＲＥＬＮ（配列番号５３１）およびＳＥＲＰＩＮＡ７（配列番号５３３）は、他の癌種（胃癌、小細胞肺癌、肺腺癌、乳癌、膵臓癌、前立腺癌）細胞における発現量が少ない点で、肝癌細胞を特異的に検出するポリペプチドとして特に好ましい態様であることが示唆される。
【０２３９】
なお、ＣＨＳＴ１３（配列番号１１３）、ＩＧＤＣＣ３（配列番号１１５）、ＳＯＡＴ２（配列番号１１６）、ＳＬＣ５１Ｂ（配列番号１１７）、ＳＬＣ１３Ａ５（配列番号１１８）、ＳＬＣ３９Ａ５（配列番号１２０）、ＡＤＧＲＬ２（配列番号１２２）、ＴＦＲ２（配列番号１２３）、ＡＧＴＲ１（配列番号１２５）、ＳＬＣ２Ａ２（配列番号１２９）、ＦＧＦＲ３（配列番号１１２）、ＭＸＲＡ８（配列番号１１４）、ＦＺＤ５（配列番号１１９）、ＡＤＧＲＡ３（配列番号１２１）、ＤＣＢＬＤ１（配列番号１２４）、ＤＧＡＴ２（配列番号１２６）、ＦＮＤＣ４（配列番号１２７）、ＰＬＸＮＢ１（配列番号１２８）、ＳＬＣ２２Ａ３（配列番号１３０）、ＳＬＣ７Ａ２（配列番号１３１）、ＳＬＣ２９Ａ４（配列番号１３２）、ＦＡＭ１７１Ａ１（配列番号１３３）、ＦＺＤ４（配列番号１３４）、ＰＬＬＰ（配列番号１３５）、ＲＯＢＯ１（配列番号１３６）、ＡＴＰ７Ｂ（配列番号１３７）、ＳＣＡＲＡ３（配列番号１３８）、Ｃ２ｏｒｆ８２（配列番号１４０）、ＲＮＦ４３（配列番号１４１）、ＫＩＡＡ１１６１（配列番号１４２）、ＬＲＩＧ３（配列番号１４３）、ＧＯＬＴ１Ａ（配列番号１４４）、ＳＬＣ１９Ａ２（配列番号１４５）、ＧＲＥＢ１（配列番号１４６）、ＭＣＡＭ（配列番号１４７）、ＳＬＣ６Ａ１１（配列番号１４８）、ＧＰＥＲ１（配列番号１４９）、ＳＬＣ９Ｂ２（配列番号１５１）、ＴＲＡＭ２（配列番号１５２）およびＨＳ６ＳＴ１（配列番号１５３）は膜貫通型タンパク質であることから、肝癌細胞を特異的に回収したい場合は、これらのうち、少なくともいずれか一つを用いると好ましいことが示唆される。
【０２４０】
中でも、ＣＨＳＴ１３（配列番号１１３）、ＩＧＤＣＣ３（配列番号１１５）、ＳＯＡＴ２（配列番号１１６）、ＳＬＣ５１Ｂ（配列番号１１７）、ＳＬＣ１３Ａ５（配列番号１１８）、ＳＬＣ３９Ａ５（配列番号１２０）、ＡＤＧＲＬ２（配列番号１２２）、ＴＦＲ２（配列番号１２３）、ＡＧＴＲ１（配列番号１２５）およびＳＬＣ２Ａ２（配列番号１２９）は、他の癌種（胃癌、小細胞肺癌、肺腺癌、乳癌、膵臓癌、前立腺癌）細胞における発現量が少ない点で、肝癌細胞を特異的に回収するポリペプチドとして特に好ましい態様であることが示唆される。
【０２４１】
また膵臓癌細胞を特異的に検出したい場合は、後述の実施例に示す遺伝子発現解析の結果から、ＮＴＳＲ１（配列番号１５４）、ＨＴＲ１Ｄ（配列番号１６５）、ＰＰＰ１Ｒ１４Ａ（配列番号５３６）、ＦＡＭ１３２Ａ（配列番号５４７）、ＬＡＭＡ４（配列番号５６４）、ＧＡＬＮＴ７（配列番号１５５）、ＫＩＲＲＥＬ（配列番号１５６）、ＰＣＤＨ７（配列番号１５７）、ＴＯＲ４Ａ（配列番号１５８）、ＣＡ９（配列番号１５９）、ＴＮＦＳＦ９（配列番号１６１）、ＳＥＺ６Ｌ２（配列番号１６３）、ＭＡＲＶＥＬＤ１（配列番号１６４）、ＴＭＣ７（配列番号１６６）、ＴＭＥＭ４４（配列番号１６７）、Ｃ１６ｏｒｆ４５（配列番号５３４）、ＣＣＬ２（配列番号５３５）、ＵＡＣＡ（配列番号５３７）、ＡＳＡＰ２（配列番号５３８）、ＨＯＸＢ６（配列番号５３９）、ＭＳＬＮ（配列番号５４０）、ＷＮＴ７Ｂ（配列番号５４１）、ＳＮＸ８（配列番号５４２）、ＰＬＥＫＨＧ２（配列番号５４３）、ＨＴＲＡ１（配列番号５４４）、ＰＡＤＩ２（配列番号５４５）、ＥＥＰＤ１（配列番号５４６）、ＭＩＣＡＬＬ２（配列番号５４８）、ＡＦＡＰ１（配列番号５４９）、ＴＮＣ（配列番号５５０）、ＫＡＮＫ２（配列番号５５１）、ＧＮＥ（配列番号５５２）、ＡＮＧＰＴＬ４（配列番号５５３）、ＡＫＲ７Ａ３（配列番号５５４）、ＴＲＡＦ７（配列番号５５５）、ＳＯＣＳ６（配列番号５５６）、ＤＯＣＫ１（配列番号５５７）、ＰＡＫ４（配列番号５５８）、ＩＲＡＫ２（配列番号５５９）、ＦＧＦ１９（配列番号５６０）、ＣＡＰＮ５（配列番号５６１）、ＴＦＡＰ２Ａ（配列番号５６２）およびＵＳＨ１Ｃ（配列番号５６３）のうち、少なくともいずれか一つを用いると好ましいことが示唆される。
【０２４２】
中でも、ＮＴＳＲ１（配列番号１５４）、ＨＴＲ１Ｄ（配列番号１６５）、ＰＰＰ１Ｒ１４Ａ（配列番号５３６）、ＦＡＭ１３２Ａ（配列番号５４７）およびＬＡＭＡ４（配列番号５６４）は、他の癌種（胃癌、小細胞肺癌、肺腺癌、乳癌、肝癌、前立腺癌）細胞における発現量が少ない点で、膵臓癌細胞を特異的に検出するポリペプチドとして特に好ましい態様であることが示唆される。
【０２４３】
なおＮＴＳＲ１（配列番号１５４）、ＨＴＲ１Ｄ（配列番号１６５）、ＧＡＬＮＴ７（配列番号１５５）、ＫＩＲＲＥＬ（配列番号１５６）、ＰＣＤＨ７（配列番号１５７）、ＴＯＲ４Ａ（配列番号１５８）、ＣＡ９（配列番号１５９）、ＴＮＦＳＦ９（配列番号１６１）、ＳＥＺ６Ｌ２（配列番号１６３）、ＭＡＲＶＥＬＤ１（配列番号１６４）、ＴＭＣ７（配列番号１６６）およびＴＭＥＭ４４（配列番号１６７）は膜貫通型タンパク質であることから、膵臓癌細胞を特異的に回収したい場合は、これらのうち、少なくともいずれか一つを用いると好ましいことが示唆される。
【０２４４】
中でも、ＮＴＳＲ１（配列番号１５４）およびＨＴＲ１Ｄ（配列番号１６５）は、他の癌種（胃癌、小細胞肺癌、肺腺癌、乳癌、肝癌、前立腺癌）細胞における発現量が少ない点で、膵臓癌細胞を特異的に回収するポリペプチドとして特に好ましい態様であることが示唆される。
【０２４５】
また前立腺癌細胞を特異的に検出したい場合は、後述の実施例に示す遺伝子発現解析の結果から、ＦＯＬＨ１（配列番号１６８）、ＴＭＥＦＦ２（配列番号１６９）、ＤＳＥＬ（配列番号１７６）、ＣＯＬＥＣ１２（配列番号１８０）、ＣＯＬＣＡ１（配列番号１８１）、ＫＬＫ２（配列番号５６５）、ＫＬＫ３（配列番号５６６）、ＮＫＸ３−１（配列番号５６７）、ＫＬＫ４（配列番号５６８）、ＡＤＡＭＴＳ１（配列番号５７１）、ＦＯＬＨ１Ｂ（配列番号５７２）、ＢＣＨＥ（配列番号５８３）、ＡＰＬＮ（配列番号５８４）、ＳＩＭ２（配列番号５９１）、ＴＭＰＲＳＳ２（配列番号１７０）、ＳＹＮＥ４（配列番号１７１）、ＥＰＨＢ３（配列番号１７２）、ＳＬＣ４４Ａ４（配列番号１７３）、ＳＹＴ４（配列番号１７４）、ＳＬＣ４５Ａ３（配列番号１７５）、ＬＲＲＣ２６（配列番号１７７）、ＴＭＥＭ１２５（配列番号１７８）、ＭＡＲＶＥＬＤ２（配列番号１７９）、ＳＬＣ４６Ａ１（配列番号１８２）、ＴＲＩＱＫ（配列番号１８３）、Ｃ１ｏｒｆ１１６（配列番号５６９）、ＭＳＭＰ（配列番号５７０）、ＭＥＳＰ１（配列番号５７３）、ＰＡＲＤ６Ａ（配列番号５７４）、ＨＳＢＰ１Ｌ１（配列番号５７５）、ＴＵＳＣ１（配列番号５７６）、ＤＬＧ３（配列番号５７７）、ＭＢ（配列番号５７８）、ＨＯＭＥＲ２（配列番号５７９）、ＡＲＨＧＥＦ２６（配列番号５８０）、ＥＳＲＰ１（配列番号５８１）、ＰＬＣＢ４（配列番号５８２）、ＤＳＮ１（配列番号５８５）、ＳＰＲＹＤ４（配列番号５８６）、Ｃ１２ｏｒｆ７３（配列番号５８７）、ＯＣＲＬ（配列番号５８８）、ＤＤＩＡＳ（配列番号５８９）およびＣＮＦＮ（配列番号５９０）のうち、少なくともいずれか一つを用いると好ましいことが示唆される。
【０２４６】
中でも、ＦＯＬＨ１（配列番号１６８）、ＴＭＥＦＦ２（配列番号１６９）、ＤＳＥＬ（配列番号１７６）、ＣＯＬＥＣ１２（配列番号１８０）、ＣＯＬＣＡ１（配列番号１８１）、ＫＬＫ２（配列番号５６５）、ＫＬＫ３（配列番号５６６）、ＮＫＸ３−１（配列番号５６７）、ＫＬＫ４（配列番号５６８）、ＡＤＡＭＴＳ１（配列番号５７１）、ＦＯＬＨ１Ｂ（配列番号５７２）、ＢＣＨＥ（配列番号５８３）、ＡＰＬＮ（配列番号５８４）およびＳＩＭ２（配列番号５９１）は、他の癌種（胃癌、小細胞肺癌、肺腺癌、乳癌、肝癌、膵臓癌）細胞における発現量が少ない点で、前立腺癌細胞を特異的に検出するポリペプチドとして特に好ましい態様であることが示唆される。
【０２４７】
なお、ＦＯＬＨ１（配列番号１６８）、ＴＭＥＦＦ２（配列番号１６９）、ＤＳＥＬ（配列番号１７６）、ＣＯＬＥＣ１２（配列番号１８０）、ＣＯＬＣＡ１（配列番号１８１）、ＴＭＰＲＳＳ２（配列番号１７０）、ＳＹＮＥ４（配列番号１７１）、ＥＰＨＢ３（配列番号１７２）、ＳＬＣ４４Ａ４（配列番号１７３）、ＳＹＴ４（配列番号１７４）、ＳＬＣ４５Ａ３（配列番号１７５）、ＬＲＲＣ２６（配列番号１７７）、ＴＭＥＭ１２５（配列番号１７８）、ＭＡＲＶＥＬＤ２（配列番号１７９）、ＳＬＣ４６Ａ１（配列番号１８２）およびＴＲＩＱＫ（配列番号１８３）は膜貫通型タンパク質であることから、前立腺癌細胞を特異的に回収したい場合は、これらのうち、少なくともいずれか一つを用いると好ましいことが示唆される。
【０２４８】
中でも、ＦＯＬＨ１（配列番号１６８）、ＴＭＥＦＦ２（配列番号１６９）、ＤＳＥＬ（配列番号１７６）、ＣＯＬＥＣ１２（配列番号１８０）およびＣＯＬＣＡ１（配列番号１８１）は、他の癌種（胃癌、小細胞肺癌、肺腺癌、乳癌、肝癌、膵臓癌）細胞における発現量が少ない点で、前立腺癌細胞を特異的に回収するポリペプチドとして特に好ましい態様であることが示唆される。
【０２４９】
なお本発明では、配列番号１から５９１のいずれかに記載のアミノ酸配列からなるタンパク質と同じ活性を有する限り、配列番号１から５９１のいずれかに記載のアミノ酸配列の１から数個のアミノ酸残基が他のアミノ酸残基に置換または欠失した態様であってもよく、また配列番号１から５９１のいずれかに記載のアミノ酸配列に１から数個のアミノ酸残基が挿入された態様であってもよい。また同様にタンパク質としての機能を有している限り、これらポリペプチドのＮ末端および／またはＣ末端に一残基以上アミノ酸残基を付加した態様であってもよい。また本発明の方法で用いられるマーカーは、配列番号１から５９１のいずれかに記載のアミノ酸配列からなるタンパク質と同じ活性を有する限り、配列番号１から５９１のいずれかに記載のアミノ酸配列全体に対して、例えば、７０％以上、８０％以上、９０％以上、９５％以上の相同性を有するタンパク質であってもよい。
【０２５０】
さらに真核細胞では、タンパク質をコードする遺伝子から当該タンパク質を発現させる際、遺伝子（ＲＮＡ）前駆体中のイントロンを除去し、前後のエキソンを再結合する反応（スプライシング）が生じるが、残るエキソンには多様性があり、さまざまな成熟ｍＲＮＡが生産されるため、活性の異なるタンパク質（スプライシングバリアント）が発現することもある。本発明で検出に使用可能なポリペプチドには、配列番号１から５９１のいずれかに記載のアミノ酸配列のスプライシングバリアントを少なくとも含むポリペプチドや、配列番号１から５９１のいずれかに記載のアミノ酸配列と８０％以上の相同性を有するポリペプチドのスプライシングバリアントを少なくとも含むポリペプチドも含まれる。
【０２５１】
本発明の検出を行なう場合、前記（ｉ）から（ｉｉｉ）に記載のいずれかのポリペプチドを特異的に標識可能な色素（例えば化学発光色素や蛍光色素など）を添加して染色し、その染色像または染色強度（例えば発光強度や蛍光強度）に基づき、検出してもよいが、汎用性の点から前述したポリペプチドに対する抗体（以下、単に抗ポリペプチド抗体とも表記する）またはアプタマーを用いて検出する方法が一般的であり、かつ直接検出／間接的検出の両方に適用可能な点で好ましい態様といえる。
【０２５２】
また、前記（ｉ）から（ｉｉｉ）に記載のポリペプチドのうち、膜貫通型タンパク質である、前記（ｖｉ）から（ｉｖ）に記載のポリペプチドは、試料中に含まれる腫瘍細胞を当該試料中に含まれる白血球と区別して回収可能な腫瘍マーカーとなりうるものである。
【０２５３】
抗ポリペプチド抗体を用いて試料中に含まれる腫瘍細胞を検出する際は、前記抗体に何らかの方法で標識物質を修飾し、当該標識物質の有無または量に基づき検出することが好ましい。標識物質は、抗原抗体反応を利用した測定の分野で通常用いられる物質の中から適宜選択すればよく、一例として、フルオレセイン等の蛍光物質や、アルカリホスファターゼ等の酵素、放射性物質があげられる。前記抗体と標識物質との結合態様に限定はなく、前記抗体が標識物質と化学結合などにより直接結合された態様であってもよく、前記抗体が標識物質が結合された前記抗体に対する抗体（標識二次抗体）によって間接的に結合された態様であってもよい。抗ポリペプチド抗体を用いた試料中に含まれる腫瘍細胞の検出フォーマットに特に限定はなく、用手法でＥＬＩＳＡ（Ｅｎｚｙｍｅ−Ｌｉｎｋｅｄ  ＩｍｍｕｎｏＳｏｒｂｅｎｔ  Ａｓｓａｙ）法やウェスタンブロット法などにより検出してもよく、ＡＩＡ−９００やＡＩＡ−ＣＬ２４００（いずれも東ソー）などのエンザイムイムノアッセイ装置を用いて自動的に検出してもよい。
【０２５４】
このように前記（ｉ）から（ｉｉｉ）に記載のポリペプチドは、試料中に含まれる腫瘍細胞を当該試料中に含まれる白血球と区別して検出可能な腫瘍マーカーとなりうるものである。
【０２５５】
本発明により腫瘍細胞を夾雑細胞と区別して回収するには、前記（ｉｖ）から（ｖｉ）のいずれかに記載のポリペプチドを用いて当該腫瘍細胞を夾雑細胞と区別して検出した後、当該検出した腫瘍細胞を回収手段を用いて回収すればよい。回収手段の一例として、腫瘍細胞を保持可能な保持部を設けた基板とノズルによる吸引吐出により当該腫瘍細胞を回収する回収部とを備えた手段があげられ、具体例として特開２０１６−１４２６１６号に開示の回収装置があげられる。
【０２５６】
一方、本発明において、前述の（ｉ）から（ｉｉｉ）のいずれかのポリペプチドをコードする遺伝子とは、前記（ｉ）から（ｉｉｉ）に記載のいずれかのポリペプチドをコドンを用いて変換し得られるポリヌクレオチドであれば特に限定はなく、特にヒト型コドンを用いて変換したものが好ましい。
【０２５７】
配列番号１から５９１のいずれかに記載のアミノ酸配列からなるポリペプチドを少なくとも含むポリペプチドをコードする遺伝子の一例として、以下の配列があげられる。
【０２５８】
配列番号１に記載の配列からなるポリペプチドを変換した、配列番号５９２に記載の配列のうち７３番目から１５９３番目までのヌクレオチドからなるポリヌクレオチド（ＧｅｎＢａｎｋ  Ｎｏ．ＮＭ＿００３４８６．５）、
配列番号２に記載の配列からなるポリペプチドを変換した、配列番号５９３に記載の配列のうち２７４番目から１６９８番目までのヌクレオチドからなるポリヌクレオチド（ＧｅｎＢａｎｋ  Ｎｏ．ＮＭ＿００１３６０．２）、
配列番号３に記載の配列からなるポリペプチドを変換した、配列番号５９４に記載の配列のうち３３６番目から９６８番目までのヌクレオチドからなるポリヌクレオチド（ＧｅｎＢａｎｋ  Ｎｏ．ＮＭ＿００１１８５０２２．１）。
【０２５９】
配列番号４に記載の配列からなるポリペプチドを変換した、配列番号５９５に記載の配列のうち１９３番目から１７９７番目までのヌクレオチドからなるポリヌクレオチド（ＧｅｎＢａｎｋ  Ｎｏ．ＮＭ＿００１３０４４６２．１）、
配列番号５に記載の配列からなるポリペプチドを変換した、配列番号５９６に記載の配列のうち２５４番目から１７８０番目までのヌクレオチドからなるポリヌクレオチド（ＧｅｎＢａｎｋ  Ｎｏ．ＮＭ＿００５５０５．４）、
配列番号６に記載の配列からなるポリペプチドを変換した、配列番号５９７に記載の配列のうち１０７番目から４９５１番目までのヌクレオチドからなるポリヌクレオチド（ＧｅｎＢａｎｋ  Ｎｏ．ＮＭ＿００２３３５．３）。
【０２６０】
配列番号７に記載の配列からなるポリペプチドを変換した、配列番号５９８に記載の配列のうち２０３番目から１００９番目までのヌクレオチドからなるポリヌクレオチド（ＧｅｎＢａｎｋ  Ｎｏ．ＮＭ＿００３９５３．５）、
配列番号８に記載の配列からなるポリペプチドを変換した、配列番号５９９に記載の配列のうち１９４番目から３２６５番目までのヌクレオチドからなるポリヌクレオチド（ＧｅｎＢａｎｋ  Ｎｏ．ＮＭ＿０１７８７０．３）、
配列番号９に記載の配列からなるポリペプチドを変換した、配列番号６００に記載の配列のうち２３５番目から１１８２番目までのヌクレオチドからなるポリヌクレオチド（ＧｅｎＢａｎｋ  Ｎｏ．ＮＭ＿０２５２４０．２）。
【０２６１】
配列番号１０に記載の配列からなるポリペプチドを変換した、配列番号６０１に記載の配列のうち６６番目から６５０番目までのヌクレオチドからなるポリヌクレオチド（ＧｅｎＢａｎｋ  Ｎｏ．ＮＭ＿０１８６６３．２）、
配列番号１１に記載の配列からなるポリペプチドを変換した、配列番号６０２に記載の配列のうち１８８番目から２７６７番目までのヌクレオチドからなるポリヌクレオチド（ＧｅｎＢａｎｋ  Ｎｏ．ＮＭ＿０００５２７．４）、
配列番号１２に記載の配列からなるポリペプチドを変換した、配列番号６０３に記載の配列のうち３９番目から２６８７番目までのヌクレオチドからなるポリヌクレオチド（ＧｅｎＢａｎｋ  Ｎｏ．ＮＭ＿０１４６９３．３）。
【０２６２】
配列番号１３に記載の配列からなるポリペプチドを変換した、配列番号６０４に記載の配列のうち４７０番目から３１５４番目までのヌクレオチドからなるポリヌクレオチド（ＧｅｎＢａｎｋ  Ｎｏ．ＮＭ＿００１１７７６４３．２）、
配列番号１４に記載の配列からなるポリペプチドを変換した、配列番号６０５に記載の配列のうち８４番目から１３４９番目までのヌクレオチドからなるポリヌクレオチド（ＧｅｎＢａｎｋ  Ｎｏ．ＮＭ＿００１２８１５０１．１）、
配列番号１５に記載の配列からなるポリペプチドを変換した、配列番号６０６に記載の配列のうち４３１番目から１２４９番目までのヌクレオチドからなるポリヌクレオチド（ＧｅｎＢａｎｋ  Ｎｏ．ＮＭ＿１５２３４１．４）。
【０２６３】
配列番号１６に記載の配列からなるポリペプチドを変換した、配列番号６０７に記載の配列のうち２７４番目から１６６５番目までのヌクレオチドからなるポリヌクレオチド（ＧｅｎＢａｎｋ  Ｎｏ．ＮＭ＿００１１９９０３８．１）、
配列番号１７に記載の配列からなるポリペプチドを変換した、配列番号６０８に記載の配列のうち２７７番目から３４２０番目までのヌクレオチドからなるポリヌクレオチド（ＧｅｎＢａｎｋ  Ｎｏ．ＮＭ＿００２２１０．４）、
配列番号１８に記載の配列からなるポリペプチドを変換した、配列番号６０９に記載の配列のうち１１５番目から７０２番目までのヌクレオチドからなるポリヌクレオチド（ＧｅｎＢａｎｋ  Ｎｏ．ＮＭ＿１４４５８２．２）。
【０２６４】
配列番号１９に記載の配列からなるポリペプチドを変換した、配列番号６１０に記載の配列のうち１３４番目から１６９３番目までのヌクレオチドからなるポリヌクレオチド（ＧｅｎＢａｎｋ  Ｎｏ．ＮＭ＿１３８７９９．２）、
配列番号２０に記載の配列からなるポリペプチドを変換した、配列番号６１１に記載の配列のうち３８８番目から２２７４番目までのヌクレオチドからなるポリヌクレオチド（ＧｅｎＢａｎｋ  Ｎｏ．ＮＭ＿００３０４５．４）、
配列番号２１に記載の配列からなるポリペプチドを変換した、配列番号６１２に記載の配列のうち１９８番目から１７５４番目までのヌクレオチドからなるポリヌクレオチド（ＧｅｎＢａｎｋ  Ｎｏ．ＮＭ＿０１５８８４．３）。
【０２６５】
配列番号２２に記載の配列からなるポリペプチドを変換した、配列番号６１３に記載の配列のうち１２９番目から１６３１番目までのヌクレオチドからなるポリヌクレオチド（ＧｅｎＢａｎｋ  Ｎｏ．ＮＭ＿０１３４０２．４）、
配列番号２３に記載の配列からなるポリペプチドを変換した、配列番号６１４に記載の配列のうち１４９番目から２７１３番目までのヌクレオチドからなるポリヌクレオチド（ＧｅｎＢａｎｋ  Ｎｏ．ＮＭ＿０２２４５０．３）、
配列番号２４に記載の配列からなるポリペプチドを変換した、配列番号６１５に記載の配列のうち２８６番目から２２１４番目までのヌクレオチドからなるポリヌクレオチド（ＧｅｎＢａｎｋ  Ｎｏ．ＮＭ＿００５０９４．３）。
【０２６６】
配列番号２５に記載の配列からなるポリペプチドを変換した、配列番号６１６に記載の配列のうち１２５番目から２７７０番目までのヌクレオチドからなるポリヌクレオチド（ＧｅｎＢａｎｋ  Ｎｏ．ＮＭ＿００４３６０．３）、
配列番号２６に記載の配列からなるポリペプチドを変換した、配列番号６１７に記載の配列のうち１８８番目から５６５３番目までのヌクレオチドからなるポリヌクレオチド（ＧｅｎＢａｎｋ  Ｎｏ．ＮＭ＿０００２１３．３）、
配列番号２７に記載の配列からなるポリペプチドを変換した、配列番号６１８に記載の配列のうち１２４番目から４８０番目までのヌクレオチドからなるポリヌクレオチド（ＧｅｎＢａｎｋ  Ｎｏ．ＮＭ＿００５５３２．４）。
【０２６７】
配列番号２８に記載の配列からなるポリペプチドを変換した、配列番号６１９に記載の配列のうち６４８番目から３１１０番目までのヌクレオチドからなるポリヌクレオチド（ＧｅｎＢａｎｋ  Ｎｏ．ＮＭ＿０００１４１．４）、
配列番号２９に記載の配列からなるポリペプチドを変換した、配列番号６２０に記載の配列のうち１４９番目から３８５９番目までのヌクレオチドからなるポリヌクレオチド（ＧｅｎＢａｎｋ  Ｎｏ．ＮＭ＿０３２４２０．３）、
配列番号３０に記載の配列からなるポリペプチドを変換した、配列番号６２１に記載の配列のうち２４８番目から７１８番目までのヌクレオチドからなるポリヌクレオチド（ＧｅｎＢａｎｋ  Ｎｏ．ＮＭ＿００１４２３．２）。
【０２６８】
配列番号３１に記載の配列からなるポリペプチドを変換した、配列番号６２２に記載の配列のうち４５０番目から１７６３番目までのヌクレオチドからなるポリヌクレオチド（ＧｅｎＢａｎｋ  Ｎｏ．ＮＭ＿００４７５１．２）、
配列番号３２に記載の配列からなるポリペプチドを変換した、配列番号６２３に記載の配列のうち１２４番目から６３０６番目までのヌクレオチドからなるポリヌクレオチド（ＧｅｎＢａｎｋ  Ｎｏ．ＮＭ＿０１３４５１．３）、
配列番号３３に記載の配列からなるポリペプチドを変換した、配列番号６２４に記載の配列のうち４９２番目から３４５２番目までのヌクレオチドからなるポリヌクレオチド（ＧｅｎＢａｎｋ  Ｎｏ．ＮＭ＿００４４４４．４）。
【０２６９】
配列番号３４に記載の配列からなるポリペプチドを変換した、配列番号６２５に記載の配列のうち２４８番目から１８７６番目までのヌクレオチドからなるポリヌクレオチド（ＧｅｎＢａｎｋ  Ｎｏ．ＮＭ＿００１００２２９２．３）、
配列番号３５に記載の配列からなるポリペプチドを変換した、配列番号６２６に記載の配列のうち３０６番目から３２６３番目までのヌクレオチドからなるポリヌクレオチド（ＧｅｎＢａｎｋ  Ｎｏ．ＮＭ＿０１８０４３．５）、
配列番号３６に記載の配列からなるポリペプチドを変換した、配列番号６２７に記載の配列のうち１３６番目から２６４３番目までのヌクレオチドからなるポリヌクレオチド（ＧｅｎＢａｎｋ  Ｎｏ．ＮＭ＿０２２８４２．４）。
【０２７０】
配列番号３７に記載の配列からなるポリペプチドを変換した、配列番号６２８に記載の配列のうち２１９番目から９３２番目までのヌクレオチドからなるポリヌクレオチド（ＧｅｎＢａｎｋ  Ｎｏ．ＮＭ＿００６４０４．４）、
配列番号３８に記載の配列からなるポリペプチドを変換した、配列番号６２９に記載の配列のうち３３３番目から１３６１番目までのヌクレオチドからなるポリヌクレオチド（ＧｅｎＢａｎｋ  Ｎｏ．ＮＭ＿００２７７３．３）、
配列番号３９に記載の配列からなるポリペプチドを変換した、配列番号６３０に記載の配列のうち１４６番目から２１７０番目までのヌクレオチドからなるポリヌクレオチド（ＧｅｎＢａｎｋ  Ｎｏ．ＮＭ＿０１５２８３．１）。
【０２７１】
配列番号４０に記載の配列からなるポリペプチドを変換した、配列番号６３１に記載の配列のうち２６５番目から４４６４番目までのヌクレオチドからなるポリヌクレオチド（ＧｅｎＢａｎｋ  Ｎｏ．ＮＭ＿００２４４７．２）、
配列番号４１に記載の配列からなるポリペプチドを変換した、配列番号６３２に記載の配列のうち３３０番目から１１２４番目までのヌクレオチドからなるポリヌクレオチド（ＧｅｎＢａｎｋ  Ｎｏ．ＮＭ＿０２４０９０．２）、
配列番号４２に記載の配列からなるポリペプチドを変換した、配列番号６３３に記載の配列のうち７７番目から１０７５番目までのヌクレオチドからなるポリヌクレオチド（ＧｅｎＢａｎｋ  Ｎｏ．ＮＭ＿００４０９３．３）。
【０２７２】
配列番号４３に記載の配列からなるポリペプチドを変換した、配列番号６３４に記載の配列のうち２５６番目から３０７５番目までのヌクレオチドからなるポリヌクレオチド（ＧｅｎＢａｎｋ  Ｎｏ．ＮＭ＿０１４５６８．１）、
配列番号４４に記載の配列からなるポリペプチドを変換した、配列番号６３５に記載の配列のうち１８９番目から１３９５２番目までのヌクレオチドからなるポリヌクレオチド（ＧｅｎＢａｎｋ  Ｎｏ．ＮＭ＿００５２４５．３）、
配列番号４５に記載の配列からなるポリペプチドを変換した、配列番号６３６に記載の配列のうち９７４番目から２９８０番目までのヌクレオチドからなるポリヌクレオチド（ＧｅｎＢａｎｋ  Ｎｏ．ＮＭ＿００２４２８．２）。
【０２７３】
配列番号４６に記載の配列からなるポリペプチドを変換した、配列番号６３７に記載の配列のうち１５０番目から１６６１番目までのヌクレオチドからなるポリヌクレオチド（ＧｅｎＢａｎｋ  Ｎｏ．ＮＭ＿００１００４３５６．２）、
配列番号４７に記載の配列からなるポリペプチドを変換した、配列番号６３８に記載の配列のうち１４８番目から１２６３番目までのヌクレオチドからなるポリヌクレオチド（ＧｅｎＢａｎｋ  Ｎｏ．ＮＭ＿０１４２５６．３）、
配列番号４８に記載の配列からなるポリペプチドを変換した、配列番号６３９に記載の配列のうち１０９番目から３７５０番目までのヌクレオチドからなるポリヌクレオチド（ＧｅｎＢａｎｋ  Ｎｏ．ＮＭ＿０１７６３６．３）。
【０２７４】
配列番号４９に記載の配列からなるポリペプチドを変換した、配列番号６４０に記載の配列のうち２１５番目から１３３３番目までのヌクレオチドからなるポリヌクレオチド（ＧｅｎＢａｎｋ  Ｎｏ．ＮＭ＿０３２７９７．５）、
配列番号５０に記載の配列からなるポリペプチドを変換した、配列番号６４１に記載の配列のうち４０番目から１５７５番目までのヌクレオチドからなるポリヌクレオチド（ＧｅｎＢａｎｋ  Ｎｏ．ＮＭ＿０３３０４９．３）、
配列番号５１に記載の配列からなるポリペプチドを変換した、配列番号６４２に記載の配列のうち３４１番目から２２４５番目までのヌクレオチドからなるポリヌクレオチド（ＧｅｎＢａｎｋ  Ｎｏ．ＮＭ＿０２４０３６．４）。
【０２７５】
配列番号５２に記載の配列からなるポリペプチドを変換した、配列番号６４３に記載の配列のうち１３６番目から１７１３番目までのヌクレオチドからなるポリヌクレオチド（ＧｅｎＢａｎｋ  Ｎｏ．ＮＭ＿００１７１２．４）、
配列番号５３に記載の配列からなるポリペプチドを変換した、配列番号６４４に記載の配列のうち４８番目から７６７番目までのヌクレオチドからなるポリヌクレオチド（ＧｅｎＢａｎｋ  Ｎｏ．ＮＭ＿００１１６８３６４．１）、
配列番号５４に記載の配列からなるポリペプチドを変換した、配列番号６４５に記載の配列のうち２３７番目から２９０６番目までのヌクレオチドからなるポリヌクレオチド（ＧｅｎＢａｎｋ  Ｎｏ．ＮＭ＿００６２９３．３）。
【０２７６】
配列番号５５に記載の配列からなるポリペプチドを変換した、配列番号６４６に記載の配列のうち１７６番目から１３６６番目までのヌクレオチドからなるポリヌクレオチド（ＧｅｎＢａｎｋ  Ｎｏ．ＮＭ＿００５２４２．４）、
配列番号５６に記載の配列からなるポリペプチドを変換した、配列番号６４７に記載の配列のうち５１番目から６１８５番目までのヌクレオチドからなるポリヌクレオチド（ＧｅｎＢａｎｋ  Ｎｏ．ＮＭ＿１９８５７６．３）、
配列番号５７に記載の配列からなるポリペプチドを変換した、配列番号６４８に記載の配列のうち７８１番目から１８１８番目までのヌクレオチドからなるポリヌクレオチド（ＧｅｎＢａｎｋ  Ｎｏ．ＮＭ＿００４４２９．４）。
【０２７７】
配列番号５８に記載の配列からなるポリペプチドを変換した、配列番号６４９に記載の配列のうち２５９番目から１８３６番目までのヌクレオチドからなるポリヌクレオチド（ＧｅｎＢａｎｋ  Ｎｏ．ＮＭ＿００５３９７．３）、
配列番号５９に記載の配列からなるポリペプチドを変換した、配列番号６５０に記載の配列のうち１４３番目から１５４６番目までのヌクレオチドからなるポリヌクレオチド（ＧｅｎＢａｎｋ  Ｎｏ．ＮＭ＿０２４１０３．２）、
配列番号６０に記載の配列からなるポリペプチドを変換した、配列番号６５１に記載の配列のうち３７番目から６６３番目までのヌクレオチドからなるポリヌクレオチド（ＧｅｎＢａｎｋ  Ｎｏ．ＮＭ＿１７８５４５．３）。
【０２７８】
配列番号６１に記載の配列からなるポリペプチドを変換した、配列番号６５２に記載の配列のうち１４７番目から１３１６番目までのヌクレオチドからなるポリヌクレオチド（ＧｅｎＢａｎｋ  Ｎｏ．ＮＭ＿１８１７１８．３）、
配列番号６２に記載の配列からなるポリペプチドを変換した、配列番号６５３に記載の配列のうち５２３番目から２１４５番目までのヌクレオチドからなるポリヌクレオチド（ＧｅｎＢａｎｋ  Ｎｏ．ＮＭ＿００１１２８１７４．１）、
配列番号６３に記載の配列からなるポリペプチドを変換した、配列番号６５４に記載の配列のうち１３０番目から４４６７番目までのヌクレオチドからなるポリヌクレオチド（ＧｅｎＢａｎｋ  Ｎｏ．ＮＭ＿００５７０４．４）。
【０２７９】
配列番号６４に記載の配列からなるポリペプチドを変換した、配列番号６５５に記載の配列のうち２０１番目から１３５２番目までのヌクレオチドからなるポリヌクレオチド（ＧｅｎＢａｎｋ  Ｎｏ．ＮＭ＿２０３４６３．２）、
配列番号６５に記載の配列からなるポリペプチドを変換した、配列番号６５６に記載の配列のうち１０９番目から３５６１番目までのヌクレオチドからなるポリヌクレオチド（ＧｅｎＢａｎｋ  Ｎｏ．ＮＭ＿００１１２７３９２．２）、
配列番号６６に記載の配列からなるポリペプチドを変換した、配列番号６５７に記載の配列のうち１７０番目から４６６０番目までのヌクレオチドからなるポリヌクレオチド（ＧｅｎＢａｎｋ  Ｎｏ．ＮＭ＿０００４９４．３）。
【０２８０】
配列番号６７に記載の配列からなるポリペプチドを変換した、配列番号６５８に記載の配列のうち２９２番目から１６０２番目までのヌクレオチドからなるポリヌクレオチド（ＧｅｎＢａｎｋ  Ｎｏ．ＮＭ＿０１９８９４．３）、
配列番号６８に記載の配列からなるポリペプチドを変換した、配列番号６５９に記載の配列のうち６１６番目から１４２５番目までのヌクレオチドからなるポリヌクレオチド（ＧｅｎＢａｎｋ  Ｎｏ．ＮＭ＿０２４００９．２）、
配列番号６９に記載の配列からなるポリペプチドを変換した、配列番号６６０に記載の配列のうち９２番目から２１６７番目までのヌクレオチドからなるポリヌクレオチド（ＧｅｎＢａｎｋ  Ｎｏ．ＮＭ＿００１１５９５７５．１）。
【０２８１】
配列番号７０に記載の配列からなるポリペプチドを変換した、配列番号６６１に記載の配列のうち７４番目から３４１８番目までのヌクレオチドからなるポリヌクレオチド（ＧｅｎＢａｎｋ  Ｎｏ．ＮＭ＿００２８４２．４）、
配列番号７１に記載の配列からなるポリペプチドを変換した、配列番号６６２に記載の配列のうち２２２番目から３４３１番目までのヌクレオチドからなるポリヌクレオチド（ＧｅｎＢａｎｋ  Ｎｏ．ＮＭ＿００２８２１．４）、
配列番号７２に記載の配列からなるポリペプチドを変換した、配列番号６６３に記載の配列のうち１１９番目から１１５３番目までのヌクレオチドからなるポリヌクレオチド（ＧｅｎＢａｎｋ  Ｎｏ．ＮＭ＿１７４９０２．３）。
【０２８２】
配列番号７３に記載の配列からなるポリペプチドを変換した、配列番号６６４に記載の配列のうち５９番目から１９１２番目までのヌクレオチドからなるポリヌクレオチド（ＧｅｎＢａｎｋ  Ｎｏ．ＮＭ＿０１６９４１．３）、
配列番号７４に記載の配列からなるポリペプチドを変換した、配列番号６６５に記載の配列のうち４９２番目から２７１７番目までのヌクレオチドからなるポリヌクレオチド（ＧｅｎＢａｎｋ  Ｎｏ．ＮＭ＿０１４８４９．４）、
配列番号７５に記載の配列からなるポリペプチドを変換した、配列番号６６６に記載の配列のうち４１番目から１６４２番目までのヌクレオチドからなるポリヌクレオチド（ＧｅｎＢａｎｋ  Ｎｏ．ＮＭ＿００１３０４７７１．１）。
【０２８３】
配列番号７６に記載の配列からなるポリペプチドを変換した、配列番号６６７に記載の配列のうち７１３番目から５８２４番目までのヌクレオチドからなるポリヌクレオチド（ＧｅｎＢａｎｋ  Ｎｏ．ＮＭ＿００１０８９．２）、
配列番号７７に記載の配列からなるポリペプチドを変換した、配列番号６６８に記載の配列のうち７４番目から１４５９番目までのヌクレオチドからなるポリヌクレオチド（ＧｅｎＢａｎｋ  Ｎｏ．ＮＭ＿００１０３９３７２．２）、
配列番号７８に記載の配列からなるポリペプチドを変換した、配列番号６６９に記載の配列のうち４０２番目から３８７８番目までのヌクレオチドからなるポリヌクレオチド（ＧｅｎＢａｎｋ  Ｎｏ．ＮＭ＿０００２３８．３）。
【０２８４】
配列番号７９に記載の配列からなるポリペプチドを変換した、配列番号６７０に記載の配列のうち３０８番目から１４４７番目までのヌクレオチドからなるポリヌクレオチド（ＧｅｎＢａｎｋ  Ｎｏ．ＮＭ＿００３６９２．４）、
配列番号８０に記載の配列からなるポリペプチドを変換した、配列番号６７１に記載の配列のうち４７０番目から２０６８番目までのヌクレオチドからなるポリヌクレオチド（ＧｅｎＢａｎｋ  Ｎｏ．ＮＭ＿００１４７８．４）、
配列番号８１に記載の配列からなるポリペプチドを変換した、配列番号６７２に記載の配列のうち１９４番目から４７８番目までのヌクレオチドからなるポリヌクレオチド（ＧｅｎＢａｎｋ  Ｎｏ．ＮＭ＿００１１６４８３１．２）。
【０２８５】
配列番号８２に記載の配列からなるポリペプチドを変換した、配列番号６７３に記載の配列のうち３７５番目から１２８９番目までのヌクレオチドからなるポリヌクレオチド（ＧｅｎＢａｎｋ  Ｎｏ．ＮＭ＿０１２３３８．３）、
配列番号８３に記載の配列からなるポリペプチドを変換した、配列番号６７４に記載の配列のうち２０９番目から９６４番目までのヌクレオチドからなるポリヌクレオチド（ＧｅｎＢａｎｋ  Ｎｏ．ＮＭ＿０１６６０６．３）、
配列番号８４に記載の配列からなるポリペプチドを変換した、配列番号６７５に記載の配列のうち３１０番目から１０１１番目までのヌクレオチドからなるポリヌクレオチド（ＧｅｎＢａｎｋ  Ｎｏ．ＮＭ＿００１１９３４９３．１）。
【０２８６】
配列番号８５に記載の配列からなるポリペプチドを変換した、配列番号６７６に記載の配列のうち２５５番目から５６６番目までのヌクレオチドからなるポリヌクレオチド（ＧｅｎＢａｎｋ  Ｎｏ．ＮＭ＿１４５２４９．２）、
配列番号８６に記載の配列からなるポリペプチドを変換した、配列番号６７７に記載の配列のうち４９４番目から１２３４番目までのヌクレオチドからなるポリヌクレオチド（ＧｅｎＢａｎｋ  Ｎｏ．ＮＭ＿００１１６５０３４．１）、
配列番号８７に記載の配列からなるポリペプチドを変換した、配列番号６７８に記載の配列のうち１７番目から９５５番目までのヌクレオチドからなるポリヌクレオチド（ＧｅｎＢａｎｋ  Ｎｏ．ＮＭ＿００３１７９．２）。
【０２８７】
配列番号８８に記載の配列からなるポリペプチドを変換した、配列番号６７９に記載の配列のうち１１８番目から７３５番目までのヌクレオチドからなるポリヌクレオチド（ＧｅｎＢａｎｋ  Ｎｏ．ＮＭ＿０２０３７８．３）、
配列番号８９に記載の配列からなるポリペプチドを変換した、配列番号６８０に記載の配列のうち１４９番目から１０４５番目までのヌクレオチドからなるポリヌクレオチド（ＧｅｎＢａｎｋ  Ｎｏ．ＮＭ＿００６９１８．４）、
配列番号９０に記載の配列からなるポリペプチドを変換した、配列番号６８１に記載の配列のうち１５９番目から８４５番目までのヌクレオチドからなるポリヌクレオチド（ＧｅｎＢａｎｋ  Ｎｏ．ＮＭ＿００４２０９．５）。
【０２８８】
配列番号９１に記載の配列からなるポリペプチドを変換した、配列番号６８２に記載の配列のうち２２１番目から４６６番目までのヌクレオチドからなるポリヌクレオチド（ＧｅｎＢａｎｋ  Ｎｏ．ＮＭ＿２０６８３３．３）、
配列番号９２に記載の配列からなるポリペプチドを変換した、配列番号６８３に記載の配列のうち４０６番目から３０１２番目までのヌクレオチドからなるポリヌクレオチド（ＧｅｎＢａｎｋ  Ｎｏ．ＮＭ＿００１２９０２０２．１）、
配列番号９３に記載の配列からなるポリペプチドを変換した、配列番号６８４に記載の配列のうち１６５番目から２４８６番目までのヌクレオチドからなるポリヌクレオチド（ＧｅｎＢａｎｋ  Ｎｏ．ＮＭ＿０２０８９７．２）。
【０２８９】
配列番号９４に記載の配列からなるポリペプチドを変換した、配列番号６８５に記載の配列のうち１９９番目から３６８７番目までのヌクレオチドからなるポリヌクレオチド（ＧｅｎＢａｎｋ  Ｎｏ．ＮＭ＿０２０７８９．３）、
配列番号９５に記載の配列からなるポリペプチドを変換した、配列番号６８６に記載の配列のうち１９３番目から２２８０番目までのヌクレオチドからなるポリヌクレオチド（ＧｅｎＢａｎｋ  Ｎｏ．ＮＭ＿００４７３６．３）、
配列番号９６に記載の配列からなるポリペプチドを変換した、配列番号６８７に記載の配列のうち５２４番目から３２９２番目までのヌクレオチドからなるポリヌクレオチド（ＧｅｎＢａｎｋ  Ｎｏ．ＮＭ＿００３８７３．５）。
【０２９０】
配列番号９７に記載の配列からなるポリペプチドを変換した、配列番号６８８に記載の配列のうち２３９番目から７１８番目までのヌクレオチドからなるポリヌクレオチド（ＧｅｎＢａｎｋ  Ｎｏ．ＮＭ＿０００３０４．３）、
配列番号９８に記載の配列からなるポリペプチドを変換した、配列番号６８９に記載の配列のうち３９１番目から１４５２番目までのヌクレオチドからなるポリヌクレオチド（ＧｅｎＢａｎｋ  Ｎｏ．ＮＭ＿００１２１８．４）、
配列番号９９に記載の配列からなるポリペプチドを変換した、配列番号６９０に記載の配列のうち１９５番目から２８４９番目までのヌクレオチドからなるポリヌクレオチド（ＧｅｎＢａｎｋ  Ｎｏ．ＮＭ＿００１６９９．５）。
【０２９１】
配列番号１００に記載の配列からなるポリペプチドを変換した、配列番号６９１に記載の配列のうち１５８番目から１６２１番目までのヌクレオチドからなるポリヌクレオチド（ＧｅｎＢａｎｋ  Ｎｏ．ＮＭ＿０１８２３４．２）、
配列番号１０１に記載の配列からなるポリペプチドを変換した、配列番号６９２に記載の配列のうち５９０番目から３０６４番目までのヌクレオチドからなるポリヌクレオチド（ＧｅｎＢａｎｋ  Ｎｏ．ＮＭ＿００１３０１０６３．１）、
配列番号１０２に記載の配列からなるポリペプチドを変換した、配列番号６９３に記載の配列のうち２０２番目から２４５１番目までのヌクレオチドからなるポリヌクレオチド（ＧｅｎＢａｎｋ  Ｎｏ．ＮＭ＿０１３３８２．５）。
【０２９２】
配列番号１０３に記載の配列からなるポリペプチドを変換した、配列番号６９４に記載の配列のうち１０５番目から６５６番目までのヌクレオチドからなるポリヌクレオチド（ＧｅｎＢａｎｋ  Ｎｏ．ＮＭ＿１３８３９３．１）、
配列番号１０４に記載の配列からなるポリペプチドを変換した、配列番号６９５に記載の配列のうち１０８番目から７９４番目までのヌクレオチドからなるポリヌクレオチド（ＧｅｎＢａｎｋ  Ｎｏ．ＮＭ＿０７９８３４．２）、
配列番号１０５に記載の配列からなるポリペプチドを変換した、配列番号６９６に記載の配列のうち１５６番目から２１７４番目までのヌクレオチドからなるポリヌクレオチド（ＧｅｎＢａｎｋ  Ｎｏ．ＮＭ＿１３８４４０．２）。
【０２９３】
配列番号１０６に記載の配列からなるポリペプチドを変換した、配列番号６９７に記載の配列のうち５７８番目から１１４４番目までのヌクレオチドからなるポリヌクレオチド（ＧｅｎＢａｎｋ  Ｎｏ．ＮＭ＿００１２５８３２１．１）、
配列番号１０７に記載の配列からなるポリペプチドを変換した、配列番号６９８に記載の配列のうち４３番目から３１８３番目までのヌクレオチドからなるポリヌクレオチド（ＧｅｎＢａｎｋ  Ｎｏ．ＮＭ＿００６０４５．２）、
配列番号１０８に記載の配列からなるポリペプチドを変換した、配列番号６９９に記載の配列のうち５２１番目から７６９番目までのヌクレオチドからなるポリヌクレオチド（ＧｅｎＢａｎｋ  Ｎｏ．ＮＭ＿００１２５３７９０．１）。
【０２９４】
配列番号１０９に記載の配列からなるポリペプチドを変換した、配列番号７００に記載の配列のうち２１９番目から３９８９番目までのヌクレオチドからなるポリヌクレオチド（ＧｅｎＢａｎｋ  Ｎｏ．ＮＭ＿００１２７８１１６．１）、
配列番号１１０に記載の配列からなるポリペプチドを変換した、配列番号７０１に記載の配列のうち６７番目から１９５０番目までのヌクレオチドからなるポリヌクレオチド（ＧｅｎＢａｎｋ  Ｎｏ．ＮＭ＿００５５８１．４）、
配列番号１１１に記載の配列からなるポリペプチドを変換した、配列番号７０２に記載の配列のうち２７２番目から１８４３番目までのヌクレオチドからなるポリヌクレオチド（ＧｅｎＢａｎｋ  Ｎｏ．ＮＭ＿１３８９５９．２）。
【０２９５】
配列番号１１２に記載の配列からなるポリペプチドを変換した、配列番号７０３に記載の配列のうち２５７番目から２６７４番目までのヌクレオチドからなるポリヌクレオチド（ＧｅｎＢａｎｋ  Ｎｏ．ＮＭ＿０００１４２．４）、
配列番号１１３に記載の配列からなるポリペプチドを変換した、配列番号７０４に記載の配列のうち４６番目から１０６８番目までのヌクレオチドからなるポリヌクレオチド（ＧｅｎＢａｎｋ  Ｎｏ．ＮＭ＿１５２８８９．２）、
配列番号１１４に記載の配列からなるポリペプチドを変換した、配列番号７０５に記載の配列のうち６９番目から１３９４番目までのヌクレオチドからなるポリヌクレオチド（ＧｅｎＢａｎｋ  Ｎｏ．ＮＭ＿００１２８２５８２．１）。
【０２９６】
配列番号１１５に記載の配列からなるポリペプチドを変換した、配列番号７０６に記載の配列のうち２５３番目から２６９４番目までのヌクレオチドからなるポリヌクレオチド（ＧｅｎＢａｎｋ  Ｎｏ．ＮＭ＿００４８８４．３）、
配列番号１１６に記載の配列からなるポリペプチドを変換した、配列番号７０７に記載の配列のうち８９番目から１６５４番目までのヌクレオチドからなるポリヌクレオチド（ＧｅｎＢａｎｋ  Ｎｏ．ＮＭ＿００３５７８．３）、
配列番号１１７に記載の配列からなるポリペプチドを変換した、配列番号７０８に記載の配列のうち３２２番目から７０５番目までのヌクレオチドからなるポリヌクレオチド（ＧｅｎＢａｎｋ  Ｎｏ．ＮＭ＿１７８８５９．３）。
【０２９７】
配列番号１１８に記載の配列からなるポリペプチドを変換した、配列番号７０９に記載の配列のうち８９番目から１７９２番目までのヌクレオチドからなるポリヌクレオチド（ＧｅｎＢａｎｋ  Ｎｏ．ＮＭ＿１７７５５０．４）、
配列番号１１９に記載の配列からなるポリペプチドを変換した、配列番号７１０に記載の配列のうち４１１番目から２１６５番目までのヌクレオチドからなるポリヌクレオチド（ＧｅｎＢａｎｋ  Ｎｏ．ＮＭ＿００３４６８．３）、
配列番号１２０に記載の配列からなるポリペプチドを変換した、配列番号７１１に記載の配列のうち２５８番目から１８７７番目までのヌクレオチドからなるポリヌクレオチド（ＧｅｎＢａｎｋ  Ｎｏ．ＮＭ＿１７３５９６．２）。
【０２９８】
配列番号１２１に記載の配列からなるポリペプチドを変換した、配列番号７１２に記載の配列のうち２７１番目から４２３３番目までのヌクレオチドからなるポリヌクレオチド（ＧｅｎＢａｎｋ  Ｎｏ．ＮＭ＿１４５２９０．３）、
配列番号１２２に記載の配列からなるポリペプチドを変換した、配列番号７１３に記載の配列のうち１８２番目から４３９０番目までのヌクレオチドからなるポリヌクレオチド（ＧｅｎＢａｎｋ  Ｎｏ．ＮＭ＿００１２９７７０４．１）、
配列番号１２３に記載の配列からなるポリペプチドを変換した、配列番号７１４に記載の配列のうち４２番目から２４４４番目までのヌクレオチドからなるポリヌクレオチド（ＧｅｎＢａｎｋ  Ｎｏ．ＮＭ＿００３２２７．３）。
【０２９９】
配列番号１２４に記載の配列からなるポリペプチドを変換した、配列番号７１５に記載の配列のうち１２６番目から１７４２番目までのヌクレオチドからなるポリヌクレオチド（ＧｅｎＢａｎｋ  Ｎｏ．ＮＭ＿１７３６７４．１）、
配列番号１２５に記載の配列からなるポリペプチドを変換した、配列番号７１６に記載の配列のうち３８９番目から１４６５番目までのヌクレオチドからなるポリヌクレオチド（ＧｅｎＢａｎｋ  Ｎｏ．ＮＭ＿０００６８５．４）、
配列番号１２６に記載の配列からなるポリペプチドを変換した、配列番号７１７に記載の配列のうち２６０番目から１４２３番目までのヌクレオチドからなるポリヌクレオチド（ＧｅｎＢａｎｋ  Ｎｏ．ＮＭ＿０３２５６４．４）。
【０３００】
配列番号１２７に記載の配列からなるポリペプチドを変換した、配列番号７１８に記載の配列のうち４０７番目から１１０８番目までのヌクレオチドからなるポリヌクレオチド（ＧｅｎＢａｎｋ  Ｎｏ．ＮＭ＿０２２８２３．２）、
配列番号１２８に記載の配列からなるポリペプチドを変換した、配列番号７１９に記載の配列のうち１０４番目から６５０８番目までのヌクレオチドからなるポリヌクレオチド（ＧｅｎＢａｎｋ  Ｎｏ．ＮＭ＿００１１３００８２．２）、
配列番号１２９に記載の配列からなるポリペプチドを変換した、配列番号７２０に記載の配列のうち３１０番目から１８８１番目までのヌクレオチドからなるポリヌクレオチド（ＧｅｎＢａｎｋ  Ｎｏ．ＮＭ＿０００３４０．１）。
【０３０１】
配列番号１３０に記載の配列からなるポリペプチドを変換した、配列番号７２１に記載の配列のうち４８番目から１７１５番目までのヌクレオチドからなるポリヌクレオチド（ＧｅｎＢａｎｋ  Ｎｏ．ＮＭ＿０２１９７７．３）、
配列番号１３１に記載の配列からなるポリペプチドを変換した、配列番号７２２に記載の配列のうち１７３番目から２１４６番目までのヌクレオチドからなるポリヌクレオチド（ＧｅｎＢａｎｋ  Ｎｏ．ＮＭ＿００１００８５３９．３）、
配列番号１３２に記載の配列からなるポリペプチドを変換した、配列番号７２３に記載の配列のうち１６２番目から１７５１番目までのヌクレオチドからなるポリヌクレオチド（ＧｅｎＢａｎｋ  Ｎｏ．ＮＭ＿１５３２４７．２）。
【０３０２】
配列番号１３３に記載の配列からなるポリペプチドを変換した、配列番号７２４に記載の配列のうち８番目から２６７７番目までのヌクレオチドからなるポリヌクレオチド（ＧｅｎＢａｎｋ  Ｎｏ．ＮＭ＿００１０１０９２４．１）、
配列番号１３４に記載の配列からなるポリペプチドを変換した、配列番号７２５に記載の配列のうち３１４番目から１９２４番目までのヌクレオチドからなるポリヌクレオチド（ＧｅｎＢａｎｋ  Ｎｏ．ＮＭ＿０１２１９３．３）、
配列番号１３５に記載の配列からなるポリペプチドを変換した、配列番号７２６に記載の配列のうち１３３番目から６７８番目までのヌクレオチドからなるポリヌクレオチド（ＧｅｎＢａｎｋ  Ｎｏ．ＮＭ＿０１５９９３．２）。
【０３０３】
配列番号１３６に記載の配列からなるポリペプチドを変換した、配列番号７２７に記載の配列のうち２０９番目から５１６１番目までのヌクレオチドからなるポリヌクレオチド（ＧｅｎＢａｎｋ  Ｎｏ．ＮＭ＿００２９４１．３）、
配列番号１３７に記載の配列からなるポリペプチドを変換した、配列番号７２８に記載の配列のうち１５８番目から４５５２番目までのヌクレオチドからなるポリヌクレオチド（ＧｅｎＢａｎｋ  Ｎｏ．ＮＭ＿００００５３．３）、
配列番号１３８に記載の配列からなるポリペプチドを変換した、配列番号７２９に記載の配列のうち１４２番目から１５３９番目までのヌクレオチドからなるポリヌクレオチド（ＧｅｎＢａｎｋ  Ｎｏ．ＮＭ＿１８２８２６．１）。
【０３０４】
配列番号１３９に記載の配列からなるポリペプチドを変換した、配列番号７３０に記載の配列のうち１４３６番目から３０１６番目までのヌクレオチドからなるポリヌクレオチド（ＧｅｎＢａｎｋ  Ｎｏ．ＮＭ＿０００２４０．３）、
配列番号１４０に記載の配列からなるポリペプチドを変換した、配列番号７３１に記載の配列のうち５９番目から４２１番目までのヌクレオチドからなるポリヌクレオチド（ＧｅｎＢａｎｋ  Ｎｏ．ＮＭ＿２０６８９５．１）、
配列番号１４１に記載の配列からなるポリペプチドを変換した、配列番号７３２に記載の配列のうち９５２番目から３３００番目までのヌクレオチドからなるポリヌクレオチド（ＧｅｎＢａｎｋ  Ｎｏ．ＮＭ＿０１７７６３．５）。
【０３０５】
配列番号１４２に記載の配列からなるポリペプチドを変換した、配列番号７３３に記載の配列のうち１６８番目から２３０９番目までのヌクレオチドからなるポリヌクレオチド（ＧｅｎＢａｎｋ  Ｎｏ．ＮＭ＿０２０７０２．４）、
配列番号１４３に記載の配列からなるポリペプチドを変換した、配列番号７３４に記載の配列のうち３０４番目から３６６０番目までのヌクレオチドからなるポリヌクレオチド（ＧｅｎＢａｎｋ  Ｎｏ．ＮＭ＿１５３３７７．４）、
配列番号１４４に記載の配列からなるポリペプチドを変換した、配列番号７３５に記載の配列のうち１８７番目から５８２番目までのヌクレオチドからなるポリヌクレオチド（ＧｅｎＢａｎｋ  Ｎｏ．ＮＭ＿１９８４４７．１）。
【０３０６】
配列番号１４５に記載の配列からなるポリペプチドを変換した、配列番号７３６に記載の配列のうち２０５番目から１６９５番目までのヌクレオチドからなるポリヌクレオチド（ＧｅｎＢａｎｋ  Ｎｏ．ＮＭ＿００６９９６．２）、
配列番号１４６に記載の配列からなるポリペプチドを変換した、配列番号７３７に記載の配列のうち３０１番目から６１４７番目までのヌクレオチドからなるポリヌクレオチド（ＧｅｎＢａｎｋ  Ｎｏ．ＮＭ＿０１４６６８．３）、
配列番号１４７に記載の配列からなるポリペプチドを変換した、配列番号７３８に記載の配列のうち３０番目から１９６７番目までのヌクレオチドからなるポリヌクレオチド（ＧｅｎＢａｎｋ  Ｎｏ．ＮＭ＿００６５００．２）。
【０３０７】
配列番号１４８に記載の配列からなるポリペプチドを変換した、配列番号７３９に記載の配列のうち３５番目から１９３０番目までのヌクレオチドからなるポリヌクレオチド（ＧｅｎＢａｎｋ  Ｎｏ．ＮＭ＿０１４２２９．１）、
配列番号１４９に記載の配列からなるポリペプチドを変換した、配列番号７４０に記載の配列のうち７６１番目から１８８５番目までのヌクレオチドからなるポリヌクレオチド（ＧｅｎＢａｎｋ  Ｎｏ．ＮＭ＿００１５０５．２）、
配列番号１５０に記載の配列からなるポリペプチドを変換した、配列番号７４１に記載の配列のうち２９３番目から９２８番目までのヌクレオチドからなるポリヌクレオチド（ＧｅｎＢａｎｋ  Ｎｏ．ＮＭ＿０３２５１５．４）。
【０３０８】
配列番号１５１に記載の配列からなるポリペプチドを変換した、配列番号７４２に記載の配列のうち２６７番目から１７０６番目までのヌクレオチドからなるポリヌクレオチド（ＧｅｎＢａｎｋ  Ｎｏ．ＮＭ＿００１３００７５４．１）、
配列番号１５２に記載の配列からなるポリペプチドを変換した、配列番号７４３に記載の配列のうち１５０番目から１２５９番目までのヌクレオチドからなるポリヌクレオチド（ＧｅｎＢａｎｋ  Ｎｏ．ＮＭ＿０１２２８８．３）、
配列番号１５３に記載の配列からなるポリペプチドを変換した、配列番号７４４に記載の配列のうち３５番目から１２６７番目までのヌクレオチドからなるポリヌクレオチド（ＧｅｎＢａｎｋ  Ｎｏ．ＮＭ＿００４８０７．２）。
【０３０９】
配列番号１５４に記載の配列からなるポリペプチドを変換した、配列番号７４５に記載の配列のうち３７２番目から１６２５番目までのヌクレオチドからなるポリヌクレオチド（ＧｅｎＢａｎｋ  Ｎｏ．ＮＭ＿００２５３１．２）、
配列番号１５５に記載の配列からなるポリペプチドを変換した、配列番号７４６に記載の配列のうち８４番目から２０５４番目までのヌクレオチドからなるポリヌクレオチド（ＧｅｎＢａｎｋ  Ｎｏ．ＮＭ＿０１７４２３．２）、
配列番号１５６に記載の配列からなるポリペプチドを変換した、配列番号７４７に記載の配列のうち４０５番目から２６７５番目までのヌクレオチドからなるポリヌクレオチド（ＧｅｎＢａｎｋ  Ｎｏ．ＮＭ＿０１８２４０．６）。
【０３１０】
配列番号１５７に記載の配列からなるポリペプチドを変換した、配列番号７４８に記載の配列のうち１００９番目から４７４９番目までのヌクレオチドからなるポリヌクレオチド（ＧｅｎＢａｎｋ  Ｎｏ．ＮＭ＿０３２４５７．３）、
配列番号１５８に記載の配列からなるポリペプチドを変換した、配列番号７４９に記載の配列のうち１１８番目から１３８６番目までのヌクレオチドからなるポリヌクレオチド（ＧｅｎＢａｎｋ  Ｎｏ．ＮＭ＿０１７７２３．２）、
配列番号１５９に記載の配列からなるポリペプチドを変換した、配列番号７５０に記載の配列のうち４３番目から１４１９番目までのヌクレオチドからなるポリヌクレオチド（ＧｅｎＢａｎｋ  Ｎｏ．ＮＭ＿００１２１６．２）。
【０３１１】
配列番号１６０に記載の配列からなるポリペプチドを変換した、配列番号７５１に記載の配列のうち２５５番目から９６５番目までのヌクレオチドからなるポリヌクレオチド（ＧｅｎＢａｎｋ  Ｎｏ．ＮＭ＿１９９１７１．２）、
配列番号１６１に記載の配列からなるポリペプチドを変換した、配列番号７５２に記載の配列のうち３９番目から８００番目までのヌクレオチドからなるポリヌクレオチド（ＧｅｎＢａｎｋ  Ｎｏ．ＮＭ＿００３８１１．３）、
配列番号１６２に記載の配列からなるポリペプチドを変換した、配列番号７５３に記載の配列のうち３９４番目から１８６３番目までのヌクレオチドからなるポリヌクレオチド（ＧｅｎＢａｎｋ  Ｎｏ．ＮＭ＿１５２９９９．３）。
【０３１２】
配列番号１６３に記載の配列からなるポリペプチドを変換した、配列番号７５４に記載の配列のうち２４６番目から２８０４番目までのヌクレオチドからなるポリヌクレオチド（ＧｅｎＢａｎｋ  Ｎｏ．ＮＭ＿０１２４１０．３）、
配列番号１６４に記載の配列からなるポリペプチドを変換した、配列番号７５５に記載の配列のうち１７０番目から６８８番目までのヌクレオチドからなるポリヌクレオチド（ＧｅｎＢａｎｋ  Ｎｏ．ＮＭ＿０３１４８４．３）、
配列番号１６５に記載の配列からなるポリペプチドを変換した、配列番号７５６に記載の配列のうち５１１番目から１６４１番目までのヌクレオチドからなるポリヌクレオチド（ＧｅｎＢａｎｋ  Ｎｏ．ＮＭ＿０００８６４．４）。
【０３１３】
配列番号１６６に記載の配列からなるポリペプチドを変換した、配列番号７５７に記載の配列のうち１３１番目から２２９９番目までのヌクレオチドからなるポリヌクレオチド（ＧｅｎＢａｎｋ  Ｎｏ．ＮＭ＿０２４８４７．４）、
配列番号１６７に記載の配列からなるポリペプチドを変換した、配列番号７５８に記載の配列のうち２０７番目から１５２０番目までのヌクレオチドからなるポリヌクレオチド（ＧｅｎＢａｎｋ  Ｎｏ．ＮＭ＿１３８３９９．４）、
配列番号１６８に記載の配列からなるポリペプチドを変換した、配列番号７５９に記載の配列のうち２６２番目から２５１１番目までのヌクレオチドからなるポリヌクレオチド（ＧｅｎＢａｎｋ  Ｎｏ．ＮＭ＿００４４７６．１）。
【０３１４】
配列番号１６９に記載の配列からなるポリペプチドを変換した、配列番号７６０に記載の配列のうち４１０番目から１５３１番目までのヌクレオチドからなるポリヌクレオチド（ＧｅｎＢａｎｋ  Ｎｏ．ＮＭ＿０１６１９２．３）、
配列番号１７０に記載の配列からなるポリペプチドを変換した、配列番号７６１に記載の配列のうち１３５番目から１６１０番目までのヌクレオチドからなるポリヌクレオチド（ＧｅｎＢａｎｋ  Ｎｏ．ＮＭ＿００５６５６．３）、
配列番号１７１に記載の配列からなるポリペプチドを変換した、配列番号７６２に記載の配列のうち１１３番目から１３２４番目までのヌクレオチドからなるポリヌクレオチド（ＧｅｎＢａｎｋ  Ｎｏ．ＮＭ＿００１０３９８７６．２）。
【０３１５】
配列番号１７２に記載の配列からなるポリペプチドを変換した、配列番号７６３に記載の配列のうち４３８番目から３４３１番目までのヌクレオチドからなるポリヌクレオチド（ＧｅｎＢａｎｋ  Ｎｏ．ＮＭ＿００４４４３．３）、
配列番号１７３に記載の配列からなるポリペプチドを変換した、配列番号７６４に記載の配列のうち６７番目から２１９６番目までのヌクレオチドからなるポリヌクレオチド（ＧｅｎＢａｎｋ  Ｎｏ．ＮＭ＿０２５２５７．２）、
配列番号１７４に記載の配列からなるポリペプチドを変換した、配列番号７６５に記載の配列のうち３７０番目から１６４４番目までのヌクレオチドからなるポリヌクレオチド（ＧｅｎＢａｎｋ  Ｎｏ．ＮＭ＿０２０７８３．３）。
【０３１６】
配列番号１７５に記載の配列からなるポリペプチドを変換した、配列番号７６６に記載の配列のうち３４０番目から１９９８番目までのヌクレオチドからなるポリヌクレオチド（ＧｅｎＢａｎｋ  Ｎｏ．ＮＭ＿０３３１０２．２）、
配列番号１７６に記載の配列からなるポリペプチドを変換した、配列番号７６７に記載の配列のうち１２２５番目から４８９０番目までのヌクレオチドからなるポリヌクレオチド（ＧｅｎＢａｎｋ  Ｎｏ．ＮＭ＿０３２１６０．２）、
配列番号１７７に記載の配列からなるポリペプチドを変換した、配列番号７６８に記載の配列のうち９７番目から１０９８番目までのヌクレオチドからなるポリヌクレオチド（ＧｅｎＢａｎｋ  Ｎｏ．ＮＭ＿００１０１３６５３．２）。
【０３１７】
配列番号１７８に記載の配列からなるポリペプチドを変換した、配列番号７６９に記載の配列のうち５０７番目から１１６３番目までのヌクレオチドからなるポリヌクレオチド（ＧｅｎＢａｎｋ  Ｎｏ．ＮＭ＿１４４６２６．２）、
配列番号１７９に記載の配列からなるポリペプチドを変換した、配列番号７７０に記載の配列のうち７５番目から１７４８番目までのヌクレオチドからなるポリヌクレオチド（ＧｅｎＢａｎｋ  Ｎｏ．ＮＭ＿００１０３８６０３．２）、
配列番号１８０に記載の配列からなるポリペプチドを変換した、配列番号７７１に記載の配列のうち２１６番目から２４４１番目までのヌクレオチドからなるポリヌクレオチド（ＧｅｎＢａｎｋ  Ｎｏ．ＮＭ＿１３０３８６．２）。
【０３１８】
配列番号１８１に記載の配列からなるポリペプチドを変換した、配列番号７７２に記載の配列のうち２４１０番目から２７８１番目までのヌクレオチドからなるポリヌクレオチド（ＧｅｎＢａｎｋ  Ｎｏ．ＮＭ＿００１３０２６４４．１）、
配列番号１８２に記載の配列からなるポリペプチドを変換した、配列番号７７３に記載の配列のうち９９番目から１４７５番目までのヌクレオチドからなるポリヌクレオチド（ＧｅｎＢａｎｋ  Ｎｏ．ＮＭ＿０８０６６９．５）、
配列番号１８３に記載の配列からなるポリペプチドを変換した、配列番号７７４に記載の配列のうち３１６番目から５７３番目までのヌクレオチドからなるポリヌクレオチド（ＧｅｎＢａｎｋ  Ｎｏ．ＮＭ＿００１１７１７９５．１）。
【０３１９】
配列番号１８４に記載の配列からなるポリペプチドを変換した、配列番号７７５に記載の配列のうち２６６番目から２３６５番目までのヌクレオチドからなるポリヌクレオチド（ＧｅｎＢａｎｋ  Ｎｏ．ＮＭ＿００２４６６．３）、
配列番号１８５に記載の配列からなるポリペプチドを変換した、配列番号７７６に記載の配列のうち４３９番目から１０２０番目までのヌクレオチドからなるポリヌクレオチド（ＧｅｎＢａｎｋ  Ｎｏ．ＮＭ＿００５３１８．３）、
配列番号１８６に記載の配列からなるポリペプチドを変換した、配列番号７７７に記載の配列のうち１３４番目から２３６８番目までのヌクレオチドからなるポリヌクレオチド（ＧｅｎＢａｎｋ  Ｎｏ．ＮＭ＿００２２３０．２）。
【０３２０】
配列番号１８７に記載の配列からなるポリペプチドを変換した、配列番号７７８に記載の配列のうち９４３番目から３５３１番目までのヌクレオチドからなるポリヌクレオチド（ＧｅｎＢａｎｋ  Ｎｏ．ＮＭ＿００５９１４．３）、
配列番号１８８に記載の配列からなるポリペプチドを変換した、配列番号７７９に記載の配列のうち２３５番目から２０９４番目までのヌクレオチドからなるポリヌクレオチド（ＧｅｎＢａｎｋ  Ｎｏ．ＮＭ＿００３９８１．３）、
配列番号１８９に記載の配列からなるポリペプチドを変換した、配列番号７８０に記載の配列のうち９９番目から５１８番目までのヌクレオチドからなるポリヌクレオチド（ＧｅｎＢａｎｋ  Ｎｏ．ＮＭ＿００２６２８．４）。
【０３２１】
配列番号１９０に記載の配列からなるポリペプチドを変換した、配列番号７８１に記載の配列のうち５１０番目から２００６番目までのヌクレオチドからなるポリヌクレオチド（ＧｅｎＢａｎｋ  Ｎｏ．ＮＭ＿００４２０３．４）、
配列番号１９１に記載の配列からなるポリペプチドを変換した、配列番号７８２に記載の配列のうち１７３番目から７７８番目までのヌクレオチドからなるポリヌクレオチド（ＧｅｎＢａｎｋ  Ｎｏ．ＮＭ＿０１８１５４．２）、
配列番号１９２に記載の配列からなるポリペプチドを変換した、配列番号７８３に記載の配列のうち１５３番目から２３５４番目までのヌクレオチドからなるポリヌクレオチド（ＧｅｎＢａｎｋ  Ｎｏ．ＮＭ＿００３７９８．３）。
【０３２２】
配列番号１９３に記載の配列からなるポリペプチドを変換した、配列番号７８４に記載の配列のうち２９５番目から２７３９番目までのヌクレオチドからなるポリヌクレオチド（ＧｅｎＢａｎｋ  Ｎｏ．ＮＭ＿０１６１２１．３）、
配列番号１９４に記載の配列からなるポリペプチドを変換した、配列番号７８５に記載の配列のうち２２１番目から２７８８番目までのヌクレオチドからなるポリヌクレオチド（ＧｅｎＢａｎｋ  Ｎｏ．ＮＭ＿００４８５６．６）、
配列番号１９５に記載の配列からなるポリペプチドを変換した、配列番号７８６に記載の配列のうち４２５番目から１９８４番目までのヌクレオチドからなるポリヌクレオチド（ＧｅｎＢａｎｋ  Ｎｏ．ＮＭ＿０２２９０８．２）。
【０３２３】
配列番号１９６に記載の配列からなるポリペプチドを変換した、配列番号７８７に記載の配列のうち８５番目から６３９番目までのヌクレオチドからなるポリヌクレオチド（ＧｅｎＢａｎｋ  Ｎｏ．ＮＭ＿０１６０９５．２）、
配列番号１９７に記載の配列からなるポリペプチドを変換した、配列番号７８８に記載の配列のうち３３２番目から６３７番目までのヌクレオチドからなるポリヌクレオチド（ＧｅｎＢａｎｋ  Ｎｏ．ＮＭ＿００２８２４．４）、
配列番号１９８に記載の配列からなるポリペプチドを変換した、配列番号７８９に記載の配列のうち５７７番目から２９５５番目までのヌクレオチドからなるポリヌクレオチド（ＧｅｎＢａｎｋ  Ｎｏ．ＮＭ＿００１２９００５０．１）。
【０３２４】
配列番号１９９に記載の配列からなるポリペプチドを変換した、配列番号７９０に記載の配列のうち１１１番目から５８４番目までのヌクレオチドからなるポリヌクレオチド（ＧｅｎＢａｎｋ  Ｎｏ．ＮＭ＿００１２８３．３）、
配列番号２００に記載の配列からなるポリペプチドを変換した、配列番号７９１に記載の配列のうち３９番目から５５４３番目までのヌクレオチドからなるポリヌクレオチド（ＧｅｎＢａｎｋ  Ｎｏ．ＮＭ＿００１３０１０２５．１）、
配列番号２０１に記載の配列からなるポリペプチドを変換した、配列番号７９２に記載の配列のうち１１７番目から１２９８番目までのヌクレオチドからなるポリヌクレオチド（ＧｅｎＢａｎｋ  Ｎｏ．ＮＭ＿１７８４４８．３）。
【０３２５】
配列番号２０２に記載の配列からなるポリペプチドを変換した、配列番号７９３に記載の配列のうち６番目から６１４番目までのヌクレオチドからなるポリヌクレオチド（ＧｅｎＢａｎｋ  Ｎｏ．ＮＭ＿０１５４４８．１）、
配列番号２０３に記載の配列からなるポリペプチドを変換した、配列番号７９４に記載の配列のうち１８６番目から５９６番目までのヌクレオチドからなるポリヌクレオチド（ＧｅｎＢａｎｋ  Ｎｏ．ＮＭ＿０８０７２５．２）、
配列番号２０４に記載の配列からなるポリペプチドを変換した、配列番号７９５に記載の配列のうち２５９番目から８８２番目までのヌクレオチドからなるポリヌクレオチド（ＧｅｎＢａｎｋ  Ｎｏ．ＮＭ＿００２４７５．４）。
【０３２６】
配列番号２０５に記載の配列からなるポリペプチドを変換した、配列番号７９６に記載の配列のうち１１６番目から１０６３番目までのヌクレオチドからなるポリヌクレオチド（ＧｅｎＢａｎｋ  Ｎｏ．ＮＭ＿０３３２８６．３）、
配列番号２０６に記載の配列からなるポリペプチドを変換した、配列番号７９７に記載の配列のうち１８１番目から１２５１番目までのヌクレオチドからなるポリヌクレオチド（ＧｅｎＢａｎｋ  Ｎｏ．ＮＭ＿００３１０４．５）、
配列番号２０７に記載の配列からなるポリペプチドを変換した、配列番号７９８に記載の配列のうち１０５番目から１３１６番目までのヌクレオチドからなるポリヌクレオチド（ＧｅｎＢａｎｋ  Ｎｏ．ＮＭ＿０５７７４９．２）。
【０３２７】
配列番号２０８に記載の配列からなるポリペプチドを変換した、配列番号７９９に記載の配列のうち６１番目から８１６番目までのヌクレオチドからなるポリヌクレオチド（ＧｅｎＢａｎｋ  Ｎｏ．ＮＭ＿０１４３２１．３）、
配列番号２０９に記載の配列からなるポリペプチドを変換した、配列番号８００に記載の配列のうち２５８番目から５０８４番目までのヌクレオチドからなるポリヌクレオチド（ＧｅｎＢａｎｋ  Ｎｏ．ＮＭ＿００２２９３．３）、
配列番号２１０に記載の配列からなるポリペプチドを変換した、配列番号８０１に記載の配列のうち２２２番目から１８９５番目までのヌクレオチドからなるポリヌクレオチド（ＧｅｎＢａｎｋ  Ｎｏ．ＮＭ＿００２０８１．２）。
【０３２８】
配列番号２１１に記載の配列からなるポリペプチドを変換した、配列番号８０２に記載の配列のうち８９番目から２４４６番目までのヌクレオチドからなるポリヌクレオチド（ＧｅｎＢａｎｋ  Ｎｏ．ＮＭ＿００１７６１．２）、
配列番号２１２に記載の配列からなるポリペプチドを変換した、配列番号８０３に記載の配列のうち１３０番目から１１８８番目までのヌクレオチドからなるポリヌクレオチド（ＧｅｎＢａｎｋ  Ｎｏ．ＮＭ＿００１２５８２１０．１）、
配列番号２１３に記載の配列からなるポリペプチドを変換した、配列番号８０４に記載の配列のうち２４０番目から１０７９番目までのヌクレオチドからなるポリヌクレオチド（ＧｅｎＢａｎｋ  Ｎｏ．ＮＭ＿００５５２４．３）。
【０３２９】
配列番号２１４に記載の配列からなるポリペプチドを変換した、配列番号８０５に記載の配列のうち１１８番目から７６５０番目までのヌクレオチドからなるポリヌクレオチド（ＧｅｎＢａｎｋ  Ｎｏ．ＮＭ＿００４１０４．４）、
配列番号２１５に記載の配列からなるポリペプチドを変換した、配列番号８０６に記載の配列のうち３００番目から５６９３番目までのヌクレオチドからなるポリヌクレオチド（ＧｅｎＢａｎｋ  Ｎｏ．ＮＭ＿００２２９２．３）、
配列番号２１６に記載の配列からなるポリペプチドを変換した、配列番号８０７に記載の配列のうち２２０番目から２２０２番目までのヌクレオチドからなるポリヌクレオチド（ＧｅｎＢａｎｋ  Ｎｏ．ＮＭ＿０１９０４２．３）。
【０３３０】
配列番号２１７に記載の配列からなるポリペプチドを変換した、配列番号８０８に記載の配列のうち７８番目から１０２８番目までのヌクレオチドからなるポリヌクレオチド（ＧｅｎＢａｎｋ  Ｎｏ．ＮＭ＿００１００１７１０．２）、
配列番号２１８に記載の配列からなるポリペプチドを変換した、配列番号８０９に記載の配列のうち１２１番目から１１０４番目までのヌクレオチドからなるポリヌクレオチド（ＧｅｎＢａｎｋ  Ｎｏ．ＮＭ＿０００５９７．２）、
配列番号２１９に記載の配列からなるポリペプチドを変換した、配列番号８１０に記載の配列のうち３３０番目から１７１８番目までのヌクレオチドからなるポリヌクレオチド（ＧｅｎＢａｎｋ  Ｎｏ．ＮＭ＿００１９５８．３）。
【０３３１】
配列番号２２０に記載の配列からなるポリペプチドを変換した、配列番号８１１に記載の配列のうち１４５番目から３０７８番目までのヌクレオチドからなるポリヌクレオチド（ＧｅｎＢａｎｋ  Ｎｏ．ＮＭ＿０１５４４０．４）、
配列番号２２１に記載の配列からなるポリペプチドを変換した、配列番号８１２に記載の配列のうち１３２番目から１４８１番目までのヌクレオチドからなるポリヌクレオチド（ＧｅｎＢａｎｋ  Ｎｏ．ＮＭ＿０３１９４２．４）、
配列番号２２２に記載の配列からなるポリペプチドを変換した、配列番号８１３に記載の配列のうち１０３０番目から１８１２番目までのヌクレオチドからなるポリヌクレオチド（ＧｅｎＢａｎｋ  Ｎｏ．ＮＭ＿１５２４３７．２）。
【０３３２】
配列番号２２３に記載の配列からなるポリペプチドを変換した、配列番号８１４に記載の配列のうち９５番目から２１４６番目までのヌクレオチドからなるポリヌクレオチド（ＧｅｎＢａｎｋ  Ｎｏ．ＮＭ＿００１１０２３７１．１）、
配列番号２２４に記載の配列からなるポリペプチドを変換した、配列番号８１５に記載の配列のうち１９２番目から８６０番目までのヌクレオチドからなるポリヌクレオチド（ＧｅｎＢａｎｋ  Ｎｏ．ＮＭ＿０２０６４８．５）、
配列番号２２５に記載の配列からなるポリペプチドを変換した、配列番号８１６に記載の配列のうち３７３番目から１８９９番目までのヌクレオチドからなるポリヌクレオチド（ＧｅｎＢａｎｋ  Ｎｏ．ＮＭ＿０００３４６．３）。
【０３３３】
配列番号２２６に記載の配列からなるポリペプチドを変換した、配列番号８１７に記載の配列のうち１５４番目から１２６６番目までのヌクレオチドからなるポリヌクレオチド（ＧｅｎＢａｎｋ  Ｎｏ．ＮＭ＿００４４３３．４）、
配列番号２２７に記載の配列からなるポリペプチドを変換した、配列番号８１８に記載の配列のうち２２５番目から１２９２番目までのヌクレオチドからなるポリヌクレオチド（ＧｅｎＢａｎｋ  Ｎｏ．ＮＭ＿０１２１２１．４）、
配列番号２２８に記載の配列からなるポリペプチドを変換した、配列番号８１９に記載の配列のうち１５７番目から１１６１番目までのヌクレオチドからなるポリヌクレオチド（ＧｅｎＢａｎｋ  Ｎｏ．ＮＭ＿００６４７９．４）。
【０３３４】
配列番号２２９に記載の配列からなるポリペプチドを変換した、配列番号８２０に記載の配列のうち２６番目から７５４番目までのヌクレオチドからなるポリヌクレオチド（ＧｅｎＢａｎｋ  Ｎｏ．ＮＭ＿０２２３４１．１）、
配列番号２３０に記載の配列からなるポリペプチドを変換した、配列番号８２１に記載の配列のうち３９４番目から３２８２番目までのヌクレオチドからなるポリヌクレオチド（ＧｅｎＢａｎｋ  Ｎｏ．ＮＭ＿０１４５２１．２）、
配列番号２３１に記載の配列からなるポリペプチドを変換した、配列番号８２２に記載の配列のうち２１７番目から１０８３番目までのヌクレオチドからなるポリヌクレオチド（ＧｅｎＢａｎｋ  Ｎｏ．ＮＭ＿００１１３６４９４．１）。
【０３３５】
配列番号２３２に記載の配列からなるポリペプチドを変換した、配列番号８２３に記載の配列のうち３５８番目から３６６６番目までのヌクレオチドからなるポリヌクレオチド（ＧｅｎＢａｎｋ  Ｎｏ．ＮＭ＿００６６１２．５）、
配列番号２３３に記載の配列からなるポリペプチドを変換した、配列番号８２４に記載の配列のうち５１１番目から３１２０番目までのヌクレオチドからなるポリヌクレオチド（ＧｅｎＢａｎｋ  Ｎｏ．ＮＭ＿００１４３０．４）、
配列番号２３４に記載の配列からなるポリペプチドを変換した、配列番号８２５に記載の配列のうち２４８番目から２３９２番目までのヌクレオチドからなるポリヌクレオチド（ＧｅｎＢａｎｋ  Ｎｏ．ＮＭ＿０２２７７２．３）。
【０３３６】
配列番号２３５に記載の配列からなるポリペプチドを変換した、配列番号８２６に記載の配列のうち８１番目から１７１５番目までのヌクレオチドからなるポリヌクレオチド（ＧｅｎＢａｎｋ  Ｎｏ．ＮＭ＿００４２４０．３）、
配列番号２３６に記載の配列からなるポリペプチドを変換した、配列番号８２７に記載の配列のうち７３番目から２５５番目までのヌクレオチドからなるポリヌクレオチド（ＧｅｎＢａｎｋ  Ｎｏ．ＮＭ＿００５９５０．２）、
配列番号２３７に記載の配列からなるポリペプチドを変換した、配列番号８２８に記載の配列のうち１２０番目から１１０６番目までのヌクレオチドからなるポリヌクレオチド（ＧｅｎＢａｎｋ  Ｎｏ．ＮＭ＿０２１２１４．１）。
【０３３７】
配列番号２３８に記載の配列からなるポリペプチドを変換した、配列番号８２９に記載の配列のうち９９番目から４１６番目までのヌクレオチドからなるポリヌクレオチド（ＧｅｎＢａｎｋ  Ｎｏ．ＮＭ＿０３３５２０．１）、
配列番号２３９に記載の配列からなるポリペプチドを変換した、配列番号８３０に記載の配列のうち７１番目から１３２４番目までのヌクレオチドからなるポリヌクレオチド（ＧｅｎＢａｎｋ  Ｎｏ．ＮＭ＿０２４６２９．３）、
配列番号２４０に記載の配列からなるポリペプチドを変換した、配列番号８３１に記載の配列のうち１０９番目から１５１８番目までのヌクレオチドからなるポリヌクレオチド（ＧｅｎＢａｎｋ  Ｎｏ．ＮＭ＿００４２９５．３）。
【０３３８】
配列番号２４１に記載の配列からなるポリペプチドを変換した、配列番号８３２に記載の配列のうち２２７番目から８５０番目までのヌクレオチドからなるポリヌクレオチド（ＧｅｎＢａｎｋ  Ｎｏ．ＮＭ＿００１２７６３０７．１）、
配列番号２４２に記載の配列からなるポリペプチドを変換した、配列番号８３３に記載の配列のうち５９番目から１６５４番目までのヌクレオチドからなるポリヌクレオチド（ＧｅｎＢａｎｋ  Ｎｏ．ＮＭ＿００５１８９．２）、
配列番号２４３に記載の配列からなるポリペプチドを変換した、配列番号８３４に記載の配列のうち１６６番目から５３５２番目までのヌクレオチドからなるポリヌクレオチド（ＧｅｎＢａｎｋ  Ｎｏ．ＮＭ＿０３３３９６．２）。
【０３３９】
配列番号２４４に記載の配列からなるポリペプチドを変換した、配列番号８３５に記載の配列のうち６３３番目から１７３０番目までのヌクレオチドからなるポリヌクレオチド（ＧｅｎＢａｎｋ  Ｎｏ．ＮＭ＿０３０６４８．３）、
配列番号２４５に記載の配列からなるポリペプチドを変換した、配列番号８３６に記載の配列のうち２２３番目から１８７５番目までのヌクレオチドからなるポリヌクレオチド（ＧｅｎＢａｎｋ  Ｎｏ．ＮＭ＿００１１７８００８．１）、
配列番号２４６に記載の配列からなるポリペプチドを変換した、配列番号８３７に記載の配列のうち３２６番目から２０７１番目までのヌクレオチドからなるポリヌクレオチド（ＧｅｎＢａｎｋ  Ｎｏ．ＮＭ＿０２１９３９．３）。
【０３４０】
配列番号２４７に記載の配列からなるポリペプチドを変換した、配列番号８３８に記載の配列のうち３８０番目から１７４１番目までのヌクレオチドからなるポリヌクレオチド（ＧｅｎＢａｎｋ  Ｎｏ．ＮＭ＿１４４７１０．３）、
配列番号２４８に記載の配列からなるポリペプチドを変換した、配列番号８３９に記載の配列のうち６３番目から１２３２番目までのヌクレオチドからなるポリヌクレオチド（ＧｅｎＢａｎｋ  Ｎｏ．ＮＭ＿０２０１２７．２）、
配列番号２４９に記載の配列からなるポリペプチドを変換した、配列番号８４０に記載の配列のうち２８５番目から１５９５番目までのヌクレオチドからなるポリヌクレオチド（ＧｅｎＢａｎｋ  Ｎｏ．ＮＭ＿００６４５５．２）。
【０３４１】
配列番号２５０に記載の配列からなるポリペプチドを変換した、配列番号８４１に記載の配列のうち３７３番目から３６９６番目までのヌクレオチドからなるポリヌクレオチド（ＧｅｎＢａｎｋ  Ｎｏ．ＮＭ＿００４９９８．３）、
配列番号２５１に記載の配列からなるポリペプチドを変換した、配列番号８４２に記載の配列のうち２１５番目から１９０９番目までのヌクレオチドからなるポリヌクレオチド（ＧｅｎＢａｎｋ  Ｎｏ．ＸＭ＿０１１５４６０９７．１）、
配列番号２５２に記載の配列からなるポリペプチドを変換した、配列番号８４３に記載の配列のうち１５７番目から１７１３番目までのヌクレオチドからなるポリヌクレオチド（ＧｅｎＢａｎｋ  Ｎｏ．ＮＭ＿００６８１０．３）。
【０３４２】
配列番号２５３に記載の配列からなるポリペプチドを変換した、配列番号８４４に記載の配列のうち４１番目から７３３番目までのヌクレオチドからなるポリヌクレオチド（ＧｅｎＢａｎｋ  Ｎｏ．ＮＭ＿０２３０７７．２）、
配列番号２５４に記載の配列からなるポリペプチドを変換した、配列番号８４５に記載の配列のうち８５２番目から１４４８番目までのヌクレオチドからなるポリヌクレオチド（ＧｅｎＢａｎｋ  Ｎｏ．ＮＭ＿０１７７９３．２）、
配列番号２５５に記載の配列からなるポリペプチドを変換した、配列番号８４６に記載の配列のうち５１３番目から７６６１番目までのヌクレオチドからなるポリヌクレオチド（ＧｅｎＢａｎｋ  Ｎｏ．ＮＭ＿１９８８３４．２）。
【０３４３】
配列番号２５６に記載の配列からなるポリペプチドを変換した、配列番号８４７に記載の配列のうち２８４番目から５６７７番目までのヌクレオチドからなるポリヌクレオチド（ＧｅｎＢａｎｋ  Ｎｏ．ＮＭ＿０１５１１２．２）、
配列番号２５７に記載の配列からなるポリペプチドを変換した、配列番号８４８に記載の配列のうち６８番目から１１１５２番目までのヌクレオチドからなるポリヌクレオチド（ＧｅｎＢａｎｋ  Ｎｏ．ＮＭ＿００５５６０．４）、
配列番号２５８に記載の配列からなるポリペプチドを変換した、配列番号８４９に記載の配列のうち４６８番目から１４０６番目までのヌクレオチドからなるポリヌクレオチド（ＧｅｎＢａｎｋ  Ｎｏ．ＮＭ＿１３８７６８．３）。
【０３４４】
配列番号２５９に記載の配列からなるポリペプチドを変換した、配列番号８５０に記載の配列のうち１２４番目から２４９０番目までのヌクレオチドからなるポリヌクレオチド（ＧｅｎＢａｎｋ  Ｎｏ．ＮＭ＿１３３３７３．４）、
配列番号２６０に記載の配列からなるポリペプチドを変換した、配列番号８５１に記載の配列のうち１４８番目から２２５３番目までのヌクレオチドからなるポリヌクレオチド（ＧｅｎＢａｎｋ  Ｎｏ．ＮＭ＿００４３６３．５）、
配列番号２６１に記載の配列からなるポリペプチドを変換した、配列番号８５２に記載の配列のうち２８４番目から２０６８番目までのヌクレオチドからなるポリヌクレオチド（ＧｅｎＢａｎｋ  Ｎｏ．ＮＭ＿００５２５７．５）。
【０３４５】
配列番号２６２に記載の配列からなるポリペプチドを変換した、配列番号８５３に記載の配列のうち１４７番目から１９１３番目までのヌクレオチドからなるポリヌクレオチド（ＧｅｎＢａｎｋ  Ｎｏ．ＮＭ＿０２４９２１．３）、
配列番号２６３に記載の配列からなるポリペプチドを変換した、配列番号８５４に記載の配列のうち２９３番目から２５３９番目までのヌクレオチドからなるポリヌクレオチド（ＧｅｎＢａｎｋ  Ｎｏ．ＮＭ＿００４６３６．３）、
配列番号２６４に記載の配列からなるポリペプチドを変換した、配列番号８５５に記載の配列のうち３６３番目から２４３８番目までのヌクレオチドからなるポリヌクレオチド（ＧｅｎＢａｎｋ  Ｎｏ．ＮＭ＿１７４９３６．３）。
【０３４６】
配列番号２６５に記載の配列からなるポリペプチドを変換した、配列番号８５６に記載の配列のうち１３１番目から２０２９番目までのヌクレオチドからなるポリヌクレオチド（ＧｅｎＢａｎｋ  Ｎｏ．ＮＭ＿０１４４２７．４）、
配列番号２６６に記載の配列からなるポリペプチドを変換した、配列番号８５７に記載の配列のうち１１６番目から２７５８番目までのヌクレオチドからなるポリヌクレオチド（ＧｅｎＢａｎｋ  Ｎｏ．ＮＭ＿００４５７２．３）、
配列番号２６７に記載の配列からなるポリペプチドを変換した、配列番号８５８に記載の配列のうち２４８番目から１７７７番目までのヌクレオチドからなるポリヌクレオチド（ＧｅｎＢａｎｋ  Ｎｏ．ＮＭ＿００４４５４．２）。
【０３４７】
配列番号２６８に記載の配列からなるポリペプチドを変換した、配列番号８５９に記載の配列のうち３６３番目から１３０１番目までのヌクレオチドからなるポリヌクレオチド（ＧｅｎＢａｎｋ  Ｎｏ．ＮＭ＿００１２６５．４）、
配列番号２６９に記載の配列からなるポリペプチドを変換した、配列番号８６０に記載の配列のうち４７３番目から１６５４番目までのヌクレオチドからなるポリヌクレオチド（ＧｅｎＢａｎｋ  Ｎｏ．ＮＭ＿００１３９４．６）、
配列番号２７０に記載の配列からなるポリペプチドを変換した、配列番号８６１に記載の配列のうち２２７番目から８６５番目までのヌクレオチドからなるポリヌクレオチド（ＧｅｎＢａｎｋ  Ｎｏ．ＮＭ＿０２０３８７．２）。
【０３４８】
配列番号２７１に記載の配列からなるポリペプチドを変換した、配列番号８６２に記載の配列のうち１８０番目から１６５８番目までのヌクレオチドからなるポリヌクレオチド（ＧｅｎＢａｎｋ  Ｎｏ．ＮＭ＿１３８３７０．２）、
配列番号２７２に記載の配列からなるポリペプチドを変換した、配列番号８６３に記載の配列のうち１９２番目から１０９１番目までのヌクレオチドからなるポリヌクレオチド（ＧｅｎＢａｎｋ  Ｎｏ．ＮＭ＿０１２１５３．５）、
配列番号２７３に記載の配列からなるポリペプチドを変換した、配列番号８６４に記載の配列のうち１４５番目から３６６０番目までのヌクレオチドからなるポリヌクレオチド（ＧｅｎＢａｎｋ  Ｎｏ．ＮＭ＿０００２２８．２）。
【０３４９】
配列番号２７４に記載の配列からなるポリペプチドを変換した、配列番号８６５に記載の配列のうち１０５番目から３９６８番目までのヌクレオチドからなるポリヌクレオチド（ＧｅｎＢａｎｋ  Ｎｏ．ＮＭ＿０１７５７０．４）、
配列番号２７５に記載の配列からなるポリペプチドを変換した、配列番号８６６に記載の配列のうち１８９番目から２０９６番目までのヌクレオチドからなるポリヌクレオチド（ＧｅｎＢａｎｋ  Ｎｏ．ＮＭ＿１３８３４２．３）、
配列番号２７６に記載の配列からなるポリペプチドを変換した、配列番号８６７に記載の配列のうち４８番目から６０３２番目までのヌクレオチドからなるポリヌクレオチド（ＧｅｎＢａｎｋ  Ｎｏ．ＮＭ＿０２４７２９．３）。
【０３５０】
配列番号２７７に記載の配列からなるポリペプチドを変換した、配列番号８６８に記載の配列のうち９４番目から３４３２番目までのヌクレオチドからなるポリヌクレオチド（ＧｅｎＢａｎｋ  Ｎｏ．ＮＭ＿０１５２３８．２）、
配列番号２７８に記載の配列からなるポリペプチドを変換した、配列番号８６９に記載の配列のうち１番目から２０３１番目までのヌクレオチドからなるポリヌクレオチド（ＧｅｎＢａｎｋ  Ｎｏ．ＮＭ＿０１８２６５．３）、
配列番号２７９に記載の配列からなるポリペプチドを変換した、配列番号８７０に記載の配列のうち３６１番目から３６４２番目までのヌクレオチドからなるポリヌクレオチド（ＧｅｎＢａｎｋ  Ｎｏ．ＮＭ＿２０６８６１．２）。
【０３５１】
配列番号２８０に記載の配列からなるポリペプチドを変換した、配列番号８７１に記載の配列のうち４７５番目から４２８４番目までのヌクレオチドからなるポリヌクレオチド（ＧｅｎＢａｎｋ  Ｎｏ．ＮＭ＿００１００１９２４．２）、
配列番号２８１に記載の配列からなるポリペプチドを変換した、配列番号８７２に記載の配列のうち４番目から３０９９番目までのヌクレオチドからなるポリヌクレオチド（ＧｅｎＢａｎｋ  Ｎｏ．ＮＭ＿０１４５５０．３）、
配列番号２８２に記載の配列からなるポリペプチドを変換した、配列番号８７３に記載の配列のうち２１番目から２５８５番目までのヌクレオチドからなるポリヌクレオチド（ＧｅｎＢａｎｋ  Ｎｏ．ＮＭ＿０１７８０２．３）。
【０３５２】
配列番号２８３に記載の配列からなるポリペプチドを変換した、配列番号８７４に記載の配列のうち７１番目から２２６９番目までのヌクレオチドからなるポリヌクレオチド（ＧｅｎＢａｎｋ  Ｎｏ．ＮＭ＿００１０３５５３４．２）、
配列番号２８４に記載の配列からなるポリペプチドを変換した、配列番号８７５に記載の配列のうち１９４番目から１１５０番目までのヌクレオチドからなるポリヌクレオチド（ＧｅｎＢａｎｋ  Ｎｏ．ＮＭ＿１９９３２７．２）、
配列番号２８５に記載の配列からなるポリペプチドを変換した、配列番号８７６に記載の配列のうち２７８番目から１８４９番目までのヌクレオチドからなるポリヌクレオチド（ＧｅｎＢａｎｋ  Ｎｏ．ＮＭ＿０１８２１４．４）。
【０３５３】
配列番号２８６に記載の配列からなるポリペプチドを変換した、配列番号８７７に記載の配列のうち８２番目から１１７６番目までのヌクレオチドからなるポリヌクレオチド（ＧｅｎＢａｎｋ  Ｎｏ．ＮＭ＿１７７９７３．１）、
配列番号２８７に記載の配列からなるポリペプチドを変換した、配列番号８７８に記載の配列のうち２２６番目から１９１４番目までのヌクレオチドからなるポリヌクレオチド（ＧｅｎＢａｎｋ  Ｎｏ．ＮＭ＿０２４５２６．３）、
配列番号２８８に記載の配列からなるポリペプチドを変換した、配列番号８７９に記載の配列のうち８９番目から８８９番目までのヌクレオチドからなるポリヌクレオチド（ＧｅｎＢａｎｋ  Ｎｏ．ＮＭ＿００２４４９．４）。
【０３５４】
配列番号２８９に記載の配列からなるポリペプチドを変換した、配列番号８８０に記載の配列のうち４５番目から８７８番目までのヌクレオチドからなるポリヌクレオチド（ＧｅｎＢａｎｋ  Ｎｏ．ＮＭ＿０２４７０１．３）、
配列番号２９０に記載の配列からなるポリペプチドを変換した、配列番号８８１に記載の配列のうち２６６番目から１４７４番目までのヌクレオチドからなるポリヌクレオチド（ＧｅｎＢａｎｋ  Ｎｏ．ＮＭ＿０３３２６０．３）、
配列番号２９１に記載の配列からなるポリペプチドを変換した、配列番号８８２に記載の配列のうち９９番目から１４５４番目までのヌクレオチドからなるポリヌクレオチド（ＧｅｎＢａｎｋ  Ｎｏ．ＮＭ＿１８２５０７．２）。
【０３５５】
配列番号２９２に記載の配列からなるポリペプチドを変換した、配列番号８８３に記載の配列のうち３８９番目から１７３８番目までのヌクレオチドからなるポリヌクレオチド（ＧｅｎＢａｎｋ  Ｎｏ．ＮＭ＿００６１０６．４）、
配列番号２９３に記載の配列からなるポリペプチドを変換した、配列番号８８４に記載の配列のうち４１３番目から１８０７番目までのヌクレオチドからなるポリヌクレオチド（ＧｅｎＢａｎｋ  Ｎｏ．ＮＭ＿０１４６０３．２）、
配列番号２９４に記載の配列からなるポリペプチドを変換した、配列番号８８５に記載の配列のうち３３６番目から２９９９番目までのヌクレオチドからなるポリヌクレオチド（ＧｅｎＢａｎｋ  Ｎｏ．ＮＭ＿０２０８７０．３）。
【０３５６】
配列番号２９５に記載の配列からなるポリペプチドを変換した、配列番号８８６に記載の配列のうち２７７番目から１３８９番目までのヌクレオチドからなるポリヌクレオチド（ＧｅｎＢａｎｋ  Ｎｏ．ＮＭ＿０３２７５６．２）、
配列番号２９６に記載の配列からなるポリペプチドを変換した、配列番号８８７に記載の配列のうち２４９番目から２３７５番目までのヌクレオチドからなるポリヌクレオチド（ＧｅｎＢａｎｋ  Ｎｏ．ＮＭ＿０１４４４８．３）、
配列番号２９７に記載の配列からなるポリペプチドを変換した、配列番号８８８に記載の配列のうち３９４番目から３２２５番目までのヌクレオチドからなるポリヌクレオチド（ＧｅｎＢａｎｋ  Ｎｏ．ＮＭ＿００５６８５．３）。
【０３５７】
配列番号２９８に記載の配列からなるポリペプチドを変換した、配列番号８８９に記載の配列のうち２８７番目から２７５８番目までのヌクレオチドからなるポリヌクレオチド（ＧｅｎＢａｎｋ  Ｎｏ．ＮＭ＿００２５１８．３）、
配列番号２９９に記載の配列からなるポリペプチドを変換した、配列番号８９０に記載の配列のうち６１２番目から１９３７番目までのヌクレオチドからなるポリヌクレオチド（ＧｅｎＢａｎｋ  Ｎｏ．ＮＭ＿００２０５２．４）、
配列番号３００に記載の配列からなるポリペプチドを変換した、配列番号８９１に記載の配列のうち７４番目から５７１番目までのヌクレオチドからなるポリヌクレオチド（ＧｅｎＢａｎｋ  Ｎｏ．ＮＭ＿１７６８１３．４）。
【０３５８】
配列番号３０１に記載の配列からなるポリペプチドを変換した、配列番号８９２に記載の配列のうち２２９番目から６３２７番目までのヌクレオチドからなるポリヌクレオチド（ＧｅｎＢａｎｋ  Ｎｏ．ＮＭ＿００１９８８．２）、
配列番号３０２に記載の配列からなるポリペプチドを変換した、配列番号８９３に記載の配列のうち３８６番目から７６６番目までのヌクレオチドからなるポリヌクレオチド（ＧｅｎＢａｎｋ  Ｎｏ．ＮＭ＿０１２３９６．４）、
配列番号３０３に記載の配列からなるポリペプチドを変換した、配列番号８９４に記載の配列のうち５０７番目から１４８４番目までのヌクレオチドからなるポリヌクレオチド（ＧｅｎＢａｎｋ  Ｎｏ．ＮＭ＿００５１８０．８）。
【０３５９】
配列番号３０４に記載の配列からなるポリペプチドを変換した、配列番号８９５に記載の配列のうち３２８番目から３４６５番目までのヌクレオチドからなるポリヌクレオチド（ＧｅｎＢａｎｋ  Ｎｏ．ＮＭ＿００３３８８．４）、
配列番号３０５に記載の配列からなるポリペプチドを変換した、配列番号８９６に記載の配列のうち５９番目から１５７０番目までのヌクレオチドからなるポリヌクレオチド（ＧｅｎＢａｎｋ  Ｎｏ．ＮＭ＿０３０６２２．７）、
配列番号３０６に記載の配列からなるポリペプチドを変換した、配列番号８９７に記載の配列のうち７９０番目から２８２０番目までのヌクレオチドからなるポリヌクレオチド（ＧｅｎＢａｎｋ  Ｎｏ．ＮＭ＿０１７６７１．４）。
【０３６０】
配列番号３０７に記載の配列からなるポリペプチドを変換した、配列番号８９８に記載の配列のうち９５４番目から６９４１番目までのヌクレオチドからなるポリヌクレオチド（ＧｅｎＢａｎｋ  Ｎｏ．ＮＭ＿０２０８５９．３）、
配列番号３０８に記載の配列からなるポリペプチドを変換した、配列番号８９９に記載の配列のうち２５１番目から５５９番目までのヌクレオチドからなるポリヌクレオチド（ＧｅｎＢａｎｋ  Ｎｏ．ＮＭ＿０２４３２０．３）、
配列番号３０９に記載の配列からなるポリペプチドを変換した、配列番号９００に記載の配列のうち１１１番目から１４６３番目までのヌクレオチドからなるポリヌクレオチド（ＧｅｎＢａｎｋ  Ｎｏ．ＮＭ＿１３９２４８．２）。
【０３６１】
配列番号３１０に記載の配列からなるポリペプチドを変換した、配列番号９０１に記載の配列のうち１１５番目から２１７２番目までのヌクレオチドからなるポリヌクレオチド（ＧｅｎＢａｎｋ  Ｎｏ．ＮＭ＿００１０１４８０９．２）、
配列番号３１１に記載の配列からなるポリペプチドを変換した、配列番号９０２に記載の配列のうち８３８番目から２５１４番目までのヌクレオチドからなるポリヌクレオチド（ＧｅｎＢａｎｋ  Ｎｏ．ＮＭ＿００３９３１．２）、
配列番号３１２に記載の配列からなるポリペプチドを変換した、配列番号９０３に記載の配列のうち２４８番目から５６２０番目までのヌクレオチドからなるポリヌクレオチド（ＧｅｎＢａｎｋ  Ｎｏ．ＮＭ＿００１２４４００８．１）。
【０３６２】
配列番号３１３に記載の配列からなるポリペプチドを変換した、配列番号９０４に記載の配列のうち２４１番目から６１５番目までのヌクレオチドからなるポリヌクレオチド（ＧｅｎＢａｎｋ  Ｎｏ．ＮＭ＿０１８４７６．３）、
配列番号３１４に記載の配列からなるポリペプチドを変換した、配列番号９０５に記載の配列のうち１１０番目から６１９番目までのヌクレオチドからなるポリヌクレオチド（ＧｅｎＢａｎｋ  Ｎｏ．ＮＭ＿００６１８３．４）、
配列番号３１５に記載の配列からなるポリペプチドを変換した、配列番号９０６に記載の配列のうち２０９番目から１０７５番目までのヌクレオチドからなるポリヌクレオチド（ＧｅｎＢａｎｋ  Ｎｏ．ＮＭ＿００５２２１．５）。
【０３６３】
配列番号３１６に記載の配列からなるポリペプチドを変換した、配列番号９０７に記載の配列のうち１５９番目から１８５０番目までのヌクレオチドからなるポリヌクレオチド（ＧｅｎＢａｎｋ  Ｎｏ．ＮＭ＿０２０１３４．３）、
配列番号３１７に記載の配列からなるポリペプチドを変換した、配列番号９０８に記載の配列のうち２１７番目から４４１番目までのヌクレオチドからなるポリヌクレオチド（ＧｅｎＢａｎｋ  Ｎｏ．ＮＭ＿００４４８５．３）、
配列番号３１８に記載の配列からなるポリペプチドを変換した、配列番号９０９に記載の配列のうち３８６番目から８６８番目までのヌクレオチドからなるポリヌクレオチド（ＧｅｎＢａｎｋ  Ｎｏ．ＮＭ＿００１５４６．３）。
【０３６４】
配列番号３１９に記載の配列からなるポリペプチドを変換した、配列番号９１０に記載の配列のうち１８１番目から４６２番目までのヌクレオチドからなるポリヌクレオチド（ＧｅｎＢａｎｋ  Ｎｏ．ＮＭ＿００３２２６．３）、
配列番号３２０に記載の配列からなるポリペプチドを変換した、配列番号９１１に記載の配列のうち１５８番目から２２５７番目までのヌクレオチドからなるポリヌクレオチド（ＧｅｎＢａｎｋ  Ｎｏ．ＮＭ＿００６０８９．２）、
配列番号３２１に記載の配列からなるポリペプチドを変換した、配列番号９１２に記載の配列のうち４３８番目から１３８８番目までのヌクレオチドからなるポリヌクレオチド（ＧｅｎＢａｎｋ  Ｎｏ．ＮＭ＿００３１０６．３）。
【０３６５】
配列番号３２２に記載の配列からなるポリペプチドを変換した、配列番号９１３に記載の配列のうち１９９番目から９６３番目までのヌクレオチドからなるポリヌクレオチド（ＧｅｎＢａｎｋ  Ｎｏ．ＮＭ＿１７８１２０．４）、
配列番号３２３に記載の配列からなるポリペプチドを変換した、配列番号９１４に記載の配列のうち４６８番目から２８４６番目までのヌクレオチドからなるポリヌクレオチド（ＧｅｎＢａｎｋ  Ｎｏ．ＮＭ＿０２４９２７．４）、
配列番号３２４に記載の配列からなるポリペプチドを変換した、配列番号９１５に記載の配列のうち５６３番目から１９１８番目までのヌクレオチドからなるポリヌクレオチド（ＧｅｎＢａｎｋ  Ｎｏ．ＮＭ＿０３２８２９．２）。
【０３６６】
配列番号３２５に記載の配列からなるポリペプチドを変換した、配列番号９１６に記載の配列のうち２１３番目から１１９６番目までのヌクレオチドからなるポリヌクレオチド（ＧｅｎＢａｎｋ  Ｎｏ．ＮＭ＿００４４０５．３）、
配列番号３２６に記載の配列からなるポリペプチドを変換した、配列番号９１７に記載の配列のうち１７６番目から３１９９番目までのヌクレオチドからなるポリヌクレオチド（ＧｅｎＢａｎｋ  Ｎｏ．ＮＭ＿０５２８９９．２）、
配列番号３２７に記載の配列からなるポリペプチドを変換した、配列番号９１８に記載の配列のうち１５４番目から１６４１番目までのヌクレオチドからなるポリヌクレオチド（ＧｅｎＢａｎｋ  Ｎｏ．ＮＭ＿０２４３３３．２）。
【０３６７】
配列番号３２８に記載の配列からなるポリペプチドを変換した、配列番号９１９に記載の配列のうち７９５番目から２２１６番目までのヌクレオチドからなるポリヌクレオチド（ＧｅｎＢａｎｋ  Ｎｏ．ＮＭ＿００３１０７．２）、
配列番号３２９に記載の配列からなるポリペプチドを変換した、配列番号９２０に記載の配列のうち１２１７番目から１７２０番目までのヌクレオチドからなるポリヌクレオチド（ＧｅｎＢａｎｋ  Ｎｏ．ＮＭ＿００１２６２．２）、
配列番号３３０に記載の配列からなるポリペプチドを変換した、配列番号９２１に記載の配列のうち５４９番目から２５７６番目までのヌクレオチドからなるポリヌクレオチド（ＧｅｎＢａｎｋ  Ｎｏ．ＮＭ＿０１４０５５．３）。
【０３６８】
配列番号３３１に記載の配列からなるポリペプチドを変換した、配列番号９２２に記載の配列のうち３０２番目から３９７０番目までのヌクレオチドからなるポリヌクレオチド（ＧｅｎＢａｎｋ  Ｎｏ．ＮＭ＿００２６３７．３）、
配列番号３３２に記載の配列からなるポリペプチドを変換した、配列番号９２３に記載の配列のうち１０７番目から６８２番目までのヌクレオチドからなるポリヌクレオチド（ＧｅｎＢａｎｋ  Ｎｏ．ＮＭ＿００５０５２．２）、
配列番号３３３に記載の配列からなるポリペプチドを変換した、配列番号９２４に記載の配列のうち３４３番目から１６４１番目までのヌクレオチドからなるポリヌクレオチド（ＧｅｎＢａｎｋ  Ｎｏ．ＮＭ＿００１０２５２０１．３）。
【０３６９】
配列番号３３４に記載の配列からなるポリペプチドを変換した、配列番号９２５に記載の配列のうち１２４番目から２５８番目までのヌクレオチドからなるポリヌクレオチド（ＧｅｎＢａｎｋ  Ｎｏ．ＮＭ＿０２１９９２．２）、
配列番号３３５に記載の配列からなるポリペプチドを変換した、配列番号９２６に記載の配列のうち２７８番目から２０８３番目までのヌクレオチドからなるポリヌクレオチド（ＧｅｎＢａｎｋ  Ｎｏ．ＮＭ＿００１２７８４２２．１）、
配列番号３３６に記載の配列からなるポリペプチドを変換した、配列番号９２７に記載の配列のうち２８１番目から１２２５番目までのヌクレオチドからなるポリヌクレオチド（ＧｅｎＢａｎｋ  Ｎｏ．ＮＭ＿００５３６５．４）。
【０３７０】
配列番号３３７に記載の配列からなるポリペプチドを変換した、配列番号９２８に記載の配列のうち１５５番目から６０４番目までのヌクレオチドからなるポリヌクレオチド（ＧｅｎＢａｎｋ  Ｎｏ．ＮＭ＿０３１４２６．３）、
配列番号３３８に記載の配列からなるポリペプチドを変換した、配列番号９２９に記載の配列のうち２８８番目から１２３２番目までのヌクレオチドからなるポリヌクレオチド（ＧｅｎＢａｎｋ  Ｎｏ．ＮＭ＿００１０８０７９０．１）、
配列番号３３９に記載の配列からなるポリペプチドを変換した、配列番号９３０に記載の配列のうち２１８番目から２９５６番目までのヌクレオチドからなるポリヌクレオチド（ＧｅｎＢａｎｋ  Ｎｏ．ＮＭ＿０１４７８７．３）。
【０３７１】
配列番号３４０に記載の配列からなるポリペプチドを変換した、配列番号９３１に記載の配列のうち３２６番目から２４５８番目までのヌクレオチドからなるポリヌクレオチド（ＧｅｎＢａｎｋ  Ｎｏ．ＮＭ＿００５４５６．３）、
配列番号３４１に記載の配列からなるポリペプチドを変換した、配列番号９３２に記載の配列のうち１３９番目から１８１５番目までのヌクレオチドからなるポリヌクレオチド（ＧｅｎＢａｎｋ  Ｎｏ．ＮＭ＿００５４４１．２）、
配列番号３４２に記載の配列からなるポリペプチドを変換した、配列番号９３３に記載の配列のうち２４０番目から３４６７番目までのヌクレオチドからなるポリヌクレオチド（ＧｅｎＢａｎｋ  Ｎｏ．ＮＭ＿００１２８６８３９．１）。
【０３７２】
配列番号３４３に記載の配列からなるポリペプチドを変換した、配列番号９３４に記載の配列のうち１５５番目から７６０番目までのヌクレオチドからなるポリヌクレオチド（ＧｅｎＢａｎｋ  Ｎｏ．ＮＭ＿００２９２８．３）、
配列番号３４４に記載の配列からなるポリペプチドを変換した、配列番号９３５に記載の配列のうち２５０番目から５８８番目までのヌクレオチドからなるポリヌクレオチド（ＧｅｎＢａｎｋ  Ｎｏ．ＮＭ＿００１００８３９３．３）、
配列番号３４５に記載の配列からなるポリペプチドを変換した、配列番号９３６に記載の配列のうち５１０番目から２６９３番目までのヌクレオチドからなるポリヌクレオチド（ＧｅｎＢａｎｋ  Ｎｏ．ＮＭ＿０１８７００．３）。
【０３７３】
配列番号３４６に記載の配列からなるポリペプチドを変換した、配列番号９３７に記載の配列のうち２１３番目から８３０番目までのヌクレオチドからなるポリヌクレオチド（ＧｅｎＢａｎｋ  Ｎｏ．ＮＭ＿００３０８１．３）、
配列番号３４７に記載の配列からなるポリペプチドを変換した、配列番号９３８に記載の配列のうち２１８番目から２８７５番目までのヌクレオチドからなるポリヌクレオチド（ＧｅｎＢａｎｋ  Ｎｏ．ＮＭ＿０２１８３１．５）、
配列番号３４８に記載の配列からなるポリペプチドを変換した、配列番号９３９に記載の配列のうち１６番目から４１４９番目までのヌクレオチドからなるポリヌクレオチド（ＧｅｎＢａｎｋ  Ｎｏ．ＮＭ＿０１３４３２．４）。
【０３７４】
配列番号３４９に記載の配列からなるポリペプチドを変換した、配列番号９４０に記載の配列のうち１１５番目から６６９番目までのヌクレオチドからなるポリヌクレオチド（ＧｅｎＢａｎｋ  Ｎｏ．ＮＭ＿０２２７７７．３）、
配列番号３５０に記載の配列からなるポリペプチドを変換した、配列番号９４１に記載の配列のうち１１２２番目から３４２８番目までのヌクレオチドからなるポリヌクレオチド（ＧｅｎＢａｎｋ  Ｎｏ．ＮＭ＿０２０８０６．４）、
配列番号３５１に記載の配列からなるポリペプチドを変換した、配列番号９４２に記載の配列のうち３６５番目から１９３６番目までのヌクレオチドからなるポリヌクレオチド（ＧｅｎＢａｎｋ  Ｎｏ．ＮＭ＿００１７８９．２）。
【０３７５】
配列番号３５２に記載の配列からなるポリペプチドを変換した、配列番号９４３に記載の配列のうち２２３番目から６３４５番目までのヌクレオチドからなるポリヌクレオチド（ＧｅｎＢａｎｋ  Ｎｏ．ＮＭ＿００３８２９．４）、
配列番号３５３に記載の配列からなるポリペプチドを変換した、配列番号９４４に記載の配列のうち２６１番目から１６３１番目までのヌクレオチドからなるポリヌクレオチド（ＧｅｎＢａｎｋ  Ｎｏ．ＮＭ＿００１２７５．３）、
配列番号３５４に記載の配列からなるポリペプチドを変換した、配列番号９４５に記載の配列のうち２１７番目から１５００番目までのヌクレオチドからなるポリヌクレオチド（ＧｅｎＢａｎｋ  Ｎｏ．ＮＭ＿００５２２９．４）。
【０３７６】
配列番号３５５に記載の配列からなるポリペプチドを変換した、配列番号９４６に記載の配列のうち４２４番目から１８１５番目までのヌクレオチドからなるポリヌクレオチド（ＧｅｎＢａｎｋ  Ｎｏ．ＮＭ＿００５３７８．５）、
配列番号３５６に記載の配列からなるポリペプチドを変換した、配列番号９４７に記載の配列のうち２５番目から１５４５番目までのヌクレオチドからなるポリヌクレオチド（ＧｅｎＢａｎｋ  Ｎｏ．ＮＭ＿００１３０３４２７．１）、
配列番号３５７に記載の配列からなるポリペプチドを変換した、配列番号９４８に記載の配列のうち４３６番目から１５７８番目までのヌクレオチドからなるポリヌクレオチド（ＧｅｎＢａｎｋ  Ｎｏ．ＮＭ＿００２３９９．３）。
【０３７７】
配列番号３５８に記載の配列からなるポリペプチドを変換した、配列番号９４９に記載の配列のうち１４８番目から１６７７番目までのヌクレオチドからなるポリヌクレオチド（ＧｅｎＢａｎｋ  Ｎｏ．ＮＭ＿００２１９６．２）、
配列番号３５９に記載の配列からなるポリペプチドを変換した、配列番号９５０に記載の配列のうち１７１番目から３０３８番目までのヌクレオチドからなるポリヌクレオチド（ＧｅｎＢａｎｋ  Ｎｏ．ＮＭ＿１３０８４７．２）、
配列番号３６０に記載の配列からなるポリペプチドを変換した、配列番号９５１に記載の配列のうち２９８番目から１８９９番目までのヌクレオチドからなるポリヌクレオチド（ＧｅｎＢａｎｋ  Ｎｏ．ＮＭ＿０２３０７０．２）。
【０３７８】
配列番号３６１に記載の配列からなるポリペプチドを変換した、配列番号９５２に記載の配列のうち１８２番目から７８４番目までのヌクレオチドからなるポリヌクレオチド（ＧｅｎＢａｎｋ  Ｎｏ．ＮＭ＿００１６６１．３）、
配列番号３６２に記載の配列からなるポリペプチドを変換した、配列番号９５３に記載の配列のうち２２１番目から２２４５番目までのヌクレオチドからなるポリヌクレオチド（ＧｅｎＢａｎｋ  Ｎｏ．ＮＭ＿００１１４５６３８．２）、
配列番号３６３に記載の配列からなるポリペプチドを変換した、配列番号９５４に記載の配列のうち３３８番目から１０５４番目までのヌクレオチドからなるポリヌクレオチド（ＧｅｎＢａｎｋ  Ｎｏ．ＮＭ＿０３２２８７．２）。
【０３７９】
配列番号３６４に記載の配列からなるポリペプチドを変換した、配列番号９５５に記載の配列のうち８１番目から１３８５番目までのヌクレオチドからなるポリヌクレオチド（ＧｅｎＢａｎｋ  Ｎｏ．ＮＭ＿０２２４６３．４）、
配列番号３６５に記載の配列からなるポリペプチドを変換した、配列番号９５６に記載の配列のうち３５４番目から４４８４番目までのヌクレオチドからなるポリヌクレオチド（ＧｅｎＢａｎｋ  Ｎｏ．ＮＭ＿０１５１５７．３）、
配列番号３６６に記載の配列からなるポリペプチドを変換した、配列番号９５７に記載の配列のうち１３５番目から２６０６番目までのヌクレオチドからなるポリヌクレオチド（ＧｅｎＢａｎｋ  Ｎｏ．ＮＭ＿０１２３２４．４）。
【０３８０】
配列番号３６７に記載の配列からなるポリペプチドを変換した、配列番号９５８に記載の配列のうち９２番目から４６４５番目までのヌクレオチドからなるポリヌクレオチド（ＧｅｎＢａｎｋ  Ｎｏ．ＮＭ＿１７３６３６．４）、
配列番号３６８に記載の配列からなるポリペプチドを変換した、配列番号９５９に記載の配列のうち３９６番目から３２６６番目までのヌクレオチドからなるポリヌクレオチド（ＧｅｎＢａｎｋ  Ｎｏ．ＮＭ＿００４５２２．２）、
配列番号３６９に記載の配列からなるポリペプチドを変換した、配列番号９６０に記載の配列のうち１８４番目から１４１３番目までのヌクレオチドからなるポリヌクレオチド（ＧｅｎＢａｎｋ  Ｎｏ．ＮＭ＿００１２３８．２）。
【０３８１】
配列番号３７０に記載の配列からなるポリペプチドを変換した、配列番号９６１に記載の配列のうち２８４番目から１４８３番目までのヌクレオチドからなるポリヌクレオチド（ＧｅｎＢａｎｋ  Ｎｏ．ＮＭ＿０２１２４４．４）、
配列番号３７１に記載の配列からなるポリペプチドを変換した、配列番号９６２に記載の配列のうち１３番目から９１２番目までのヌクレオチドからなるポリヌクレオチド（ＧｅｎＢａｎｋ  Ｎｏ．ＮＭ＿０８０６６０．３）、
配列番号３７２に記載の配列からなるポリペプチドを変換した、配列番号９６３に記載の配列のうち１３１１番目から２２１６番目までのヌクレオチドからなるポリヌクレオチド（ＧｅｎＢａｎｋ  Ｎｏ．ＮＭ＿００３７１４．２）。
【０３８２】
配列番号３７３に記載の配列からなるポリペプチドを変換した、配列番号９６４に記載の配列のうち１３９番目から１３１１番目までのヌクレオチドからなるポリヌクレオチド（ＧｅｎＢａｎｋ  Ｎｏ．ＮＭ＿１７３６４２．３）、
配列番号３７４に記載の配列からなるポリペプチドを変換した、配列番号９６５に記載の配列のうち１０７４番目から２７０８番目までのヌクレオチドからなるポリヌクレオチド（ＧｅｎＢａｎｋ  Ｎｏ．ＮＭ＿００１２９３２８５．１）、
配列番号３７５に記載の配列からなるポリペプチドを変換した、配列番号９６６に記載の配列のうち１６番目から４４０１番目までのヌクレオチドからなるポリヌクレオチド（ＧｅｎＢａｎｋ  Ｎｏ．ＮＭ＿０１６９３７．３）。
【０３８３】
配列番号３７６に記載の配列からなるポリペプチドを変換した、配列番号９６７に記載の配列のうち３５５番目から１１６４番目までのヌクレオチドからなるポリヌクレオチド（ＧｅｎＢａｎｋ  Ｎｏ．ＮＭ＿２１３５６９．２）、
配列番号３７７に記載の配列からなるポリペプチドを変換した、配列番号９６８に記載の配列のうち６４番目から２３８２番目までのヌクレオチドからなるポリヌクレオチド（ＧｅｎＢａｎｋ  Ｎｏ．ＮＭ＿１５２２７１．３）、
配列番号３７８に記載の配列からなるポリペプチドを変換した、配列番号９６９に記載の配列のうち９２番目から６４５１番目までのヌクレオチドからなるポリヌクレオチド（ＧｅｎＢａｎｋ  Ｎｏ．ＮＭ＿０１２２９１．４）。
【０３８４】
配列番号３７９に記載の配列からなるポリペプチドを変換した、配列番号９７０に記載の配列のうち３６７番目から９７５番目までのヌクレオチドからなるポリヌクレオチド（ＧｅｎＢａｎｋ  Ｎｏ．ＮＭ＿０３３３１５．３）、
配列番号３８０に記載の配列からなるポリペプチドを変換した、配列番号９７１に記載の配列のうち２００番目から８６２番目までのヌクレオチドからなるポリヌクレオチド（ＧｅｎＢａｎｋ  Ｎｏ．ＮＭ＿０２１１７０．３）、
配列番号３８１に記載の配列からなるポリペプチドを変換した、配列番号９７２に記載の配列のうち２４９番目から１７１８番目までのヌクレオチドからなるポリヌクレオチド（ＧｅｎＢａｎｋ  Ｎｏ．ＮＭ＿００１２７０４１０．１）。
【０３８５】
配列番号３８２に記載の配列からなるポリペプチドを変換した、配列番号９７３に記載の配列のうち２１０番目から１４８４番目までのヌクレオチドからなるポリヌクレオチド（ＧｅｎＢａｎｋ  Ｎｏ．ＮＭ＿００１２８６６８３．１）、
配列番号３８３に記載の配列からなるポリペプチドを変換した、配列番号９７４に記載の配列のうち２５７番目から２０６８番目までのヌクレオチドからなるポリヌクレオチド（ＧｅｎＢａｎｋ  Ｎｏ．ＮＭ＿０３０６２４．２）、
配列番号３８４に記載の配列からなるポリペプチドを変換した、配列番号９７５に記載の配列のうち９４番目から５０８２番目までのヌクレオチドからなるポリヌクレオチド（ＧｅｎＢａｎｋ  Ｎｏ．ＮＭ＿００００６４．３）。
【０３８６】
配列番号３８５に記載の配列からなるポリペプチドを変換した、配列番号９７６に記載の配列のうち４１４番目から１３８２番目までのヌクレオチドからなるポリヌクレオチド（ＧｅｎＢａｎｋ  Ｎｏ．ＮＭ＿００１３５４．５）、
配列番号３８６に記載の配列からなるポリペプチドを変換した、配列番号９７７に記載の配列のうち１８４番目から１１５２番目までのヌクレオチドからなるポリヌクレオチド（ＧｅｎＢａｎｋ  Ｎｏ．ＮＭ＿００１３５３．５）、
配列番号３８７に記載の配列からなるポリペプチドを変換した、配列番号９７８に記載の配列のうち２７８番目から１３２１番目までのヌクレオチドからなるポリヌクレオチド（ＧｅｎＢａｎｋ  Ｎｏ．ＮＭ＿００１０３７３３０．１）。
【０３８７】
配列番号３８８に記載の配列からなるポリペプチドを変換した、配列番号９７９に記載の配列のうち２５１番目から１８７９番目までのヌクレオチドからなるポリヌクレオチド（ＧｅｎＢａｎｋ  Ｎｏ．ＮＭ＿０１４６０１．３）、
配列番号３８９に記載の配列からなるポリペプチドを変換した、配列番号９８０に記載の配列のうち８０番目から４００番目までのヌクレオチドからなるポリヌクレオチド（ＧｅｎＢａｎｋ  Ｎｏ．ＮＭ＿００１５１１．３）、
配列番号３９０に記載の配列からなるポリペプチドを変換した、配列番号９８１に記載の配列のうち１３４番目から２８８４番目までのヌクレオチドからなるポリヌクレオチド（ＧｅｎＢａｎｋ  Ｎｏ．ＮＭ＿０２５１３０．３）。
【０３８８】
配列番号３９１に記載の配列からなるポリペプチドを変換した、配列番号９８２に記載の配列のうち１６１番目から４８１番目までのヌクレオチドからなるポリヌクレオチド（ＧｅｎＢａｎｋ  Ｎｏ．ＮＭ＿００２０８９．３）、
配列番号３９２に記載の配列からなるポリペプチドを変換した、配列番号９８３に記載の配列のうち１９８番目から２６９６番目までのヌクレオチドからなるポリヌクレオチド（ＧｅｎＢａｎｋ  Ｎｏ．ＮＭ＿００５５５０．３）、
配列番号３９３に記載の配列からなるポリペプチドを変換した、配列番号９８４に記載の配列のうち１５７番目から７６２番目までのヌクレオチドからなるポリヌクレオチド（ＧｅｎＢａｎｋ  Ｎｏ．ＮＭ＿００２３０９．４）。
【０３８９】
配列番号３９４に記載の配列からなるポリペプチドを変換した、配列番号９８５に記載の配列のうち２７７番目から２３４０番目までのヌクレオチドからなるポリヌクレオチド（ＧｅｎＢａｎｋ  Ｎｏ．ＮＭ＿００１７３４．３）、
配列番号３９５に記載の配列からなるポリペプチドを変換した、配列番号９８６に記載の配列のうち９９番目から２１４４番目までのヌクレオチドからなるポリヌクレオチド（ＧｅｎＢａｎｋ  Ｎｏ．ＮＭ＿００５１１０．２）、
配列番号３９６に記載の配列からなるポリペプチドを変換した、配列番号９８７に記載の配列のうち７４５番目から１５３６番目までのヌクレオチドからなるポリヌクレオチド（ＧｅｎＢａｎｋ  Ｎｏ．ＮＭ＿００６１６９．２）。
【０３９０】
配列番号３９７に記載の配列からなるポリペプチドを変換した、配列番号９８８に記載の配列のうち１０７番目から１０４８番目までのヌクレオチドからなるポリヌクレオチド（ＧｅｎＢａｎｋ  Ｎｏ．ＮＭ＿００６７９９．３）、
配列番号３９８に記載の配列からなるポリペプチドを変換した、配列番号９８９に記載の配列のうち２９０番目から２７６４番目までのヌクレオチドからなるポリヌクレオチド（ＧｅｎＢａｎｋ  Ｎｏ．ＮＭ＿００１２６１４０８．１）、
配列番号３９９に記載の配列からなるポリペプチドを変換した、配列番号９９０に記載の配列のうち４６９番目から６６４２番目までのヌクレオチドからなるポリヌクレオチド（ＧｅｎＢａｎｋ  Ｎｏ．ＮＭ＿０１２３３４．２）。
【０３９１】
配列番号４００に記載の配列からなるポリペプチドを変換した、配列番号９９１に記載の配列のうち２５６番目から１４０７番目までのヌクレオチドからなるポリヌクレオチド（ＧｅｎＢａｎｋ  Ｎｏ．ＮＭ＿００４４１９．３）、
配列番号４０１に記載の配列からなるポリペプチドを変換した、配列番号９９２に記載の配列のうち４２０番目から７８２番目までのヌクレオチドからなるポリヌクレオチド（ＧｅｎＢａｎｋ  Ｎｏ．ＮＭ＿０２１０７７．３）、
配列番号４０２に記載の配列からなるポリペプチドを変換した、配列番号９９３に記載の配列のうち１２４番目から７８６番目までのヌクレオチドからなるポリヌクレオチド（ＧｅｎＢａｎｋ  Ｎｏ．ＮＭ＿１３８７８７．３）。
【０３９２】
配列番号４０３に記載の配列からなるポリペプチドを変換した、配列番号９９４に記載の配列のうち２３２番目から１２１８番目までのヌクレオチドからなるポリヌクレオチド（ＧｅｎＢａｎｋ  Ｎｏ．ＮＭ＿１３８４３２．３）、
配列番号４０４に記載の配列からなるポリペプチドを変換した、配列番号９９５に記載の配列のうち２８３番目から９３０番目までのヌクレオチドからなるポリヌクレオチド（ＧｅｎＢａｎｋ  Ｎｏ．ＮＭ＿１４５８７０．２）、
配列番号４０５に記載の配列からなるポリペプチドを変換した、配列番号９９６に記載の配列のうち２７２番目から８２６番目までのヌクレオチドからなるポリヌクレオチド（ＧｅｎＢａｎｋ  Ｎｏ．ＮＭ＿００１１２４．２）。
【０３９３】
配列番号４０６に記載の配列からなるポリペプチドを変換した、配列番号９９７に記載の配列のうち３８３番目から２２９９番目までのヌクレオチドからなるポリヌクレオチド（ＧｅｎＢａｎｋ  Ｎｏ．ＮＭ＿０２１９７９．３）、
配列番号４０７に記載の配列からなるポリペプチドを変換した、配列番号９９８に記載の配列のうち２９９番目から１８７９番目までのヌクレオチドからなるポリヌクレオチド（ＧｅｎＢａｎｋ  Ｎｏ．ＮＭ＿００１１３４４１８．１）、
配列番号４０８に記載の配列からなるポリペプチドを変換した、配列番号９９９に記載の配列のうち６５番目から３４０番目までのヌクレオチドからなるポリヌクレオチド（ＧｅｎＢａｎｋ  Ｎｏ．ＮＭ＿１４４６５４．２）。
【０３９４】
配列番号４０９に記載の配列からなるポリペプチドを変換した、配列番号１０００に記載の配列のうち１０８番目から１４７５番目までのヌクレオチドからなるポリヌクレオチド（ＧｅｎＢａｎｋ  Ｎｏ．ＮＭ＿０２０９４７．３）、
配列番号４１０に記載の配列からなるポリペプチドを変換した、配列番号１００１に記載の配列のうち２１１番目から２３３１番目までのヌクレオチドからなるポリヌクレオチド（ＧｅｎＢａｎｋ  Ｎｏ．ＮＭ＿０３０８１３．５）、
配列番号４１１に記載の配列からなるポリペプチドを変換した、配列番号１００２に記載の配列のうち４１番目から１５５８番目までのヌクレオチドからなるポリヌクレオチド（ＧｅｎＢａｎｋ  Ｎｏ．ＮＭ＿００１０９８７９７．１）。
【０３９５】
配列番号４１２に記載の配列からなるポリペプチドを変換した、配列番号１００３に記載の配列のうち３２５番目から１３８６番目までのヌクレオチドからなるポリヌクレオチド（ＧｅｎＢａｎｋ  Ｎｏ．ＮＭ＿１７３５１９．２）、
配列番号４１３に記載の配列からなるポリペプチドを変換した、配列番号１００４に記載の配列のうち３８１番目から１４１８番目までのヌクレオチドからなるポリヌクレオチド（ＧｅｎＢａｎｋ  Ｎｏ．ＮＭ＿００５４３２．３）、
配列番号４１４に記載の配列からなるポリペプチドを変換した、配列番号１００５に記載の配列のうち５６３番目から２８１５番目までのヌクレオチドからなるポリヌクレオチド（ＧｅｎＢａｎｋ  Ｎｏ．ＮＭ＿００６３７９．３）。
【０３９６】
配列番号４１５に記載の配列からなるポリペプチドを変換した、配列番号１００６に記載の配列のうち４９番目から２４００番目までのヌクレオチドからなるポリヌクレオチド（ＧｅｎＢａｎｋ  Ｎｏ．ＮＭ＿０２０６３９．２）、
配列番号４１６に記載の配列からなるポリペプチドを変換した、配列番号１００７に記載の配列のうち６０番目から２１７４番目までのヌクレオチドからなるポリヌクレオチド（ＧｅｎＢａｎｋ  Ｎｏ．ＮＭ＿００１７３３．４）、
配列番号４１７に記載の配列からなるポリペプチドを変換した、配列番号１００８に記載の配列のうち１６１番目から１２１３番目までのヌクレオチドからなるポリヌクレオチド（ＧｅｎＢａｎｋ  Ｎｏ．ＮＭ＿００１１４６１５４．１）。
【０３９７】
配列番号４１８に記載の配列からなるポリペプチドを変換した、配列番号１００９に記載の配列のうち９２番目から１４３２番目までのヌクレオチドからなるポリヌクレオチド（ＧｅｎＢａｎｋ  Ｎｏ．ＮＭ＿００３５９８．１）、
配列番号４１９に記載の配列からなるポリペプチドを変換した、配列番号１０１０に記載の配列のうち５５７番目から２２７８番目までのヌクレオチドからなるポリヌクレオチド（ＧｅｎＢａｎｋ  Ｎｏ．ＮＭ＿００２５２６．３）、
配列番号４２０に記載の配列からなるポリペプチドを変換した、配列番号１０１１に記載の配列のうち１１７番目から２７０８番目までのヌクレオチドからなるポリヌクレオチド（ＧｅｎＢａｎｋ  Ｎｏ．ＮＭ＿００４４０８．３）。
【０３９８】
配列番号４２１に記載の配列からなるポリペプチドを変換した、配列番号１０１２に記載の配列のうち３７１番目から２３９２番目までのヌクレオチドからなるポリヌクレオチド（ＧｅｎＢａｎｋ  Ｎｏ．ＮＭ＿０２２１１６．４）、
配列番号４２２に記載の配列からなるポリペプチドを変換した、配列番号１０１３に記載の配列のうち１５５番目から１４５９番目までのヌクレオチドからなるポリヌクレオチド（ＧｅｎＢａｎｋ  Ｎｏ．ＮＭ＿１５３２５６．３）、
配列番号４２３に記載の配列からなるポリペプチドを変換した、配列番号１０１４に記載の配列のうち４５１番目から１７６１番目までのヌクレオチドからなるポリヌクレオチド（ＧｅｎＢａｎｋ  Ｎｏ．ＮＭ＿０１４３４４．３）。
【０３９９】
配列番号４２４に記載の配列からなるポリペプチドを変換した、配列番号１０１５に記載の配列のうち９３番目から４５２９番目までのヌクレオチドからなるポリヌクレオチド（ＧｅｎＢａｎｋ  Ｎｏ．ＮＭ＿０１２２９３．２）、
配列番号４２５に記載の配列からなるポリペプチドを変換した、配列番号１０１６に記載の配列のうち２０８番目から５９１番目までのヌクレオチドからなるポリヌクレオチド（ＧｅｎＢａｎｋ  Ｎｏ．ＮＭ＿００１２９１９４１．１）、
配列番号４２６に記載の配列からなるポリペプチドを変換した、配列番号１０１７に記載の配列のうち１０４番目から５３２番目までのヌクレオチドからなるポリヌクレオチド（ＧｅｎＢａｎｋ  Ｎｏ．ＮＭ＿００１２４３２５２．１）。
【０４００】
配列番号４２７に記載の配列からなるポリペプチドを変換した、配列番号１０１８に記載の配列のうち１９９番目から２５５３番目までのヌクレオチドからなるポリヌクレオチド（ＧｅｎＢａｎｋ  Ｎｏ．ＮＭ＿００４１８６．３）、
配列番号４２８に記載の配列からなるポリペプチドを変換した、配列番号１０１９に記載の配列のうち７７番目から７００番目までのヌクレオチドからなるポリヌクレオチド（ＧｅｎＢａｎｋ  Ｎｏ．ＮＭ＿１４５２５２．２）、
配列番号４２９に記載の配列からなるポリペプチドを変換した、配列番号１０２０に記載の配列のうち４５０番目から２３３３番目までのヌクレオチドからなるポリヌクレオチド（ＧｅｎＢａｎｋ  Ｎｏ．ＮＭ＿０２１２２９．３）。
【０４０１】
配列番号４３０に記載の配列からなるポリペプチドを変換した、配列番号１０２１に記載の配列のうち２６４番目から２１０５番目までのヌクレオチドからなるポリヌクレオチド（ＧｅｎＢａｎｋ  Ｎｏ．ＮＭ＿００４６７０．３）、
配列番号４３１に記載の配列からなるポリペプチドを変換した、配列番号１０２２に記載の配列のうち５３０番目から１８２２番目までのヌクレオチドからなるポリヌクレオチド（ＧｅｎＢａｎｋ  Ｎｏ．ＮＭ＿００１７１９．２）、
配列番号４３２に記載の配列からなるポリペプチドを変換した、配列番号１０２３に記載の配列のうち６５６番目から１３３６番目までのヌクレオチドからなるポリヌクレオチド（ＧｅｎＢａｎｋ  Ｎｏ．ＮＭ＿０３２２６８．４）。
【０４０２】
配列番号４３３に記載の配列からなるポリペプチドを変換した、配列番号１０２４に記載の配列のうち５３６番目から１３６３番目までのヌクレオチドからなるポリヌクレオチド（ＧｅｎＢａｎｋ  Ｎｏ．ＮＭ＿０５３００１．３）、
配列番号４３４に記載の配列からなるポリペプチドを変換した、配列番号１０２５に記載の配列のうち８２番目から２６７番目までのヌクレオチドからなるポリヌクレオチド（ＧｅｎＢａｎｋ  Ｎｏ．ＮＭ＿００６１９８．２）、
配列番号４３５に記載の配列からなるポリペプチドを変換した、配列番号１０２６に記載の配列のうち４０番目から２４９３番目までのヌクレオチドからなるポリヌクレオチド（ＧｅｎＢａｎｋ  Ｎｏ．ＮＭ＿００１２７１４６６．２）。
【０４０３】
配列番号４３６に記載の配列からなるポリペプチドを変換した、配列番号１０２７に記載の配列のうち１０５番目から２２７３番目までのヌクレオチドからなるポリヌクレオチド（ＧｅｎＢａｎｋ  Ｎｏ．ＮＭ＿１３３１８０．２）、
配列番号４３７に記載の配列からなるポリペプチドを変換した、配列番号１０２８に記載の配列のうち４７番目から２５６３番目までのヌクレオチドからなるポリヌクレオチド（ＧｅｎＢａｎｋ  Ｎｏ．ＮＭ＿００３３７１．３）、
配列番号４３８に記載の配列からなるポリペプチドを変換した、配列番号１０２９に記載の配列のうち７１番目から５８２７番目までのヌクレオチドからなるポリヌクレオチド（ＧｅｎＢａｎｋ  Ｎｏ．ＮＭ＿００４７４７．３）。
【０４０４】
配列番号４３９に記載の配列からなるポリペプチドを変換した、配列番号１０３０に記載の配列のうち７８番目から４１６番目までのヌクレオチドからなるポリヌクレオチド（ＧｅｎＢａｎｋ  Ｎｏ．ＮＭ＿００１０７８１７３．１）、
配列番号４４０に記載の配列からなるポリペプチドを変換した、配列番号１０３１に記載の配列のうち１３４番目から１１７４番目までのヌクレオチドからなるポリヌクレオチド（ＧｅｎＢａｎｋ  Ｎｏ．ＮＭ＿０２４８２７．３）、
配列番号４４１に記載の配列からなるポリペプチドを変換した、配列番号１０３２に記載の配列のうち１番目から１１１６番目までのヌクレオチドからなるポリヌクレオチド（ＧｅｎＢａｎｋ  Ｎｏ．ＸＭ＿０１１５３３２３６．１）。
【０４０５】
配列番号４４２に記載の配列からなるポリペプチドを変換した、配列番号１０３３に記載の配列のうち１５１番目から８５８番目までのヌクレオチドからなるポリヌクレオチド（ＧｅｎＢａｎｋ  Ｎｏ．ＮＭ＿１３３６３９．３）、
配列番号４４３に記載の配列からなるポリペプチドを変換した、配列番号１０３４に記載の配列のうち１１６番目から１６２７番目までのヌクレオチドからなるポリヌクレオチド（ＧｅｎＢａｎｋ  Ｎｏ．ＮＭ＿１７７４１７．２）、
配列番号４４４に記載の配列からなるポリペプチドを変換した、配列番号１０３５に記載の配列のうち１０５番目から１３０１番目までのヌクレオチドからなるポリヌクレオチド（ＧｅｎＢａｎｋ  Ｎｏ．ＮＭ＿００４２２７．３）。
【０４０６】
配列番号４４５に記載の配列からなるポリペプチドを変換した、配列番号１０３６に記載の配列のうち１１３番目から２８５１番目までのヌクレオチドからなるポリヌクレオチド（ＧｅｎＢａｎｋ  Ｎｏ．ＮＭ＿００２８２９．３）、
配列番号４４６に記載の配列からなるポリペプチドを変換した、配列番号１０３７に記載の配列のうち１７７番目から１７９６番目までのヌクレオチドからなるポリヌクレオチド（ＧｅｎＢａｎｋ  Ｎｏ．ＮＭ＿０２４６７１．３）、
配列番号４４７に記載の配列からなるポリペプチドを変換した、配列番号１０３８に記載の配列のうち４５番目から１８７１番目までのヌクレオチドからなるポリヌクレオチド（ＧｅｎＢａｎｋ  Ｎｏ．ＮＭ＿００１１３４．２）。
【０４０７】
配列番号４４８に記載の配列からなるポリペプチドを変換した、配列番号１０３９に記載の配列のうち２６４番目から１３１９番目までのヌクレオチドからなるポリヌクレオチド（ＧｅｎＢａｎｋ  Ｎｏ．ＮＭ＿００１６３３．３）、
配列番号４４９に記載の配列からなるポリペプチドを変換した、配列番号１０４０に記載の配列のうち１１２番目から７１４番目までのヌクレオチドからなるポリヌクレオチド（ＧｅｎＢａｎｋ  Ｎｏ．ＮＭ＿０００６０７．２）、
配列番号４５０に記載の配列からなるポリペプチドを変換した、配列番号１０４１に記載の配列のうち２４５番目から５９２番目までのヌクレオチドからなるポリヌクレオチド（ＧｅｎＢａｎｋ  Ｎｏ．ＮＭ＿００１２５６１６９．１）。
【０４０８】
配列番号４５１に記載の配列からなるポリペプチドを変換した、配列番号１０４２に記載の配列のうち２３３番目から４８４番目までのヌクレオチドからなるポリヌクレオチド（ＧｅｎＢａｎｋ  Ｎｏ．ＮＭ＿０２１１７５．３）、
配列番号４５２に記載の配列からなるポリペプチドを変換した、配列番号１０４３に記載の配列のうち７９番目から９６９番目までのヌクレオチドからなるポリヌクレオチド（ＧｅｎＢａｎｋ  Ｎｏ．ＮＭ＿０１４２９８．３）、
配列番号４５３に記載の配列からなるポリペプチドを変換した、配列番号１０４４に記載の配列のうち１０３番目から３８４３番目までのヌクレオチドからなるポリヌクレオチド（ＧｅｎＢａｎｋ  Ｎｏ．ＮＭ＿００２５０８．２）。
【０４０９】
配列番号４５４に記載の配列からなるポリペプチドを変換した、配列番号１０４５に記載の配列のうち５６４番目から１００４番目までのヌクレオチドからなるポリヌクレオチド（ＧｅｎＢａｎｋ  Ｎｏ．ＮＭ＿００２９３７．４）、
配列番号４５５に記載の配列からなるポリペプチドを変換した、配列番号１０４６に記載の配列のうち１９１番目から１５６１番目までのヌクレオチドからなるポリヌクレオチド（ＧｅｎＢａｎｋ  Ｎｏ．ＮＭ＿１５３６７５．２）、
配列番号４５６に記載の配列からなるポリペプチドを変換した、配列番号１０４７に記載の配列のうち２２２番目から１７３９番目までのヌクレオチドからなるポリヌクレオチド（ＧｅｎＢａｎｋ  Ｎｏ．ＮＭ＿００１２８２４５７．１）。
【０４１０】
配列番号４５７に記載の配列からなるポリペプチドを変換した、配列番号１０４８に記載の配列のうち２７７番目から１９６５番目までのヌクレオチドからなるポリヌクレオチド（ＧｅｎＢａｎｋ  Ｎｏ．ＮＭ＿００３７４８．３）、
配列番号４５８に記載の配列からなるポリペプチドを変換した、配列番号１０４９に記載の配列のうち４４２番目から２２２３番目までのヌクレオチドからなるポリヌクレオチド（ＧｅｎＢａｎｋ  Ｎｏ．ＮＭ＿０１８３９７．４）、
配列番号４５９に記載の配列からなるポリペプチドを変換した、配列番号１０５０に記載の配列のうち２３番目から１４８６番目までのヌクレオチドからなるポリヌクレオチド（ＧｅｎＢａｎｋ  Ｎｏ．ＮＭ＿００５９４０．３）。
【０４１１】
配列番号４６０に記載の配列からなるポリペプチドを変換した、配列番号１０５１に記載の配列のうち５２６番目から１４１０番目までのヌクレオチドからなるポリヌクレオチド（ＧｅｎＢａｎｋ  Ｎｏ．ＮＭ＿００２１２６．４）、
配列番号４６１に記載の配列からなるポリペプチドを変換した、配列番号１０５２に記載の配列のうち１８２番目から４６４２番目までのヌクレオチドからなるポリヌクレオチド（ＧｅｎＢａｎｋ  Ｎｏ．ＮＭ＿００１８４４．４）、
配列番号４６２に記載の配列からなるポリペプチドを変換した、配列番号１０５３に記載の配列のうち６５０番目から４７０５番目までのヌクレオチドからなるポリヌクレオチド（ＧｅｎＢａｎｋ  Ｎｏ．ＮＭ＿００１２５６８７６．１）。
【０４１２】
配列番号４６３に記載の配列からなるポリペプチドを変換した、配列番号１０５４に記載の配列のうち１９８番目から１２４７番目までのヌクレオチドからなるポリヌクレオチド（ＧｅｎＢａｎｋ  Ｎｏ．ＮＭ＿００４４９７．２）、
配列番号４６４に記載の配列からなるポリペプチドを変換した、配列番号１０５５に記載の配列のうち５４番目から９２６番目までのヌクレオチドからなるポリヌクレオチド（ＧｅｎＢａｎｋ  Ｎｏ．ＮＭ＿００１０１４９８５．２）、
配列番号４６５に記載の配列からなるポリペプチドを変換した、配列番号１０５６に記載の配列のうち２９４番目から１０７０番目までのヌクレオチドからなるポリヌクレオチド（ＧｅｎＢａｎｋ  Ｎｏ．ＮＭ＿０００５９６．２）。
【０４１３】
配列番号４６６に記載の配列からなるポリペプチドを変換した、配列番号１０５７に記載の配列のうち８０番目から１３４８番目までのヌクレオチドからなるポリヌクレオチド（ＧｅｎＢａｎｋ  Ｎｏ．ＮＭ＿００１０８５．４）、
配列番号４６７に記載の配列からなるポリペプチドを変換した、配列番号１０５８に記載の配列のうち３７６番目から１６２６番目までのヌクレオチドからなるポリヌクレオチド（ＧｅｎＢａｎｋ  Ｎｏ．ＮＭ＿００２３１７．５）、
配列番号４６８に記載の配列からなるポリペプチドを変換した、配列番号１０５９に記載の配列のうち５番目から１３６０番目までのヌクレオチドからなるポリヌクレオチド（ＧｅｎＢａｎｋ  Ｎｏ．ＮＭ＿１７５９１４．４）。
【０４１４】
配列番号４６９に記載の配列からなるポリペプチドを変換した、配列番号１０６０に記載の配列のうち７１番目から１４５３番目までのヌクレオチドからなるポリヌクレオチド（ＧｅｎＢａｎｋ  Ｎｏ．ＮＭ＿００２２２０．２）、
配列番号４７０に記載の配列からなるポリペプチドを変換した、配列番号１０６１に記載の配列のうち２０２番目から２０９４番目までのヌクレオチドからなるポリヌクレオチド（ＧｅｎＢａｎｋ  Ｎｏ．ＮＭ＿０００５４５．６）、
配列番号４７１に記載の配列からなるポリペプチドを変換した、配列番号１０６２に記載の配列のうち１７４番目から２９３０番目までのヌクレオチドからなるポリヌクレオチド（ＧｅｎＢａｎｋ  Ｎｏ．ＮＭ＿００１２０６９３８．１）。
【０４１５】
配列番号４７２に記載の配列からなるポリペプチドを変換した、配列番号１０６３に記載の配列のうち３１３番目から１２８１番目までのヌクレオチドからなるポリヌクレオチド（ＧｅｎＢａｎｋ  Ｎｏ．ＮＭ＿０１８３９０．３）、
配列番号４７３に記載の配列からなるポリペプチドを変換した、配列番号１０６４に記載の配列のうち１９５番目から２１５６番目までのヌクレオチドからなるポリヌクレオチド（ＧｅｎＢａｎｋ  Ｎｏ．ＮＭ＿０５４０２４．３）、
配列番号４７４に記載の配列からなるポリペプチドを変換した、配列番号１０６５に記載の配列のうち３３５番目から２０６５番目までのヌクレオチドからなるポリヌクレオチド（ＧｅｎＢａｎｋ  Ｎｏ．ＮＭ＿００６５４６．３）。
【０４１６】
配列番号４７５に記載の配列からなるポリペプチドを変換した、配列番号１０６６に記載の配列のうち２９４番目から３０４７番目までのヌクレオチドからなるポリヌクレオチド（ＧｅｎＢａｎｋ  Ｎｏ．ＮＭ＿００７１０１．３）、
配列番号４７６に記載の配列からなるポリペプチドを変換した、配列番号１０６７に記載の配列のうち６１６番目から２８２６番目までのヌクレオチドからなるポリヌクレオチド（ＧｅｎＢａｎｋ  Ｎｏ．ＮＭ＿００１２７０６１６．１）、
配列番号４７７に記載の配列からなるポリペプチドを変換した、配列番号１０６８に記載の配列のうち１２８７番目から２８８５番目までのヌクレオチドからなるポリヌクレオチド（ＧｅｎＢａｎｋ  Ｎｏ．ＮＭ＿００００４６．３）。
【０４１７】
配列番号４７８に記載の配列からなるポリペプチドを変換した、配列番号１０６９に記載の配列のうち２１４番目から１６６５番目までのヌクレオチドからなるポリヌクレオチド（ＧｅｎＢａｎｋ  Ｎｏ．ＮＭ＿００１１６７６００．２）、
配列番号４７９に記載の配列からなるポリペプチドを変換した、配列番号１０７０に記載の配列のうち３１５番目から６００２番目までのヌクレオチドからなるポリヌクレオチド（ＧｅｎＢａｎｋ  Ｎｏ．ＮＭ＿０１５３１１．２）、
配列番号４８０に記載の配列からなるポリペプチドを変換した、配列番号１０７１に記載の配列のうち６４番目から２６６７番目までのヌクレオチドからなるポリヌクレオチド（ＧｅｎＢａｎｋ  Ｎｏ．ＮＭ＿００１０３９１１１．１）。
【０４１８】
配列番号４８１に記載の配列からなるポリペプチドを変換した、配列番号１０７２に記載の配列のうち１１０番目から１７１７番目までのヌクレオチドからなるポリヌクレオチド（ＧｅｎＢａｎｋ  Ｎｏ．ＮＭ＿００５１０８．３）、
配列番号４８２に記載の配列からなるポリペプチドを変換した、配列番号１０７３に記載の配列のうち９１番目から１７２５番目までのヌクレオチドからなるポリヌクレオチド（ＧｅｎＢａｎｋ  Ｎｏ．ＮＭ＿００１０８０５１３．３）、
配列番号４８３に記載の配列からなるポリペプチドを変換した、配列番号１０７４に記載の配列のうち４８２番目から１１７４番目までのヌクレオチドからなるポリヌクレオチド（ＧｅｎＢａｎｋ  Ｎｏ．ＮＭ＿１８３３７３．３）。
【０４１９】
配列番号４８４に記載の配列からなるポリペプチドを変換した、配列番号１０７５に記載の配列のうち２７３番目から１７６０番目までのヌクレオチドからなるポリヌクレオチド（ＧｅｎＢａｎｋ  Ｎｏ．ＮＭ＿１７８４９３．５）、
配列番号４８５に記載の配列からなるポリペプチドを変換した、配列番号１０７６に記載の配列のうち４５９番目から２４５９番目までのヌクレオチドからなるポリヌクレオチド（ＧｅｎＢａｎｋ  Ｎｏ．ＮＭ＿１３８４５７．２）、
配列番号４８６に記載の配列からなるポリペプチドを変換した、配列番号１０７７に記載の配列のうち１５７番目から１７３１番目までのヌクレオチドからなるポリヌクレオチド（ＧｅｎＢａｎｋ  Ｎｏ．ＮＭ＿０２３０１６．３）。
【０４２０】
配列番号４８７に記載の配列からなるポリペプチドを変換した、配列番号１０７８に記載の配列のうち４７７番目から１８９２番目までのヌクレオチドからなるポリヌクレオチド（ＧｅｎＢａｎｋ  Ｎｏ．ＮＭ＿００５１２３．３）、
配列番号４８８に記載の配列からなるポリペプチドを変換した、配列番号１０７９に記載の配列のうち２４２番目から１２０７番目までのヌクレオチドからなるポリヌクレオチド（ＧｅｎＢａｎｋ  Ｎｏ．ＮＭ＿０３０９６４．３）、
配列番号４８９に記載の配列からなるポリペプチドを変換した、配列番号１０８０に記載の配列のうち２４９番目から１２０５番目までのヌクレオチドからなるポリヌクレオチド（ＧｅｎＢａｎｋ  Ｎｏ．ＮＭ＿０１４３９１．２）。
【０４２１】
配列番号４９０に記載の配列からなるポリペプチドを変換した、配列番号１０８１に記載の配列のうち３３６番目から９９５番目までのヌクレオチドからなるポリヌクレオチド（ＧｅｎＢａｎｋ  Ｎｏ．ＮＭ＿０２１２０２．１）、
配列番号４９１に記載の配列からなるポリペプチドを変換した、配列番号１０８２に記載の配列のうち２８０番目から３１４４番目までのヌクレオチドからなるポリヌクレオチド（ＧｅｎＢａｎｋ  Ｎｏ．ＮＭ＿１５２７１８．２）、
配列番号４９２に記載の配列からなるポリペプチドを変換した、配列番号１０８３に記載の配列のうち１２５番目から３８２３番目までのヌクレオチドからなるポリヌクレオチド（ＧｅｎＢａｎｋ  Ｎｏ．ＮＭ＿００１２７８４５８．１）。
【０４２２】
配列番号４９３に記載の配列からなるポリペプチドを変換した、配列番号１０８４に記載の配列のうち６６４番目から１２９９番目までのヌクレオチドからなるポリヌクレオチド（ＧｅｎＢａｎｋ  Ｎｏ．ＮＭ＿０２２４４９．３）、
配列番号４９４に記載の配列からなるポリペプチドを変換した、配列番号１０８５に記載の配列のうち４４５番目から５０２８番目までのヌクレオチドからなるポリヌクレオチド（ＧｅｎＢａｎｋ  Ｎｏ．ＮＭ＿１８２６４３．２）、
配列番号４９５に記載の配列からなるポリペプチドを変換した、配列番号１０８６に記載の配列のうち１０２番目から３８４８番目までのヌクレオチドからなるポリヌクレオチド（ＧｅｎＢａｎｋ  Ｎｏ．ＮＭ＿０２０９０２．１）。
【０４２３】
配列番号４９６に記載の配列からなるポリペプチドを変換した、配列番号１０８７に記載の配列のうち３９１番目から２４８７番目までのヌクレオチドからなるポリヌクレオチド（ＧｅｎＢａｎｋ  Ｎｏ．ＮＭ＿００１８７９．５）、
配列番号４９７に記載の配列からなるポリペプチドを変換した、配列番号１０８８に記載の配列のうち５２３番目から１０３２番目までのヌクレオチドからなるポリヌクレオチド（ＧｅｎＢａｎｋ  Ｎｏ．ＮＭ＿００２６３２．５）、
配列番号４９８に記載の配列からなるポリペプチドを変換した、配列番号１０８９に記載の配列のうち１番目から８８５番目までのヌクレオチドからなるポリヌクレオチド（ＧｅｎＢａｎｋ  Ｎｏ．ＮＭ＿００１１４４９９４．１）。
【０４２４】
配列番号４９９に記載の配列からなるポリペプチドを変換した、配列番号１０９０に記載の配列のうち８４番目から７６４番目までのヌクレオチドからなるポリヌクレオチド（ＧｅｎＢａｎｋ  Ｎｏ．ＮＭ＿００１０１３６４２．２）、
配列番号５００に記載の配列からなるポリペプチドを変換した、配列番号１０９１に記載の配列のうち１２番目から１０５２番目までのヌクレオチドからなるポリヌクレオチド（ＧｅｎＢａｎｋ  Ｎｏ．ＮＭ＿０５２９７２．２）、
配列番号５０１に記載の配列からなるポリペプチドを変換した、配列番号１０９２に記載の配列のうち７３番目から２２４７番目までのヌクレオチドからなるポリヌクレオチド（ＧｅｎＢａｎｋ  Ｎｏ．ＮＭ＿０２０９９８．３）。
【０４２５】
配列番号５０２に記載の配列からなるポリペプチドを変換した、配列番号１０９３に記載の配列のうち１２５番目から２８３３番目までのヌクレオチドからなるポリヌクレオチド（ＧｅｎＢａｎｋ  Ｎｏ．ＮＭ＿０１７７０７．３）、
配列番号５０３に記載の配列からなるポリペプチドを変換した、配列番号１０９４に記載の配列のうち５５番目から９６３番目までのヌクレオチドからなるポリヌクレオチド（ＧｅｎＢａｎｋ  Ｎｏ．ＮＭ＿００１０１０９８２．４）、
配列番号５０４に記載の配列からなるポリペプチドを変換した、配列番号１０９５に記載の配列のうち２４７番目から１７３１番目までのヌクレオチドからなるポリヌクレオチド（ＧｅｎＢａｎｋ  Ｎｏ．ＮＭ＿００３８２２．４）。
【０４２６】
配列番号５０５に記載の配列からなるポリペプチドを変換した、配列番号１０９６に記載の配列のうち２５６番目から１４４０番目までのヌクレオチドからなるポリヌクレオチド（ＧｅｎＢａｎｋ  Ｎｏ．ＮＭ＿０００４２９．２）、
配列番号５０６に記載の配列からなるポリペプチドを変換した、配列番号１０９７に記載の配列のうち５２番目から５２８３番目までのヌクレオチドからなるポリヌクレオチド（ＧｅｎＢａｎｋ  Ｎｏ．ＮＭ＿００１００２０２９．３）、
配列番号５０７に記載の配列からなるポリペプチドを変換した、配列番号１０９８に記載の配列のうち１８９番目から１９０１番目までのヌクレオチドからなるポリヌクレオチド（ＧｅｎＢａｎｋ  Ｎｏ．ＮＭ＿００１１４６１８８．１）。
【０４２７】
配列番号５０８に記載の配列からなるポリペプチドを変換した、配列番号１０９９に記載の配列のうち２３６番目から１１４４番目までのヌクレオチドからなるポリヌクレオチド（ＧｅｎＢａｎｋ  Ｎｏ．ＮＭ＿００２４４８．３）、
配列番号５０９に記載の配列からなるポリペプチドを変換した、配列番号１１００に記載の配列のうち９３４番目から１８２４番目までのヌクレオチドからなるポリヌクレオチド（ＧｅｎＢａｎｋ  Ｎｏ．ＮＭ＿１７４９３３．３）、
配列番号５１０に記載の配列からなるポリペプチドを変換した、配列番号１１０１に記載の配列のうち１１７番目から１３３１番目までのヌクレオチドからなるポリヌクレオチド（ＧｅｎＢａｎｋ  Ｎｏ．ＮＭ＿０００１９６．３）。
【０４２８】
配列番号５１１に記載の配列からなるポリペプチドを変換した、配列番号１１０２に記載の配列のうち４５番目から１６６７番目までのヌクレオチドからなるポリヌクレオチド（ＧｅｎＢａｎｋ  Ｎｏ．ＮＭ＿００６６５７．２）、
配列番号５１２に記載の配列からなるポリペプチドを変換した、配列番号１１０３に記載の配列のうち６３４番目から１６９５番目までのヌクレオチドからなるポリヌクレオチド（ＧｅｎＢａｎｋ  Ｎｏ．ＮＭ＿００１１７１９９３．１）、
配列番号５１３に記載の配列からなるポリペプチドを変換した、配列番号１１０４に記載の配列のうち１９５番目から１９８５番目までのヌクレオチドからなるポリヌクレオチド（ＧｅｎＢａｎｋ  Ｎｏ．ＮＭ＿０００７１５．３）。
【０４２９】
配列番号５１４に記載の配列からなるポリペプチドを変換した、配列番号１１０５に記載の配列のうち５０６番目から２１７０番目までのヌクレオチドからなるポリヌクレオチド（ＧｅｎＢａｎｋ  Ｎｏ．ＮＭ＿１７３５１５．２）、
配列番号５１５に記載の配列からなるポリペプチドを変換した、配列番号１１０６に記載の配列のうち２２５番目から１６３４番目までのヌクレオチドからなるポリヌクレオチド（ＧｅｎＢａｎｋ  Ｎｏ．ＮＭ＿０３３１１９．４）、
配列番号５１６に記載の配列からなるポリペプチドを変換した、配列番号１１０７に記載の配列のうち５２番目から５２８３番目までのヌクレオチドからなるポリヌクレオチド（ＧｅｎＢａｎｋ  Ｎｏ．ＮＭ＿００７２９３．２）。
【０４３０】
配列番号５１７に記載の配列からなるポリペプチドを変換した、配列番号１１０８に記載の配列のうち１７７番目から５３６９番目までのヌクレオチドからなるポリヌクレオチド（ＧｅｎＢａｎｋ  Ｎｏ．ＮＭ＿００１０８０４７９．２）、
配列番号５１８に記載の配列からなるポリペプチドを変換した、配列番号１１０９に記載の配列のうち２１５番目から１０５７番目までのヌクレオチドからなるポリヌクレオチド（ＧｅｎＢａｎｋ  Ｎｏ．ＮＭ＿０１６０８４．４）、
配列番号５１９に記載の配列からなるポリペプチドを変換した、配列番号１１１０に記載の配列のうち２８４番目から３１４８番目までのヌクレオチドからなるポリヌクレオチド（ＧｅｎＢａｎｋ  Ｎｏ．ＮＭ＿０１５２７７．５）。
【０４３１】
配列番号５２０に記載の配列からなるポリペプチドを変換した、配列番号１１１１に記載の配列のうち８７番目から２８３１番目までのヌクレオチドからなるポリヌクレオチド（ＧｅｎＢａｎｋ  Ｎｏ．ＮＭ＿００６２０９．４）、
配列番号５２１に記載の配列からなるポリペプチドを変換した、配列番号１１１２に記載の配列のうち４２３番目から４３１０番目までのヌクレオチドからなるポリヌクレオチド（ＧｅｎＢａｎｋ  Ｎｏ．ＮＭ＿０１７９５４．１０）、
配列番号５２２に記載の配列からなるポリペプチドを変換した、配列番号１１１３に記載の配列のうち１９５番目から１４６０番目までのヌクレオチドからなるポリヌクレオチド（ＧｅｎＢａｎｋ  Ｎｏ．ＮＭ＿００４７５０．４）。
【０４３２】
配列番号５２３に記載の配列からなるポリペプチドを変換した、配列番号１１１４に記載の配列のうち２２７番目から１５６１番目までのヌクレオチドからなるポリヌクレオチド（ＧｅｎＢａｎｋ  Ｎｏ．ＮＭ＿０２２８３４．４）、
配列番号５２４に記載の配列からなるポリペプチドを変換した、配列番号１１１５に記載の配列のうち３２７番目から１４３６番目までのヌクレオチドからなるポリヌクレオチド（ＧｅｎＢａｎｋ  Ｎｏ．ＮＭ＿０２４５９４．３）、
配列番号５２５に記載の配列からなるポリペプチドを変換した、配列番号１１１６に記載の配列のうち１０８番目から１４６６番目までのヌクレオチドからなるポリヌクレオチド（ＧｅｎＢａｎｋ  Ｎｏ．ＮＭ＿０１６５１０．５）。
【０４３３】
配列番号５２６に記載の配列からなるポリペプチドを変換した、配列番号１１１７に記載の配列のうち２０４番目から１４３６番目までのヌクレオチドからなるポリヌクレオチド（ＧｅｎＢａｎｋ  Ｎｏ．ＮＭ＿００１１２８１４１．２）、
配列番号５２７に記載の配列からなるポリペプチドを変換した、配列番号１１１８に記載の配列のうち８２番目から５８５番目までのヌクレオチドからなるポリヌクレオチド（ＧｅｎＢａｎｋ  Ｎｏ．ＮＭ＿０８０６６４．２）、
配列番号５２８に記載の配列からなるポリペプチドを変換した、配列番号１１１９に記載の配列のうち１７６番目から２２１８番目までのヌクレオチドからなるポリヌクレオチド（ＧｅｎＢａｎｋ  Ｎｏ．ＮＭ＿００３５００．３）。
【０４３４】
配列番号５２９に記載の配列からなるポリペプチドを変換した、配列番号１１２０に記載の配列のうち４番目から２０５５番目までのヌクレオチドからなるポリヌクレオチド（ＧｅｎＢａｎｋ  Ｎｏ．ＮＭ＿００１８５３．３）、
配列番号５３０に記載の配列からなるポリペプチドを変換した、配列番号１１２１に記載の配列のうち３３９番目から１４５４番目までのヌクレオチドからなるポリヌクレオチド（ＧｅｎＢａｎｋ  Ｎｏ．ＮＭ＿０１７４１４．３）、
配列番号５３１に記載の配列からなるポリペプチドを変換した、配列番号１１２２に記載の配列のうち１６１番目から１０５４０番目までのヌクレオチドからなるポリヌクレオチド（ＧｅｎＢａｎｋ  Ｎｏ．ＮＭ＿００５０４５．３）。
【０４３５】
配列番号５３２に記載の配列からなるポリペプチドを変換した、配列番号１１２３に記載の配列のうち３２７番目から１９６１番目までのヌクレオチドからなるポリヌクレオチド（ＧｅｎＢａｎｋ  Ｎｏ．ＮＭ＿０００４５６．２）、
配列番号５３３に記載の配列からなるポリペプチドを変換した、配列番号１１２４に記載の配列のうち４８番目から１２９２番目までのヌクレオチドからなるポリヌクレオチド（ＧｅｎＢａｎｋ  Ｎｏ．ＮＭ＿０００３５４．５）、
配列番号５３４に記載の配列からなるポリペプチドを変換した、配列番号１１２５に記載の配列のうち１８７番目から７９８番目までのヌクレオチドからなるポリヌクレオチド（ＧｅｎＢａｎｋ  Ｎｏ．ＮＭ＿０３３２０１．２）。
【０４３６】
配列番号５３５に記載の配列からなるポリペプチドを変換した、配列番号１１２６に記載の配列のうち７４番目から３７０番目までのヌクレオチドからなるポリヌクレオチド（ＧｅｎＢａｎｋ  Ｎｏ．ＮＭ＿００２９８２．３）、
配列番号５３６に記載の配列からなるポリペプチドを変換した、配列番号１１２７に記載の配列のうち２５３番目から６９３番目までのヌクレオチドからなるポリヌクレオチド（ＧｅｎＢａｎｋ  Ｎｏ．ＮＭ＿０３３２５６．２）、
配列番号５３７に記載の配列からなるポリペプチドを変換した、配列番号１１２８に記載の配列のうち１０５番目から４３５２番目までのヌクレオチドからなるポリヌクレオチド（ＧｅｎＢａｎｋ  Ｎｏ．ＮＭ＿０１８００３．２）。
【０４３７】
配列番号５３８に記載の配列からなるポリペプチドを変換した、配列番号１１２９に記載の配列のうち３４１番目から３３５８番目までのヌクレオチドからなるポリヌクレオチド（ＧｅｎＢａｎｋ  Ｎｏ．ＮＭ＿００３８８７．２）、
配列番号５３９に記載の配列からなるポリペプチドを変換した、配列番号１１３０に記載の配列のうち３２６番目から９９７番目までのヌクレオチドからなるポリヌクレオチド（ＧｅｎＢａｎｋ  Ｎｏ．ＮＭ＿０１８９５２．４）、
配列番号５４０に記載の配列からなるポリペプチドを変換した、配列番号１１３１に記載の配列のうち１６９番目から２０３４番目までのヌクレオチドからなるポリヌクレオチド（ＧｅｎＢａｎｋ  Ｎｏ．ＮＭ＿００５８２３．５）。
【０４３８】
配列番号５４１に記載の配列からなるポリペプチドを変換した、配列番号１１３２に記載の配列のうち３７５番目から１４２１番目までのヌクレオチドからなるポリヌクレオチド（ＧｅｎＢａｎｋ  Ｎｏ．ＮＭ＿０５８２３８．２）、
配列番号５４２に記載の配列からなるポリペプチドを変換した、配列番号１１３３に記載の配列のうち５５番目から１４４９番目までのヌクレオチドからなるポリヌクレオチド（ＧｅｎＢａｎｋ  Ｎｏ．ＮＭ＿０１３３２１．３）、
配列番号５４３に記載の配列からなるポリペプチドを変換した、配列番号１１３４に記載の配列のうち３２６番目から４４８３番目までのヌクレオチドからなるポリヌクレオチド（ＧｅｎＢａｎｋ  Ｎｏ．ＮＭ＿０２２８３５．２）。
【０４３９】
配列番号５４４に記載の配列からなるポリペプチドを変換した、配列番号１１３５に記載の配列のうち１２９番目から１５６８番目までのヌクレオチドからなるポリヌクレオチド（ＧｅｎＢａｎｋ  Ｎｏ．ＮＭ＿００２７７５．４）、
配列番号５４５に記載の配列からなるポリペプチドを変換した、配列番号１１３６に記載の配列のうち８３番目から２０７７番目までのヌクレオチドからなるポリヌクレオチド（ＧｅｎＢａｎｋ  Ｎｏ．ＮＭ＿００７３６５．２）、
配列番号５４６に記載の配列からなるポリペプチドを変換した、配列番号１１３７に記載の配列のうち６４１番目から２３４７番目までのヌクレオチドからなるポリヌクレオチド（ＧｅｎＢａｎｋ  Ｎｏ．ＮＭ＿０３０６３６．２）。
【０４４０】
配列番号５４７に記載の配列からなるポリペプチドを変換した、配列番号１１３８に記載の配列のうち３３番目から９３８番目までのヌクレオチドからなるポリヌクレオチド（ＧｅｎＢａｎｋ  Ｎｏ．ＮＭ＿００１０１４９８０．２）、
配列番号５４８に記載の配列からなるポリペプチドを変換した、配列番号１１３９に記載の配列のうち１４８番目から２８５９番目までのヌクレオチドからなるポリヌクレオチド（ＧｅｎＢａｎｋ  Ｎｏ．ＮＭ＿１８２９２４．３）、
配列番号５４９に記載の配列からなるポリペプチドを変換した、配列番号１１４０に記載の配列のうち２７４番目から２４６３番目までのヌクレオチドからなるポリヌクレオチド（ＧｅｎＢａｎｋ  Ｎｏ．ＮＭ＿１９８５９５．２）。
【０４４１】
配列番号５５０に記載の配列からなるポリペプチドを変換した、配列番号１１４１に記載の配列のうち４１３番目から７０１５番目までのヌクレオチドからなるポリヌクレオチド（ＧｅｎＢａｎｋ  Ｎｏ．ＮＭ＿００２１６０．３）、
配列番号５５１に記載の配列からなるポリペプチドを変換した、配列番号１１４２に記載の配列のうち３６２番目から２９１４番目までのヌクレオチドからなるポリヌクレオチド（ＧｅｎＢａｎｋ  Ｎｏ．ＮＭ＿００１１３６１９１．２）、
配列番号５５２に記載の配列からなるポリペプチドを変換した、配列番号１１４３に記載の配列のうち１１３番目から２３７１番目までのヌクレオチドからなるポリヌクレオチド（ＧｅｎＢａｎｋ  Ｎｏ．ＮＭ＿００１１２８２２７．２）。
【０４４２】
配列番号５５３に記載の配列からなるポリペプチドを変換した、配列番号１１４４に記載の配列のうち１９６番目から１４１３番目までのヌクレオチドからなるポリヌクレオチド（ＧｅｎＢａｎｋ  Ｎｏ．ＮＭ＿１３９３１４．２）、
配列番号５５４に記載の配列からなるポリペプチドを変換した、配列番号１１４５に記載の配列のうち７８番目から１０７０番目までのヌクレオチドからなるポリヌクレオチド（ＧｅｎＢａｎｋ  Ｎｏ．ＮＭ＿０１２０６７．２）、
配列番号５５５に記載の配列からなるポリペプチドを変換した、配列番号１１４６に記載の配列のうち１００番目から２１０９番目までのヌクレオチドからなるポリヌクレオチド（ＧｅｎＢａｎｋ  Ｎｏ．ＮＭ＿０３２２７１．２）。
【０４４３】
配列番号５５６に記載の配列からなるポリペプチドを変換した、配列番号１１４７に記載の配列のうち３１７番目から１９２１番目までのヌクレオチドからなるポリヌクレオチド（ＧｅｎＢａｎｋ  Ｎｏ．ＮＭ＿００４２３２．３）、
配列番号５５７に記載の配列からなるポリペプチドを変換した、配列番号１１４８に記載の配列のうち１１０番目から５７０４番目までのヌクレオチドからなるポリヌクレオチド（ＧｅｎＢａｎｋ  Ｎｏ．ＮＭ＿００１３８０．４）、
配列番号５５８に記載の配列からなるポリペプチドを変換した、配列番号１１４９に記載の配列のうち２３６番目から２００８番目までのヌクレオチドからなるポリヌクレオチド（ＧｅｎＢａｎｋ  Ｎｏ．ＮＭ＿００５８８４．３）。
【０４４４】
配列番号５５９に記載の配列からなるポリペプチドを変換した、配列番号１１５０に記載の配列のうち７７番目から１９５１番目までのヌクレオチドからなるポリヌクレオチド（ＧｅｎＢａｎｋ  Ｎｏ．ＮＭ＿００１５７０．３）、
配列番号５６０に記載の配列からなるポリペプチドを変換した、配列番号１１５１に記載の配列のうち４６４番目から１１１１番目までのヌクレオチドからなるポリヌクレオチド（ＧｅｎＢａｎｋ  Ｎｏ．ＮＭ＿００５１１７．２）、
配列番号５６１に記載の配列からなるポリペプチドを変換した、配列番号１１５２に記載の配列のうち１８６番目から２１０５番目までのヌクレオチドからなるポリヌクレオチド（ＧｅｎＢａｎｋ  Ｎｏ．ＮＭ＿００４０５５．４）。
【０４４５】
配列番号５６２に記載の配列からなるポリペプチドを変換した、配列番号１１５３に記載の配列のうち１１５番目から１４１３番目までのヌクレオチドからなるポリヌクレオチド（ＧｅｎＢａｎｋ  Ｎｏ．ＮＭ＿００１０４２４２５．１）、
配列番号５６３に記載の配列からなるポリペプチドを変換した、配列番号１１５４に記載の配列のうち１１０番目から１７６５番目までのヌクレオチドからなるポリヌクレオチド（ＧｅｎＢａｎｋ  Ｎｏ．ＮＭ＿００５７０９．３）、
配列番号５６４に記載の配列からなるポリペプチドを変換した、配列番号１１５５に記載の配列のうち３９９番目から５８４６番目までのヌクレオチドからなるポリヌクレオチド（ＧｅｎＢａｎｋ  Ｎｏ．ＮＭ＿００２２９０．４）。
【０４４６】
配列番号５６５に記載の配列からなるポリペプチドを変換した、配列番号１１５６に記載の配列のうち４２番目から８２４番目までのヌクレオチドからなるポリヌクレオチド（ＧｅｎＢａｎｋ  Ｎｏ．ＮＭ＿００５５５１．４）、
配列番号５６６に記載の配列からなるポリペプチドを変換した、配列番号１１５７に記載の配列のうち４２番目から８２４番目までのヌクレオチドからなるポリヌクレオチド（ＧｅｎＢａｎｋ  Ｎｏ．ＮＭ＿００１６４８．２）、
配列番号５６７に記載の配列からなるポリペプチドを変換した、配列番号１１５８に記載の配列のうち４９番目から７５０番目までのヌクレオチドからなるポリヌクレオチド（ＧｅｎＢａｎｋ  Ｎｏ．ＮＭ＿００６１６７．３）。
【０４４７】
配列番号５６８に記載の配列からなるポリペプチドを変換した、配列番号１１５９に記載の配列のうち１番目から７６２番目までのヌクレオチドからなるポリヌクレオチド（ＧｅｎＢａｎｋ  Ｎｏ．ＮＭ＿００４９１７．４）、
配列番号５６９に記載の配列からなるポリペプチドを変換した、配列番号１１６０に記載の配列のうち２６０番目から２０６２番目までのヌクレオチドからなるポリヌクレオチド（ＧｅｎＢａｎｋ  Ｎｏ．ＮＭ＿０２３９３８．５）、
配列番号５７０に記載の配列からなるポリペプチドを変換した、配列番号１１６１に記載の配列のうち１４９番目から５６５番目までのヌクレオチドからなるポリヌクレオチド（ＧｅｎＢａｎｋ  Ｎｏ．ＮＭ＿００１０４４２６４．２）。
【０４４８】
配列番号５７１に記載の配列からなるポリペプチドを変換した、配列番号１１６２に記載の配列のうち４５６番目から３３５６番目までのヌクレオチドからなるポリヌクレオチド（ＧｅｎＢａｎｋ  Ｎｏ．ＮＭ＿００６９８８．４）、
配列番号５７２に記載の配列からなるポリペプチドを変換した、配列番号１１６３に記載の配列のうち５２７番目から１８５２番目までのヌクレオチドからなるポリヌクレオチド（ＧｅｎＢａｎｋ  Ｎｏ．ＮＭ＿１５３６９６．２）、
配列番号５７３に記載の配列からなるポリペプチドを変換した、配列番号１１６４に記載の配列のうち７９番目から８８２番目までのヌクレオチドからなるポリヌクレオチド（ＧｅｎＢａｎｋ  Ｎｏ．ＮＭ＿０１８６７０．３）。
【０４４９】
配列番号５７４に記載の配列からなるポリペプチドを変換した、配列番号１１６５に記載の配列のうち９２番目から１１２９番目までのヌクレオチドからなるポリヌクレオチド（ＧｅｎＢａｎｋ  Ｎｏ．ＮＭ＿０１６９４８．２）、
配列番号５７５に記載の配列からなるポリペプチドを変換した、配列番号１１６６に記載の配列のうち１５５番目から３７６番目までのヌクレオチドからなるポリヌクレオチド（ＧｅｎＢａｎｋ  Ｎｏ．ＮＭ＿００１１３６１８０．１）、
配列番号５７６に記載の配列からなるポリペプチドを変換した、配列番号１１６７に記載の配列のうち５３８番目から１１７３番目までのヌクレオチドからなるポリヌクレオチド（ＧｅｎＢａｎｋ  Ｎｏ．ＮＭ＿００１００４１２５．２）。
【０４５０】
配列番号５７７に記載の配列からなるポリペプチドを変換した、配列番号１１６８に記載の配列のうち３４８番目から２７９８番目までのヌクレオチドからなるポリヌクレオチド（ＧｅｎＢａｎｋ  Ｎｏ．ＮＭ＿０２１１２０．３）、
配列番号５７８に記載の配列からなるポリペプチドを変換した、配列番号１１６９に記載の配列のうち１７３番目から６３４番目までのヌクレオチドからなるポリヌクレオチド（ＧｅｎＢａｎｋ  Ｎｏ．ＮＭ＿２０３３７７．１）、
配列番号５７９に記載の配列からなるポリペプチドを変換した、配列番号１１７０に記載の配列のうち１９０番目から１２１８番目までのヌクレオチドからなるポリヌクレオチド（ＧｅｎＢａｎｋ  Ｎｏ．ＮＭ＿００４８３９．３）。
【０４５１】
配列番号５８０に記載の配列からなるポリペプチドを変換した、配列番号１１７１に記載の配列のうち２８５番目から２８９７番目までのヌクレオチドからなるポリヌクレオチド（ＧｅｎＢａｎｋ  Ｎｏ．ＮＭ＿００１２５１９６２．１）、
配列番号５８１に記載の配列からなるポリペプチドを変換した、配列番号１１７２に記載の配列のうち１８４番目から２２２６番目までのヌクレオチドからなるポリヌクレオチド（ＧｅｎＢａｎｋ  Ｎｏ．ＮＭ＿０１７６９７．３）、
配列番号５８２に記載の配列からなるポリペプチドを変換した、配列番号１１７３に記載の配列のうち２３２番目から３７９２番目までのヌクレオチドからなるポリヌクレオチド（ＧｅｎＢａｎｋ  Ｎｏ．ＮＭ＿００１１７２６４６．１）。
【０４５２】
配列番号５８３に記載の配列からなるポリペプチドを変換した、配列番号１１７４に記載の配列のうち１６１番目から１９６６番目までのヌクレオチドからなるポリヌクレオチド（ＧｅｎＢａｎｋ  Ｎｏ．ＮＭ＿００００５５．２）、
配列番号５８４に記載の配列からなるポリペプチドを変換した、配列番号１１７５に記載の配列のうち３２７番目から５５７番目までのヌクレオチドからなるポリヌクレオチド（ＧｅｎＢａｎｋ  Ｎｏ．ＮＭ＿０１７４１３．４）、
配列番号５８５に記載の配列からなるポリペプチドを変換した、配列番号１１７６に記載の配列のうち１８２番目から１２４９番目までのヌクレオチドからなるポリヌクレオチド（ＧｅｎＢａｎｋ  Ｎｏ．ＮＭ＿００１１４５３１５．１）。
【０４５３】
配列番号５８６に記載の配列からなるポリペプチドを変換した、配列番号１１７７に記載の配列のうち７６番目から６９６番目までのヌクレオチドからなるポリヌクレオチド（ＧｅｎＢａｎｋ  Ｎｏ．ＮＭ＿２０７３４４．３）、
配列番号５８７に記載の配列からなるポリペプチドを変換した、配列番号１１７８に記載の配列のうち１５８番目から３７０番目までのヌクレオチドからなるポリヌクレオチド（ＧｅｎＢａｎｋ  Ｎｏ．ＮＭ＿００１１３５５７０．１）、
配列番号５８８に記載の配列からなるポリペプチドを変換した、配列番号１１７９に記載の配列のうち１６６番目から２８６８番目までのヌクレオチドからなるポリヌクレオチド（ＧｅｎＢａｎｋ  Ｎｏ．ＮＭ＿０００２７６．３）。
【０４５４】
配列番号５８９に記載の配列からなるポリペプチドを変換した、配列番号１１８０に記載の配列のうち２４５番目から３２３８番目までのヌクレオチドからなるポリヌクレオチド（ＧｅｎＢａｎｋ  Ｎｏ．ＮＭ＿１４５０１８．３）、
配列番号５９０に記載の配列からなるポリペプチドを変換した、配列番号１１８１に記載の配列のうち５６番目から３９１番目までのヌクレオチドからなるポリヌクレオチド（ＧｅｎＢａｎｋ  Ｎｏ．ＮＭ＿０３２４８８．３）、
配列番号５９１に記載の配列からなるポリペプチドを変換した、配列番号１１８２に記載の配列のうち６１５番目から２６１５番目までのヌクレオチドからなるポリヌクレオチド（ＧｅｎＢａｎｋ  Ｎｏ．ＮＭ＿００５０６９．４）。
【０４５５】
前述した遺伝子の検出法に特に限定はなく、例えば、前記ポリヌクレオチド中の適切な位置にプローブを設計した上で、ハイブリダイゼーション法により検出してもよく、前記ポリヌクレオチド中の適切な位置にプライマーセットを設計した上で、ＰＣＲ法、ＲＴ−ＰＣＲ法、ＴＲＣ（Ｔｒａｎｓｃｒｉｐｔｉｏｎ  Ｒｅｖｅｒｓｅ  ｔｒａｎｓｃｒｉｐｔｉｏｎ  Ｃｏｎｃｅｒｔｅｄ）法、ＮＡＳＢＡ（Ｎｕｃｌｅｉｃ  Ａｃｉｄ  Ｓｅｑｕｅｎｃｅ−Ｂａｓｅｄ  Ａｍｐｌｉｆｉｃａｔｉｏｎ）法、ＴＭＡ（Ｔｒａｎｓｃｒｉｐｔｉｏｎ−Ｍｅｄｉａｔｅｄ  Ａｍｐｌｉｆｉｃａｔｉｏｎ）法などを用いて前記ポリヌクレオチドを増幅し検出してもよく、前記ポリヌクレオチドを含む試料を直接シーケンサーに供して検出してもよい。
【０４５６】
このように、前述の（ｉ）から（ｉｉｉ）に記載のポリペプチドをコードする遺伝子は、試料中に含まれる腫瘍細胞を当該試料中に含まれる白血球と区別して検出可能な腫瘍マーカーとなりうるものである。
【発明の効果】
【０４５７】
本発明によれば、試料中に含まれる腫瘍細胞の検出を、（ｉ）ＳＬＣ７Ａ５（ＧｅｎＢａｎｋ  Ｎｏ．ＮＰ＿００３４７７．４）を含む５９１種のアミノ酸配列のうちいずれかを少なくとも含むポリペプチド、（ｉｉ）前記（ｉ）のアミノ酸配列と８０％以上の相同性を有するアミノ酸配列を含むポリペプチド、（ｉｉｉ）前記（ｉ）または（ｉｉ）のアミノ酸配列のスプライシングバリアントを少なくとも含むポリペプチド、のいずれかに記載のポリペプチド、またはこれらポリペプチドをコードする遺伝子を検出することにより実施できる。前記検出方法により、試料中に僅かしか含まれない腫瘍細胞を、当該試料中に含まれる夾雑細胞と区別して検出できる。
【０４５８】
また、試料中に含まれる腫瘍細胞の回収を、（ｉｖ）前記（ｉ）のポリペプチドのうち膜貫通型タンパク質である、ＳＬＣ７Ａ５（ＧｅｎＢａｎｋ  Ｎｏ．ＮＰ＿００３４７７．４）を含む１８３種のアミノ酸配列のうちいずれかを少なくとも含むポリペプチド、（ｖ）前記（ｉｖ）のアミノ酸配列と８０％以上の相同性を有するアミノ酸配列を少なくとも含むポリペプチド、（ｖｉ）前記（ｉｖ）または（ｖ）のアミノ酸配列のスプライシングバリアントを少なくとも含むポリペプチド、のいずれかに記載のポリペプチドを用いて腫瘍細胞を検出し、当該検出した腫瘍細胞を回収手段を用いて回収することで実施できる。前記回収方法により、試料中に僅かしか含まれない腫瘍細胞を、当該試料中に含まれる夾雑細胞と区別して回収できる。
【図面の簡単な説明】
【０４５９】
【図１】健常者白血球および各種癌細胞のＳＬＣ７Ａ５遺伝子発現解析結果を示す図である。
【実施例】
【０４６０】
以下、試料が血液試料である場合の実施例を用いて本発明をさらに詳細に説明するが、本発明は当該例に限定されるものではない。
【０４６１】
実施例１  健常者白血球および各種癌細胞の遺伝子発現解析
癌細胞株として、ヒト胃癌細胞（ＳＮＵ−１、ＳＮＵ−５、ＳＮＵ−１６、ＡＧＳ、ＮＣＩ−Ｎ８７およびＫＡＴＯ  ＩＩＩ）、ヒト小細胞肺癌細胞（ＳＢＣ１、ＳＢＣ３、ＳＢＣ５、ＮＣＩ−Ｈ５２６およびＮＣＩ−Ｈ６９）、ヒト肺腺癌細胞（ＰＣ９、ＰＣ１４、Ａ５４９およびＮＣＩ−Ｈ１９７５）、ヒト乳腺癌細胞（ＭＤＡＭＢ２３１）、ヒト乳癌細胞（ＳＫＢＲ３およびＭＣＦ７）、ヒト肝癌細胞（ＨｅｐＧ２およびＨｕＨ−７）、ヒト膵臓癌細胞（ＰＡＮＣ１およびＡｓＰＣ−１）、ヒト前立腺癌細胞（２２Ｒｖ１、ＬＮＣａＰ、ＶＣａＰおよびＰＣ３）の２６株を選択し、これら癌細胞株と健常者白血球との遺伝子発現量の違いを、次世代シーケンサーを用いて、以下の方法で解析した。
【０４６２】
（１）癌細胞株をそれぞれ以下に示す培地を用いて、５％ＣＯ２環境下３７℃で培養した。接着細胞であるＡＧＳ、ＮＣＩ−Ｎ８７、ＳＢＣ１、ＳＢＣ３、ＳＢＣ５、ＰＣ９、ＰＣ１４、Ａ５４９、ＮＣＩ−Ｈ１９７５、ＭＤＡＭＢ２３１、ＳＫＢＲ３、ＭＣＦ７、ＨｅｐＧ２、ＨｕＨ−７、ＰＡＮＣ１、ＡｓＰＣ−１、２２Ｒｖ１、ＬＮＣａＰ、ＶＣａＰおよびＰＣ３は、培養後、ＴｒｙｐＬＥ  Ｅｘｐｒｅｓｓ（Ｔｈｅｒｍｏ  Ｆｉｓｈｅｒ  Ｓｃｉｅｎｔｉｆｉｃ）を用いて培養皿から細胞を剥離することで癌細胞を回収した（ｎ＝３）。浮遊細胞であるＳＮＵ−１、ＳＮＵ−５、ＳＮＵ−１６、ＫＡＴＯ  ＩＩＩ、ＮＣＩ−Ｈ５２６およびＮＣＩ−Ｈ６９は、培養後、培養液から癌細胞を回収した（ｎ＝３）。また、健常者４人の血液から回収した白血球も同様に回収した（ｎ＝４）。
【０４６３】
ＳＮＵ−１、ＳＮＵ−１６、ＮＣＩ−Ｎ８７、ＳＢＣ５、ＮＣＩ−Ｈ５２６、ＮＣＩ−Ｈ６９、ＮＣＩ−Ｈ１９７５、２２Ｒｖ１およびＬＮＣａＰ：１０％（ｖ／ｖ）ＦＢＳ（ウシ胎児血清）を含むＲＰＭＩ−１６４０培地
ＳＮＵ−５およびＫＡＴＯ  ＩＩＩ：２０％（ｖ／ｖ）ＦＢＳを含むＩＭＤＭ（Ｉｓｃｏｖｅ’ｓ  Ｍｏｄｉｆｉｅｄ  Ｄｕｌｂｅｃｃｏ’ｓ  Ｍｅｄｉｕｍ）培地
ＡＧＳおよびＰＣ３：１０％（ｖ／ｖ）ＦＢＳを含むＨａｍ’ｓ  Ｆ−１２Ｋ培地
ＳＢＣ１：１５％（ｖ／ｖ）ＦＢＳを含むＲＰＭＩ−１６４０培地
ＳＢＣ３およびＨｅｐＧ２：１０％（ｖ／ｖ）ＦＢＳを含むＥＭＥＭ（Ｅａｇｌｅ’ｓ  Ｍｉｎｉｍａｌ  Ｅｓｓｅｎｔｉａｌ  Ｍｅｄｉｕｍ）培地
Ａ５４９、ＨｕＨ−７およびＶＣａＰ：１０％（ｖ／ｖ）ＦＢＳを含むＤＭＥＭ（Ｄｕｌｂｅｃｃｏ’ｓ  Ｍｏｄｉｆｉｅｄ  Ｅａｇｌｅ  Ｍｅｄｉｕｍ）培地
ＰＣ９、ＰＣ１４およびＰＡＮＣ１：１０％（ｖ／ｖ）ＦＢＳを含むＤＭＥＭ／Ｈａｍ’ｓＦ−１２培地
ＭＤＡＭＢ２３１：１０％（ｖ／ｖ）ＦＢＳを含むＬｅｉｂｏｖｉｔｚ’ｓ  Ｌ−１５培地
ＳＫＢＲ３：１０％（ｖ／ｖ）ＦＢＳを含むＭｃＣｏｙ’ｓ  ５ａ培地
ＭＣＦ７：１０％（ｖ／ｖ）ＦＢＳ、１ｍＭピルビン酸ナトリウム、ＭＥＭ  Ｎｏｎ  Ｅｓｓｅｎｔｉａｌ  Ａｍｉｎｏ  Ａｃｉｄｓおよび０．０１ｍｇ／ｍＬ  ｉｎｓｕｌｉｎを含むＥＭＥＭ培地
ＡｓＰＣ−１：１０％（ｖ／ｖ）ＦＢＳおよび１ｍＭピルビン酸ナトリウムを含むＲＰＭＩ−１６４０培地
（２）前記（１）で得られた細胞を、ＲＮｅａｓｙ  Ｍｉｎｉ  Ｋｉｔ（ＱＩＡＧＥＮ）を用いてｔｏｔａｌ  ＲＮＡを回収した後、１０ｎｇのｔｏｔａｌ  ＲＮＡからＳＭＡＲＴ−Ｓｅｑ  ｖ４  Ｕｌｔｒａ  Ｌｏｗ  Ｉｎｐｕｔ  ＲＮＡ  Ｋｉｔ  ｆｏｒ  Ｓｅｑｕｅｎｃｉｎｇ（Ｃｌｏｎｔｅｃｈ）によるｃＤＮＡ合成・増幅を行なった。また、健常者４人の血液から回収した白血球でも同様にＲＮＡを回収し、１０ｎｇ分のＲＮＡからｃＤＮＡ合成・増幅を行なった。
【０４６４】
（３）前記（２）で得られたｃＤＮＡ  １ｎｇ分を使用して、Ｎｅｘｔｅｒａ  ＸＴ  ＤＮＡ  Ｌｉｂｒａｒｙ  Ｐｒｅｐａｒａｔｉｏｎ  Ｋｉｔ（Ｉｌｌｕｍｉｎａ）およびＮｅｘｔｅｒａ  ＸＴ  ｖ２  Ｉｎｄｅｘ  Ｋｉｔ  Ｓｅｔ  Ａ（Ｉｌｌｕｍｉｎａ）によるライブラリー調製を行ない、Ｎｅｘｔ−ｓｅｑ５００（ｉｌｌｕｍｉｎａ）を用いてリード長７５ｂｐ、ｓｉｎｇｌｅ  ｅｎｄ  ｒｅａｄの条件でシークエンス解析を行なうことで、一試料あたり１０００万リード以上の配列を解読した。
【０４６５】
（４）前記（３）で解読したヌクレオチド配列（シーケンスデータ）をＴｏｐＨａｔ２（ＪＯＨＮＳ  ＨＯＰＫＩＮＳ大学）およびＢｏｗｔｉｅ２（ＪＯＨＮＳ  ＨＯＰＫＩＮＳ大学）を用いて、ヒトゲノム配列にマップした。なおヒトゲノム配列およびヒト遺伝子情報はＮＣＢＩ（Ｎａｔｉｏｎａｌ  Ｃｅｎｔｅｒ  ｆｏｒ  Ｂｉｏｌｏｇｉｃａｌ  Ｉｎｆｏｒｍａｔｉｏｎ）より公開されているＢＵＩＬＤ  ＧＲＣｈ３８を使用した。マップしたヌクレオチド配列は、Ｃｕｆｆｌｉｎｋｓ（Ｗａｓｈｉｎｇｔｏｎ大学）により、解読した各遺伝子のリード数から、ＦＰＫＭ（Ｆｒａｇｍｅｎｔｓ  Ｐｅｒ  Ｋｉｌｏｂａｓｅ  ｏｆ  ｅｘｏｎ  ｐｅｒ  Ｍｉｌｌｉｏｎ  ｒｅａｄｓ  ｍａｐｐｅｄ）を単位とする遺伝子ごとの発現値を求めた。
（５）健常者白血球４検体４サンプルと癌細胞株２６種類７７サンプルについて発現比較を行なった。
【０４６６】
癌細胞株（２６種類７７サンプル）における発現値（ＦＰＫＭ値）の平均が、健常者白血球（４検体４サンプル）における発現値（ＦＰＫＭ値）の平均の１０．００倍以上であり、かつ膜貫通型タンパク質をコードする遺伝子を表１に示す。また前記遺伝子のうち、ＳＬＣ７Ａ５（配列番号１）をコードする遺伝子について、各サンプル毎の解析結果を図１に示す。図中、ＳＮＵ−１、ＳＮＵ−５、ＳＮＵ−１６、ＡＧＳ、ＮＣＩ−Ｎ８７およびＫＡＴＯ  ＩＩＩはヒト胃癌細胞の、ＳＢＣ１、ＳＢＣ３、ＳＢＣ５、ＮＣＩ−Ｈ５２６およびＮＣＩ−Ｈ６９はヒト小細胞肺癌細胞の、ＰＣ９、ＰＣ１４、Ａ５４９およびＮＣＩ−Ｈ１９７５はヒト肺腺癌細胞の、ＭＤＡＭＢ２３１はヒト乳腺癌細胞の、ＳＫＢＲ３およびＭＣＦ７はヒト乳癌細胞の、ＨｅｐＧ２およびＨｕＨ−７はヒト肝癌細胞の、ＰＡＮＣ１およびＡｓＰＣ−１はヒト膵臓癌細胞の、２２Ｒｖ１、ＬＮＣａＰ、ＶＣａＰおよびＰＣ３はヒト前立腺癌細胞の、ＷＢＣは健常者白血球の、それぞれ結果である。
【０４６７】
【表１】
2019158777.tif 000003
【０４６８】
ＳＬＣ７Ａ５遺伝子（配列番号５９２）は、癌細胞株（２６種類７７サンプル）における発現値（ＦＰＫＭ値）の平均が、白血球（４検体４サンプル）のＦＰＫＭ値の平均の６２倍以上であり、ＳＬＣ７Ａ５遺伝子が癌細胞（腫瘍細胞）特異的かつ高発現していることがわかる（表１）。またＳＬＣ７Ａ５遺伝子は、胃癌細胞、小細胞肺癌細胞、肺腺癌細胞、乳腺癌細胞、乳癌細胞、肝癌細胞、膵臓癌細胞、前立腺癌細胞と、癌種を問わず高発現している（図１）ことから、ＳＬＣ７Ａ５タンパク質（配列番号１）および遺伝子（配列番号５９２）は、従来の検出で用いられる腫瘍マーカーであるＥｐＣＡＭと比較し、試料中に含まれる腫瘍細胞を広範囲に検出できることがわかる。また、ＳＬＣ７Ａ５タンパク質（配列番号１）は膜貫通型タンパク質であることから、従来の回収で用いられる腫瘍マーカーであるＥｐＣＡＭと比較し、試料中に含まれる腫瘍細胞を広範囲に回収できることがわかる。
【０４６９】
癌細胞株（２６種類７７サンプル）における発現値（ＦＰＫＭ値）の平均が、健常者白血球（４検体４サンプル）における発現値（ＦＰＫＭ値）の平均の１０．００倍以上であり、かつ膜貫通型タンパク質以外のタンパク質をコードする遺伝子を表２から表４に示す。
【０４７０】
【表２】
2019158777.tif 000004
【０４７１】
【表３】
2019158777.tif 000005
【０４７２】
【表４】
2019158777.tif 000006
【０４７３】
胃癌細胞株（６種類１７サンプル）における発現値（ＦＰＫＭ値）の平均が、健常者白血球（４検体４サンプル）における発現値（ＦＰＫＭ値）の平均の１０．００倍以上であり、かつ膜貫通型タンパク質をコードする遺伝子を表５から表７に示す。
【０４７４】
【表５】
2019158777.tif 000007
【０４７５】
【表６】
2019158777.tif 000008
【０４７６】
【表７】
2019158777.tif 000009
【０４７７】
胃癌細胞株（６種類１７サンプル）における発現値（ＦＰＫＭ値）の平均が、健常者白血球（４検体４サンプル）における発現値（ＦＰＫＭ値）の平均の１０．００倍以上であり、かつ膜貫通型タンパク質以外のタンパク質をコードする遺伝子を表８から表１２に示す。
【０４７８】
【表８】
2019158777.tif 000010
【０４７９】
【表９】
2019158777.tif 000011
【０４８０】
【表１０】
2019158777.tif 000012
【０４８１】
【表１１】
2019158777.tif 000013
【０４８２】
【表１２】
2019158777.tif 000014
【０４８３】
小細胞肺癌細胞株（５種類１５サンプル）における発現値（ＦＰＫＭ値）の平均が、健常者白血球（４検体４サンプル）における発現値（ＦＰＫＭ値）の平均の１０．００倍以上であり、かつ膜貫通型タンパク質をコードする遺伝子を表１３および表１４に示す。
【０４８４】
【表１３】
2019158777.tif 000015
【０４８５】
【表１４】
2019158777.tif 000016
【０４８６】
小細胞肺癌細胞株（５種類１５サンプル）における発現値（ＦＰＫＭ値）の平均が、健常者白血球（４検体４サンプル）における発現値（ＦＰＫＭ値）の平均の１０．００倍以上であり、かつ膜貫通型タンパク質以外のタンパク質をコードする遺伝子を表１５から表１９に示す。
【０４８７】
【表１５】
2019158777.tif 000017
【０４８８】
【表１６】
2019158777.tif 000018
【０４８９】
【表１７】
2019158777.tif 000019
【０４９０】
【表１８】
2019158777.tif 000020
【０４９１】
【表１９】
2019158777.tif 000021
【０４９２】
肺腺癌細胞株（４種類１２サンプル）における発現値（ＦＰＫＭ値）の平均が、健常者白血球（４検体４サンプル）における発現値（ＦＰＫＭ値）の平均の１０．００倍以上であり、かつ膜貫通型タンパク質をコードする遺伝子を表２０および表２１に示す。
【０４９３】
【表２０】
2019158777.tif 000022
【０４９４】
【表２１】
2019158777.tif 000023
【０４９５】
肺腺癌細胞株（４種類１２サンプル）における発現値（ＦＰＫＭ値）の平均が、健常者白血球（４検体４サンプル）における発現値（ＦＰＫＭ値）の平均の１０．００倍以上であり、かつ膜貫通型タンパク質以外のタンパク質をコードする遺伝子を表２２から表２６に示す。
【０４９６】
【表２２】
2019158777.tif 000024
【０４９７】
【表２３】
2019158777.tif 000025
【０４９８】
【表２４】
2019158777.tif 000026
【０４９９】
【表２５】
2019158777.tif 000027
【０５００】
【表２６】
2019158777.tif 000028
【０５０１】
乳腺癌又は乳癌細胞株（３種類９サンプル）における発現値（ＦＰＫＭ値）の平均が、健常者白血球（４検体４サンプル）における発現値（ＦＰＫＭ値）の平均の１０．００倍以上であり、かつ膜貫通型タンパク質をコードする遺伝子を表２７および表２８に示す。
【０５０２】
【表２７】
2019158777.tif 000029
【０５０３】
【表２８】
2019158777.tif 000030
【０５０４】
乳腺癌又は乳癌細胞株（３種類９サンプル）における発現値（ＦＰＫＭ値）の平均が、健常者白血球（４検体４サンプル）における発現値（ＦＰＫＭ値）の平均の１０．００倍以上であり、かつ膜貫通型タンパク質以外のタンパク質をコードする遺伝子を表２９から表３３に示す。
【０５０５】
【表２９】
2019158777.tif 000031
【０５０６】
【表３０】
2019158777.tif 000032
【０５０７】
【表３１】
2019158777.tif 000033
【０５０８】
【表３２】
2019158777.tif 000034
【０５０９】
【表３３】
2019158777.tif 000035
【０５１０】
肝癌細胞株（２種類６サンプル）における発現値（ＦＰＫＭ値）の平均が、健常者白血球（４検体４サンプル）における発現値（ＦＰＫＭ値）の平均の１０．００倍以上であり、かつ膜貫通型タンパク質をコードする遺伝子を表３４から表３６に示す。
【０５１１】
【表３４】
2019158777.tif 000036
【０５１２】
【表３５】
2019158777.tif 000037
【０５１３】
【表３６】
2019158777.tif 000038
【０５１４】
肝癌細胞株（２種類６サンプル）における発現値（ＦＰＫＭ値）の平均が、健常者白血球（４検体４サンプル）における発現値（ＦＰＫＭ値）の平均の１０．００倍以上であり、かつ膜貫通型タンパク質以外のタンパク質をコードする遺伝子を表３７から表４３に示す。
【０５１５】
【表３７】
2019158777.tif 000039
【０５１６】
【表３８】
2019158777.tif 000040
【０５１７】
【表３９】
2019158777.tif 000041
【０５１８】
【表４０】
2019158777.tif 000042
【０５１９】
【表４１】
2019158777.tif 000043
【０５２０】
【表４２】
2019158777.tif 000044
【０５２１】
【表４３】
2019158777.tif 000045
【０５２２】
膵臓癌細胞株（２種類６サンプル）における発現値（ＦＰＫＭ値）の平均が、健常者白血球（４検体４サンプル）における発現値（ＦＰＫＭ値）の平均の１０．００倍以上であり、かつ膜貫通型タンパク質をコードする遺伝子を表４４から表４６に示す。
【０５２３】
【表４４】
2019158777.tif 000046
【０５２４】
【表４５】
2019158777.tif 000047
【０５２５】
【表４６】
2019158777.tif 000048
【０５２６】
膵臓癌細胞株（２種類６サンプル）における発現値（ＦＰＫＭ値）の平均が、健常者白血球（４検体４サンプル）における発現値（ＦＰＫＭ値）の平均の１０．００倍以上であり、かつ膜貫通型タンパク質以外のタンパク質をコードする遺伝子を表４７から表５２に示す。
【０５２７】
【表４７】
2019158777.tif 000049
【０５２８】
【表４８】
2019158777.tif 000050
【０５２９】
【表４９】
2019158777.tif 000051
【０５３０】
【表５０】
2019158777.tif 000052
【０５３１】
【表５１】
2019158777.tif 000053
【０５３２】
【表５２】
2019158777.tif 000054
【０５３３】
前立腺癌細胞株（４種類１２サンプル）における発現値（ＦＰＫＭ値）の平均が、健常者白血球（４検体４サンプル）における発現値（ＦＰＫＭ値）の平均の１０．００倍以上であり、かつ膜貫通型タンパク質をコードする遺伝子を表５３から表５５に示す。
【０５３４】
【表５３】
2019158777.tif 000055
【０５３５】
【表５４】
2019158777.tif 000056
【０５３６】
【表５５】
2019158777.tif 000057
【０５３７】
前立腺癌細胞株（４種類１２サンプル）における発現値（ＦＰＫＭ値）の平均が、健常者白血球（４検体４サンプル）における発現値（ＦＰＫＭ値）の平均の１０．００倍以上であり、かつ膜貫通型タンパク質以外のタンパク質をコードする遺伝子を表５６から表６０に示す。
【０５３８】
【表５６】
2019158777.tif 000058
【０５３９】
【表５７】
2019158777.tif 000059
【０５４０】
【表５８】
2019158777.tif 000060
【０５４１】
【表５９】
2019158777.tif 000061
【０５４２】
【表６０】
2019158777.tif 000062
【０５４３】
表１から表４に示す、癌細胞株（２６種類７７サンプル）における発現値（ＦＰＫＭ値）の平均が、健常者白血球（４検体４サンプル）における発現値（ＦＰＫＭ値）の平均の１０．００倍以上である遺伝子のうち、全ての癌種（胃癌、小細胞肺癌、肺腺癌、乳腺癌又は乳癌、肝癌、膵臓癌、前立腺癌）の細胞で健常者白血球（４検体４サンプル）における発現値（ＦＰＫＭ値）の平均の１０．００倍以上となった遺伝子を表６１から表６３に示す。これら表に示すタンパク質および遺伝子は、前述したＳＬＣ７Ａ５（タンパク質配列：配列番号１、遺伝子配列：配列番号５９２、表６１）と同様、従来の検出で用いられる腫瘍マーカーであるＥｐＣＡＭと比較し、試料中に含まれる腫瘍細胞を広範囲に検出できることが示唆される。また、これら表に示すタンパク質のうち膜貫通型タンパク質（具体的には表６１に示す、膜貫通型タンパク質が○となっているタンパク質）であるものについては、前述したＳＬＣ７Ａ５（タンパク質配列：配列番号１、遺伝子配列：配列番号５９２、表６１）と同様、従来の回収で用いられる腫瘍マーカーであるＥｐＣＡＭと比較し、試料中に含まれる腫瘍細胞を広範囲に回収できることが示唆される。
【０５４４】
【表６１】
2019158777.tif 000063
【０５４５】
【表６２】
2019158777.tif 000064
【０５４６】
【表６３】
2019158777.tif 000065
【０５４７】
表５から表１２に示す、胃癌細胞株（６種類１７サンプル）における発現値（ＦＰＫＭ値）の平均が、健常者白血球（４検体４サンプル）における発現値（ＦＰＫＭ値）の平均の１０．００倍以上である遺伝子のうち、胃癌以外（小細胞肺癌、肺腺癌、乳腺癌又は乳癌、肝癌、膵臓癌、前立腺癌）の細胞株における発現値（ＦＰＫＭ値）の平均が、全て健常者白血球（４検体４サンプル）における発現値（ＦＰＫＭ値）の平均の１０．００倍未満である遺伝子を表６４および表６５に示す。これら表に示すタンパク質および遺伝子は、胃癌細胞を特異的に検出できることが示唆される。また、これら表に示すタンパク質のうち膜貫通型タンパク質（具体的には表６４に示すタンパク質のうち、膜貫通型タンパク質が○となっているタンパク質）であるものについては、胃癌細胞を特異的に回収できることが示唆される。
【０５４８】
【表６４】
2019158777.tif 000066
【０５４９】
【表６５】
2019158777.tif 000067
【０５５０】
表１３から表１９に示す、小細胞肺癌細胞株（５種類１５サンプル）における発現値（ＦＰＫＭ値）の平均が、健常者白血球（４検体４サンプル）における発現値（ＦＰＫＭ値）の平均の１０．００倍以上である遺伝子のうち、小細胞肺癌以外（胃癌、肺腺癌、乳腺癌又は乳癌、肝癌、膵臓癌、前立腺癌）の細胞株における発現値（ＦＰＫＭ値）の平均が、全て健常者白血球（４検体４サンプル）における発現値（ＦＰＫＭ値）の平均の１０．００倍未満である遺伝子を表６６から表７１に示す。これら表に示すタンパク質および遺伝子は、小細胞肺癌細胞を特異的に検出できることが示唆される。また、これら表に示すタンパク質のうち膜貫通型タンパク質（具体的には表６６および表６８に示すタンパク質のうち、膜貫通型タンパク質が○となっているタンパク質）であるものについては、小細胞肺癌細胞を特異的に回収できることが示唆される。
【０５５１】
中でも、小細胞肺癌以外（胃癌、肺腺癌、乳腺癌又は乳癌、肝癌、膵臓癌、前立腺癌）の細胞株における発現値（ＦＰＫＭ値）の平均が、全て健常者白血球（４検体４サンプル）における発現値（ＦＰＫＭ値）の平均の３．００倍未満である、表６６および表６７に示すタンパク質および遺伝子は、小細胞肺癌細胞を特異的に検出可能なタンパク質および遺伝子の好ましい態様であることが示唆される。また、これら表に示すタンパク質のうち膜貫通型タンパク質（具体的には表６６に示すタンパク質のうち、膜貫通型タンパク質が○となっているタンパク質）であるものについては、小細胞肺癌細胞を特異的に回収可能なタンパク質の好ましい態様であることが示唆される。
【０５５２】
【表６６】
2019158777.tif 000068
【０５５３】
【表６７】
2019158777.tif 000069
【０５５４】
【表６８】
2019158777.tif 000070
【０５５５】
【表６９】
2019158777.tif 000071
【０５５６】
【表７０】
2019158777.tif 000072
【０５５７】
【表７１】
2019158777.tif 000073
【０５５８】
表２０から表２６に示す、肺腺癌細胞株（４種類１２サンプル）における発現値（ＦＰＫＭ値）の平均が、健常者白血球（４検体４サンプル）における発現値（ＦＰＫＭ値）の平均の１０．００倍以上である遺伝子のうち、肺腺癌以外（胃癌、小細胞肺癌、乳腺癌又は乳癌、肝癌、膵臓癌、前立腺癌）の細胞株における発現値（ＦＰＫＭ値）の平均が、全て健常者白血球（４検体４サンプル）における発現値（ＦＰＫＭ値）の平均の１０．００倍未満である遺伝子を表７２から表７４に示す。これら表に示すタンパク質および遺伝子は、肺腺癌細胞を特異的に検出できることが示唆される。また、これら表に示すタンパク質のうち膜貫通型タンパク質（具体的には表７３に示すタンパク質のうち、膜貫通型タンパク質が○となっているタンパク質）であるものについては、肺腺癌細胞を特異的に回収できることが示唆される。
【０５５９】
中でも、肺腺癌以外（胃癌、小細胞肺癌、乳腺癌又は乳癌、肝癌、膵臓癌、前立腺癌）の細胞株における発現値（ＦＰＫＭ値）の平均が、全て健常者白血球（４検体４サンプル）における発現値（ＦＰＫＭ値）の平均の３．００倍未満である、表７２に示すタンパク質および遺伝子は、肺腺癌細胞を特異的に検出可能なタンパク質および遺伝子の好ましい態様であることが示唆される。
【０５６０】
【表７２】
2019158777.tif 000074
【０５６１】
【表７３】
2019158777.tif 000075
【０５６２】
【表７４】
2019158777.tif 000076
【０５６３】
表２７から表３３に示す、乳腺癌又は乳癌細胞株（３種類９サンプル）における発現値（ＦＰＫＭ値）の平均が、健常者白血球（４検体４サンプル）における発現値（ＦＰＫＭ値）の平均の１０．００倍以上である遺伝子のうち、乳腺癌又は乳癌以外（胃癌、小細胞肺癌、肺腺癌、肝癌、膵臓癌、前立腺癌）の細胞株における発現値（ＦＰＫＭ値）の平均が、全て健常者白血球（４検体４サンプル）における発現値（ＦＰＫＭ値）の平均の１０．００倍未満である遺伝子を表７５および表７６に示す。これら表に示すタンパク質および遺伝子は、乳腺癌又は乳癌細胞を特異的に検出できることが示唆される。また、これら表に示すタンパク質のうち膜貫通型タンパク質（具体的には表７５に示すタンパク質のうち、膜貫通型タンパク質が○となっているタンパク質）であるものについては、乳腺癌又は乳癌細胞を特異的に回収できることが示唆される。
【０５６４】
【表７５】
2019158777.tif 000077
【０５６５】
【表７６】
2019158777.tif 000078
【０５６６】
表３４から表４３に示す、肝癌細胞株（２種類６サンプル）における発現値（ＦＰＫＭ値）の平均が、健常者白血球（４検体４サンプル）における発現値（ＦＰＫＭ値）の平均の１０．００倍以上である遺伝子のうち、肝癌以外（胃癌、小細胞肺癌、肺腺癌、乳腺癌又は乳癌、膵臓癌、前立腺癌）の細胞株における発現値（ＦＰＫＭ値）の平均が、全て健常者白血球（４検体４サンプル）における発現値（ＦＰＫＭ値）の平均の１０．００倍未満である遺伝子を表７７から表８５に示す。これら表に示すタンパク質および遺伝子は、肝癌細胞を特異的に検出できることが示唆される。また、これら表に示すタンパク質のうち膜貫通型タンパク質（具体的には表７７および表８０から表８２に示すタンパク質のうち、膜貫通型タンパク質が○となっているタンパク質）であるものについては、肝癌細胞を特異的に回収できることが示唆される。
【０５６７】
中でも、肝癌以外（胃癌、小細胞肺癌、肺腺癌、乳腺癌又は乳癌、膵臓癌、前立腺癌）の細胞株における発現値（ＦＰＫＭ値）の平均が、全て健常者白血球（４検体４サンプル）における発現値（ＦＰＫＭ値）の平均の３．００倍未満である、表７７から表７９に示すタンパク質および遺伝子は、肝癌細胞を特異的に検出可能なタンパク質および遺伝子の好ましい態様であることが示唆される。また、これら表に示すタンパク質のうち膜貫通型タンパク質（具体的には表７７に示すタンパク質のうち、膜貫通型タンパク質が○となっているタンパク質）であるものについては、肝癌細胞を特異的に回収可能なタンパク質の好ましい態様であることが示唆される。
【０５６８】
【表７７】
2019158777.tif 000079
【０５６９】
【表７８】
2019158777.tif 000080
【０５７０】
【表７９】
2019158777.tif 000081
【０５７１】
【表８０】
2019158777.tif 000082
【０５７２】
【表８１】
2019158777.tif 000083
【０５７３】
【表８２】
2019158777.tif 000084
【０５７４】
【表８３】
2019158777.tif 000085
【０５７５】
【表８４】
2019158777.tif 000086
【０５７６】
【表８５】
2019158777.tif 000087
【０５７７】
表４４から表５２に示す、膵臓癌細胞株（２種類６サンプル）における発現値（ＦＰＫＭ値）の平均が、健常者白血球（４検体４サンプル）における発現値（ＦＰＫＭ値）の平均の１０．００倍以上である遺伝子のうち、膵臓癌以外（胃癌、小細胞肺癌、肺腺癌、乳腺癌又は乳癌、肝癌、前立腺癌）の細胞株における発現値（ＦＰＫＭ値）の平均が、全て健常者白血球（４検体４サンプル）における発現値（ＦＰＫＭ値）の平均の１０．００倍未満である遺伝子を表８６から表８９に示す。これら表に示すタンパク質および遺伝子は、膵臓癌細胞を特異的に検出できることが示唆される。また、これら表に示すタンパク質のうち膜貫通型タンパク質（具体的には表８６および表８７に示すタンパク質のうち、膜貫通型タンパク質が○となっているタンパク質）であるものについては、膵臓癌細胞を特異的に回収できることが示唆される。
【０５７８】
中でも、膵臓癌以外（胃癌、小細胞肺癌、肺腺癌、乳腺癌又は乳癌、肝癌、前立腺癌）の細胞株における発現値（ＦＰＫＭ値）の平均が、全て健常者白血球（４検体４サンプル）における発現値（ＦＰＫＭ値）の平均の３．００倍未満である、表８６に示すタンパク質および遺伝子は、膵臓癌細胞を特異的に検出可能なタンパク質および遺伝子の好ましい態様であることが示唆される。また、表８６に示すタンパク質のうち膜貫通型タンパク質（具体的には表８６に示すタンパク質のうち、膜貫通型タンパク質が○となっているタンパク質）であるものについては、膵臓癌細胞を特異的に回収可能なタンパク質の好ましい態様であることが示唆される。
【０５７９】
【表８６】
2019158777.tif 000088
【０５８０】
【表８７】
2019158777.tif 000089
【０５８１】
【表８８】
2019158777.tif 000090
【０５８２】
【表８９】
2019158777.tif 000091
【０５８３】
表５３から表６０に示す、前立腺細胞株（４種類１２サンプル）における発現値（ＦＰＫＭ値）の平均が、健常者白血球（４検体４サンプル）における発現値（ＦＰＫＭ値）の平均の１０．００倍以上である遺伝子のうち、前立腺癌以外（胃癌、小細胞肺癌、肺腺癌、乳腺癌又は乳癌、肝癌、膵臓癌）の細胞株における発現値（ＦＰＫＭ値）の平均が、全て健常者白血球（４検体４サンプル）における発現値（ＦＰＫＭ値）の平均の１０．００倍未満である遺伝子を表９０から表９３に示す。これら表に示すタンパク質および遺伝子は、前立腺癌細胞を特異的に検出できることが示唆される。また、これら表に示すタンパク質のうち膜貫通型タンパク質（具体的には表９０および表９１に示すタンパク質のうち、膜貫通型タンパク質が○となっているタンパク質）であるものについては、前立腺癌細胞を特異的に回収できることが示唆される。
【０５８４】
中でも、前立腺癌以外（胃癌、小細胞肺癌、肺腺癌、乳腺癌又は乳癌、肝癌、膵臓癌）の細胞株における発現値（ＦＰＫＭ値）の平均が、全て健常者白血球（４検体４サンプル）における発現値（ＦＰＫＭ値）の平均の３．００倍未満である、表９０に示すタンパク質および遺伝子は、前立腺癌細胞を特異的に検出可能なタンパク質および遺伝子の好ましい態様であることが示唆される。また、表９０に示すタンパク質のうち膜貫通型タンパク質（具体的には具体的には表９０に示すタンパク質のうち、膜貫通型タンパク質が○となっているタンパク質）であるものについては、前立腺癌細胞を特異的に回収可能なタンパク質の好ましい態様であることが示唆される。
【０５８５】
【表９０】
2019158777.tif 000092
【０５８６】
【表９１】
2019158777.tif 000093
【０５８７】
【表９２】
2019158777.tif 000094
【０５８８】
【表９３】
2019158777.tif 000095
【図１】
2019158777.tif 000096
【配列表】
2019158777000001.app